(57)【要約】【課題】姿勢補整用ボトムズにおいて、意識しなくても着用するだけで肛門が引き締められて正しい姿勢をとることができ、さらに着用して歩行するだけで正しい歩き方ができて、筋肉に刺激を与え大臀筋・中臀筋が鍛えられて美しいプロポーションを得られること。【解決手段】姿勢補整用ズボン１を着用することによって、羽根部材５には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。さらに、肛門が引き締められたときに臀部に生ずる１対の小さい窪みの位置ＨＥＰが１対の分岐部分５ａ，５ｂで押えられる位置にあるため、着用者の臀部が引き締まって小尻になるとともにヒップアップの効果も得られる。【選択図】図２
2007239165.tif 000002
【特許請求の範囲】
【請求項１】
ボトムズ本体と、前記ボトムズ本体の裏側の少なくとも臀部を覆うように前記ボトムズ本体の裏側に縫付けられた裏地と、伸縮性を有する生地からなる１対の分岐部分を有する略Ｙ字形の羽根部材とを具備する姿勢補整用ボトムズであって、
前記ボトムズ本体の裏側前部に前記羽根部材の分岐していない側の端が縫付けられ、前記裏地の臀部に前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられ、
前記羽根部材は前記姿勢補整用ボトムズを着用したときに着用者の肛門位置が前記１対の分岐部分の間の前記分岐点の近傍または前記羽根部材の下の前記分岐点の近傍に位置するとともに、前記１対の分岐部分の内側及び外側の縫い止まり点が前記着用者の肛門位置よりも上方に位置するように縫付けられていることを特徴とする姿勢補整用ボトムズ。
【請求項２】
ボトムズ本体と、前記ボトムズ本体の裏側の少なくとも臀部を覆うように前記ボトムズ本体の裏側の股下縫代にその一端が縫付けられた裏地と、伸縮性を有する生地からなる１対の分岐部分を有する略Ｙ字形の羽根部材とを具備する姿勢補整用ボトムズであって、
前記ボトムズ本体の前記股下縫代に前記羽根部材の分岐していない側の端が縫付けられ、前記裏地の臀部に前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられ、
前記羽根部材は前記姿勢補整用ボトムズを着用したときに着用者の肛門位置が前記１対の分岐部分の間の前記分岐点の近傍または前記羽根部材の下の前記分岐点の近傍に位置するとともに、前記１対の分岐部分の内側及び外側の縫い止まり点が前記着用者の肛門位置よりも上方に位置するように縫付けられていることを特徴とする姿勢補整用ボトムズ。
【請求項３】
前記羽根部材の分岐していない側の端及び前記裏地の一端が片倒しされた前記股下縫代に２本のステッチ縫いで縫付けられていることを特徴とする請求項２に記載の姿勢補整用ボトムズ。
【請求項４】
ボトムズ本体と、前記ボトムズ本体の裏側の少なくとも臀部を覆うように前記ボトムズ本体の裏側に縫付けられた裏地と、伸縮性を有する生地からなる１対の分岐部分と１対の前部分岐部分とを有する略Ｘ字形の羽根部材とを具備する姿勢補整用ボトムズであって、
前記ボトムズ本体の裏側前部上端に前記羽根部材の前記１対の前部分岐部分の先端が縫付けられ、前記裏地の臀部に前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられ、
前記羽根部材は前記姿勢補整用ボトムズを着用したときに着用者の肛門位置が前記１対の分岐部分の間の前記分岐点の近傍または前記羽根部材の下の前記分岐点の近傍に位置するとともに、前記１対の分岐部分の内側及び外側の縫い止まり点が前記着用者の肛門位置よりも上方に位置するように縫付けられていることを特徴とする姿勢補整用ボトムズ。
【請求項５】
前記羽根部材が前記１対の分岐部分と前記１対の前部分岐部分との間に枝部分を有しており、前記枝部分は前記裏地の股下近傍に縫付けられていることを特徴とする請求項４に記載の姿勢補整用ボトムズ。
【請求項６】
前記裏地が前記ボトムズ本体の裏側前部の二つに割られた股上縫代または片倒しされた股上縫代の一ヶ所にステッチ止めされていることを特徴とする請求項１乃至請求項５のいずれか１つに記載の姿勢補整用ボトムズ。
【請求項７】
前記裏地が伸縮性を有する生地からなることを特徴とする請求項１乃至請求項６のいずれか１つに記載の姿勢補整用ボトムズ。
【請求項８】
前記羽根部材の前記１対の分岐部分の先端及びその周囲の部分が前記ボトムズ本体と前記裏地との間において前記裏地に縫付けられており、前記裏地が前記ボトムズ本体の裏側の腰周りから股下までのほぼ全面を覆う大きさを有することを特徴とする請求項７に記載の姿勢補整用ボトムズ。
【請求項９】
前記羽根部材の前記１対の分岐部分の先端及びその周囲の部分が前記ボトムズ本体と前記裏地との間において前記裏地に縫付けられており、前記裏地が伸縮性のない生地からなり、少なくとも前記ボトムズ本体の裏側の腰周りから股下までのほぼ全面を覆う大きさを有することを特徴とする請求項１乃至請求項６のいずれか１つに記載の姿勢補整用ボトムズ。
【請求項１０】
前記羽根部材の前記１対の分岐部分の先端及びその周囲の部分が前記ボトムズ本体と前記裏地との間において前記裏地に縫付けられており、前記裏地が伸縮性のない生地からなり、前記ボトムズ本体の裏側の腰周りから脚部先端までのほぼ全面を覆う大きさを有することを特徴とする請求項１乃至請求項６のいずれか１つに記載の姿勢補整用ボトムズ。
【請求項１１】
前記羽根部材の前記１対の分岐部分の先端及びその周囲の部分が前記ボトムズ本体と前記裏地との間において前記裏地に縫付けられており、前記ボトムズ本体の裏側の腰周りから脚部先端までのほぼ全面を覆う大きさを有することを特徴とする請求項７に記載の姿勢補整用ボトムズ。
【請求項１２】
着用者の股下に当接する股部を有する伸縮性を有する生地からなる下着本体と、１対の分岐部分を有する略Ｙ字形の伸縮性を有する生地からなる羽根部材とを具備する姿勢補整用下着がボトムズ本体の内側に取付けられた姿勢補整用ボトムズであって、
前記下着本体の裏側または表側の前記股部の前部に前記羽根部材の分岐していない側の一端が縫付けられ、股下を通って前記下着本体の裏側または表側の後部に前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられ、
前記羽根部材は前記姿勢補整用ボトムズを着用したときに前記着用者の肛門位置が前記１対の分岐部分の間または前記分岐点の近傍に位置するとともに、前記１対の分岐部分の内側及び外側の縫い止まり点が前記着用者の肛門位置よりも上方に位置するように縫付けられていることを特徴とする姿勢補整用ボトムズ。
【請求項１３】
着用者の股下に当接する股部を有する伸縮性を有する生地からなる下着本体と、１対の分岐部分と１対の前部分岐部分とを有する略Ｘ字形の伸縮性を有する生地からなる羽根部材とを具備する姿勢補整用下着がボトムズ本体の内側に取付けられた姿勢補整用ボトムズであって、
前記下着本体の裏側または表側の前記股部の前部に前記羽根部材の前記１対の前部分岐部分が縫付けられ、股下を通って前記下着本体の裏側または表側の後部に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられ、
前記羽根部材は前記姿勢補整用ボトムズを着用したときに前記着用者の肛門位置が前記１対の分岐部分の間の前記分岐点の近傍または前記羽根部材の下の前記分岐点の近傍に位置するとともに、前記１対の分岐部分の内側及び外側の縫い止まり点が前記着用者の肛門位置よりも上方に位置するように縫付けられていることを特徴とする姿勢補整用ボトムズ。
【請求項１４】
着用者の股下に当接する股部を有しない伸縮性を有する生地からなる下着本体と、１対の分岐部分を有する略Ｙ字形の伸縮性を有する生地からなる羽根部材とを具備する姿勢補整用下着がボトムズ本体の内側に取付けられた姿勢補整用ボトムズであって、
前記下着本体の裏側または表側の前部に前記羽根部材の分岐していない側の端が縫付けられ、前記下着本体の裏側または表側の後部に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられることによって前記股部が形成され、
前記羽根部材は前記姿勢補整用ボトムズを着用したときに前記着用者の肛門位置が前記１対の分岐部分の間の前記分岐点の近傍または前記羽根部材の下の前記分岐点の近傍に位置するとともに、前記１対の分岐部分の内側及び外側の縫い止まり点が前記着用者の肛門位置よりも上方に位置するように縫付けられていることを特徴とする姿勢補整用ボトムズ。
【請求項１５】
着用者の股下に当接する股部を有しない伸縮性を有する生地からなる下着本体と、１対の分岐部分と１対の前部分岐部分とを有する略Ｘ字形の伸縮性を有する生地からなる羽根部材とを具備する姿勢補整用下着がボトムズ本体の内側に取付けられた姿勢補整用ボトムズであって、
前記下着本体の裏側または表側の前部に前記羽根部材の前記１対の前部分岐部分が縫付けられ、前記下着本体の裏側または表側の後部に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられることによって前記股部が形成され、
前記羽根部材は前記姿勢補整用ボトムズを着用したときに前記着用者の肛門位置が前記１対の分岐部分の間の前記分岐点の近傍または前記羽根部材の下の前記分岐点の近傍に位置するとともに、前記１対の分岐部分の内側及び外側の縫い止まり点が前記着用者の肛門位置よりも上方に位置するように縫付けられていることを特徴とする姿勢補整用ボトムズ。
【請求項１６】
着用者の股下に当接する股部を有する伸縮性を有する生地からなる下着本体と、該下着本体の裏側の少なくとも臀部を覆うようにその縁に沿って前記下着本体の裏側に縫付けられた伸縮性を有する生地からなるヨーク部材と、１対の分岐部分を有する略Ｙ字形の伸縮性を有する生地からなる羽根部材とを具備する姿勢補整用下着がボトムズ本体の内側に取付けられた姿勢補整用ボトムズであって、
前記下着本体の裏側の前記股部の前部に前記羽根部材の分岐していない側の端が縫付けられ、股下を通って前記ヨーク部材に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられ、
前記羽根部材は前記姿勢補整用ボトムズを着用したときに前記着用者の肛門位置が前記１対の分岐部分の間の前記分岐点の近傍または前記羽根部材の下の前記分岐点の近傍に位置するとともに、前記１対の分岐部分の内側及び外側の縫い止まり点が前記着用者の肛門位置よりも上方に位置するように縫付けられていることを特徴とする姿勢補整用ボトムズ。
【請求項１７】
着用者の股下に当接する股部を有する伸縮性を有する生地からなる下着本体と、該下着本体の裏側の少なくとも臀部を覆うようにその縁に沿って前記下着本体の裏側に縫付けられた伸縮性を有する生地からなるヨーク部材と、１対の分岐部分と１対の前部分岐部分とを有する略Ｘ字形の伸縮性を有する生地からなる羽根部材とを具備する姿勢補整用下着がボトムズ本体の内側に取付けられた姿勢補整用ボトムズであって、
前記下着本体の裏側の前記股部の前部に前記羽根部材の前記１対の前部分岐部分が縫付けられ、股下を通って前記ヨーク部材に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられ、
前記羽根部材は前記姿勢補整用ボトムズを着用したときに前記着用者の肛門位置が前記１対の分岐部分の間の前記分岐点の近傍または前記羽根部材の下の前記分岐点の近傍に位置するとともに、前記１対の分岐部分の内側及び外側の縫い止まり点が前記着用者の肛門位置よりも上方に位置するように縫付けられていることを特徴とする姿勢補整用ボトムズ。
【請求項１８】
着用者の股下に当接する股部を有しない伸縮性を有する生地からなる下着本体と、該下着本体の裏側の少なくとも臀部を覆うようにその縁に沿って前記下着本体の裏側に縫付けられた伸縮性を有する生地からなるヨーク部材と、１対の分岐部分を有する略Ｙ字形の伸縮性を有する生地からなる羽根部材とを具備する姿勢補整用下着がボトムズ本体の内側に取付けられた姿勢補整用ボトムズであって、
前記下着本体の裏側の前部に前記羽根部材の分岐していない側の端が縫付けられ、前記ヨーク部材に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられることによって前記股部が形成され、
前記羽根部材は前記姿勢補整用ボトムズを着用したときに前記着用者の肛門位置が前記１対の分岐部分の間の前記分岐点の近傍または前記羽根部材の下の前記分岐点の近傍に位置するとともに、前記１対の分岐部分の内側及び外側の縫い止まり点が前記着用者の肛門位置よりも上方に位置するように縫付けられていることを特徴とする姿勢補整用ボトムズ。
【請求項１９】
着用者の股下に当接する股部を有しない伸縮性を有する生地からなる下着本体と、該下着本体の裏側の少なくとも臀部を覆うようにその縁に沿って前記下着本体の裏側に縫付けられた伸縮性を有する生地からなるヨーク部材と、１対の分岐部分と１対の前部分岐部分とを有する略Ｘ字形の伸縮性を有する生地からなる羽根部材とを具備する姿勢補整用下着がボトムズ本体の内側に取付けられた姿勢補整用ボトムズであって、
前記下着本体の裏側の前部に前記羽根部材の前記１対の前部分岐部分が縫付けられ、前記ヨーク部材に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられることによって前記股部が形成され、
前記羽根部材は前記姿勢補整用ボトムズを着用したときに前記着用者の肛門位置が前記１対の分岐部分の間の前記分岐点の近傍または前記羽根部材の下の前記分岐点の近傍に位置するとともに、前記１対の分岐部分の内側及び外側の縫い止まり点が前記着用者の肛門位置よりも上方に位置するように縫付けられていることを特徴とする姿勢補整用ボトムズ。
【請求項２０】
前記羽根部材の前記分岐していない側の先端または前記１対の前部分岐部分の先端が前記下着本体の裏側または表側の前部の上端またはその近傍に縫付けられていることを特徴とする請求項１２乃至請求項１９のいずれか１つに記載の姿勢補整用ボトムズ。
【請求項２１】
前記羽根部材は前記下着本体の前記股部の裏側に取付けられた股下当て布と前記下着本体の前記股部との間を潜って取付けられていることを特徴とする請求項１２乃至請求項２０のいずれか１つに記載の姿勢補整用ボトムズ。
【請求項２２】
前記羽根部材には１対または複数対の枝部分が設けられており、前記羽根部材が前記下着本体の前記股部の裏側に取付けられた前記股下当て布と前記下着本体の前記股部との間を潜って取付けられる際に前記枝部分が前記股下当て布の内部において前記下着本体の前記股部の裏側及び／または前記股下当て布に縫付けられていることを特徴とする請求項２１に記載の姿勢補整用ボトムズ。
【請求項２３】
前記羽根部材は前記１対の分岐部分と前記分岐点を含む根元部分のみからなる伸縮性を有する生地からなる後部羽根部材であって、前記後部羽根部材は前記根元部分が前記下着本体の前記股部の裏側に取付けられた伸縮性を有する生地からなる股下当て布の後部の端に縫付けられていることを特徴とする請求項１２乃至請求項２０のいずれか１つに記載の姿勢補整用ボトムズ。
【請求項２４】
前記後部羽根部材とともに前記羽根部材の分岐していない側または前記１対の前部分岐部分のみからなる伸縮性を有する生地からなる前部羽根部材を有し、前記前部羽根部材の前記分岐していない側の先端または前記１対の前部分岐部分の先端は下着本体の裏側の前部に縫付けられており、前記前部羽根部材の反対側の端は前記股下当て布の前部の端に縫付けられていることを特徴とする請求項２３に記載の姿勢補整用ボトムズ。
【請求項２５】
前記姿勢補整用下着には前記ボトムズ本体に開閉具が設けられている位置に対応する位置に開閉具が設けられていることを特徴とする請求項１２乃至請求項２４のいずれか１つに記載の姿勢補整用ボトムズ。
【請求項２６】
前記姿勢補整用下着が前記ボトムズ本体の裏側に着脱可能に取付けられていることを特徴とする請求項１２乃至請求項２５のいずれか１つに記載の姿勢補整用ボトムズ。
【請求項２７】
前記羽根部材についての前記所定長さは３ｃｍから１０ｃｍの範囲内であり、前記着用者の肛門位置が当接する位置が前記１対の分岐部分の間にある場合の当該位置から前記分岐点までの距離は０．５ｃｍから３．０ｃｍの範囲内であることを特徴とする請求項１乃至請求項２６のいずれか１つに記載の姿勢補整用ボトムズ。
【請求項２８】
前記羽根部材の前記１対の分岐部分が、前記着用者の肛門位置が引き締められたときに前記着用者の臀部に生ずる左右１対の笑窪様の小さい窪みを覆う大きさであることを特徴とする請求項１乃至請求項２７のいずれか１つに記載の姿勢補整用ボトムズ。
【請求項２９】
前記羽根部材の前記１対の分岐部分の一方若しくは両方及び／または前記１対の前部分岐部分の一方若しくは両方がさらに二つ以上に分岐していることを特徴とする請求項１乃至請求項２８のいずれか１つに記載の姿勢補整用ボトムズ。
【請求項３０】
前記羽根部材の前記分岐していない側または前記１対の前部分岐部分が前記ボトムズ本体の裏側の前部または前記下着本体の裏側若しくは表側の前部に縫付けられておらず、
前記羽根部材の前記分岐していない側または前記１対の前部分岐部分と前記ボトムズ本体の裏側の前部または前記下着本体の裏側若しくは表側の前部とは、前記羽根部材の前記分岐していない側または前記１対の前部分岐部分と、前記ボトムズ本体の裏側の前部または前記下着本体の裏側若しくは表側の前部とに取付けられた複数の接続位置を選択できる１組または２組の調節機能付き接続具によって接続されることを特徴とする請求項１乃至請求項２９のいずれか１つに記載の姿勢補整用ボトムズ。
【請求項３１】
前記羽根部材は前記１対の分岐部分と前記分岐していない側の端との間または前記１対の前部分岐部分との間で分離されており、
該分離部分は、前記羽根部材の前記１対の分岐部分の側と、前記羽根部材の前記分岐していない側または前記１対の前部分岐部分の側とに取付けられた複数の接続位置を選択できる１組の調節機能付き接続具によって接続されることを特徴とする請求項１乃至請求項２９のいずれか１つに記載の姿勢補整用ボトムズ。
【請求項３２】
前記羽根部材の前記１対の分岐部分の先端及び／または前記１対の前部分岐部分の先端が丸みのある形状となっていることを特徴とする請求項１乃至請求項３１のいずれか１つに記載の姿勢補整用ボトムズ。
【請求項３３】
前記伸縮性を有する生地はパワーネット、サテンネット（ストレッチサテン）、ストレッチレースのいずれかであることを特徴とする請求項１乃至請求項３２のいずれか１つに記載の姿勢補整用ボトムズ。
【発明の詳細な説明】
【技術分野】
【０００１】
本発明は、着用するだけで臀部の弛みを引き締めて、背筋を伸ばし下腹を引き締めた正しい姿勢に補整するとともに、着用して歩行するだけで下腹を引き締めて臀部を締め背筋を伸ばした正しい歩き方をすることができる姿勢補整用ボトムズに関するものである。
【０００２】
ここで、「ボトムズ」とは、紳士用ズボン（パンツ）、女性用パンツ、クロップトパンツ、スラックス、Ｇパン（ジーンズ）、綿パン、チノパン、パンタロン、タイトスカート・フレアスカート・プリーツスカート等のスカート、キュロットスカート、キュロットパンツ、等の下半身に着用するボトムズを意味するものとする。
【背景技術】
【０００３】
現代人は、座るときも立つときも歩くときも姿勢が悪い人が多く、このような悪い姿勢を続けることによって健康にも害を及ぼすだけでなく、特に女性にとっては重要な美しいプロポーションをも維持できないという大きな問題を生じている。美しいプロポーション作りの基本は、正しい座り方・正しい立ち方・正しい歩き方の三点であり、即ち常に正しい姿勢を取ることが極めて重要である。
【０００４】
従来、ボトムズの下に着用するガードル等の衣類において、体形補整機能または筋肉サポート機能を付与するため、ガードル等の衣類本体生地をジャガード編みからなる生地で構成し、緊迫力の強弱の要求に応じて編み組織を切り替えて、組織の変化によって所定部分に比較的緊迫力の強い部分と緊迫力の弱い部分をパターン状に形成する技術が知られている（特許文献１）。これによって、ガードル等の衣類に急激な段差を生ずることなく、体形補整機能または筋肉サポート機能を付与することができるとしている。
【０００５】
さらに、特許文献２に開示された発明においては、ガードル等の衣類において腹部布と左右身頃布がそれぞれジャガード編みからなる生地で構成され、腹部布における比較的緊迫力の強い部分と左右身頃布における比較的緊迫力の強い部分とが少なくとも一部において連結する構成としている。これによって、着用者の腹部にかかる緊迫力と腹部以外のヒップ等にかかる緊迫力とを連動させることで、相乗的に体形補整機能を向上させることができるとしている。
【０００６】
しかし、これらの発明においては、美しいプロポーション作りの基本である正しい姿勢を維持するという視点が欠けており、本質的に優れた体形補整機能を得ることは困難である。そこで、本質的に優れた体形補整機能を得るためには、正しい姿勢を維持する努力をすることが必要となる。
【０００７】
例えば、非特許文献１の１９４頁〜１９５頁に、日常生活の中で歩くということは、まず正しい立ち方ができなければ正しく歩くことはできない。それには、股間で物を挟むような筋肉の使い方をすればよい。そのためには、肛門を軽く上に引き上げる感じにすれば骨盤を安定させる力が強くなり、しかもお尻の筋肉に余計な緊張を生まないで正しい立ち方ができるようになる、と記載されているように、肛門位置を引き締めて肛門位置を軽く上に引き上げるように立つことによって、正しい姿勢で立ち、正しい姿勢で歩くことができる。
【０００８】
また、非特許文献２の２３頁の「椅子に座る」の項に「肛門をキュッと締め、座骨を中央に寄せて座りましょう。これなら背筋が伸びるうえにひざも閉じて、座り姿が見違えます。」と記載され、同じ頁の「立ち上がり方はこうする」の項に「いったん片足を手前に引き寄せ、肛門位置を締めたまま垂直に体を引き上げて。これなら背骨のゆがみを避けられるうえに、おなかと太ももに力がかかり、ひき締め効果が望めます。」と記載されているように、肛門位置を引き締めることによって、正しい姿勢で座り、正しい姿勢で立ち上がることができることが分かる。
【特許文献１】特許第３０２３３３４号公報
【特許文献２】特開２００４−３３９６２３号公報
【非特許文献１】「ＰＨＰ文庫・１週間で脚が細くなる本」著者・山田陽子、発行所・ＰＨＰ研究所、出版年月日・平成１５年８月１８日
【非特許文献２】「その日のうちに見違える・即効！骨盤スリミング」著者・立花みどり、発行所・株式会社日本文芸社、出版年月日・平成１４年１０月２５日
【発明の開示】
【発明が解決しようとする課題】
【０００９】
しかしながら、上記非特許文献１及び非特許文献２に記載されるように常に肛門を引き締めることを意識して生活するのはかなり困難であり、また肛門を引き締めることに意識を集中すると強迫観念がストレスを生み、そのストレスが体を硬くしてしまって却って緊張から正しい姿勢が取りづらくなるという問題点があった。さらに、近年は、女性のみでなく男性にも美しいプロポーションを得たいという要求が強くなる傾向にある。
【００１０】
そこで、本発明は、意識しなくても着用するだけで肛門が引き締められて正しい姿勢をとることができ、さらに着用して歩行するだけで正しい歩き方をすることができて、筋肉に刺激を与え大臀筋・中臀筋が鍛えられて美しいプロポーションを得ることができる、男性用の姿勢補整用ズボン・姿勢補整用スラックスや女性用の姿勢補整用パンツ・姿勢補整用スカート等を始めとする姿勢補整用ボトムズの提供を課題とするものである。
【課題を解決するための手段】
【００１１】
請求項１の発明にかかる姿勢補整用ボトムズは、ボトムズ本体と、前記ボトムズ本体の裏側の少なくとも臀部を覆うように前記ボトムズ本体の裏側に縫付けられた裏地と、伸縮性を有する生地からなる１対の分岐部分を有する略Ｙ字形の羽根部材とを具備する姿勢補整用ボトムズであって、前記ボトムズ本体の裏側前部に前記羽根部材の分岐していない側の端が縫付けられ、前記裏地の臀部に前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられ、前記羽根部材は前記姿勢補整用ボトムズを着用したときに着用者の肛門位置が前記１対の分岐部分の間の前記分岐点の近傍または前記羽根部材の下の前記分岐点の近傍に位置するとともに、前記１対の分岐部分の内側及び外側の縫い止まり点が前記着用者の肛門位置よりも上方に位置するように縫付けられているものである。
【００１２】
ここで、「ボトムズ本体」とは、紳士用ズボン（パンツ）、女性用パンツ、クロップトパンツ、スラックス、Ｇパン（ジーンズ）、綿パン、チノパン、パンタロン、タイトスカート・フレアスカート・プリーツスカート等のスカート、キュロットスカート、キュロットパンツ、等のボトムズの表地の部分をいう。また、「伸縮性を有する生地」としては、例えば、パワーネット、サテンネット（ストレッチサテン）、ストレッチレース、トリコット、ニット生地、ポリウレタンが１％〜３０％混合されたポリウレタン混合生地、綿ストレッチ、スパンレックス、等がある。
【００１３】
請求項２の発明にかかる姿勢補整用ボトムズは、ボトムズ本体と、前記ボトムズ本体の裏側の少なくとも臀部を覆うように前記ボトムズ本体の裏側の股下縫代にその一端が縫付けられた裏地と、伸縮性を有する生地からなる１対の分岐部分を有する略Ｙ字形の羽根部材とを具備する姿勢補整用ボトムズであって、前記ボトムズ本体の前記股下縫代に前記羽根部材の分岐していない側の端が縫付けられ、前記裏地の臀部に前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられ、前記羽根部材は前記姿勢補整用ボトムズを着用したときに着用者の肛門位置が前記１対の分岐部分の間の前記分岐点の近傍または前記羽根部材の下の前記分岐点の近傍に位置するとともに、前記１対の分岐部分の内側及び外側の縫い止まり点が前記着用者の肛門位置よりも上方に位置するように縫付けられているものである。
【００１４】
請求項３の発明にかかる姿勢補整用ボトムズは、請求項２の構成において、前記羽根部材の分岐していない側の端及び前記裏地の一端が片倒しされた前記股下縫代に２本のステッチ縫いで縫付けられているものである。
【００１５】
請求項４の発明にかかる姿勢補整用ボトムズは、ボトムズ本体と、前記ボトムズ本体の裏側の少なくとも臀部を覆うように前記ボトムズ本体の裏側に縫付けられた裏地と、伸縮性を有する生地からなる１対の分岐部分と１対の前部分岐部分とを有する略Ｘ字形の羽根部材とを具備する姿勢補整用ボトムズであって、前記ボトムズ本体の裏側前部上端に前記羽根部材の前記１対の前部分岐部分の先端が縫付けられ、前記裏地の臀部に前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられ、前記羽根部材は前記姿勢補整用ボトムズを着用したときに着用者の肛門位置が前記１対の分岐部分の間の前記分岐点の近傍または前記羽根部材の下の前記分岐点の近傍に位置するとともに、前記１対の分岐部分の内側及び外側の縫い止まり点が前記着用者の肛門位置よりも上方に位置するように縫付けられているものである。
【００１６】
請求項５の発明にかかる姿勢補整用ボトムズは、請求項４の構成において、前記羽根部材が前記１対の分岐部分と前記１対の前部分岐部分との間に枝部分を有しており、前記枝部分は前記裏地の股下近傍に縫付けられているものである。
【００１７】
請求項６の発明にかかる姿勢補整用ボトムズは、請求項１乃至請求項５のいずれか１つの構成において、前記裏地が前記ボトムズ本体の裏側前部の二つに割られた股上縫代または片倒しされた股上縫代の一ヶ所にステッチ止めされているものである。
【００１８】
請求項７の発明にかかる姿勢補整用ボトムズは、請求項１乃至請求項６のいずれか１つの構成において、前記裏地が伸縮性を有する生地からなるものである。
【００１９】
ここで、「伸縮性を有する生地」としては、例えば、トリコット、ニット生地、ポリウレタンが１％〜３０％混合されたポリウレタン混合生地、綿ストレッチ、スパンレックス、パワーネット、サテンネット（ストレッチサテン）、ストレッチレース、等がある。
【００２０】
請求項８の発明にかかる姿勢補整用ボトムズは、請求項７の構成において、前記羽根部材の前記１対の分岐部分の先端及びその周囲の部分が前記ボトムズ本体と前記裏地との間において前記裏地に縫付けられており、前記裏地が前記ボトムズ本体の裏側の腰周りから股下までのほぼ全面を覆う大きさを有するものである。
【００２１】
請求項９の発明にかかる姿勢補整用ボトムズは、請求項１乃至請求項６のいずれか１つの構成において、前記羽根部材の前記１対の分岐部分の先端及びその周囲の部分が前記ボトムズ本体と前記裏地との間において前記裏地に縫付けられており、前記裏地が伸縮性のない生地からなり、少なくとも前記ボトムズ本体の裏側の腰周りから股下までのほぼ全面を覆う大きさを有するものである。
【００２２】
ここで、「伸縮性のない生地」としては、例えば、ポリエステル、ナイロン、アクリル、絹（シルク）、麻、等がある。
【００２３】
請求項１０の発明にかかる姿勢補整用ボトムズは、請求項１乃至請求項６のいずれか１つの構成において、前記羽根部材の前記１対の分岐部分の先端及びその周囲の部分が前記ボトムズ本体と前記裏地との間において前記裏地に縫付けられており、前記裏地が伸縮性のない生地からなり、前記ボトムズ本体の裏側の腰周りから脚部先端までのほぼ全面を覆う大きさを有するものである。
【００２４】
請求項１１の発明にかかる姿勢補整用ボトムズは、請求項７の構成において、前記羽根部材の前記１対の分岐部分の先端及びその周囲の部分が前記ボトムズ本体と前記裏地との間において前記裏地に縫付けられており、前記ボトムズ本体の裏側の腰周りから脚部先端までのほぼ全面を覆う大きさを有するものである。
【００２５】
請求項１２の発明にかかる姿勢補整用ボトムズは、着用者の股下に当接する股部を有する伸縮性を有する生地からなる下着本体と、１対の分岐部分を有する略Ｙ字形の伸縮性を有する生地からなる羽根部材とを具備する姿勢補整用下着がボトムズ本体の内側に取付けられた姿勢補整用ボトムズであって、前記下着本体の裏側または表側の前記股部の前部に前記羽根部材の分岐していない側の一端が縫付けられ、股下を通って前記下着本体の裏側または表側の後部に前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられ、前記羽根部材は前記姿勢補整用ボトムズを着用したときに前記着用者の肛門位置が前記１対の分岐部分の間または前記分岐点の近傍に位置するとともに、前記１対の分岐部分の内側及び外側の縫い止まり点が前記着用者の肛門位置よりも上方に位置するように縫付けられているものである。
【００２６】
ここで、「伸縮性を有する生地」としては、例えば、トリコット、ニット生地、ポリウレタンが１％〜３０％混合したポリウレタン混合生地、綿ストレッチ、スパンレックス、パワーネット、サテンネット（ストレッチサテン）、ストレッチレース、等がある。また、下着本体と羽根部材とは同じ種類の伸縮性を有する生地からなるものでも良く、異なる種類の伸縮性を有する生地からなるものでも良い。
【００２７】
請求項１３の発明にかかる姿勢補整用ボトムズは、着用者の股下に当接する股部を有する伸縮性を有する生地からなる下着本体と、１対の分岐部分と１対の前部分岐部分とを有する略Ｘ字形の伸縮性を有する生地からなる羽根部材とを具備する姿勢補整用下着がボトムズ本体の内側に取付けられた姿勢補整用ボトムズであって、前記下着本体の裏側または表側の前記股部の前部に前記羽根部材の前記１対の前部分岐部分が縫付けられ、股下を通って前記下着本体の裏側または表側の後部に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられ、前記羽根部材は前記姿勢補整用下着を着用したときに前記着用者の肛門位置が前記１対の分岐部分の間の前記分岐点の近傍または前記羽根部材の下の前記分岐点の近傍に位置するとともに、前記１対の分岐部分の内側及び外側の縫い止まり点が前記着用者の肛門位置よりも上方に位置するように縫付けられているものである。
【００２８】
請求項１４の発明にかかる姿勢補整用ボトムズは、着用者の股下に当接する股部を有しない伸縮性を有する生地からなる下着本体と、１対の分岐部分を有する略Ｙ字形の伸縮性を有する生地からなる羽根部材とを具備する姿勢補整用下着がボトムズ本体の内側に取付けられた姿勢補整用ボトムズであって、前記下着本体の裏側または表側の前部に前記羽根部材の分岐していない側の端が縫付けられ、前記下着本体の裏側または表側の後部に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられることによって前記股部が形成され、前記羽根部材は前記姿勢補整用下着を着用したときに前記着用者の肛門位置が前記１対の分岐部分の間の前記分岐点の近傍または前記羽根部材の下の前記分岐点の近傍に位置するとともに、前記１対の分岐部分の内側及び外側の縫い止まり点が前記着用者の肛門位置よりも上方に位置するように縫付けられているものである。
【００２９】
請求項１５の発明にかかる姿勢補整用ボトムズは、着用者の股下に当接する股部を有しない伸縮性を有する生地からなる下着本体と、１対の分岐部分と１対の前部分岐部分とを有する略Ｘ字形の伸縮性を有する生地からなる羽根部材とを具備する姿勢補整用下着がボトムズ本体の内側に取付けられた姿勢補整用ボトムズであって、前記下着本体の裏側または表側の前部に前記羽根部材の前記１対の前部分岐部分が縫付けられ、前記下着本体の裏側または表側の後部に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられることによって前記股部が形成され、前記羽根部材は前記姿勢補整用ボトムズを着用したときに前記着用者の肛門位置が前記１対の分岐部分の間の前記分岐点の近傍または前記羽根部材の下の前記分岐点の近傍に位置するとともに、前記１対の分岐部分の内側及び外側の縫い止まり点が前記着用者の肛門位置よりも上方に位置するように縫付けられているものである。
【００３０】
請求項１６の発明にかかる姿勢補整用ボトムズは、着用者の股下に当接する股部を有する伸縮性を有する生地からなる下着本体と、該下着本体の裏側の少なくとも臀部を覆うようにその縁に沿って前記下着本体の裏側に縫付けられた伸縮性を有する生地からなるヨーク部材と、１対の分岐部分を有する略Ｙ字形の伸縮性を有する生地からなる羽根部材とを具備する姿勢補整用下着がボトムズ本体の内側に取付けられた姿勢補整用ボトムズであって、前記下着本体の裏側の前記股部の前部に前記羽根部材の分岐していない側の端が縫付けられ、股下を通って前記ヨーク部材に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられ、前記羽根部材は前記姿勢補整用ボトムズを着用したときに前記着用者の肛門位置が前記１対の分岐部分の間の前記分岐点の近傍または前記羽根部材の下の前記分岐点の近傍に位置するとともに、前記１対の分岐部分の内側及び外側の縫い止まり点が前記着用者の肛門位置よりも上方に位置するように縫付けられているものである。
【００３１】
ここで、「伸縮性を有する生地」としては、例えば、トリコット、ニット生地、ポリウレタンが１％〜３０％混合したポリウレタン混合生地、綿ストレッチ、スパンレックス、パワーネット、サテンネット（ストレッチサテン）、ストレッチレース、等がある。また、下着本体とヨーク部材と羽根部材とは、全て同じ種類の伸縮性を有する生地からなるものでも良く、これらのうち二つが同じ種類の伸縮性を有する生地からなるものでも良く、三つ全てが異なる種類の伸縮性を有する生地からなるものでも良い。
【００３２】
請求項１７の発明にかかる姿勢補整用ボトムズは、着用者の股下に当接する股部を有する伸縮性を有する生地からなる下着本体と、該下着本体の裏側の少なくとも臀部を覆うようにその縁に沿って前記下着本体の裏側に縫付けられた伸縮性を有する生地からなるヨーク部材と、１対の分岐部分と１対の前部分岐部分とを有する略Ｘ字形の伸縮性を有する生地からなる羽根部材とを具備する姿勢補整用下着がボトムズ本体の内側に取付けられた姿勢補整用ボトムズであって、前記下着本体の裏側の前記股部の前部に前記羽根部材の前記１対の前部分岐部分が縫付けられ、股下を通って前記ヨーク部材に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられ、前記羽根部材は前記姿勢補整用ボトムズを着用したときに前記着用者の肛門位置が前記１対の分岐部分の間の前記分岐点の近傍または前記羽根部材の下の前記分岐点の近傍に位置するとともに、前記１対の分岐部分の内側及び外側の縫い止まり点が前記着用者の肛門位置よりも上方に位置するように縫付けられているものである。
【００３３】
請求項１８の発明にかかる姿勢補整用ボトムズは、着用者の股下に当接する股部を有しない伸縮性を有する生地からなる下着本体と、該下着本体の裏側の少なくとも臀部を覆うようにその縁に沿って前記下着本体の裏側に縫付けられた伸縮性を有する生地からなるヨーク部材と、１対の分岐部分を有する略Ｙ字形の伸縮性を有する生地からなる羽根部材とを具備する姿勢補整用下着がボトムズ本体の内側に取付けられた姿勢補整用ボトムズであって、前記下着本体の裏側の前部に前記羽根部材の分岐していない側の端が縫付けられ、前記ヨーク部材に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられることによって前記股部が形成され、前記羽根部材は前記姿勢補整用ボトムズを着用したときに前記着用者の肛門位置が前記１対の分岐部分の間の前記分岐点の近傍または前記羽根部材の下の前記分岐点の近傍に位置するとともに、前記１対の分岐部分の内側及び外側の縫い止まり点が前記着用者の肛門位置よりも上方に位置するように縫付けられているものである。
【００３４】
請求項１９の発明にかかる姿勢補整用ボトムズは、着用者の股下に当接する股部を有しない伸縮性を有する生地からなる下着本体と、該下着本体の裏側の少なくとも臀部を覆うようにその縁に沿って前記下着本体の裏側に縫付けられた伸縮性を有する生地からなるヨーク部材と、１対の分岐部分と１対の前部分岐部分とを有する略Ｘ字形の伸縮性を有する生地からなる羽根部材とを具備する姿勢補整用下着がボトムズ本体の内側に取付けられた姿勢補整用ボトムズであって、前記下着本体の裏側の前部に前記羽根部材の前記１対の前部分岐部分が縫付けられ、前記ヨーク部材に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられることによって前記股部が形成され、前記羽根部材は前記姿勢補整用ボトムズを着用したときに前記着用者の肛門位置が前記１対の分岐部分の間の前記分岐点の近傍または前記羽根部材の下の前記分岐点の近傍に位置するとともに、前記１対の分岐部分の内側及び外側の縫い止まり点が前記着用者の肛門位置よりも上方に位置するように縫付けられているものである。
【００３５】
請求項２０の発明にかかる姿勢補整用ボトムズは、請求項１２乃至請求項１９のいずれか１つの構成において、前記羽根部材の前記分岐していない側の先端または前記１対の前部分岐部分の先端が前記下着本体の裏側または表側の前部の上端またはその近傍に縫付けられているものである。
【００３６】
請求項２１の発明にかかる姿勢補整用ボトムズは、請求項１２乃至請求項２０のいずれか１つの構成において、前記羽根部材は前記下着本体の前記股部の裏側に取付けられた股下当て布と前記下着本体の前記股部との間を潜って取付けられているものである。
【００３７】
請求項２２の発明にかかる姿勢補整用ボトムズは、請求項２１の構成において、前記羽根部材には１対または複数対の枝部分が設けられており、前記羽根部材が前記下着本体の前記股部の裏側に取付けられた前記股下当て布と前記下着本体の前記股部との間を潜って取付けられる際に前記枝部分が前記股下当て布の内部において前記下着本体の前記股部の裏側及び／または前記股下当て布に縫付けられているものである。
【００３８】
請求項２３の発明にかかる姿勢補整用ボトムズは、請求項１２乃至請求項２０のいずれか１つの構成において、前記羽根部材は前記１対の分岐部分と前記分岐点を含む根元部分のみからなる伸縮性を有する生地からなる後部羽根部材であって、前記後部羽根部材は前記根元部分が前記下着本体の前記股部の裏側に取付けられた伸縮性を有する生地からなる股下当て布の後部の端に縫付けられているものである。
【００３９】
請求項２４の発明にかかる姿勢補整用ボトムズは、請求項２３の構成において、前記後部羽根部材とともに前記羽根部材の分岐していない側または前記１対の前部分岐部分のみからなる伸縮性を有する生地からなる前部羽根部材を有し、前記前部羽根部材の前記分岐していない側の先端または前記１対の前部分岐部分の先端は下着本体の裏側の前部に縫付けられており、前記前部羽根部材の反対側の端は前記股下当て布の前部の端に縫付けられているものである。
【００４０】
請求項２５の発明にかかる姿勢補整用ボトムズは、請求項１２乃至請求項２４のいずれか１つの構成において、前記姿勢補整用下着には前記ボトムズ本体に開閉具が設けられている位置に対応する位置に開閉具が設けられているものである。
【００４１】
ここで、「開閉具」としては、ファスナー、複数のボタンとボタンホール、複数の１対ずつのドット釦、１対の接着布（マジックテープ（登録商標））、等を用いることができる。また、ボトムズ本体に設けられた開閉具と姿勢補整用下着に設けられた開閉具とは、同じ種類のものであっても、異なる種類のものであっても良い。
【００４２】
請求項２６の発明にかかる姿勢補整用ボトムズは、請求項１２乃至請求項２５のいずれか１つの構成において、前記姿勢補整用下着が前記ボトムズ本体の裏側に着脱可能に取付けられているものである。
【００４３】
請求項２７の発明にかかる姿勢補整用ボトムズは、請求項１乃至請求項２６のいずれか１つの構成において、前記羽根部材についての前記所定長さは３ｃｍから１０ｃｍの範囲内であり、前記着用者の肛門位置が当接する位置が前記１対の分岐部分の間にある場合の当該位置から前記分岐点までの距離は０．５ｃｍから３．０ｃｍの範囲内であるものである。
【００４４】
請求項２８の発明にかかる姿勢補整用ボトムズは、請求項１乃至請求項２７のいずれか１つの構成において、前記羽根部材の前記１対の分岐部分が、前記着用者の肛門位置が引き締められたときに前記着用者の臀部に生ずる左右１対の笑窪様の小さい窪みを覆う大きさであるものである。
【００４５】
請求項２９の発明にかかる姿勢補整用ボトムズは、請求項１乃至請求項２８のいずれか１つの構成において、前記羽根部材の前記１対の分岐部分の一方若しくは両方及び／または前記１対の前部分岐部分の一方若しくは両方がさらに二つ以上に分岐しているものである。
【００４６】
請求項３０の発明にかかる姿勢補整用ボトムズは、請求項１乃至請求項２９のいずれか１つの構成において、前記羽根部材の前記分岐していない側または前記１対の前部分岐部分が前記ボトムズ本体の裏側の前部または前記下着本体の裏側若しくは表側の前部に縫付けられておらず、前記羽根部材の前記分岐していない側または前記１対の前部分岐部分と前記ボトムズ本体の裏側の前部または前記下着本体の裏側若しくは表側の前部とは、前記羽根部材の前記分岐していない側または前記１対の前部分岐部分と、前記ボトムズ本体の裏側の前部または前記下着本体の裏側若しくは表側の前部とに取付けられた複数の接続位置を選択できる１組または２組の調節機能付き接続具によって接続されるものである。
【００４７】
ここで、「調節機能付き接続具」としては、例えば、長さ方向の複数の位置にメンカンを取付けたものと、その複数のメンカンのいずれにも嵌合するカギホックを布地に取付けたものとを組にしたものや、長さ方向の複数の位置に凹側のホックを取付けたものと、その複数の凹側のホックのいずれにも嵌合する凸側のホックを布地に取付けたものとを組にしたものや、長さ方向の複数の位置に凹側のドット釦を取付けたものと、その複数の凹側のドット釦のいずれにも嵌合する凸側のドット釦を布地に取付けたものとを組にしたものや、一組の接続布（マジックテープ（登録商標））や、長さ方向の複数の位置に凹側のスプリングホックを取付けたものと、その複数の凹側のスプリングホックのいずれにも嵌合する凸側のスプリングホックを布地に取付けたものとを組にしたもの、等がある。
【００４８】
請求項３１の発明にかかる姿勢補整用ボトムズは、請求項１乃至請求項２９のいずれか１つの構成において、前記羽根部材は前記１対の分岐部分と前記分岐していない側の端との間または前記１対の前部分岐部分との間で分離されており、該分離部分は、前記羽根部材の前記１対の分岐部分の側と、前記羽根部材の前記分岐していない側または前記１対の前部分岐部分の側とに取付けられた複数の接続位置を選択できる１組の調節機能付き接続具によって接続されるものである。
【００４９】
請求項３２の発明にかかる姿勢補整用ボトムズは、請求項１乃至請求項３１のいずれか１つの構成において、前記羽根部材の前記１対の分岐部分の先端及び／または前記１対の前部分岐部分の先端が丸みのある形状となっているものである。
【００５０】
請求項３３の発明にかかる姿勢補整用ボトムズは、請求項１乃至請求項３２のいずれか１つの構成において、前記伸縮性を有する生地はパワーネット、サテンネット（ストレッチサテン）、ストレッチレースのいずれかであるものである。
【発明の効果】
【００５１】
請求項１の発明にかかる姿勢補整用ボトムズは、ボトムズ本体と、ボトムズ本体の裏側の少なくとも臀部を覆うようにボトムズ本体の裏側に縫付けられた裏地と、伸縮性を有する生地からなる１対の分岐部分を有する略Ｙ字形の羽根部材とを具備する姿勢補整用ボトムズであって、ボトムズ本体の裏側前部に羽根部材の分岐していない側の端が縫付けられ、裏地の臀部に１対の分岐部分の先端及びその周囲の部分が１対の分岐部分の内側においては１対の分岐部分の分岐点から所定長さの位置まで、１対の分岐部分の外側においては１対の分岐部分の内側の位置にほぼ対応する位置まで縫付けられ、羽根部材は姿勢補整用ボトムズを着用したときに着用者の肛門位置が１対の分岐部分の間の分岐点の近傍または羽根部材の下の分岐点の近傍に位置するとともに、１対の分岐部分の内側及び外側の縫い止まり点が着用者の肛門位置よりも上方に位置するように縫付けられている。
【００５２】
ここで、「ボトムズ本体」とは、紳士用ズボン（パンツ）、女性用パンツ、クロップトパンツ、スラックス、Ｇパン（ジーンズ）、綿パン、チノパン、パンタロン、タイトスカート・フレアスカート・プリーツスカート等のスカート、キュロットスカート、キュロットパンツ、等のボトムズの表地の部分をいう。また、「ボトムズ本体の裏側前部」とは、紳士用ズボン（パンツ）、女性用パンツ、クロップトパンツ、スラックス、Ｇパン（ジーンズ）、綿パン、チノパン、パンタロン、キュロットスカート、キュロットパンツ、等の前中心にファスナーを有するボトムズにおいては、下前持ち出しの部分を意味する。
【００５３】
さらに、「伸縮性を有する生地」としては、トリコット、ニット生地、ポリウレタンが１％〜３０％混合したポリウレタン混合生地、綿ストレッチ、スパンレックス、パワーネット、サテンネット（ストレッチサテン）、ストレッチレース、等があるが、羽根部材を構成する生地としては、特にパワーネット、サテンネット（ストレッチサテン）、ストレッチレースが好ましい。
【００５４】
また、裏地としては、ポリエステル、レーヨン、ナイロン、ポリエステルのメッシュ生地、絹（シルク）、麻、麻混、アクリル、サテン、コットンサテン、ニット生地、ポリウレタンが１％〜３０％混合したポリウレタン混合生地、綿ストレッチ、スパンレックス、パワーネット、サテンネット（ストレッチサテン）、ストレッチレース、等の生地を用いることができる。
【００５５】
かかる構成を有する姿勢補整用ボトムズを着用することによって、伸縮性を有する生地からなる羽根部材の１対の分岐部分の間または１対の分岐部分の分岐点の近傍に着用者の肛門が位置しており、羽根部材は、ボトムズ本体の裏側前部に縫付けられた分岐していない側の一端と、１対の分岐部分の先端及びその周囲の部分との間が縫付けられておらず、フリーの状態になっているため、伸縮性によって引っ張り力が作用して、着用者の肛門位置が効果的に引き締められ、肛門位置が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【００５６】
このようにして、意識しなくても着用するだけで肛門位置が引き締められて正しい姿勢をとることができ、さらに着用して歩行するだけで正しい歩き方をすることができて、筋肉に刺激を与え大臀筋・中臀筋が鍛えられて美しいプロポーションを得ることができる姿勢補整用ボトムズとなる。
【００５７】
請求項２の発明にかかる姿勢補整用ボトムズは、ボトムズ本体と、ボトムズ本体の裏側の少なくとも臀部を覆うようにボトムズ本体の裏側の股下縫代にその一端が縫付けられた裏地と、伸縮性を有する生地からなる１対の分岐部分を有する略Ｙ字形の羽根部材とを具備する姿勢補整用ボトムズであって、ボトムズ本体の股下縫代に羽根部材の分岐していない側の端が縫付けられ、裏地の臀部に１対の分岐部分の先端及びその周囲の部分が１対の分岐部分の内側においては１対の分岐部分の分岐点から所定長さの位置まで、１対の分岐部分の外側においては１対の分岐部分の内側の位置にほぼ対応する位置まで縫付けられ、羽根部材は姿勢補整用ボトムズを着用したときに着用者の肛門位置が１対の分岐部分の間の分岐点の近傍または羽根部材の下の分岐点の近傍に位置するとともに、１対の分岐部分の内側及び外側の縫い止まり点が着用者の肛門位置よりも上方に位置するように縫付けられている。
【００５８】
これによって、請求項１の発明にかかる姿勢補整用ボトムズと同様の作用効果が得られるとともに、羽根部材が完全に裏地の下に隠れて裏地を介して着用者に当接するために、股下の違和感がなくなり、自然な穿き心地になるとともに、肛門の引き締め感やフィット感がより明確に感じられる。そして、見た目にもボトムズ内部には羽根部材が裏地に隠れて見えないため、よりシンプルで美感が向上する。
【００５９】
かかる構成を有する姿勢補整用ボトムズを着用することによって、伸縮性を有する生地からなる羽根部材の１対の分岐部分の間または１対の分岐部分の分岐点の近傍に着用者の肛門が位置しており、羽根部材は、ボトムズ本体の裏側の股下縫代に縫付けられた分岐していない側の一端と１対の分岐部分の先端及びその周囲の部分との間が縫付けられておらず、フリーの状態になっているため伸縮性によって引っ張り力が作用して、着用者の肛門位置が効果的に引き締められ、肛門位置が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【００６０】
このようにして、意識しなくても着用するだけで肛門位置が引き締められて正しい姿勢をとることができ、さらに着用して歩行するだけで正しい歩き方をすることができて、筋肉に刺激を与え大臀筋・中臀筋が鍛えられて美しいプロポーションを得ることができるとともに、股下の違和感がなくなって自然な穿き心地になり、見た目も良くなる姿勢補整用ボトムズとなる。
【００６１】
請求項３の発明にかかる姿勢補整用ボトムズにおいては、羽根部材の分岐していない側の端及び裏地の一端が片倒しされた股下縫代に２本のステッチ縫いで縫付けられている。これによって、請求項２に記載の効果に加えて、片倒しされた股下縫代が起き上がる事態が確実に防止されて、裏地と羽根部材とが確実に縫付けられて、安定性のある姿勢補整用ボトムズを得ることができる。
【００６２】
このようにして、意識しなくても着用するだけで肛門位置が引き締められて正しい姿勢をとることができ、さらに着用して歩行するだけで正しい歩き方をすることができて、筋肉に刺激を与え大臀筋・中臀筋が鍛えられて美しいプロポーションを得ることができるとともに、股下の違和感がなくなって自然な穿き心地になり、見た目も良くなる姿勢補整用ボトムズとなる。
【００６３】
請求項４の発明にかかる姿勢補整用ボトムズは、ボトムズ本体と、ボトムズ本体の裏側の少なくとも臀部を覆うようにボトムズ本体の裏側に縫付けられた裏地と、伸縮性を有する生地からなる１対の分岐部分と１対の前部分岐部分とを有する略Ｘ字形の羽根部材とを具備する姿勢補整用ボトムズであって、ボトムズ本体の裏側前部上端に羽根部材の１対の前部分岐部分の先端が縫付けられ、裏地の臀部に１対の分岐部分の先端及びその周囲の部分が１対の分岐部分の内側においては１対の分岐部分の分岐点から所定長さの位置まで、１対の分岐部分の外側においては１対の分岐部分の内側の位置にほぼ対応する位置まで縫付けられ、羽根部材は姿勢補整用ボトムズを着用したときに着用者の肛門位置が１対の分岐部分の間の分岐点の近傍または羽根部材の下の分岐点の近傍に位置するとともに、１対の分岐部分の内側及び外側の縫い止まり点が着用者の肛門位置よりも上方に位置するように縫付けられている。
【００６４】
これによって、伸縮性を有する生地からなる羽根部材の引っ張り力がより強力になって肛門が効果的に締付けられるとともに、下腹部が押え付けられるので下腹部が引っ込んでより美しいプロポーションを得ることができる。
【００６５】
このようにして、意識しなくても着用するだけで肛門がより効果的に引き締められて正しい姿勢をとることができるとともに、下腹部が引っ込んでより美しいプロポーションを得ることができ、さらに着用して歩行するだけで正しい歩き方をすることができて、筋肉に刺激を与え大臀筋・中臀筋が鍛えられて美しいプロポーションを得ることができる姿勢補整用ボトムズとなる。
【００６６】
請求項５の発明にかかる姿勢補整用ボトムズは、羽根部材が１対の分岐部分と１対の前部分岐部分との間に枝部分を有しており、枝部分は裏地の股下近傍に縫付けられている。
【００６７】
これによって、請求項４に記載の効果に加えて、羽根部材の１対の前部分岐部分の先端がボトムズ本体の裏側前部上端に縫付けられた部分と、１対の分岐部分が裏地の臀部に縫付けられた部分との間の中間地点において、羽根部材が枝部分において裏地に縫付けられているために、長い羽根部材の中間部分が捩れたりずれたりして肛門を引き締める効果が半減するとともに穿き心地も悪くなる事態を、確実に防止することができる。
【００６８】
そして、伸縮性を有する生地からなる羽根部材の引っ張り力がより強力になって肛門が効果的に締付けられるとともに、下腹部が押え付けられるので下腹部が引っ込んでより美しいプロポーションを得ることができる。
【００６９】
このようにして、意識しなくても着用するだけで肛門がより効果的に引き締められて正しい姿勢をとることができるとともに、下腹部が引っ込んでより美しいプロポーションを得ることができ、さらに着用して歩行するだけで正しい歩き方をすることができて、筋肉に刺激を与え大臀筋・中臀筋が鍛えられて美しいプロポーションを得ることができる姿勢補整用ボトムズとなる。
【００７０】
請求項６の発明にかかる姿勢補整用ボトムズにおいては、裏地がボトムズ本体の裏側前部の二つに割られた股上縫代または片倒しされた股上縫代の一ヶ所にステッチ止めされている。これによって、請求項１乃至請求項５のいずれか１つに記載の効果に加えて、裏地の股下近傍がボトムズ本体から浮き上がって弛みを生じて、その弛みが着用者の股部にくい込んでしまう事態を確実に防止することができ、穿き心地が損なわれることがない。
【００７１】
このようにして、意識しなくても着用するだけで肛門位置が引き締められて正しい姿勢をとることができ、さらに着用して歩行するだけで正しい歩き方をすることができて、筋肉に刺激を与え大臀筋・中臀筋が鍛えられて美しいプロポーションを得ることができるとともに、股下の違和感がなくなって自然な穿き心地になり、見た目も良くなる姿勢補整用ボトムズとなる。
【００７２】
請求項７の発明にかかる姿勢補整用ボトムズは、裏地が伸縮性を有する生地からなる。ここで、「伸縮性を有する生地」としては、例えば、トリコット、ニット生地、ポリウレタンが１％〜３０％混合されたポリウレタン混合生地、綿ストレッチ、スパンレックス、パワーネット、サテンネット（ストレッチサテン）、ストレッチレース、等がある。
【００７３】
かかる構成を有する姿勢補整用ボトムズを着用することによって、伸縮性を有する生地からなる羽根部材の１対の分岐部分の間または１対の分岐部分の分岐点の近傍に着用者の肛門が位置しており、羽根部材は、ボトムズ本体の裏側前部に縫付けられた分岐していない側の一端と、１対の分岐部分の先端及びその周囲の部分との間が縫付けられておらず、フリーの状態になっているため、伸縮性によって引っ張り力が作用して、着用者の肛門位置が効果的に引き締められ、肛門位置が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【００７４】
さらに、裏地が伸縮性を有する生地からなることによって、着用者にフィットして穿き心地が向上するとともに、立ったり座ったり歩いたりする場合の動作がよりスムーズにできる。
【００７５】
このようにして、意識しなくても着用するだけで肛門位置が引き締められて正しい姿勢をとることができ、さらに着用して歩行するだけで正しい歩き方をすることができて、筋肉に刺激を与え大臀筋・中臀筋が鍛えられて美しいプロポーションを得ることができる姿勢補整用ボトムズとなる。
【００７６】
請求項８の発明にかかる姿勢補整用ボトムズは、羽根部材の１対の分岐部分の先端及びその周囲の部分がボトムズ本体と裏地との間において裏地に縫付けられており、裏地がボトムズ本体の裏側の腰周りから股下までのほぼ全面を覆う大きさを有する。
【００７７】
かかる構成を有することによって、羽根部材の１対の分岐部分の先端及びその周囲の部分が裏地の下に隠れるとともに、裏地がボトムズ本体の裏側の腰周りから股下までのほぼ全面を覆うため、羽根部材の分岐していない側も裏地の下に隠れることになり、通常のボトムズと内外とも見た目が何ら変わらないものとなる。
【００７８】
そして、伸縮性を有する生地からなる羽根部材の１対の分岐部分の間または１対の分岐部分の分岐点の近傍に着用者の肛門が位置しており、羽根部材は、ボトムズ本体の裏側前部に縫付けられた分岐していない側の一端と、１対の分岐部分の先端及びその周囲の部分との間が縫付けられておらず、フリーの状態になっているため、伸縮性によって引っ張り力が作用して、着用者の肛門位置が効果的に引き締められ、肛門位置が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【００７９】
さらに、裏地が伸縮性を有する生地からなることによって、着用者にフィットして穿き心地が向上するとともに、立ったり座ったり歩いたりする場合の動作がよりスムーズにできる。
【００８０】
このようにして、見た目が通常のボトムズと何ら変わらず、意識しなくても着用するだけで肛門位置が引き締められて正しい姿勢をとることができ、さらに着用して歩行するだけで正しい歩き方をすることができて、筋肉に刺激を与え大臀筋・中臀筋が鍛えられて美しいプロポーションを得ることができる姿勢補整用ボトムズとなる。
【００８１】
請求項９の発明にかかる姿勢補整用ボトムズは、羽根部材の１対の分岐部分の先端及びその周囲の部分がボトムズ本体と裏地との間において裏地に縫付けられており、裏地が伸縮性のない生地からなり、少なくともボトムズ本体の裏側の腰周りから股下までのほぼ全面を覆う大きさを有する。ここで、「伸縮性のない生地」としては、例えば、ポリエステル、ナイロン、アクリル、絹（シルク）、麻、等がある。
【００８２】
これらの伸縮性のない生地は透けて見えないため、羽根部材の１対の分岐部分の先端及びその周囲の部分が裏地の下に隠れるとともに、裏地が少なくともボトムズ本体の裏側の腰周りから股下までのほぼ全面を覆うことによって、羽根部材の分岐していない側も裏地の下に隠れることになり、通常のボトムズと内外とも見た目が何ら変わらないものとなる。
【００８３】
そして、伸縮性を有する生地からなる羽根部材の１対の分岐部分の間または１対の分岐部分の分岐点の近傍に着用者の肛門が位置しており、羽根部材は、ボトムズ本体の裏側前部に縫付けられた分岐していない側の一端と、１対の分岐部分の先端及びその周囲の部分との間が縫付けられておらず、フリーの状態になっているため、伸縮性によって引っ張り力が作用して、着用者の肛門位置が効果的に引き締められ、肛門位置が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【００８４】
このようにして、見た目が通常のボトムズと何ら変わらず、意識しなくても着用するだけで肛門位置が引き締められて正しい姿勢をとることができ、さらに着用して歩行するだけで正しい歩き方をすることができて、筋肉に刺激を与え大臀筋・中臀筋が鍛えられて美しいプロポーションを得ることができる姿勢補整用ボトムズとなる。
【００８５】
請求項１０の発明にかかる姿勢補整用ボトムズは、羽根部材の１対の分岐部分の先端及びその周囲の部分がボトムズ本体と裏地との間において裏地に縫付けられており、裏地が伸縮性のない生地からなり、ボトムズ本体の裏側の腰周りから脚部先端までのほぼ全面を覆う大きさを有する。
【００８６】
かかる構成は、特に女性用のパンツ、クロップトパンツ、パンタロン、キュロットスカート、キュロットパンツ、等において一般的な裏地の付け方であり、ボトムズ本体と裏地全体とを別々に縫製して、裏地に羽根部材の１対の分岐部分の先端及びその周囲の部分を縫付け、裏地をウエスト周りのみにおいてボトムズ本体の裏側に縫付け、最後に羽根部材の分岐していない部分をボトムズ本体の前部裏側に縫付けることによって、製造することができる。
【００８７】
したがって、製造工程が容易になり、これらの伸縮性のない生地は透けて見えないため、羽根部材の１対の分岐部分の先端及びその周囲の部分が裏地の下に隠れるとともに、裏地がボトムズ本体の裏側の腰周りから脚部先端までのほぼ全面を覆うことによって、羽根部材の分岐していない側も裏地の下に隠れることになり、通常のボトムズと内外とも見た目が何ら変わらないものとなる。
【００８８】
そして、伸縮性を有する生地からなる羽根部材の１対の分岐部分の間または１対の分岐部分の分岐点の近傍に着用者の肛門が位置しており、羽根部材は、ボトムズ本体の裏側前部に縫付けられた分岐していない側の一端と、１対の分岐部分の先端及びその周囲の部分との間が縫付けられておらず、フリーの状態になっているため、伸縮性によって引っ張り力が作用して、着用者の肛門位置が効果的に引き締められ、肛門位置が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【００８９】
このようにして、見た目が通常のボトムズと何ら変わらず、意識しなくても着用するだけで肛門位置が引き締められて正しい姿勢をとることができ、さらに着用して歩行するだけで正しい歩き方をすることができて、筋肉に刺激を与え大臀筋・中臀筋が鍛えられて美しいプロポーションを得ることができる姿勢補整用ボトムズとなる。
【００９０】
請求項１１の発明にかかる姿勢補整用ボトムズは、裏地が伸縮性を有する生地からなるものであって、羽根部材の１対の分岐部分の先端及びその周囲の部分がボトムズ本体と裏地との間において裏地に縫付けられており、ボトムズ本体の裏側の腰周りから脚部先端までのほぼ全面を覆う大きさを有する。ここで、「伸縮性を有する生地」としては、例えば、トリコット、ニット生地、ポリウレタンが１％〜３０％混合されたポリウレタン混合生地、綿ストレッチ、スパンレックス、パワーネット、サテンネット（ストレッチサテン）、ストレッチレース、等がある。
【００９１】
かかる構成は、特に女性用のパンツ、クロップトパンツ、パンタロン、キュロットスカート、キュロットパンツ、等において一般的な裏地の付け方であり、ボトムズ本体と裏地全体とを別々に縫製して、裏地に羽根部材の１対の分岐部分の先端及びその周囲の部分を縫付け、裏地をウエスト周りのみにおいてボトムズ本体の裏側に縫付け、最後に羽根部材の分岐していない部分をボトムズ本体の前部裏側に縫付けることによって、製造することができる。
【００９２】
したがって、製造工程が容易になり、羽根部材の１対の分岐部分の先端及びその周囲の部分が裏地の下に隠れるとともに、裏地がボトムズ本体の裏側の腰周りから脚部先端までのほぼ全面を覆うことによって、羽根部材の分岐していない側も裏地の下に隠れることになり、通常のボトムズと内外とも見た目が何ら変わらないものとなる。
【００９３】
そして、伸縮性を有する生地からなる羽根部材の１対の分岐部分の間または１対の分岐部分の分岐点の近傍に着用者の肛門が位置しており、羽根部材は、ボトムズ本体の裏側前部に縫付けられた分岐していない側の一端と、１対の分岐部分の先端及びその周囲の部分との間が縫付けられておらず、フリーの状態になっているため、伸縮性によって引っ張り力が作用して、着用者の肛門位置が効果的に引き締められ、肛門位置が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【００９４】
このようにして、見た目が通常のボトムズと何ら変わらず、意識しなくても着用するだけで肛門位置が引き締められて正しい姿勢をとることができ、さらに着用して歩行するだけで正しい歩き方をすることができて、筋肉に刺激を与え大臀筋・中臀筋が鍛えられて美しいプロポーションを得ることができる姿勢補整用ボトムズとなる。
【００９５】
請求項１２の発明にかかる姿勢補整用ボトムズは、着用者の股下に当接する股部を有する伸縮性を有する生地からなる下着本体と、１対の分岐部分を有する略Ｙ字形の伸縮性を有する生地からなる羽根部材とを具備する姿勢補整用下着がボトムズ本体の内側に取付けられた姿勢補整用ボトムズであって、下着本体の裏側または表側の股部の前部に羽根部材の分岐していない側の一端が縫付けられ、股下を通って下着本体の裏側または表側の後部に１対の分岐部分の先端及びその周囲の部分が１対の分岐部分の内側においては１対の分岐部分の分岐点から所定長さの位置まで、１対の分岐部分の外側においては１対の分岐部分の内側の位置にほぼ対応する位置まで縫付けられ、羽根部材は姿勢補整用ボトムズを着用したときに着用者の肛門位置が１対の分岐部分の間または分岐点の近傍に位置するとともに、１対の分岐部分の内側及び外側の縫い止まり点が着用者の肛門位置よりも上方に位置するように縫付けられている。
【００９６】
ここで、「股部を有する下着本体」としては、ロングガードル、ショートガードル、ショーツガードル、ショーツ、サポーター、等がある。また、「伸縮性を有する生地」としては、例えば、トリコット、ニット生地、ポリウレタンが１％〜３０％混合したポリウレタン混合生地、綿ストレッチ、スパンレックス、パワーネット、サテンネット（ストレッチサテン）、ストレッチレース、等がある。また、下着本体と羽根部材とは同じ種類の伸縮性を有する生地からなるものでも良く、異なる種類の伸縮性を有する生地からなるものでも良い。
【００９７】
かかる構成を有する姿勢補整用ボトムズを着用することによって、伸縮性を有する生地からなる羽根部材の１対の分岐部分の間の分岐点の近傍または羽根部材の下の分岐点の近傍に着用者の肛門が位置しており、羽根部材は縫付けられた分岐していない側の端と、縫付けられた１対の分岐部分の先端及びその周囲の部分の端（縫い止まり点）との間が縫付けられていないため、伸縮性によって引っ張り力が作用し、さらに１対の分岐部分の内側及び外側の縫い止まり点が着用者の肛門位置よりも上方に位置するため、肛門位置が効果的に引き締められ、肛門位置が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【００９８】
このようにして、意識しなくても着用するだけで肛門位置が引き締められて正しい姿勢をとることができ、さらに着用して歩行するだけで正しい歩き方をすることができて、筋肉に刺激を与え大臀筋・中臀筋が鍛えられて美しいプロポーションを得ることができる姿勢補整用ボトムズとなる。
【００９９】
請求項１３の発明にかかる姿勢補整用ボトムズは、着用者の股下に当接する股部を有する伸縮性を有する生地からなる下着本体と、１対の分岐部分と１対の前部分岐部分とを有する略Ｘ字形の伸縮性を有する生地からなる羽根部材とを具備する姿勢補整用下着がボトムズ本体の内側に取付けられた姿勢補整用ボトムズであって、下着本体の裏側または表側の股部の前部に羽根部材の１対の前部分岐部分が縫付けられ、股下を通って下着本体の裏側または表側の後部に羽根部材の１対の分岐部分の先端及びその周囲の部分が１対の分岐部分の内側においては１対の分岐部分の分岐点から所定長さの位置まで、１対の分岐部分の外側においては１対の分岐部分の内側の位置にほぼ対応する位置まで縫付けられ、羽根部材は姿勢補整用ボトムズを着用したときに着用者の肛門位置が１対の分岐部分の間の分岐点の近傍または羽根部材の下の分岐点の近傍に位置するとともに、１対の分岐部分の内側及び外側の縫い止まり点が着用者の肛門位置よりも上方に位置するように縫付けられている。
【０１００】
かかる構成を有する姿勢補整用ボトムズを着用することによって、伸縮性を有する生地からなる羽根部材の１対の分岐部分の間の分岐点の近傍または羽根部材の下の分岐点の近傍に着用者の肛門が位置しており、羽根部材は縫付けられた１対の前部分岐部分と、縫付けられた１対の分岐部分の先端及びその周囲の部分の端（縫い止まり点）との間が縫付けられていないため、伸縮性によって引っ張り力が作用し、さらに１対の分岐部分の内側及び外側の縫い止まり点が着用者の肛門位置よりも上方に位置するため、肛門位置が効果的に引き締められ、肛門位置が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０１０１】
さらに、伸縮性を有する生地からなる羽根部材の１対の前部分岐部分が股部の前部に縫付けられているため、肛門位置を引き締める効果が向上するとともにヒップアップの効果をも得ることができる。
【０１０２】
このようにして、意識しなくても着用するだけで肛門位置が引き締められて正しい姿勢をとることができ、さらに着用して歩行するだけで正しい歩き方をすることができて、筋肉に刺激を与え大臀筋・中臀筋が鍛えられるとともに、ヒップアップの効果も得られて美しいプロポーションを得ることができる姿勢補整用ボトムズとなる。
【０１０３】
請求項１４の発明にかかる姿勢補整用ボトムズは、着用者の股下に当接する股部を有しない伸縮性を有する生地からなる下着本体と、１対の分岐部分を有する略Ｙ字形の伸縮性を有する生地からなる羽根部材とを具備する姿勢補整用下着がボトムズ本体の内側に取付けられた姿勢補整用ボトムズであって、下着本体の裏側または表側の前部に羽根部材の分岐していない側の端が縫付けられ、下着本体の裏側または表側の後部に羽根部材の１対の分岐部分の先端及びその周囲の部分が１対の分岐部分の内側においては１対の分岐部分の分岐点から所定長さの位置まで、１対の分岐部分の外側においては１対の分岐部分の内側の位置にほぼ対応する位置まで縫付けられることによって股部が形成され、羽根部材は姿勢補整用ボトムズを着用したときに着用者の肛門位置が１対の分岐部分の間の分岐点の近傍または羽根部材の下の分岐点の近傍に位置するとともに、１対の分岐部分の内側及び外側の縫い止まり点が着用者の肛門位置よりも上方に位置するように縫付けられている。ここで、「股部を有しない下着本体」としては、例えば、腹巻状のサポーター、等がある。
【０１０４】
かかる構成を有する姿勢補整用ボトムズを着用することによって、伸縮性を有する生地からなる羽根部材の１対の分岐部分の間の分岐点の近傍または羽根部材の下の分岐点の近傍に着用者の肛門が位置しており、羽根部材は縫付けられた分岐していない側の端と、縫付けられた１対の分岐部分の先端及びその周囲の部分の端（縫い止まり点）との間が縫付けられていないため、伸縮性によって引っ張り力が作用し、さらに１対の分岐部分の内側及び外側の縫い止まり点が着用者の肛門位置よりも上方に位置するため、肛門位置が効果的に引き締められ、肛門位置が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０１０５】
このようにして、意識しなくても着用するだけで肛門位置が引き締められて正しい姿勢をとることができ、さらに着用して歩行するだけで正しい歩き方をすることができて、筋肉に刺激を与え大臀筋・中臀筋が鍛えられて美しいプロポーションを得ることができる姿勢補整用ボトムズとなる。
【０１０６】
請求項１５の発明にかかる姿勢補整用ボトムズは、着用者の股下に当接する股部を有しない伸縮性を有する生地からなる下着本体と、１対の分岐部分と１対の前部分岐部分とを有する略Ｘ字形の伸縮性を有する生地からなる羽根部材とを具備する姿勢補整用下着がボトムズ本体の内側に取付けられた姿勢補整用ボトムズであって、下着本体の裏側または表側の前部に羽根部材の１対の前部分岐部分が縫付けられ、下着本体の裏側または表側の後部に羽根部材の１対の分岐部分の先端及びその周囲の部分が１対の分岐部分の内側においては１対の分岐部分の分岐点から所定長さの位置まで、１対の分岐部分の外側においては１対の分岐部分の内側の位置にほぼ対応する位置まで縫付けられることによって股部が形成され、羽根部材は姿勢補整用ボトムズを着用したときに着用者の肛門位置が１対の分岐部分の間の分岐点の近傍または羽根部材の下の分岐点の近傍に位置するとともに、１対の分岐部分の内側及び外側の縫い止まり点が着用者の肛門位置よりも上方に位置するように縫付けられている。
【０１０７】
かかる構成を有する姿勢補整用ボトムズを着用することによって、伸縮性を有する生地からなる羽根部材の１対の分岐部分の間の分岐点の近傍または羽根部材の下の分岐点の近傍に着用者の肛門が位置しており、羽根部材は縫付けられた１対の前部分岐部分と、縫付けられた１対の分岐部分の先端及びその周囲の部分の端（縫い止まり点）との間が縫付けられていないため、伸縮性によって引っ張り力が作用し、さらに１対の分岐部分の内側及び外側の縫い止まり点が着用者の肛門位置よりも上方に位置するため、肛門位置が効果的に引き締められ、肛門位置が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０１０８】
さらに、伸縮性を有する生地からなる羽根部材の１対の前部分岐部分が下着本体の前部に縫付けられているため、肛門位置を引き締める効果が向上するとともにヒップアップの効果をも得ることができる。
【０１０９】
このようにして、意識しなくても着用するだけで肛門位置が引き締められて正しい姿勢をとることができ、さらに着用して歩行するだけで正しい歩き方をすることができて、筋肉に刺激を与え大臀筋・中臀筋が鍛えられて美しいプロポーションを得ることができる姿勢補整用ボトムズとなる。
【０１１０】
請求項１６の発明にかかる姿勢補整用ボトムズは、着用者の股下に当接する股部を有する伸縮性を有する生地からなる下着本体と、下着本体の裏側の少なくとも臀部を覆うようにその縁に沿って下着本体の裏側に縫付けられた伸縮性を有する生地からなるヨーク部材と、１対の分岐部分を有する略Ｙ字形の伸縮性を有する生地からなる羽根部材とを具備する姿勢補整用下着がボトムズ本体の内側に取付けられた姿勢補整用ボトムズであって、下着本体の裏側の股部の前部に羽根部材の分岐していない側の端が縫付けられ、股下を通ってヨーク部材に羽根部材の１対の分岐部分の先端及びその周囲の部分が１対の分岐部分の内側においては１対の分岐部分の分岐点から所定長さの位置まで、１対の分岐部分の外側においては１対の分岐部分の内側の位置にほぼ対応する位置まで縫付けられ、羽根部材は姿勢補整用ボトムズを着用したときに着用者の肛門位置が１対の分岐部分の間の分岐点の近傍または羽根部材の下の分岐点の近傍に位置するとともに、１対の分岐部分の内側及び外側の縫い止まり点が着用者の肛門位置よりも上方に位置するように縫付けられている。
【０１１１】
ここで、「伸縮性を有する生地」としては、例えば、トリコット、ニット生地、ポリウレタンが１％〜３０％混合したポリウレタン混合生地、綿ストレッチ、スパンレックス、パワーネット、サテンネット（ストレッチサテン）、ストレッチレース、等がある。また、下着本体とヨーク部材と羽根部材とは、全て同じ種類の伸縮性を有する生地からなるものでも良く、これらのうち二つが同じ種類の伸縮性を有する生地からなるものでも良く、三つ全てが異なる種類の伸縮性を有する生地からなるものでも良い。
【０１１２】
また、肛門位置が引き締められると着用者の臀部に左右１対の笑窪様の小さい窪みが生ずるが、この小さい窪みを押えることによって臀部が引き締まって小尻になるとともにヒップアップの効果が得られる。ヨーク部材は少なくとも臀部を覆うように下着本体の裏側に縫付けられているため、羽根部材の引っ張り力によってヨーク部材を介してこの小さい窪みが押えられ、臀部が引き締まって小尻になるとともにヒップアップの効果が得られる。
【０１１３】
そして、伸縮性を有する生地からなる羽根部材の１対の分岐部分の間の分岐点の近傍または羽根部材の下の分岐点の近傍に着用者の肛門が位置しており、羽根部材は縫付けられた分岐していない側の端と、縫付けられた１対の分岐部分の先端及びその周囲の部分の端（縫い止まり点）との間が縫付けられていないため、伸縮性によって引っ張り力が作用し、さらに１対の分岐部分の内側及び外側の縫い止まり点が着用者の肛門位置よりも上方に位置するため、肛門位置が効果的に引き締められ、肛門位置が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０１１４】
このようにして、意識しなくても着用するだけで肛門位置が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られ、美しいプロポーションを得ることができる姿勢補整用ボトムズとなる。
【０１１５】
請求項１７の発明にかかる姿勢補整用ボトムズは、着用者の股下に当接する股部を有する伸縮性を有する生地からなる下着本体と、下着本体の裏側の少なくとも臀部を覆うようにその縁に沿って下着本体の裏側に縫付けられた伸縮性を有する生地からなるヨーク部材と、１対の分岐部分と１対の前部分岐部分とを有する略Ｘ字形の伸縮性を有する生地からなる羽根部材とを具備する姿勢補整用下着がボトムズ本体の内側に取付けられた姿勢補整用ボトムズであって、下着本体の裏側の股部の前部に羽根部材の１対の前部分岐部分が縫付けられ、股下を通ってヨーク部材に羽根部材の１対の分岐部分の先端及びその周囲の部分が１対の分岐部分の内側においては１対の分岐部分の分岐点から所定長さの位置まで、１対の分岐部分の外側においては１対の分岐部分の内側の位置にほぼ対応する位置まで縫付けられ、羽根部材は姿勢補整用ボトムズを着用したときに着用者の肛門位置が１対の分岐部分の間の分岐点の近傍または羽根部材の下の分岐点の近傍に位置するとともに、１対の分岐部分の内側及び外側の縫い止まり点が着用者の肛門位置よりも上方に位置するように縫付けられている。
【０１１６】
また、肛門位置が引き締められる際に生ずる小さい窪みを押えることによって臀部が引き締まって小尻になるとともにヒップアップの効果が得られるが、ヨーク部材は少なくとも臀部を覆うように下着本体の裏側に縫付けられているため、羽根部材の引っ張り力によってヨーク部材を介してこの小さい窪みが押えられ、臀部が引き締まって小尻になるとともにヒップアップの効果が得られる。
【０１１７】
さらに、伸縮性を有する生地からなる羽根部材の１対の前部分岐部分が下着本体の前部に縫付けられているため、肛門位置を引き締める効果が向上するとともにヒップアップの効果をも得ることができる。
【０１１８】
そして、伸縮性を有する生地からなる羽根部材の１対の分岐部分の間の分岐点の近傍または羽根部材の下の分岐点の近傍に着用者の肛門が位置しており、羽根部材は縫付けられた分岐していない側の端と、縫付けられた１対の分岐部分の先端及びその周囲の部分の端（縫い止まり点）との間が縫付けられていないため、伸縮性によって引っ張り力が作用し、さらに１対の分岐部分の内側及び外側の縫い止まり点が着用者の肛門位置よりも上方に位置するため、肛門位置が効果的に引き締められ、肛門位置が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０１１９】
このようにして、意識しなくても着用するだけで肛門位置が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られ、美しいプロポーションを得ることができる姿勢補整用ボトムズとなる。
【０１２０】
請求項１８の発明にかかる姿勢補整用ボトムズは、着用者の股下に当接する股部を有しない伸縮性を有する生地からなる下着本体と、下着本体の裏側の少なくとも臀部を覆うようにその縁に沿って下着本体の裏側に縫付けられた伸縮性を有する生地からなるヨーク部材と、１対の分岐部分を有する略Ｙ字形の伸縮性を有する生地からなる羽根部材とを具備する姿勢補整用下着がボトムズ本体の内側に取付けられた姿勢補整用ボトムズであって、下着本体の裏側の前部に羽根部材の分岐していない側の端が縫付けられ、ヨーク部材に羽根部材の１対の分岐部分の先端及びその周囲の部分が１対の分岐部分の内側においては１対の分岐部分の分岐点から所定長さの位置まで、１対の分岐部分の外側においては１対の分岐部分の内側の位置にほぼ対応する位置まで縫付けられることによって股部が形成され、羽根部材は姿勢補整用ボトムズを着用したときに着用者の肛門位置が１対の分岐部分の間の分岐点の近傍または羽根部材の下の分岐点の近傍に位置するとともに、１対の分岐部分の内側及び外側の縫い止まり点が着用者の肛門位置よりも上方に位置するように縫付けられている。
【０１２１】
かかる構成を有する姿勢補整用ボトムズにおいては、肛門位置が引き締められる際に生ずる小さい窪みを押えることによって臀部が引き締まって小尻になるとともにヒップアップの効果が得られるが、ヨーク部材は少なくとも臀部を覆うように下着本体の裏側に縫付けられているため、羽根部材の引っ張り力によってヨーク部材を介してこの小さい窪みが押えられ、臀部が引き締まって小尻になるとともにヒップアップの効果が得られる。
【０１２２】
そして、伸縮性を有する生地からなる羽根部材の１対の分岐部分の間の分岐点の近傍または羽根部材の下の分岐点の近傍に着用者の肛門が位置しており、羽根部材は縫付けられた分岐していない側の端と、縫付けられた１対の分岐部分の先端及びその周囲の部分の端（縫い止まり点）との間が縫付けられていないため、伸縮性によって引っ張り力が作用し、さらに１対の分岐部分の内側及び外側の縫い止まり点が着用者の肛門位置よりも上方に位置するため、肛門位置が効果的に引き締められ、肛門位置が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０１２３】
このようにして、意識しなくても着用するだけで肛門位置が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られ、美しいプロポーションを得ることができる姿勢補整用ボトムズとなる。
【０１２４】
請求項１９の発明にかかる姿勢補整用ボトムズは、着用者の股下に当接する股部を有しない伸縮性を有する生地からなる下着本体と、下着本体の裏側の少なくとも臀部を覆うようにその縁に沿って下着本体の裏側に縫付けられた伸縮性を有する生地からなるヨーク部材と、１対の分岐部分と１対の前部分岐部分とを有する略Ｘ字形の伸縮性を有する生地からなる羽根部材とを具備する姿勢補整用下着がボトムズ本体の内側に取付けられた姿勢補整用ボトムズであって、下着本体の裏側の前部に羽根部材の１対の前部分岐部分が縫付けられ、ヨーク部材に羽根部材の１対の分岐部分の先端及びその周囲の部分が１対の分岐部分の内側においては１対の分岐部分の分岐点から所定長さの位置まで、１対の分岐部分の外側においては１対の分岐部分の内側の位置にほぼ対応する位置まで縫付けられることによって股部が形成され、羽根部材は姿勢補整用ボトムズを着用したときに着用者の肛門位置が１対の分岐部分の間の分岐点の近傍または羽根部材の下の分岐点の近傍に位置するとともに、１対の分岐部分の内側及び外側の縫い止まり点が着用者の肛門位置よりも上方に位置するように縫付けられている。
【０１２５】
かかる構成を有する姿勢補整用ボトムズにおいては、肛門位置が引き締められる際に生ずる小さい窪みを押えることによって臀部が引き締まって小尻になるとともにヒップアップの効果が得られるが、ヨーク部材は少なくとも臀部を覆うように下着本体の裏側に縫付けられているため、羽根部材の引っ張り力によってヨーク部材を介してこの小さい窪みが押えられ、臀部が引き締まって小尻になるとともにヒップアップの効果が得られる。
【０１２６】
さらに、伸縮性を有する生地からなる羽根部材の１対の前部分岐部分が下着本体の前部に縫付けられているため、肛門位置を引き締める効果が向上するとともにヒップアップの効果をも得ることができる。
【０１２７】
そして、伸縮性を有する生地からなる羽根部材の１対の分岐部分の間の分岐点の近傍または羽根部材の下の分岐点の近傍に着用者の肛門が位置しており、羽根部材は縫付けられた分岐していない側の端と、縫付けられた１対の分岐部分の先端及びその周囲の部分の端（縫い止まり点）との間が縫付けられていないため、伸縮性によって引っ張り力が作用し、さらに１対の分岐部分の内側及び外側の縫い止まり点が着用者の肛門位置よりも上方に位置するため、肛門位置が効果的に引き締められ、肛門位置が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０１２８】
このようにして、意識しなくても着用するだけで肛門位置が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られ、美しいプロポーションを得ることができる姿勢補整用ボトムズとなる。
【０１２９】
請求項２０の発明にかかる姿勢補整用ボトムズは、羽根部材の分岐していない側の先端または１対の前部分岐部分の先端が下着本体の裏側または表側の前部の上端またはその近傍に縫付けられている。これによって、伸縮性を有する生地からなる羽根部材の引っ張り力がより強力になって肛門が効果的に締付けられるとともに、下腹部が押え付けられるので下腹部が引っ込んでより美しいプロポーションを得ることができる。
【０１３０】
このようにして、意識しなくても着用するだけで肛門がより効果的に引き締められて正しい姿勢をとることができるとともに、下腹部が引っ込んでより美しいプロポーションを得ることができ、さらに着用して歩行するだけで正しい歩き方をすることができて、筋肉に刺激を与え大臀筋・中臀筋が鍛えられて美しいプロポーションを得ることができる姿勢補整用ボトムズとなる。
【０１３１】
請求項２１の発明にかかる姿勢補整用ボトムズは、羽根部材は下着本体の股部の裏側に取付けられた股下当て布と下着本体の股部との間を潜って取付けられている。
【０１３２】
これによって、請求項１２乃至請求項２０に記載の効果に加えて、姿勢補整用ボトムズを着用したときに羽根部材が直接着用者の股部に当接することがなく、股下当て布を介して当接することになるので、皮膚が過敏な人が長時間着用しても違和感がなく、一般の人にとっても羽根部材の横ずれ等を直接感じることがなく、股下当て布がクッションになるため穿き心地が向上する。
【０１３３】
このようにして、意識しなくても着用するだけで肛門が引き締められて正しい姿勢をとることができるとともに、穿き心地が良くなり長時間着用しても違和感を覚えることなく、さらに着用して歩行するだけで正しい歩き方をすることができて、筋肉に刺激を与え大臀筋・中臀筋が鍛えられて美しいプロポーションを得ることができる姿勢補整用ボトムズとなる。
【０１３４】
請求項２２の発明にかかる姿勢補整用ボトムズは、羽根部材には１対または複数対の枝部分が設けられており、羽根部材が下着本体の股部の裏側に取付けられた股下当て布と下着本体の股部との間を潜って取付けられる際に枝部分が股下当て布の内部において下着本体の股部の裏側及び／または股下当て布に縫付けられている。
【０１３５】
これによって、特に請求項２０の発明にかかる姿勢補整用ボトムズのように、羽根部材が長い場合には、中間部分が全くフリーであると捩れたりずれたりして肛門を引き締める効果が半減するとともに、穿き心地も悪くなるが、羽根部材に設けられた１対または複数対の枝部分を股下当て布の内部において下着本体の股部の裏側及び／または股下当て布に縫付けることによって、穿き心地及び見た目を損なうことなく、かつ羽根部材の引き締め力を低下させることなく、羽根部材が捩れたりずれたりする事態を確実に防止することができる。
【０１３６】
このようにして、意識しなくても着用するだけで肛門が引き締められて正しい姿勢をとることができるとともに、穿き心地が良くなり長時間着用しても違和感を覚えることなく、さらに着用して歩行するだけで正しい歩き方をすることができて、筋肉に刺激を与え大臀筋・中臀筋が鍛えられて美しいプロポーションを得ることができる姿勢補整用ボトムズとなる。
【０１３７】
請求項２３の発明にかかる姿勢補整用ボトムズは、羽根部材は１対の分岐部分と分岐点を含む根元部分のみからなる伸縮性を有する生地からなる後部羽根部材であって、後部羽根部材は根元部分が下着本体の股部の裏側に取付けられた伸縮性を有する生地からなる股下当て布の後部の端に縫付けられている。ここで、「伸縮性を有する生地」としては、例えば、トリコット、ニット生地、ポリウレタンが１％から３０％混入されたポリウレタン混合生地、綿ストレッチ、スパンレックス、パワーネット、サテンネット（ストレッチサテン）、ストレッチレース、等がある。
【０１３８】
このような後部羽根部材を伸縮性を有する生地からなる股下当て布の後部の端に縫付けることによっても、後部羽根部材の分岐点の近傍に位置する着用者の肛門を引き締める効果が得られる。そして、着用者の股部には股下当て布が当接するため、皮膚が過敏な人が長時間着用しても違和感がなく、一般の人にとっても股下当て布がクッションになるため穿き心地が向上する。
【０１３９】
このようにして、意識しなくても着用するだけで肛門が引き締められて正しい姿勢をとることができるとともに、穿き心地が良くなり長時間着用しても違和感を覚えることなく、さらに着用して歩行するだけで正しい歩き方をすることができて、筋肉に刺激を与え大臀筋・中臀筋が鍛えられて美しいプロポーションを得ることができる姿勢補整用ボトムズとなる。
【０１４０】
請求項２４の発明にかかる姿勢補整用ボトムズは、後部羽根部材とともに羽根部材の分岐していない側または１対の前部分岐部分のみからなる伸縮性を有する生地からなる前部羽根部材を有し、前部羽根部材の分岐していない側の先端または１対の前部分岐部分の先端は下着本体の裏側の前部に縫付けられており、前部羽根部材の反対側の端は股下当て布の前部の端に縫付けられている。
【０１４１】
これによって、請求項２３に記載の効果に加えて、伸縮性を有する生地からなる股下当て布を介してではあるが、後部羽根部材が前部羽根部材によって引っ張られるために後部羽根部材が肛門を引き締める効果が向上するとともに、前部羽根部材によって下腹部が押え付けられるので、下腹部が引っ込んでより美しいプロポーションを得ることができる。
【０１４２】
このようにして、意識しなくても着用するだけで肛門がより効果的に引き締められて正しい姿勢をとることができるとともに、下腹部が引っ込んでより美しいプロポーションを得ることができ、さらに着用して歩行するだけで正しい歩き方をすることができて、筋肉に刺激を与え大臀筋・中臀筋が鍛えられて美しいプロポーションを得ることができる姿勢補整用ボトムズとなる。
【０１４３】
請求項２５の発明にかかる姿勢補整用ボトムズは、姿勢補整用下着にはボトムズ本体に開閉具が設けられている位置に対応する位置に開閉具が設けられている。ここで、「開閉具」としては、ファスナー、複数のボタンとボタンホール、複数の１対ずつのドット釦、１対の接着布（マジックテープ（登録商標））、等を用いることができる。また、ボトムズ本体に設けられた開閉具と姿勢補整用下着に設けられた開閉具とは、同じ種類のものであっても、異なる種類のものであっても良い。
【０１４４】
これによって、請求項１２乃至請求項２４に記載の効果に加えて、かかる構成を有する姿勢補整用ボトムズにおいては、姿勢補整用下着にも、ボトムズ本体にファスナー等の開閉具が設けられている位置に対応する位置にファスナー等の開閉具が設けられているため、穿いたり脱いだりする動作が、通常のボトムズと同様にスムーズにできる。
【０１４５】
このようにして、穿いたり脱いだりするのがより容易で、意識しなくても着用するだけで肛門位置が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られ、美しいプロポーションを得ることができる姿勢補整用ボトムズとなる。
【０１４６】
請求項２６の発明にかかる姿勢補整用ボトムズは、姿勢補整用下着がボトムズ本体の裏側に着脱可能に取付けられている。これによって、請求項１２乃至請求項２５に記載の効果に加えて、姿勢補整用下着が不要である場合や、姿勢補整用下着のみまたはボトムズ本体のみを洗濯やクリーニングしたい場合には、自由に取り外すことができ、使い勝手の良い姿勢補整用ボトムズとなる。
【０１４７】
ここで、姿勢補整用下着をボトムズ本体の裏側に着脱可能に取付ける方法としては、例えば、ボトムズ本体のウエストベルトの裏側にＺナップの凸側または凹側が複数個取付けられ、姿勢補整用下着の上端にＺナップの凹側または凸側が複数個取付けられて、ボトムズ本体のウエストベルトの裏側のＺナップの凸側または凹側が姿勢補整用下着の上端のＺナップの凹側または凸側と嵌合させられ或いは取外されることによる方法がある。このように着脱具としてＺナップを用いることによって、Ｚナップは極めて小型の合成樹脂製の着脱具で嵌合させた状態でも平坦なので、ボトムズ本体のウエストベルトの厚さに埋もれてしまって肌を点状に圧迫することがなく、金属製の部品の冷感も与えない。したがって、肌に直接触れることがあったとしても、着用者は全く気にならず、長時間着用しても肌に跡が付くこともない。
【０１４８】
また、ボトムズ本体のウエストベルトの裏側にＺナップの凸側または凹側が複数個取付けられるとともに複数のループ或いは複数のボタンまたは複数の雄型スプリングホックが取付けられ、姿勢補整用下着の上端にＺナップの凹側または凸側が複数個取付けられるとともに姿勢補整用下着の表側に複数のボタンまたは複数の雄型スプリングホック或いは複数のループが取付けられて、ボトムズ本体のウエストベルトの裏側のＺナップの凸側または凹側が姿勢補整用下着の上端のＺナップの凹側または凸側と嵌合させられ或いは取外されるとともにループにボタンまたは雄型スプリングホックが嵌められ或いは外されることによって、姿勢補整用下着をボトムズ本体の裏側に着脱可能に取付ける方法もある。
【０１４９】
また、ボトムズ本体のウエストベルトの裏側にランジェリーフックアイテープの雌側または雄側が取付けられ、姿勢補整用下着の表側にランジェリーフックアイテープの雄側または雌側が取付けられて、ランジェリーフックアイテープの雌フックにランジェリーフックアイテープの雄フックが係合させられ或いは取外されることによって、姿勢補整用下着をボトムズ本体の裏側に着脱可能に取付ける方法もある。
【０１５０】
また、ボトムズ本体のウエストベルトの裏側に複数の糸ループ或いは複数のボタンまたは複数の雄型スプリングホックが取付けられ、姿勢補整用下着の表側に複数のボタンまたは複数の雄型スプリングホックまたは複数の糸ループが取付けられて、糸ループにボタンまたは雄型スプリングホックが嵌められ或いは外されることによって、姿勢補整用下着をボトムズ本体の裏側に着脱可能に取付ける方法もある。
【０１５１】
また、ボトムズ本体のウエストベルトの裏側に複数のルーパー或いは複数のボタンまたは複数の雄型スプリングホックが取付けられ、姿勢補整用下着の表側に複数のボタンまたは複数の雄型スプリングホック或いは複数のルーパーが取付けられて、ルーパーにボタンまたは雄型スプリングホックが嵌められ或いは外されることによって、姿勢補整用下着をボトムズ本体の裏側に着脱可能に取付ける方法もある。
【０１５２】
また、ボトムズ本体のウエストベルトの裏側に複数の表地バイアスループまたは裏地バイアスループ或いは複数のボタンまたは複数の雄型スプリングホックが取付けられ、姿勢補整用下着の表側に複数のボタンまたは複数の雄型スプリングホック或いは複数の表地バイアスループまたは裏地バイアスループが取付けられて、表地バイアスループまたは裏地バイアスループにボタンまたは雄型スプリングホックが嵌められ或いは外されることによって、姿勢補整用下着をボトムズ本体の裏側に着脱可能に取付ける方法もある。
【０１５３】
また、ボトムズ本体のウエストベルトの裏側に複数のチイまたは複数のボタンが取付けられ、姿勢補整用下着の表側に複数のボタンまたは複数のチイが取付けられて、チイにボタンが嵌められ或いは外されることによって、姿勢補整用下着をボトムズ本体の裏側に着脱可能に取付ける方法もある。
【０１５４】
また、ボトムズ本体のウエストベルトの裏側に複数のボタンホールが設けられた布テープまたはゴムテープ或いは複数のボタンが取付けられ、姿勢補整用下着の表側に複数のボタン或いは複数のボタンホールが設けられた布テープまたはゴムテープが取付けられて、ボタンホールにボタンが嵌められ或いは外されることによって、姿勢補整用下着をボトムズ本体の裏側に着脱可能に取付ける方法もある。
【０１５５】
また、ボトムズ本体のウエストベルトの裏側に複数の雄型または雌型スプリングホックが取付けられ、姿勢補整用下着の表側に複数の雌型または雄型スプリングホックが取付けられて、雄型スプリングホックと雌型スプリングホックが嵌合させられ或いは外されることによって、姿勢補整用下着をボトムズ本体の裏側に着脱可能に取付ける方法もある。
【０１５６】
また、ボトムズ本体のウエストベルトの裏側に複数の凸側または凹側のドット釦或いは複数の凸側または凹側のドット釦が付いたドット・スナップテープが取付けられ、姿勢補整用下着の表側に複数の凹側または凸側のドット釦或いは複数の凹側または凸側のドット釦が付いたドット・スナップテープが取付けられて、凸側または凹側のドット釦に凹側または凸側のドット釦が嵌められ或いは外されることによって、姿勢補整用下着をボトムズ本体の裏側に着脱可能に取付ける方法もある。
【０１５７】
また、ボトムズ本体のウエストベルトの裏側に一または二以上のオープンファスナーの雄側または雌側が取付けられ、姿勢補整用下着の表側に一または二以上のオープンファスナーの雌側または雄側が取付けられて、オープンファスナーの雄側と雌側とが全て接続され或いは全て外されることによって、姿勢補整用下着をボトムズ本体の裏側に着脱可能に取付ける方法もある。ここで、オープンファスナーとしては、複数の短めのオープンファスナーを取付けても良いし、姿勢補整用下着の表側の後ろ中心から左右に前まで伸びる２個のオープンファスナーとしても良いし、姿勢補整用下着の表側を一周する１個の長いオープンファスナーを取付けても良い。
【０１５８】
また、ボトムズ本体のウエストベルトの裏側に間隔を空けて複数のホールの付いたレース生地或いは複数のボタンまたは複数の雄型スプリングホックが取付けられ、姿勢補整用下着の表側に複数のボタンまたは複数の雄型スプリングホック或いは間隔を空けて複数のホールの付いたレース生地が取付けられて、レース生地のホールにボタンまたは雄型スプリングホックが嵌められ或いは外されることによって、姿勢補整用下着をボトムズ本体の裏側に着脱可能に取付ける方法もある。
【０１５９】
また、ボトムズ本体のウエストベルトの裏側に複数の接着布（マジックテープ（登録商標））の硬い側または軟らかい側が取付けられ、姿勢補整用下着の表側に複数の接着布の軟らかい側または硬い側が取付けられて、接着布の硬い側と軟らかい側とが接着され或いは剥がされることによって、姿勢補整用下着をボトムズ本体の裏側に着脱可能に取付ける方法もある。
【０１６０】
これらの方法を採ることによって、姿勢補整用下着がボトムズ本体の裏側に着脱可能であるとともに、着脱具が肌を刺激することがなく、快適に長時間着用することができ、着用するだけで肛門位置が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られ、美しいプロポーションを得ることができる姿勢補整用ボトムズとなる。
【０１６１】
請求項２７の発明にかかる姿勢補整用ボトムズは、羽根部材についての所定長さは３ｃｍから１０ｃｍの範囲内であり、着用者の肛門が当接する位置が１対の分岐部分の間にある場合の当該位置から分岐点までの距離は０．５ｃｍから３．０ｃｍの範囲内である。さらに、所定長さが５ｃｍから８ｃｍの範囲内であり、当該位置から分岐点までの距離が１．０ｃｍから２．０ｃｍの範囲内であることがより好ましい。
【０１６２】
このように、請求項１乃至請求項２６に記載の効果に加えて、本発明にかかる姿勢補整用ボトムズにおいては、本発明者は、羽根部材についての１対の分岐部分の先端及びその周囲の部分が縫付けられている端から１対の分岐部分の分岐点までの所定長さの最適範囲、及び着用者の肛門が当接する位置が１対の分岐部分の間にある場合の当該位置から分岐点までの距離の最適範囲について、鋭意実験研究を重ねた結果、所定長さについては３ｃｍから１０ｃｍの範囲内、より好ましくは５ｃｍから８ｃｍの範囲内であり、当該位置から分岐点までの距離については０．５ｃｍから３．０ｃｍの範囲内、より好ましくは１．０ｃｍから２．０ｃｍの範囲内である場合に、最も適切に着用者の肛門位置を効果的に引き締めて姿勢を正しくする効果が得られることを見出し、この知見に基づいて本発明を完成させたものである。
【０１６３】
このようにして、意識しなくても着用するだけで最も適切に肛門位置が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られ、美しいプロポーションを得ることができる姿勢補整用ボトムズとなる。
【０１６４】
請求項２８の発明にかかる姿勢補整用ボトムズは、羽根部材の１対の分岐部分が、着用者の肛門位置が引き締められたときに着用者の臀部に生ずる左右１対の笑窪様の小さい窪みを覆う大きさである。
【０１６５】
このように、請求項１乃至請求項２７に記載の効果に加えて、本発明にかかる姿勢補整用ボトムズにおいては、上述の如く、この窪みを押えることによって、臀部が引き締まって小尻になるとともにヒップアップの効果が得られるが、ヨーク部材を介してではなく羽根部材の１対の分岐部分によって直接押えることによってこれらの効果が倍増する。
【０１６６】
このようにして、意識しなくても着用するだけで肛門位置が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られ、美しいプロポーションを得ることができる姿勢補整用ボトムズとなる。
【０１６７】
請求項２９の発明にかかる姿勢補整用ボトムズは、羽根部材の１対の分岐部分の一方若しくは両方及び／または１対の前部分岐部分の一方若しくは両方がさらに二つ以上に分岐している。羽根部材の効果は、伸縮性を有する生地からなる羽根部材の１対の分岐部分の間または１対の分岐部分の分岐点の近傍に着用者の肛門位置が位置していれば得ることができ、１対の分岐部分及び／または１対の前部分岐部分がさらに分岐していても変わることはない。したがって、１対の分岐部分及び／または１対の前部分岐部分がさらに分岐していても、肛門位置が効果的に引き締められて骨盤を安定させる力が強くなり、背筋が伸びるので、正しい姿勢で座り、正しい姿勢で立ち、正しい姿勢で歩くことができる。
【０１６８】
このようにして、意識しなくても着用するだけで肛門位置が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られ、美しいプロポーションを得ることができる姿勢補整用ボトムズとなる。
【０１６９】
請求項３０の発明にかかる姿勢補整用ボトムズは、羽根部材の分岐していない側または１対の前部分岐部分がボトムズ本体の裏側の前部または下着本体の裏側若しくは表側の前部に縫付けられておらず、羽根部材の分岐していない側または１対の前部分岐部分とボトムズ本体の裏側の前部または下着本体の裏側若しくは表側の前部とは、羽根部材の分岐していない側または１対の前部分岐部分と、ボトムズ本体の裏側の前部または下着本体の裏側若しくは表側の前部とに取付けられた複数の接続位置を選択できる１組または２組の調節機能付き接続具によって接続される。
【０１７０】
ここで、「調節機能付き接続具」としては、例えば、長さ方向の複数の位置にメンカンを取付けたものと、その複数のメンカンのいずれにも嵌合するカギホックを布地に取付けたものとを組にしたものや、長さ方向の複数の位置に凹側のホックを取付けたものと、その複数の凹側のホックのいずれにも嵌合する凸側のホックを布地に取付けたものとを組にしたものや、長さ方向の複数の位置に凹側のドット釦を取付けたものと、その複数の凹側のドット釦のいずれにも嵌合する凸側のドット釦を布地に取付けたものとを組にしたものや、一組の接続布（マジックテープ（登録商標））や、長さ方向の複数の位置に凹側のスプリングホックを取付けたものと、その複数の凹側のスプリングホックのいずれにも嵌合する凸側のスプリングホックを布地に取付けたものとを組にしたもの、等がある。
【０１７１】
このように、請求項１乃至請求項２９に記載の効果に加えて、本発明にかかる姿勢補整用ボトムズにおいては、かかる構成によって、羽根部材の分岐していない側または１対の前部分岐部分とボトムズ本体の裏側の前部（ボトムズ本体に裏地が縫付けられたものの場合）または下着本体の裏側若しくは表側の前部（ボトムズ本体に姿勢補整用下着が取付けられた場合）とを調節機能付き接続具によって接続する際に、複数の接続位置のうちいずれを選択するかによって、羽根部材による引っ張り力を調節することができ、着用者の体形によって微妙に異なる羽根部材による肛門位置の引き締め力を最適に調節することができる。
【０１７２】
このようにして、意識しなくても着用するだけで最適な引き締め力で肛門位置が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られ、美しいプロポーションを得ることができる姿勢補整用ボトムズとなる。
【０１７３】
請求項３１の発明にかかる姿勢補整用ボトムズは、羽根部材は１対の分岐部分と分岐していない側の端との間または１対の前部分岐部分との間で分離されており、分離部分は、羽根部材の１対の分岐部分の側と、羽根部材の分岐していない側または１対の前部分岐部分の側とに取付けられた複数の接続位置を選択できる１組の調節機能付き接続具によって接続される。
【０１７４】
このように、請求項１乃至請求項２９に記載の効果に加えて、本発明にかかる姿勢補整用ボトムズにおいては、かかる構成によって、羽根部材の分離部分を調節機能付き接続具によって接続する際に、複数の接続位置のうちいずれを選択するかによって、羽根部材による引っ張り力を調節することができ、着用者の体形によって微妙に異なる羽根部材による肛門位置の引き締め力を最適に調節することができる。
【０１７５】
このようにして、意識しなくても着用するだけで最適な引き締め力で肛門位置が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られ、美しいプロポーションを得ることができる姿勢補整用ボトムズとなる。
【０１７６】
請求項３２の発明にかかる姿勢補整用ボトムズは、羽根部材の１対の分岐部分の先端及び／または１対の前部分岐部分の先端が丸みのある形状となっている。これによって、本発明にかかる姿勢補整用ボトムズにおいては、請求項１乃至請求項３０に記載の効果に加えて、羽根部材の１対の分岐部分の先端及び／または１対の前部分岐部分の先端を縫付ける際に、丸みのある形状に沿って曲がりながら一度に縫付けることができるため、縫製時間を短縮することができ、大量生産に向いた姿勢補整用ボトムズとなる。
【０１７７】
このようにして、意識しなくても着用するだけで肛門位置が引き締められて正しい姿勢をとることができ、さらに着用して歩行するだけで正しい歩き方をすることができ、筋肉に刺激を与え大臀筋・中臀筋が鍛えられて、小尻になってヒップアップの効果も得られ、美しいプロポーションを得ることができるとともに、製造工程を短縮できる姿勢補整用ボトムズとなる。
【０１７８】
請求項３３の発明にかかる姿勢補整用ボトムズは、伸縮性を有する生地がパワーネット、サテンネット（ストレッチサテン）、ストレッチレースのいずれかである。
【０１７９】
これによって、本発明にかかる姿勢補整用ボトムズにおいては、請求項１乃至請求項３０に記載の効果に加えて、パワーネット、サテンネット（ストレッチサテン）、ストレッチレースは、いずれも大きな伸縮性を有し、入手も容易であるため、姿勢補整用ボトムズの羽根部材を構成する伸縮性を有する生地として適している。また、下着本体及び／またはヨーク部材が伸縮性を有する生地からなる場合にも、パワーネット、サテンネット（ストレッチサテン）、ストレッチレースは、下着本体及びヨーク部材を構成する生地として適している。
【０１８０】
このようにして、意識しなくても着用するだけで肛門位置が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られ、美しいプロポーションを得ることができる姿勢補整用ボトムズとなる。
【発明を実施するための最良の形態】
【０１８１】
以下、本発明の実施の形態について、図面を参照しつつ説明する。なお、以下の各図面においては、紳士用ズボン（パンツ）・婦人用パンツ等のボトムズに取付けられているポケットは、図示省略されている。即ち、ボトムズを表から見た場合の脇ポケットの入り口や臀部ポケットの入り口、及びボトムズを裏返して見た場合の脇ポケットのポケット袋や臀部ポケットのポケット袋は、全て図示省略されている。
【０１８２】
実施の形態１
まず、本発明の実施の形態１にかかる姿勢補整用ボトムズとしての男性用の姿勢補整用ズボンについて、図１乃至図１５を参照して説明する。
【０１８３】
図１は本発明の実施の形態１にかかる姿勢補整用ボトムズとしての姿勢補整用ズボンの上部の構成を示す斜視図である。図２（ａ）は本発明の実施の形態１にかかる姿勢補整用ズボンを裏返した場合の上部の構成を示す正面図、（ｂ）は背面図である。図３は本発明の実施の形態１にかかる姿勢補整用ズボンの股下部分の内部構造を示す部分拡大図である。図４は人体の肛門位置が引き締められた場合に臀部に生ずる左右１対の笑窪様の小さい窪みの位置を示す模式図である。
【０１８４】
図５（ａ）は本発明の実施の形態１にかかる姿勢補整用ズボンに用いられる羽根部材と肛門及び左右１対の小さい窪みとの位置関係を示す図、（ｂ）は羽根部材と肛門及び左右１対の小さい窪みとの別の位置関係を示す図、（ｃ）は羽根部材と肛門及び左右１対の小さい窪みとのさらに別の位置関係を示す図、（ｄ）は異なる羽根部材と肛門との位置関係を示す図である。図６（ａ）〜（ｊ）は本発明の実施の形態１にかかる姿勢補整用ズボンに用いられる羽根部材の様々な形状を示す図である。
【０１８５】
図７（ａ）は本発明の実施の形態１にかかる姿勢補整用ズボンに用いられる羽根部材の縫付け方法を示す図、（ｂ）は羽根部材の異なる縫付け方法を示す図、（ｃ）は羽根部材のさらに異なる縫付け方法を示す図である。図８は本発明の実施の形態１の第１変形例にかかる姿勢補整用ズボンの股下部分の内部構造を示す部分拡大図である。図９は本発明の実施の形態１の第２変形例にかかる姿勢補整用ズボンを裏返した場合の上部の構成を示す正面図、（ｂ）は背面図である。
【０１８６】
図１０（ａ）は本発明の実施の形態１の第２変形例にかかる姿勢補整用ズボンを裏返した場合の上部を開いて示す部分展開図、（ｂ）は本発明の実施の形態１の第３変形例にかかる姿勢補整用ズボンを裏返した場合の上部を開いて示す部分展開図、（ｃ）は本発明の実施の形態１にかかる姿勢補整用ズボンを裏返した場合の上部を開いて示す部分展開図である。図１１（ａ）は本発明の実施の形態１の第４変形例にかかる姿勢補整用ズボンを裏返した場合の上部を開いて示す部分展開図、（ｂ）は本発明の実施の形態１の第４変形例にかかる姿勢補整用ズボンにおける裏地めくれ防止テープの部分を拡大して示す図、（ｃ）は裏地めくれ防止テープの別の取付け方を拡大して示す図、（ｄ）は裏地めくれ防止テープのさらに別の取付け方を拡大して示す図である。
【０１８７】
図１２（ａ）は本発明の実施の形態１の第５変形例にかかる姿勢補整用ズボンを裏返した場合の股下部分を示す部分拡大図、（ｂ）は本発明の実施の形態１の第６変形例にかかる姿勢補整用ズボンを裏返した場合の股下部分を示す部分拡大図である。図１３（ａ）は本発明の実施の形態１の第７変形例にかかる姿勢補整用ズボンを裏返した場合の羽根部材の縫付け方を示す部分拡大図、（ｂ）は羽根部材を縫付けた後の股下部分を示す部分拡大図である。
【０１８８】
図１４は本発明の実施の形態１の第８変形例にかかる姿勢補整用ズボンを裏返した場合の股下部分を示す部分拡大図である。図１５（ａ）は本発明の実施の形態１の第９変形例にかかる姿勢補整用ズボンを裏返した場合の股下部分を示す部分拡大図、（ｂ）は本発明の実施の形態１の第１０変形例にかかる姿勢補整用ズボンを裏返した場合の股下部分を示す部分拡大図である。
【０１８９】
図１に示されるように、本実施の形態１にかかる姿勢補整用ボトムズとしての姿勢補整用ズボン１は、ボトムズ本体としての紳士用ズボン（パンツ）表地２と、ズボン表地２の裏側の股下までの背面部分を覆うように縫付けられた伸縮性を有する生地としてのパワーネットからなる裏地３と、伸縮性を有する生地としてのパワーネットからなる１対の分岐部分５ａ，５ｂを有する略Ｙ字形の羽根部材５とを具備している。
【０１９０】
ここで、裏地３は２枚の対称形のパワーネット生地を切り出して、裏地３の後中心３ｃで縫い合わされてからズボン表地２の裏側に縫付けられるが、これは湾曲した臀部を有するズボン表地２の裏側に沿わせる必要があるため、１枚のパワーネット生地で裏地３を構成することができないことによるものである。裏地３はズボン表地２のウエストベルト２の裏側を縫付ける際に、ステッチ２ｈによって一緒にズボン表地２の裏側のウエスト周りに沿って縫付けられ、後で図２（ｂ）に示されるように、下端がズボン表地２の裏側の股下部分に縫付けられる。
【０１９１】
したがって、裏地３はズボン表地２の裏側のウエスト周り及び股下部分のみが縫付けられており、その間の部分は固定されずにフリーの状態になっている。この裏地３のフリーの部分の上（内側）に、羽根部材５の１対の分岐部分５ａ，５ｂがステッチ縫い５ｉによって縫付けられている。
【０１９２】
なお、図１において、裏地３のみに網目模様のハッチングを施したのは、ズボン表地２及び羽根部材５と区別し易くするためであり、網目模様の大きさは裏地３のパワーネットの網目の大きさを表すものではない（以下の各図においても同様である。）。
【０１９３】
本実施の形態１にかかる姿勢補整用ズボン１を裏返した状態を示す図２（ａ）に示されるように、羽根部材５の分岐していない側５ｄの先端５ｅは、ズボン表地２の下前持ち出し２Ｃにステッチ縫い５ｈによって縫付けられている。また、図２（ｂ）に示されるように、羽根部材５の１対の分岐部分５ａ，５ｂは、裏地３の臀部付近にステッチ縫い５ｉによって縫付けられている。
【０１９４】
図２（ｂ）に示されるように、裏地３の両端はズボン表地２の前身頃と後身頃とを縫い合わせる本縫い（ステッチ縫い）２ｇによって同時に縫付けられ、裏地３の下端はステッチ縫い３ｆによってズボン表地２の裏側の股下部分に縫付けられる。
【０１９５】
したがって、ズボン表地２は、本発明における「ボトムズ本体」に相当する。また、本実施の形態１にかかる姿勢補整用ズボン１は、「ボトムズ本体と、ボトムズ本体の裏側の少なくとも臀部を覆うようにボトムズ本体の裏側に縫付けられた裏地と、伸縮性を有する生地からなる１対の分岐部分を有する略Ｙ字形の羽根部材とを具備する姿勢補整用ボトムズ」に相当し、裏地３が伸縮性を有する生地からなるものである。
【０１９６】
姿勢補整用ズボン１における縫付け構造について、図３を参照してさらに詳しく説明する。図３に示されるように、姿勢補整用ズボン１を裏返して股下部分を中心に見ると、ズボン表地２は後股切り替え線２ｆにおいて縫付けられており、裏地３の下端はこの後股切り替え線２ｆに沿って、１対のステッチ３ｆによってズボン表地２に縫付けられている。
【０１９７】
したがって、羽根部材５は、ステッチ縫い５ｈによって分岐していない側５ｄの先端がズボン表地２の裏側の下前持ち出し２Ｃに縫付けられた部分と、ステッチ縫い５ｉによって裏地３の臀部付近に縫付けられた部分との間は縫付けられておらず、フリーの状態になっている。
【０１９８】
また、ステッチ縫い５ｉの縫い止まり点５ｋは、１対の分岐部分５ａ，５ｂの内側においては、羽根部材５の分岐点５ｃから約７ｃｍ（６．０ｃｍ〜８．０ｃｍ）離れており、１対の分岐部分５ａ，５ｂの外側においては、内側のステッチ縫い５ｉの縫い止まり点５ｋとほぼ対応する位置にあって、少なくとも着用者の肛門の位置ＨＣＰよりは上方にある。
【０１９９】
そして、図１，図２（ｂ），図３に示されるように、羽根部材５は、姿勢補整用ズボン１を着用したときに、着用者の肛門の位置ＨＣＰが１対の分岐部分５ａ，５ｂの間の分岐点５ｃの近傍（分岐点５ｃから約１．５ｃｍ（１．０ｃｍ〜２．０ｃｍ）離れた点）に位置するように縫付けられている。
【０２００】
これによって、本実施の形態１にかかる姿勢補整用ズボン１を着用することによって、羽根部材５には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０２０１】
姿勢補整用ズボン１を着用することによる作用効果について、図４及び図５を参照して、さらに詳細に説明する。図４に示されるように、人体ＨＢにおいて肛門ＨＣが引き締められると、臀部ＨＤに左右１対の笑窪様の小さい窪みＨＥが生ずる。これらの小さい窪みＨＥを押えることによって、臀部ＨＤが引き締まって小尻になるとともにヒップアップの効果が得られる。
【０２０２】
図５（ａ）に示されるように、姿勢補整用ズボン１を着用した場合には、着用者の肛門ＨＣは羽根部材５の１対の分岐部分５ａ，５ｂの間にあり、着用者の肛門ＨＣは羽根部材５の１対の分岐部分５ａ，５ｂの分岐点５ｃから１．５ｃｍの位置にある。また、羽根部材５の１対の分岐部分５ａ，５ｂを裏地３に縫付けるステッチ縫い５ｉの、１対の分岐部分５ａ，５ｂの内側における縫い止まり点５ｋから分岐点５ｃまでの長さは、７ｃｍである。そして、左右１対の笑窪様の小さい窪みＨＥの生ずる位置は、羽根部材５の１対の分岐部分５ａ，５ｂによって覆われている。
【０２０３】
したがって、図５（ａ）に示されるように、羽根部材５には、ステッチ縫い５ｈによって分岐していない側５ｄの先端５ｅが縫付けられた部分とステッチ縫い５ｉによって縫付けられた１対の分岐部分５ａ，５ｂとの間が縫付けられていないため、矢印で示されるように伸縮性による引っ張り力がかかり、着用者の肛門ＨＣが効果的に引き締められる。そして、肛門ＨＣが引き締められると臀部に左右１対の笑窪様の小さい窪みＨＥが生じ、これらの小さい窪みＨＥが１対の分岐部分５ａ，５ｂによって押えられるため、着用者の臀部が引き締まって小尻になるとともにヒップアップの効果が得られる。
【０２０４】
また、図５（ｂ）に示される羽根部材５においても、着用者の肛門ＨＣは羽根部材５の１対の分岐部分５ａ，５ｂの間にあり、着用者の肛門ＨＣは羽根部材５の１対の分岐部分５ａ，５ｂの分岐点５ｃから２．０ｃｍの位置にある。また、羽根部材５の１対の分岐部分５ａ，５ｂを裏地３に縫付けるステッチ縫い５ｉの、１対の分岐部分５ａ，５ｂの内側における縫い止まり点５ｋから分岐点５ｃまでの長さは、８ｃｍである。そして、左右１対の笑窪様の小さい窪みＨＥの生ずる位置は、羽根部材５の１対の分岐部分５ａ，５ｂによって覆われている。
【０２０５】
したがって、図５（ｂ）に示されるように、羽根部材５には、ステッチ縫い５ｈによって分岐していない側５ｄの先端５ｅが縫付けられた部分とステッチ縫い５ｉによって縫付けられた１対の分岐部分５ａ，５ｂとの間が縫付けられていないため、矢印で示されるように伸縮性による引っ張り力がかかり、着用者の肛門ＨＣが効果的に引き締められる。そして、肛門ＨＣが引き締められると臀部に左右１対の笑窪様の小さい窪みＨＥが生じ、これらの小さい窪みＨＥが１対の分岐部分５ａ，５ｂによって押えられるため、着用者の臀部が引き締まって小尻になるとともにヒップアップの効果が得られる。
【０２０６】
これに対して、図５（ｃ）に示される羽根部材５においては、着用者の肛門ＨＣが１対の分岐部分５ａ，５ｂの間になく、羽根部材５の下に位置しているため、着用者の肛門ＨＣを引き締める効果がやや弱くなる。しかし、着用者の肛門ＨＣが分岐点５ｃの近傍に位置しているため、効果は多少低下するが、やはり着用者の肛門ＨＣを引き締める効果が得られ、これによって臀部に左右１対の笑窪様の小さい窪みＨＥが生じ、これらの小さい窪みＨＥが１対の分岐部分５ａ，５ｂによって押えられるため、着用者の臀部が引き締まって小尻になるとともにヒップアップの効果が得られる。
【０２０７】
また、図５（ｄ）に示される羽根部材５Ｂは、本実施の形態１にかかる羽根部材５と形状は異なるものの、やはり伸縮性を有する生地としてのパワーネットからなり、左右１対の分岐部分５Ｂａ，５Ｂｂを有し、それらの間に着用者の肛門ＨＣが位置しており、１対の分岐部分５Ｂａ，５Ｂｂの分岐点５Ｂｃから１．０ｃｍの位置にある。また、羽根部材５Ｂの１対の分岐部分５Ｂａ，５Ｂｂを裏地３に縫付けるステッチ縫い５Ｂｉの、１対の分岐部分５Ｂａ，５Ｂｂの内側における縫い止まり点５Ｂｋから分岐点５Ｂｃまでの長さは、５ｃｍである。
【０２０８】
したがって、羽根部材５Ｂを有する姿勢補整用ズボンを着用した場合には、着用者の肛門ＨＣが効果的に引き締められる。そして、肛門ＨＣが引き締められると臀部に左右１対の笑窪様の小さい窪みＨＥが生じ、これらの小さい窪みＨＥは羽根部材５Ｂによって直接は押えられないが、裏地３を介して間接的に押えられるため、着用者の臀部が引き締まって小尻になるとともにヒップアップの効果が得られる。
【０２０９】
その他にも、本実施の形態１にかかる羽根部材５を用いて裏地３を有する姿勢補整用ズボンを作製し、着用者の肛門ＨＣが羽根部材５の１対の分岐部分５ａ，５ｂの分岐点５ｃから０．５ｃｍの位置にある場合、３．０ｃｍの位置にある場合について、また羽根部材５の１対の分岐部分５ａ，５ｂを裏地３に縫付けるステッチ縫い５ｉの、１対の分岐部分５ａ，５ｂの内側における縫い止まり点５ｋから分岐点５ｃまでの長さが３ｃｍの場合、１０ｃｍの場合について肛門引き締め効果の実験を行った。
【０２１０】
その結果、いずれの場合にも、着用者の肛門ＨＣが効果的に引き締められることが判明した。したがって、着用者の肛門ＨＣが羽根部材５の１対の分岐部分５ａ，５ｂの分岐点５ｃから０．５ｃｍから３．０ｃｍの範囲内にある場合、及び羽根部材５の１対の分岐部分５ａ，５ｂを裏地３に縫付けるステッチ縫い５ｉの、１対の分岐部分５ａ，５ｂの内側における縫い止まり点５ｋから分岐点５ｃまでの長さが３ｃｍから１０ｃｍの範囲内にある場合が、肛門引き締め効果について好ましい。
【０２１１】
さらに、着用者の肛門ＨＣが羽根部材５の１対の分岐部分５ａ，５ｂの分岐点５ｃから１．０ｃｍ，１．５ｃｍ，２．０ｃｍの距離にある場合、及び羽根部材５の１対の分岐部分５ａ，５ｂを裏地３に縫付けるステッチ縫い５ｉの、１対の分岐部分５ａ，５ｂの内側における縫い止まり点５ｋから分岐点５ｃまでの長さが５ｃｍ，７ｃｍ，８ｃｍの場合に、着用者の肛門ＨＣがより効果的に引き締められることが判明した。
【０２１２】
したがって、着用者の肛門ＨＣが羽根部材５の１対の分岐部分５ａ，５ｂの分岐点５ｃから１．０ｃｍから２．０ｃｍの範囲内にある場合、及び羽根部材５の１対の分岐部分５ａ，５ｂを裏地３に縫付けるステッチ縫い５ｉの、１対の分岐部分５ａ，５ｂの内側における縫い止まり点５ｋから分岐点５ｃまでの長さが５ｃｍから８ｃｍの範囲内にある場合が、肛門引き締め効果についてより好ましい。
【０２１３】
また、本実施の形態１にかかる姿勢補整用ズボン１における羽根部材５は、１対の分岐部分５ａ，５ｂの先端が丸みのある形状となっている。これによって、１対の分岐部分５ａ，５ｂの先端及びその周囲の部分を裏地３に縫付けるときに、丸みに沿って曲がりながら一度に縫付けることができるため、縫製を短時間で行うことができる。
【０２１４】
次に、本実施の形態１にかかる姿勢補整用ズボン１に用いることができる羽根部材の形状のバリエーションについて、図６を参照して説明する。図６（ａ）〜（ｊ）に示されるように、本実施の形態１にかかる姿勢補整用ズボン１に用いられる羽根部材としては、略Ｙ字形の様々な形状のものを用いることができる。
【０２１５】
図６（ａ）に示される羽根部材５Ｃは、１対の分岐部分５Ｃａ，５Ｃｂの先端が丸みのある形状ではなく、尖った形状となっている。そして、着用者の肛門の位置ＨＣＰが１対の分岐部分５Ｃａ，５Ｃｂの間の分岐点５Ｃｃの近傍にあり、１対の小さい窪みの位置ＨＥＰが１対の分岐部分５Ｃａ，５Ｃｂで押えられる位置にあるため、着用者の肛門ＨＣを効果的に引き締めることができ、着用者の臀部が引き締まって小尻になるとともにヒップアップの効果も得られる。
【０２１６】
図６（ｂ）に示される羽根部材５Ｄは、１対の分岐部分５Ｄａ，５Ｄｂが小さいため、１対の小さい窪みＨＤを直接押えることはできないが、裏地３を介して間接的に押えることができる。そして、着用者の肛門の位置ＨＣＰが１対の分岐部分５Ｄａ，５Ｄｂの間の分岐点５Ｄｃの近傍にあるため、着用者の肛門ＨＣを効果的に引き締めることができ、着用者の臀部が引き締まって小尻になるとともにヒップアップの効果も得られる。
【０２１７】
図６（ｃ）に示される羽根部材５Ｅも、１対の分岐部分５Ｅａ，５Ｅｂが小さいため、１対の小さい窪みＨＤを直接押えることはできないが、裏地３を介して間接的に押えることができる。そして、着用者の肛門の位置ＨＣＰが１対の分岐部分５Ｅａ，５Ｅｂの間の分岐点５Ｅｃの近傍にあるため、着用者の肛門ＨＣを効果的に引き締めることができ、着用者の臀部が引き締まって小尻になるとともにヒップアップの効果も得られる。
【０２１８】
図６（ｄ）に示される羽根部材５Ｆも、１対の分岐部分５Ｆａ，５Ｆｂが小さいため、１対の小さい窪みＨＥを直接押えることはできないが、裏地３を介して間接的に押えることができる。また、１対の分岐部分５Ｆａ，５Ｆｂの先端が丸みのある形状となっているため、縫製を短時間で行うことができる。そして、着用者の肛門の位置ＨＣＰが１対の分岐部分５Ｆａ，５Ｆｂの間の分岐点５Ｆｃの近傍にあるため、着用者の肛門ＨＣを効果的に引き締めることができ、着用者の臀部が引き締まって小尻になるとともにヒップアップの効果も得られる。
【０２１９】
図６（ｅ）に示される羽根部材５Ｇは、１対の分岐部分５Ｇａ，５Ｇｂが太いが短いため、やはり１対の小さい窪みＨＥを直接押えることはできないが、裏地３を介して間接的に押えることができる。そして、着用者の肛門の位置ＨＣＰが１対の分岐部分５Ｇａ，５Ｇｂの間の分岐点５Ｇｃの近傍にあるため、着用者の肛門ＨＣを効果的に引き締めることができ、着用者の臀部が引き締まって小尻になるとともにヒップアップの効果も得られる。
【０２２０】
図６（ｆ）に示される羽根部材５Ｈは、１対の分岐部分５Ｈａ，５Ｈｂの長さは長いが縦に伸びた形状をしているため、１対の小さい窪みの位置ＨＥＰを覆っておらず、やはり１対の小さい窪みＨＥを直接押えることはできないが、裏地３を介して間接的に押えることができる。そして、着用者の肛門の位置ＨＣＰが１対の分岐部分５Ｈａ，５Ｈｂの間の分岐点５Ｈｃの近傍にあるため、着用者の肛門ＨＣを効果的に引き締めることができ、着用者の臀部が引き締まって小尻になるとともにヒップアップの効果も得られる。
【０２２１】
図６（ｇ）に示される羽根部材５Ｊも、１対の分岐部分５Ｊａ，５Ｊｂの長さは長いが横に拡がった形状をしているため、１対の小さい窪みの位置ＨＥＰを覆っておらず、やはり１対の小さい窪みＨＥを直接押えることはできないが、裏地３を介して間接的に押えることができる。そして、着用者の肛門の位置ＨＣＰが１対の分岐部分５Ｊａ，５Ｊｂの間の分岐点５Ｊｃの近傍にあるため、着用者の肛門ＨＣを効果的に引き締めることができ、着用者の臀部が引き締まって小尻になるとともにヒップアップの効果も得られる。
【０２２２】
図６（ｈ）に示される羽根部材５Ｋは、１対の分岐部分５Ｋａ，５Ｋｂが四角い形状をしているが長さが短いため、やはり１対の小さい窪みＨＥを直接押えることはできないが、裏地３を介して間接的に押えることができる。そして、着用者の肛門の位置ＨＣＰが１対の分岐部分５Ｋａ，５Ｋｂの間の分岐点５Ｋｃの近傍にあるため、着用者の肛門ＨＣを効果的に引き締めることができ、着用者の臀部が引き締まって小尻になるとともにヒップアップの効果も得られる。
【０２２３】
図６（ｉ）に示される羽根部材５Ｌは、１対の分岐部分５Ｌａ，５Ｌｂがさらにそれぞれ部分５Ｌａ１，５Ｌａ２と部分５Ｌｂ１，５Ｌｂ２の二つに分岐しているが、肛門ＨＣを引き締める効果に変わりはない。また、やはり１対の小さい窪みＨＥを直接押えることはできないが、裏地３を介して間接的に押えることができる。そして、着用者の肛門の位置ＨＣＰが１対の分岐部分５Ｌａ，５Ｌｂの間の分岐点５Ｌｃの近傍にあるため、着用者の肛門ＨＣを効果的に引き締めることができ、着用者の臀部が引き締まって小尻になるとともにヒップアップの効果も得られる。
【０２２４】
図６（ｊ）に示される羽根部材５Ｍは、１対の分岐部分５Ｍａ，５Ｍｂがさらにそれぞれ部分５Ｍａ１，５Ｍａ２，５Ｍａ３と部分５Ｍｂ１，５Ｍｂ２，５Ｍｂ３の三つに分岐しているが、肛門ＨＣを引き締める効果に変わりはない。また、やはり１対の小さい窪みＨＥを直接押えることはできないが、裏地３を介して間接的に押えることができる。そして、着用者の肛門の位置ＨＣＰが１対の分岐部分５Ｍａ，５Ｍｂの間の分岐点５Ｍｃの近傍にあるため、着用者の肛門ＨＣを効果的に引き締めることができ、着用者の臀部が引き締まって小尻になるとともにヒップアップの効果も得られる。
【０２２５】
なお、これらの図５及び図６（ａ）〜（ｊ）に示される羽根部材３５Ｂ，５Ｃ，５Ｄ，５Ｅ，５Ｆ，５Ｇ，５Ｈ，５Ｊ，５Ｋ，５Ｌ，５Ｍの形状は例示に過ぎず、本実施の形態１にかかる姿勢補整用ズボン１の羽根部材としては、１対の分岐部分を有する略Ｙ字形のものであれば、これら以外にも様々な形状のものを用いることができる。
【０２２６】
次に、本実施の形態１にかかる姿勢補整用ズボン１に用いられる羽根部材の縫製の方法について、図７を参照して説明する。図７（ａ）に示されるように、本実施の形態１にかかる姿勢補整用ズボン１に用いられる羽根部材５は、二枚のパワーネット生地をいわゆる袋縫いすることによって縫製されている。
【０２２７】
即ち、図７（ａ）に示される同じ形状の二枚のパワーネット生地を切り出し、重ねて生地の縁に沿って１対の分岐部分５ａ，５ｂの裏側、分岐点５ｃの裏側、分岐していない側５ｄの裏側をステッチ縫い（ミシン縫い）５ｆで縫い合わせる。そして、縫い合わされていない分岐していない側の端５ｅから手を入れてひっくり返すことによって、図７（ａ）に示されるように、ステッチ縫い（ミシン縫い）５ｆの縫い目が表側に出ない袋縫いによる二枚のパワーネット生地からなる強い伸縮性を有する羽根部材５が完成する。
【０２２８】
図７（ｂ）に示される羽根部材５Ｎは、形状は羽根部材５と同様であるが、一枚のパワーネット生地を図７（ｂ）に示される形状に切り出して、１対の分岐部分５Ｎａ，５Ｎｂ、分岐点５Ｎｃ、分岐していない側５Ｎｄにおいて生地の縁をジグザグ縫い５Ｎｆで裁ち目かがりしたものである。このように一枚のパワーネット生地からなる羽根部材５Ｎであっても、十分な肛門の引き締め効果が得られる。
【０２２９】
なお、裁ち目かがりの方法としては、ジグザグ縫い５Ｎｆに限られず、ロック縫い等によっても良い。また、同じ形状の二枚のパワーネット生地を重ねて、縁をジグザグ縫い５Ｎｆやロック縫い等で縫付けることによって、二枚のパワーネット生地からなる羽根部材を縫製することもできる。さらに、同じ形状の三枚以上のパワーネット生地を重ねて、縁をジグザグ縫い５Ｎｆで縫付けることによって、三枚以上のパワーネット生地からなる羽根部材を縫製することも可能である。これによって、より強力な肛門の引き締め効果を得ることができる。
【０２３０】
図７（ｃ）に示される羽根部材５Ｐは、全体の形状は羽根部材５と同様であるが、中心線で分割された二つの部分を中心接ぎ縫い５Ｐｇで接いでなるものである。即ち、図７（ｃ）に示される形状を中心接ぎ縫い５Ｐｇの部分で左右対称に分割した形状のパワーネット生地をそれぞれ二枚ずつ切り出して、１対の分岐部分５Ｐａ，５Ｐｂ、分岐点５Ｐｃ、分岐していない側５Ｐｄの外側の裏側をステッチ縫い（ミシン縫い）５Ｐｆで縫い合わせる。そして、縫い合わされていない分岐していない側５Ｐｄの内側から手を入れてひっくり返すことによってできた袋縫いの左右対称の部分を、図７（ｃ）に示されるように、中心接ぎ縫い５Ｐｇで縫い合わせることによって、羽根部材５Ｐが完成する。
【０２３１】
この縫製方法は、中心接ぎ縫い５Ｐｇを行わなければならないため工数は掛かるが、ステッチ縫い（ミシン縫い）５Ｐｆが容易で、ひっくり返す作業も行い易く、羽根部材の製作が容易であるという利点がある。
【０２３２】
さらに、紳士用ズボン（パンツ）等の紳士物ボトムズにおいては、表地と裏地を重ねて一緒にロック縫いをかけることが通常である。そのため、表地と裏地との間の自由な取扱いに制限があり、羽根部材の取付けはロック縫いをかける前に裏地に縫付けることによって行っておくことが好ましい。特に、伸縮性のない生地からなる裏地の下に取付ける際には、まず羽根部材５Ｐのように分離した状態で縫付けておいて、裏地をロック縫いで縫付けた後に中心接ぎ縫い５Ｐｇで縫い合わせることによって、より容易に伸縮性のない生地の下に縫付けることができるという利点がある。
【０２３３】
一方、紳士用ズボン（パンツ）等の紳士物ボトムズにおいても、表地と裏地を重ねて一緒にロック縫いをかける際に、股下部分に羽根部材を通すための縫付けない部分（開放部）を設けておいて、ロック縫いをかけた後にこの開放部から羽根部材を裏地の下に潜らせて縫付けることによって、上記羽根部材５，５Ｎのように分割されていない羽根部材であっても、裏地の下に縫付けることは可能である。
【０２３４】
次に、本実施の形態１の第１変形例にかかる姿勢補整用ズボンについて、図８を参照して説明する。なお、本実施の形態１の第１変形例にかかる姿勢補整用ズボンの構成は、一部を除いて上記実施の形態１にかかる姿勢補整用ズボン１と同様であるため、同一部分には図１乃至図３と同一の符号を付して、一部説明を省略する。
【０２３５】
図８に示されるように、本実施の形態１の第１変形例にかかる姿勢補整用ズボン１Ａは、上記実施の形態１にかかる姿勢補整用ズボン１と同様に、ボトムズ本体としての紳士用ズボン（パンツ）表地２と、ズボン表地２の裏側の股下までの背面部分を覆うように縫付けられた伸縮性を有する生地としてのパワーネットからなる裏地３と、伸縮性を有する生地としてのパワーネットからなる１対の分岐部分５ａ，５ｂを有する略Ｙ字形の羽根部材５とを具備している。姿勢補整用ズボン１Ａを裏返して股下部分を中心に見ると、ズボン表地２は後股切り替え線２ｆにおいて縫付けられており、裏地３の下端はこの後股切り替え線２ｆに沿って、１対のステッチ３ｆによってズボン表地２に縫付けられている。
【０２３６】
本実施の形態１の第１変形例にかかる姿勢補整用ズボン１Ａが、上記実施の形態１にかかる姿勢補整用ズボン１と異なる点は、図８に示されるように、羽根部材５の１対の分岐部分５ａ，５ｂが裏地３のフリーの部分の下（外側）に、ステッチ縫い５ｉによって縫付けられている点である。これによって、姿勢補整用ズボン１Ａを着用した場合に、羽根部材５の１対の分岐部分５ａ，５ｂが、直接でなく裏地３を介して着用者に当接するため、穿き心地が向上するという作用効果が得られる。
【０２３７】
その他の点については、裏地３の下端を後股切り替え線２ｆに沿って縫付ける１対のステッチ３ｆの間が、羽根部材５を縫付けないように開いている点を除けば、上記実施の形態１にかかる姿勢補整用ズボン１と同様である。
【０２３８】
したがって、羽根部材５は、ステッチ縫い５ｈによって分岐していない側５ｄの先端がズボン表地２の裏側の下前持ち出し２Ｃに縫付けられた部分と、ステッチ縫い５ｉによって裏地３の臀部付近に縫付けられた部分との間は縫付けられておらず、フリーの状態になっている。
【０２３９】
また、ステッチ縫い５ｉの縫い止まり点５ｋは、１対の分岐部分５ａ，５ｂの内側においては、羽根部材５の分岐点５ｃから約７ｃｍ（６．０ｃｍ〜８．０ｃｍ）離れており、１対の分岐部分５ａ，５ｂの外側においては、内側のステッチ縫い５ｉの縫い止まり点５ｋとほぼ対応する位置にあって、少なくとも着用者の肛門の位置ＨＣＰよりは上方にある。
【０２４０】
そして、図８に示されるように、羽根部材５は、姿勢補整用ズボン１Ａを着用したときに、着用者の肛門の位置ＨＣＰが１対の分岐部分５ａ，５ｂの間の分岐点５ｃの近傍（分岐点５ｃから約１．５ｃｍ（１．０ｃｍ〜２．０ｃｍ）離れた点）に位置するように縫付けられている。
【０２４１】
これによって、本実施の形態１の第１変形例にかかる姿勢補整用ズボン１Ａを着用することによって、羽根部材５には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０２４２】
次に、本実施の形態１の第２変形例にかかる姿勢補整用ズボンについて、図９を参照して説明する。なお、本実施の形態１の第２変形例にかかる姿勢補整用ズボンの構成は、一部を除いて上記実施の形態１にかかる姿勢補整用ズボン１と同様であるため、同一部分には図１乃至図３と同一の符号を付して、一部説明を省略する。
【０２４３】
図９に示されるように、本実施の形態１の第２変形例にかかる姿勢補整用ズボン１Ｂは、上記実施の形態１にかかる姿勢補整用ズボン１と同様に、ボトムズ本体としての紳士用ズボン（パンツ）表地２と、ズボン表地２の裏側に縫付けられた伸縮性を有する生地としてのパワーネットからなる裏地６と、伸縮性を有する生地としてのパワーネットからなる１対の分岐部分５ａ，５ｂを有する略Ｙ字形の羽根部材５とを具備している。
【０２４４】
本実施の形態１の第２変形例にかかる姿勢補整用ズボン１Ｂが、上記実施の形態１にかかる姿勢補整用ズボン１と異なる点は、図９（ａ）に示されるように、裏地６がズボン表地２の裏側の股下までの背面部分のみならず、両脇部を通過してズボン表地２の裏側の前中心ＦＣまでを覆うように縫付けられている点と、図９（ｂ）に示されるように、羽根部材５の１対の分岐部分５ａ，５ｂが裏地６のフリーの部分の下（外側）に、ステッチ縫い５ｉによって縫付けられている点である。これによって、姿勢補整用ズボン１Ｂを着用した場合に、羽根部材５の１対の分岐部分５ａ，５ｂが、直接でなく裏地６を介して着用者に当接するため、穿き心地が向上するという作用効果が得られる。
【０２４５】
その他の点については、裏地６の下端を後股切り替え線２ｆに沿って縫付ける１対のステッチ６ｆの間が、羽根部材５を縫付けないように開いている点を除けば、上記実施の形態１にかかる姿勢補整用ズボン１と同様である。
【０２４６】
したがって、羽根部材５は、ステッチ縫い５ｈによって分岐していない側５ｄの先端がズボン表地２の裏側の下前持ち出し２Ｃに縫付けられた部分と、ステッチ縫い５ｉによって裏地６の臀部付近に縫付けられた部分との間は縫付けられておらず、フリーの状態になっている。
【０２４７】
また、ステッチ縫い５ｉの縫い止まり点５ｋは、１対の分岐部分５ａ，５ｂの内側においては、羽根部材５の分岐点５ｃから約７ｃｍ（６．０ｃｍ〜８．０ｃｍ）離れており、１対の分岐部分５ａ，５ｂの外側においては、内側のステッチ縫い５ｉの縫い止まり点５ｋとほぼ対応する位置にあって、少なくとも着用者の肛門の位置ＨＣＰよりは上方にある。
【０２４８】
そして、図９（ｂ）に示されるように、羽根部材５は、姿勢補整用ズボン１Ｂを着用したときに、着用者の肛門の位置ＨＣＰが１対の分岐部分５ａ，５ｂの間の分岐点５ｃの近傍（分岐点５ｃから約１．５ｃｍ（１．０ｃｍ〜２．０ｃｍ）離れた点）に位置するように縫付けられている。
【０２４９】
これによって、本実施の形態１の第２変形例にかかる姿勢補整用ズボン１Ｂを着用することによって、羽根部材５には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０２５０】
次に、本実施の形態１の第２変形例にかかる姿勢補整用ズボン１Ｂにおける裏地６の縫付け方法について、図１０を参照して、本実施の形態１にかかる姿勢補整用ズボン１における裏地３の縫付け方法と比較して説明する。
【０２５１】
図１０（ａ）に示されるように、本実施の形態１の第２変形例にかかる姿勢補整用ズボン１Ｂにおいては、伸縮性を有する生地としてのパワーネットからなる裏地６が、ボトムズ本体としてのズボン表地２の後中心ＢＣから、右脇部ＲＳ及び左脇部ＬＳを通過して前中心ＦＣまで達しており、裏地６はズボン表地２のウエストベルト２ａの下端と股下部分と前中心ＦＣの両側においてズボン表地２に縫付けられており、右脇部ＲＳ及び左脇部ＬＳの周辺は縫付けられずにフリーの状態になっている。
【０２５２】
しかしながら、上述したように三箇所において縫付けられているため、裏地６の縫付けられていない部分の端がひらひらすることもなく、また右脇部ＲＳ及び左脇部ＬＳの周辺は縫付けられていないため、ズボン表地２の表側に吊りじわが生じて見栄えを損ねることもない。
【０２５３】
これに対して、図１０（ｂ）に示されるように、本実施の形態１にかかる姿勢補整用ズボン１においては、伸縮性を有する生地としてのパワーネットからなる裏地３が、ボトムズ本体としてのズボン表地２の後中心ＢＣから右脇部ＲＳ及び左脇部ＬＳまでに留まっており、裏地３はズボン表地２のウエストベルト２ａの下端と股下部分と、右脇部ＲＳ及び左脇部ＬＳにおいてステッチ縫いによってズボン表地２に縫付けられている。しかし、本実施の形態１にかかる姿勢補整用ズボン１においても、裏地３が伸縮性を有する生地としてのパワーネットからなるため、ズボン表地２の表側には響かず、吊りじわが生じて見栄えを損ねることはない。
【０２５４】
なお、図１０（ｃ）に示されるように、本実施の形態１の第３変形例にかかる姿勢補整用ズボン１Ｃにおいては、図１０（ａ）に示される第２変形例にかかる姿勢補整用ズボン１Ｂと同様に縫付けられた裏地６の上に、羽根部材５の１対の分岐部分５ａ，５ｂがステッチ縫い５ｉによって縫付けられている。そして、姿勢補整用ズボン１，１Ｂと同様に、ステッチ縫い５ｉの縫い止まり点５ｋは、１対の分岐部分５ａ，５ｂの内側においては、羽根部材５の分岐点５ｃから約７ｃｍ（６．０ｃｍ〜８．０ｃｍ）離れており、１対の分岐部分５ａ，５ｂの外側においては、内側のステッチ縫い５ｉの縫い止まり点５ｋとほぼ対応する位置にあって、少なくとも着用者の肛門の位置ＨＣＰよりは上方にある。
【０２５５】
また、羽根部材５は、姿勢補整用ズボン１Ｃを着用したときに、着用者の肛門の位置ＨＣＰが１対の分岐部分５ａ，５ｂの間の分岐点５ｃの近傍（分岐点５ｃから約１．５ｃｍ（１．０ｃｍ〜２．０ｃｍ）離れた点）に位置するように縫付けられている。
【０２５６】
これによって、本実施の形態１の第３変形例にかかる姿勢補整用ズボン１Ｃを着用することによって、羽根部材５には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０２５７】
さらに、本実施の形態１の第３変形例にかかる姿勢補整用ズボン１Ｃにおいては、羽根部材５の１対の分岐部分５ａ，５ｂが小さい窪みの位置ＨＥＰを覆うように縫付けられているため、羽根部材５の引っ張り力によってこの小さい窪みが押えられ、臀部が引き締まって小尻になるとともにヒップアップの効果が得られる。
【０２５８】
次に、本実施の形態１の第４変形例にかかる姿勢補整用ズボン１Ｄにおける裏地７の縫付け方法について、図１１を参照して説明する。図１１（ａ）に示されるように、本実施の形態１の第４変形例にかかる姿勢補整用ズボン１Ｄにおいては、伸縮性を有しない生地としてのポリエステル生地からなる裏地７が、ボトムズ本体としてのズボン表地２の後中心ＢＣから、右脇部ＲＳ及び左脇部ＬＳを通過して前中心ＦＣの近傍まで達しており、裏地７はズボン表地２のウエストベルト２ａの下端と股下部分においてのみズボン表地２に縫付けられており、右脇部ＲＳ及び左脇部ＬＳの周辺は縫付けられずにフリーの状態になっている。
【０２５９】
この理由は、裏地７が伸縮性を有しない生地としてのポリエステル生地からなるので、右脇部ＲＳ及び左脇部ＬＳにおいてズボン表地２の裏側に縫付けると、ズボン表地２の表側に響いて吊りじわが生じて見栄えを損ねるためである。その結果、裏地７の両側部分が全く固定されていないため、姿勢補整用ズボン１Ｄを着用する際に裏地７がめくれ上がってしまう恐れがある。
【０２６０】
そこで、かかる事態を防止するため、本実施の形態１の第４変形例にかかる姿勢補整用ズボン１Ｄにおいては、図１１（ａ），（ｂ）に示されるように、裏地めくれ防止テープ８で裏地７を右脇部ＲＳ及び左脇部ＬＳに留めている。これによって、ズボン表地２の表側に吊りじわが生じて見栄えを損ねることなく、姿勢補整用ズボン１Ｄを着用する際に裏地７がめくれ上がってしまう事態を確実に防止することができる。
【０２６１】
なお、裏地めくれ防止テープ８の長さは２ｃｍ〜３ｃｍ程度が好ましい。また、裏地めくれ防止テープ８の素材としては、リボンテープ（伸縮性を有するメッシュ素材や伸縮性のないサテンテープ等）、ゴムテープ、裏地と同じポリエステル生地、吊り紐テープ、等の種々の素材を用いることができる。さらに、裏地めくれ防止テープ８の右脇部ＲＳ及び左脇部ＬＳへの留め方としても、図１１（ｃ），（ｄ）に示されるように、脇部縫い代を割って後中心側に縫付けても良いし、前中心側に縫付けても良い。
【０２６２】
そして、本実施の形態１の第４変形例にかかる姿勢補整用ズボン１Ｄにおいては、姿勢補整用ズボン１，１Ｂ，１Ｃと同様に、ステッチ縫い５ｉの縫い止まり点５ｋは、１対の分岐部分５ａ，５ｂの内側においては、羽根部材５の分岐点５ｃから約７ｃｍ（６．０ｃｍ〜８．０ｃｍ）離れており、１対の分岐部分５ａ，５ｂの外側においては、内側のステッチ縫い５ｉの縫い止まり点５ｋとほぼ対応する位置にあって、少なくとも着用者の肛門の位置ＨＣＰよりは上方にある。
【０２６３】
また、羽根部材５は、姿勢補整用ズボン１Ｄを着用したときに、着用者の肛門の位置ＨＣＰが１対の分岐部分５ａ，５ｂの間の分岐点５ｃの近傍（分岐点５ｃから約１．５ｃｍ（１．０ｃｍ〜２．０ｃｍ）離れた点）に位置するように縫付けられている。
【０２６４】
これによって、本実施の形態１の第４変形例にかかる姿勢補整用ズボン１Ｄを着用することによって、羽根部材５には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０２６５】
さらに、本実施の形態１の第４変形例にかかる姿勢補整用ズボン１Ｄにおいても、羽根部材５の１対の分岐部分５ａ，５ｂが小さい窪みの位置ＨＥＰを覆うように縫付けられているため、羽根部材５の引っ張り力によってこの小さい窪みが押えられ、臀部が引き締まって小尻になるとともにヒップアップの効果が得られる。
【０２６６】
次に、本実施の形態１の第５変形例及び第６変形例にかかる姿勢補整用ズボンにおける羽根部材及び裏地の縫付け方法について、図１２を参照して説明する。
【０２６７】
図１２（ａ）に示されるように、本実施の形態１の第５変形例にかかる姿勢補整用ズボン１Ｅにおいては、伸縮性を有する生地としてのパワーネット生地からなり、上記羽根部材５よりも分岐していない側５Ｖｄの長さが少し短く、他の部分は同様の形状を有する羽根部材５Ｖの分岐していない側５Ｖｄの端５Ｖｅが、ボトムズ本体としてのズボン表地の股下縫代９Ａを割った部分の下側にステッチ縫い５Ｖｈで縫付けられている。
【０２６８】
なお、本実施の形態１の第５変形例においては、図１２（ａ）の円内に模式的に示されるように、股下縫代９Ａを縫った後に股上縫代９Ｂを縫っているため股上縫代９Ｂの方が上になっており、そのためステッチ縫い５Ｖｈは股上縫代９Ｂの部分を避けて、二つに分かれて縫付けられている。さらにその上から、伸縮性を有する生地としてのパワーネット生地からなる裏地３が、羽根部材５Ｖを覆うようにして、股下縫代９Ａを割った部分の上側にステッチ縫い９Ａａで縫付けられている。
【０２６９】
したがって、本実施の形態１の第５変形例にかかる姿勢補整用ズボン１Ｅは、本発明における「ボトムズ本体の裏側の少なくとも臀部を覆うようにボトムズ本体の裏側の股下縫代にその一端が縫付けられた裏地と、伸縮性を有する生地からなる１対の分岐部分を有する略Ｙ字形の羽根部材とを具備する姿勢補整用ボトムズであって、ボトムズ本体の股下縫代に羽根部材の分岐していない側の端が縫付けられた姿勢補整用ボトムズ」に相当する。
【０２７０】
これによって、本実施の形態１にかかる姿勢補整用ズボン１と同様の作用効果が得られるとともに、羽根部材５Ｖが完全に裏地３の下に隠れて裏地３を介して着用者に当接するために、股下の違和感がなくなり、自然な穿き心地になるとともに、肛門の引き締め感やフィット感がより明確に感じられる。そして、見た目にも姿勢補整用ズボン１Ｅ内部には羽根部材５Ｖが裏地３に隠れて見えないため、よりシンプルで美感が向上する。
【０２７１】
また、図１２（ｂ）に示されるように、本実施の形態１の第６変形例にかかる姿勢補整用ズボン１Ｆにおいても、伸縮性を有する生地としてのパワーネット生地からなり、上記羽根部材５よりも分岐していない側５Ｖｄの長さが少し短く、他の部分は同様の形状を有する羽根部材５Ｖの分岐していない側５Ｖｄの端５Ｖｅが、ズボン本体の股下縫代９Ａを割った部分の下側にステッチ縫い５Ｖｈで縫付けられている。
【０２７２】
ここで、本実施の形態１の第６変形例においては、図１２（ｂ）の円内に模式的に示されるように、股上縫代９Ｂを縫った後に股下縫代９Ａを縫っているため股下縫代９Ａの方が上になっており、そのためステッチ縫い５Ｖｈは股上縫代９Ｂの部分を避ける必要がなく、一体に縫付けられている。さらにその上から、伸縮性を有する生地としてのパワーネット生地からなる裏地３が、羽根部材５Ｖを覆うようにして、股下縫代９Ａを割った部分の上側にステッチ縫い９Ａａで縫付けられている。
【０２７３】
したがって、本実施の形態１の第６変形例にかかる姿勢補整用ズボン１Ｆも、本発明における「ボトムズ本体の裏側の少なくとも臀部を覆うようにボトムズ本体の裏側の股下縫代にその一端が縫付けられた裏地と、伸縮性を有する生地からなる１対の分岐部分を有する略Ｙ字形の羽根部材とを具備する姿勢補整用ボトムズであって、ボトムズ本体の股下縫代に羽根部材の分岐していない側の端が縫付けられた姿勢補整用ボトムズ」に相当する。
【０２７４】
これによって、本実施の形態１にかかる姿勢補整用ズボン１と同様の作用効果が得られるとともに、羽根部材５Ｖが完全に裏地３の下に隠れて裏地３を介して着用者に当接するために、股下の違和感がなくなり、自然な穿き心地になるとともに、肛門の引き締め感やフィット感がより明確に感じられる。そして、見た目にも姿勢補整用ズボン１Ｆ内部には羽根部材５Ｖが裏地３に隠れて見えないため、よりシンプルで美感が向上する。
【０２７５】
そして、かかる構成を有する姿勢補整用ズボン１Ｅ，１Ｆを着用することによって、伸縮性を有する生地からなる羽根部材５Ｖの図示しない１対の分岐部分の間の分岐点の近傍に着用者の肛門が位置しており、羽根部材５Ｖは、ズボン本体の裏側の股下縫代９Ａに縫付けられた分岐していない側５Ｖｄの一端５Ｖｅと１対の分岐部分の先端及びその周囲の部分との間が縫付けられておらず、フリーの状態になっているため伸縮性によって引っ張り力が作用して、着用者の肛門位置が効果的に引き締められ、肛門位置が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０２７６】
次に、本実施の形態１の第７変形例にかかる姿勢補整用ズボンにおける羽根部材及び裏地の縫付け方法について、図１３を参照して説明する。図１３（ａ）に示されるように、本実施の形態１の第７変形例にかかる姿勢補整用ズボン１Ｇにおいては、羽根部材５Ｖの分岐していない側５Ｖｄの端５Ｖｅの中央部分に切欠き５Ｖｆが設けられている。この切欠き５Ｖｆの縦方向の長さは、ズボン本体の裏側の股下縫代９Ａの幅に合わせたもので１．５ｃｍ〜２．５ｃｍの範囲内であり、切欠き５Ｖｆの横方向の長さは、ズボン本体の裏側の股上縫代９Ｂの幅に合わせたもので２．０ｃｍ〜３．０ｃｍの範囲内である。
【０２７７】
なお、本実施の形態１の第７変形例においては、切欠き５Ｖｆが角型の場合について説明するが、切欠き５Ｖｆは先端が丸くなった曲線状のものとしても良い。
【０２７８】
図１３（ａ）に示されるように、このような切欠き５Ｖｆを有する羽根部材５Ｖの分岐していない側５Ｖｄの端５Ｖｅが、ボトムズ本体としてのズボン表地の股下縫代９Ａを割った部分の下側をめくった部分にステッチ縫い５Ｖｇで縫付けられる。そして、股下縫代９Ａを割った部分の下側を戻して、図１３（ｂ）に示されるように、その上から、伸縮性を有する生地としてのパワーネット生地からなる裏地３が、羽根部材５Ｖを覆うようにして、股下縫代９Ａを割った部分の上側にステッチ縫い９Ａａで縫付けられる。
【０２７９】
したがって、本実施の形態１の第７変形例にかかる姿勢補整用ズボン１Ｇも、本発明における「ボトムズ本体の裏側の少なくとも臀部を覆うようにボトムズ本体の裏側の股下縫代にその一端が縫付けられた裏地と、伸縮性を有する生地からなる１対の分岐部分を有する略Ｙ字形の羽根部材とを具備する姿勢補整用ボトムズであって、ボトムズ本体の股下縫代に羽根部材の分岐していない側の端が縫付けられた姿勢補整用ボトムズ」に相当する。
【０２８０】
さらに、本実施の形態１の第７変形例にかかる姿勢補整用ズボン１Ｇは、ボトムズ本体の裏側の少なくとも臀部を覆うようにボトムズ本体の裏側の股下縫代９Ａにその一端が縫付けられた裏地３と、伸縮性を有する生地からなる１対の分岐部分を有する略Ｙ字形の羽根部材５Ｖとを具備する姿勢補整用ボトムズであって、羽根部材５Ｖの分岐していない側５Ｖｄの端５Ｖｅに切欠き５Ｖｆが設けられており、この切欠き５Ｖｆがボトムズ本体の股上縫代９Ｂを通すようにして、ボトムズ本体の股下縫代９Ａの裏側に羽根部材５Ｖの分岐していない側５Ｖｄの端５Ｖｅが縫付けられた姿勢補整用ボトムズである。
【０２８１】
このように、羽根部材５Ｖの分岐していない側５Ｖｄの端５Ｖｅに切欠き５Ｖｆを設けて、この切欠き５Ｖｆの部分に股下縫代９Ａよりも上にある股上縫代９Ｂを通すようにして、股下縫代９Ａの裏側に羽根部材５Ｖの分岐していない側５Ｖｄの端５Ｖｅをステッチ縫い５Ｖｇで縫付けることによって、切欠き５Ｖｆの両側のみ縫付ければ良いので目安が付け易く、非常に縫製が容易になるという作用効果が得られる。
【０２８２】
さらに、本実施の形態１にかかる姿勢補整用ズボン１と同様の作用効果が得られるとともに、羽根部材５Ｖが完全に裏地３の下に隠れて裏地３を介して着用者に当接するために、股下の違和感がなくなり、自然な穿き心地になるとともに、肛門の引き締め感やフィット感がより明確に感じられる。そして、見た目にも姿勢補整用ズボン１Ｇ内部には羽根部材５Ｖが裏地３に隠れて見えないため、よりシンプルで美感が向上する。
【０２８３】
次に、本実施の形態１の第８変形例にかかる姿勢補整用ズボンにおける羽根部材及び裏地の縫付け方法について、図１４を参照して説明する。図１４に示されるように、本実施の形態１の第８変形例にかかる姿勢補整用ズボン１Ｈにおいては、ボトムズ本体としてのズボン表地の股上縫代９Ｃ，股下縫代９Ｄがいずれも片倒しになっている。そして、姿勢補整用ズボン１Ｈにおいては、羽根部材として伸縮性を有する生地としてのパワーネット生地二枚を袋縫いにしてなる羽根部材５Ｙが用いられている。
【０２８４】
そして、羽根部材５Ｙの分岐していない側５Ｙｄの先端５Ｙｅと裏地３の端とが、片倒しの股下縫代９Ｄの上にダブルステッチ（２本のステッチ縫い）５Ｙｈによって縫付けられている。ここで、ダブルステッチ５Ｙｈは、裏地３と羽根部材５Ｙと片倒しの股下縫代９Ｄ（生地二枚分）とを貫いて、ボトムズ本体としてのズボン表地までを縫付けており、股下縫代９Ｄの裾部分まで達している。
【０２８５】
したがって、本実施の形態１の第８変形例にかかる姿勢補整用ズボン１Ｈは、本発明における「羽根部材の分岐していない側の端及び裏地の一端が片倒しされた股下縫代に２本のステッチ縫いで縫付けられている姿勢補整用ボトムズ」に相当する。
【０２８６】
これによって、片倒しされている股下縫代９Ｄが起き上がる事態が確実に防止されて、裏地３と羽根部材５Ｙとが確実に縫付けられて、安定性のある姿勢補整用ボトムズを得ることができる。また、羽根部材が完全に裏地の下に隠れて裏地を介して着用者に当接するために、股下の違和感がなくなり、自然な穿き心地になるとともに、肛門の引き締め感やフィット感がより明確に感じられる。そして、見た目にもボトムズ内部には羽根部材が裏地に隠れて見えないため、よりシンプルで美感が向上する。
【０２８７】
このような片倒しされた股下縫代９Ｄの縫付け方は、ボトムズの中でも特にジーンズ（Ｇパン）や綿パン等のカジュアル系パンツに多く用いられ、男性用・女性用を問わず適用することができる。
【０２８８】
次に、本実施の形態１の第９変形例及び第１０変形例にかかる姿勢補整用ズボンにおける羽根部材の縫付け方法について、図１５を参照して説明する。
【０２８９】
図１５（ａ）に示されるように、本実施の形態１の第９変形例にかかる姿勢補整用ズボン１Ｊにおいては、図３に示される本実施の形態１にかかる姿勢補整用ズボン１と同様に、羽根部材５がズボン本体２に縫付けられた裏地３の上に縫付けられており、羽根部材５の分岐していない側５ｄの先端５ｅがズボン表地２の下前持ち出し２Ｃにステッチ縫い５ｈによって縫付けられている。また、図２（ｂ）に示されるように、羽根部材５の１対の分岐部分５ａ，５ｂは、裏地３の臀部付近に図示しないステッチ縫いによって縫付けられている。
【０２９０】
図１５（ａ）に示される第９変形例にかかる姿勢補整用ズボン１Ｊが図３に示される本実施の形態１にかかる姿勢補整用ズボン１と異なるのは、羽根部材５の分岐していない側５ｄの一部が、二つに割られた股上縫代９Ｂに２本のステッチ止め１４で止められている点である。これによって、羽根部材５の１対の分岐部分５ａ，５ｂが裏地３の臀部付近にステッチ縫いされている部分と、羽根部材５の分岐していない側５ｄの先端５ｅがズボン表地２の下前持ち出し２Ｃにステッチ縫い５ｈされている部分との間で浮き上がるのが防止され、着用者に馴染み易くなるため、着用したときに股下の違和感がなくなり自然な穿き心地となる。
【０２９１】
また、図１５（ｂ）に示されるように、本実施の形態１の第１０変形例にかかる姿勢補整用ズボン１Ｋにおいては、羽根部材５の分岐していない側５ｄの一部が、片倒しされた股上縫代９Ｃに１本のステッチ止め１４ａで止められている。これによって、同様に羽根部材５の１対の分岐部分５ａ，５ｂが裏地３の臀部付近にステッチ縫いされている部分と、羽根部材５の分岐していない側５ｄの先端５ｅがズボン表地２の下前持ち出し２Ｃにステッチ縫い５ｈされている部分との間で浮き上がるのが防止され、着用者に馴染み易くなるため、着用したときに股下の違和感がなくなり自然な穿き心地となる。
【０２９２】
このようにして、本実施の形態１にかかる姿勢補整用ズボン１，１Ａ，１Ｂ，１Ｃ，１Ｄ，１Ｅ，１Ｆ，１Ｇ，１Ｈ，１Ｊ，１Ｋにおいては、意識しなくても着用するだけで肛門が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られ、美しいプロポーションを得ることができる。
【０２９３】
なお、本実施の形態１においては、姿勢補整用ボトムズとして男性用の姿勢補整用ズボン１，１Ａ，１Ｂ，１Ｃ，１Ｄ，１Ｅ，１Ｆ，１Ｇ，１Ｈ，１Ｊ，１Ｋについて説明したが、これらと同様の構成によって、女性用の姿勢補整用パンツを製造することもできる。
【０２９４】
実施の形態２
次に、本発明の実施の形態２にかかる姿勢補整用ボトムズとしての女性用の姿勢補整用パンツについて、図１６乃至図２０を参照して説明する。
【０２９５】
図１６は本発明の実施の形態２にかかる姿勢補整用ボトムズとしての姿勢補整用パンツの上部の構成を示す斜視図である。図１７（ａ）は本発明の実施の形態２にかかる姿勢補整用パンツを裏返した場合の上部の構成を示す正面図、（ｂ）は背面図である。図１８（ａ）は本発明の実施の形態２の第１変形例にかかる姿勢補整用パンツを裏返した場合の股下部分の構成を示す部分拡大図、（ｂ）は本発明の実施の形態２の第２変形例にかかる姿勢補整用パンツを裏返した場合の股下部分の構成を示す部分拡大図、（ｃ）は本発明の実施の形態２の第３変形例にかかる姿勢補整用パンツを裏返した場合の股下部分の構成を示す部分拡大図である。
【０２９６】
図１９（ａ）は本発明の実施の形態２の第４変形例にかかる姿勢補整用パンツを裏返した場合の上部の構成を示す正面図、（ｂ）は背面図、（ｃ）は本発明の実施の形態２の第５変形例にかかる姿勢補整用パンツを裏返した場合の股下部分の構成を示す部分拡大図である。図２０（ａ）は本発明の実施の形態２の第６変形例にかかる姿勢補整用パンツを裏返した場合の股下部分の構成を示す部分拡大図、（ｂ）は裏地をボトムズ本体としての婦人用パンツ表地の股上縫代に縫付ける様子を示す説明図、（ｃ）は本発明の実施の形態２の第７変形例にかかる姿勢補整用パンツを裏返した場合の股下部分の構成を示す部分拡大図である。
【０２９７】
図１６に示されるように、本実施の形態２にかかる姿勢補整用ボトムズとしての姿勢補整用パンツ１０は、ボトムズ本体としての婦人用パンツ表地１１と、パンツ表地１１の裏側の脚部１１Ａ，１１Ｂの裾近傍までの前面部分及び背面部分を覆うように縫付けられた伸縮性を有しない生地としてのポリエステル生地からなる裏地１２と、伸縮性を有する生地としてのパワーネットからなる１対の分岐部分５ａ，５ｂを有する略Ｙ字形の羽根部材５とを具備している。
【０２９８】
ここで、通常の婦人用パンツにおいても、本実施の形態２にかかる姿勢補整用パンツ１０と同様に、パンツの表地の裏側の脚部の裾近傍までの前面部分及び背面部分を覆う裏地が付けられている場合（総裏地）が多い。その理由は、脚の部分まで裏地があった方が滑りが良く裾捌きが良くなるため、パンツの表地が透けて見える素材の場合でも見た目が損なわれないため、そして総裏地とするとコストが高くなるが女性の場合は低コストよりもデザイン性・機能性を重視するためである。
【０２９９】
したがって、パンツ表地１１は、本発明における「ボトムズ本体」に相当する。また、本実施の形態２にかかる姿勢補整用パンツ１０は、「ボトムズ本体と、ボトムズ本体の裏側の少なくとも臀部を覆うようにボトムズ本体の裏側に縫付けられた裏地と、伸縮性を有する生地からなる１対の分岐部分を有する略Ｙ字形の羽根部材とを具備する姿勢補整用ボトムズ」に相当し、さらに、「羽根部材の１対の分岐部分の先端及びその周囲の部分がボトムズ本体と裏地との間において裏地に縫付けられており、裏地が伸縮性のない生地からなり、少なくともボトムズ本体の裏側の腰周りから股下までのほぼ全面を覆う大きさを有する姿勢補整用ボトムズ」に相当する。
【０３００】
なお、裏地１２はパンツ表地１１の裏側のウエスト周りのみに縫付けられている場合と、パンツ表地１１の裏側のウエスト周り及び両脚先端の裾周りとにおいて縫付けられている場合とが多いが、本実施の形態２にかかる姿勢補整用パンツ１０においては、裏地１２はパンツ表地１１の裏側のウエスト周りのみに縫付けられており、裏地１２の下の部分はパンツ表地１１の裏側に固定されておらずフリーの状態になっている。
【０３０１】
次に、裏地１２のパンツ表地１１の裏側への縫付け方法等について、図１７を参照してさらに詳細に説明する。
【０３０２】
図１７（ａ），（ｂ）に示されるように、裏地１２は、伸縮性を有しない生地としてのポリエステル生地から４枚の部材が切り出されて、右脇線１２ａ，左脇線１２ｂ，後中心１２ｃ，前中心ＦＣ，及び股下線１２ｄにおいて縫い合わされて、パンツ表地１１と同様のシルエットを有する裏地１２として一体となる。そして、裏地１２の上端部分が、パンツ表地１１のウエストベルト１１ａの裏側をパンツ表地１１の裏側に縫付けるステッチ１１ｈによって、同時にウエストベルト１１ａの裏側の下に縫付けられることによって、パンツ表地１１の裏側に取付けられる。
【０３０３】
ここで、図１７（ｂ）に示されるように、羽根部材５の１対の分岐部分５ａ，５ｂは予めステッチ縫い５ｉによって裏地１２の裏側に縫付けられるが、股下線１２ｄのうち羽根部材５の分岐していない部分５ｄの周辺の部分のみは縫付けずに開放部として残しておいて、裏地１２の上端部分がパンツ表地１１の裏側に取付けられた後に、この開放部から羽根部材５の分岐していない部分５ｄを前方に引き出して、裏地１２の下において、分岐していない部分５ｄの先端５ｅをパンツ表地１１の裏側の下前持ち出し１１Ｃの先端に、ステッチ縫い５ｈで縫付ける。
【０３０４】
その後、上記股下線１２ｄの開放部を縫付けて閉じることによって、羽根部材５は裏地１２の裏側に完全に隠れて見えなくなる。したがって、本実施の形態２にかかる姿勢補整用パンツ１０は、通常の総裏地の婦人用パンツと見た目は全く区別がつかない、見栄えの優れたものとなる。
【０３０５】
そして、図１７（ｂ）に示されるように、羽根部材５は、ステッチ縫い５ｈによって分岐していない側５ｄの先端５ｅが下前持ち出し１１Ｃの先端に縫付けられた部分と、ステッチ縫い５ｉによって裏地１２の臀部の下に縫付けられた部分との間は縫付けられておらず、フリーの状態になっている。
【０３０６】
１対の分岐部分５ａ，５ｂの内側におけるステッチ縫い５ｉの縫い止まり点５ｋは、羽根部材５の分岐点５ｃから約７ｃｍ（６．０ｃｍ〜８．０ｃｍ）離れており、１対の分岐部分５ａ，５ｂの外側におけるステッチ縫い５ｉの縫い止まり点５ｋは、内側のステッチ縫い５ｉの縫い止まり点とほぼ対応する位置にあって、少なくとも着用者の肛門の位置ＨＣＰよりは上方にある。
【０３０７】
さらに、図１７（ｂ）に示されるように、羽根部材５は、本実施の形態２にかかる姿勢補整用パンツ１０を着用したときに、着用者の肛門の位置ＨＣＰが１対の分岐部分５ａ，５ｂの間の分岐点５ｃの近傍（分岐点５ｃから約１．５ｃｍ（１．０ｃｍ〜２．０ｃｍ）離れた点）に位置するように縫付けられている。
【０３０８】
これによって、本実施の形態２にかかる姿勢補整用ボトムズとしての姿勢補整用パンツ１０を着用することによって、羽根部材５には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０３０９】
また、上述の如く肛門が引き締められると着用者の臀部に生ずる小さい窪みを押えることによって、臀部が引き締まって小尻になるとともにヒップアップの効果が得られる。本実施の形態２にかかる姿勢補整用パンツ１０においては、羽根部材５の１対の分岐部分５ａ，５ｂがこの小さい窪みの位置ＨＥＰを覆うように縫付けられているため、羽根部材５の引っ張り力によってこの小さい窪みが押えられ、臀部が引き締まって小尻になるとともにヒップアップの効果が得られる。
【０３１０】
このようにして、本実施の形態２にかかる姿勢補整用ボトムズとしての姿勢補整用パンツ１０においては、意識しなくても着用するだけで肛門が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られ、美しいプロポーションを得ることができる。しかも、外観は（表側も裏側も）通常の総裏地の婦人用パンツと何ら変わるところがなく、優れた見栄えのものとなる。
【０３１１】
次に、本実施の形態２の第１変形例〜第３変形例にかかる姿勢補整用ボトムズとしての姿勢補整用パンツについて、図１８を参照して説明する。なお、図１８には本実施の形態２の第１変形例〜第３変形例の姿勢補整用パンツを裏返した場合の股下部分の構成を示す部分拡大図のみが示されているが、他の部分の構造は上記実施の形態２にかかる姿勢補整用パンツ１０と同様であるため、説明を省略する。
【０３１２】
図１８（ａ）に示されるように、本実施の形態２の第１変形例にかかる姿勢補整用ボトムズとしての姿勢補整用パンツ１０Ａは、羽根部材として図６（ｃ）に示される羽根部材５Ｅを用いている点が上記実施の形態２にかかる姿勢補整用パンツ１０と異なるのみで、それ以外の部分は姿勢補整用パンツ１０と同様である。羽根部材５Ｅも羽根部材５と同様に、伸縮性を有する生地としての２枚のパワーネット生地を袋縫いしてなるものである。
【０３１３】
姿勢補整用パンツ１０Ａにおいても、伸縮性を有しない生地としてのポリエステル生地からなる裏地１２は、股下線１２ｄの開放部を残して一体として縫付けられ、その裏側に羽根部材５Ｅの１対の分岐部分５Ｅａ，５Ｅｂがステッチ縫い５Ｅｉによって縫付けられた後に、上端部分がパンツ表地１１の裏側に取付けられ、股下線１２ｄの開放部から羽根部材５Ｅの分岐していない部分５Ｅｄを前方に引き出して、裏地１２の下において、分岐していない部分５Ｅｄの先端５Ｅｅをパンツ表地１１の裏側の下前持ち出し１１Ｃの先端に、ステッチ縫い５Ｅｈで縫付ける。
【０３１４】
その後、上記股下線１２ｄの開放部を縫付けて閉じることによって、羽根部材５Ｅは裏地１２の裏側に完全に隠れて見えなくなる。したがって、本実施の形態２の第１変形例にかかる姿勢補整用パンツ１０Ａは、通常の総裏地の婦人用パンツと見た目は全く区別がつかない、見栄えの優れたものとなる。
【０３１５】
そして、図１８（ａ）に示されるように、羽根部材５Ｅは、ステッチ縫い５Ｅｈによって分岐していない側５Ｅｄの先端５Ｅｅが下前持ち出し１１Ｃの先端に縫付けられた部分と、ステッチ縫い５Ｅｉによって裏地１２の臀部の下に縫付けられた部分との間は縫付けられておらず、フリーの状態になっている。
【０３１６】
１対の分岐部分５Ｅａ，５Ｅｂの内側におけるステッチ縫い５Ｅｉの縫い止まり点５Ｅｋは、羽根部材５Ｅの分岐点５Ｅｃから約７ｃｍ（６．０ｃｍ〜８．０ｃｍ）離れており、１対の分岐部分５Ｅａ，５Ｅｂの外側におけるステッチ縫い５Ｅｉの縫い止まり点５Ｅｋは、内側のステッチ縫い５Ｅｉの縫い止まり点とほぼ対応する位置にあって、少なくとも着用者の肛門の位置ＨＣＰよりは上方にある。
【０３１７】
さらに、図１８（ａ）に示されるように、羽根部材５Ｅは、本実施の形態２の第１変形例にかかる姿勢補整用パンツ１０Ａを着用したときに、着用者の肛門の位置ＨＣＰが１対の分岐部分５Ｅａ，５Ｅｂの間の分岐点５Ｅｃの近傍（分岐点５Ｅｃから約１．５ｃｍ（１．０ｃｍ〜２．０ｃｍ）離れた点）に位置するように縫付けられている。
【０３１８】
これによって、本実施の形態２の第１変形例にかかる姿勢補整用パンツ１０Ａを着用することによって、羽根部材５Ｅには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０３１９】
次に、図１８（ｂ）に示されるように、本実施の形態２の第２変形例にかかる姿勢補整用パンツ１０Ｂにおいては、羽根部材５Ｅが裏地１２の上に縫付けられており、その他の部分については、上記本実施の形態２の第１変形例にかかる姿勢補整用パンツ１０Ａと同様である。したがって、姿勢補整用パンツ１０Ｂにおいては、裏地１２を縫付けるときに股下線１２ｄの開放部を残す必要がなく、股下線１２ｄも全て縫付けられる。
【０３２０】
したがって、本実施の形態２の第２変形例にかかる姿勢補整用パンツ１０Ｂにおいては、裏側に羽根部材５Ｅが見えるため、通常の総裏地の婦人用パンツと外観が多少異なる点を除けば、上記本実施の形態２の第１変形例にかかる姿勢補整用パンツ１０Ａと同様の作用効果が得られる。即ち、着用することによって、羽根部材５Ｅには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０３２１】
次に、図１８（ｃ）に示されるように、本実施の形態２の第３変形例にかかる姿勢補整用パンツ１０Ｃにおいては、羽根部材５Ｅの分岐していない側５Ｅｄのみが裏地１２の上に縫付けられており、その他の部分については上記本実施の形態２の第１変形例にかかる姿勢補整用パンツ１０Ａと同様である。したがって、姿勢補整用パンツ１０Ｃにおいては、裏地１２を縫付けるときに股下線１２ｄの開放部を残して縫付け、ステッチ縫い５Ｅｈによって分岐していない側５Ｅｄの先端５Ｅｅが下前持ち出し１１Ｃの先端に縫付けられた後も、開放部は縫付けられないまま残される。
【０３２２】
したがって、本実施の形態２の第３変形例にかかる姿勢補整用パンツ１０Ｃにおいては、裏側に羽根部材５Ｅの一部が見えるため、通常の総裏地の婦人用パンツと外観が多少異なる点を除けば、上記本実施の形態２の第１変形例にかかる姿勢補整用パンツ１０Ａと同様の作用効果が得られる。即ち、着用することによって、羽根部材５Ｅには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０３２３】
次に、本実施の形態２の第４変形例及び第５変形例にかかる姿勢補整用ボトムズとしての姿勢補整用パンツについて、図１９を参照して説明する。なお、本実施の形態２の第４変形例及び第５変形例にかかる姿勢補整用パンツ１０Ｄ，１０Ｅの構造は、一部を除いて上記実施の形態２にかかる姿勢補整用パンツ１０と同様であるため、同一の部分には同一の符号を付して、一部説明を省略する。
【０３２４】
図１９（ａ），（ｂ）に示されるように、本実施の形態２の第４変形例にかかる姿勢補整用パンツ１０Ｄにおいては、伸縮性を有する生地としてのパワーネットからなる羽根部材５Ｗが略Ｘ字形をしており、図１９（ａ）に示されるように、１対の前部分岐部分５Ｗｄ，５Ｗｅの先端がパンツ表地１１の裏側上端まで伸びて、パンツ表地１１のウエストベルト１１ａの裏側をパンツ表地１１の裏側に縫付けるステッチ１１ｈによって、同時にウエストベルト１１ａの裏側の下に縫付けられる。
【０３２５】
一方、図１９（ｂ）に示されるように、羽根部材５Ｗの１対の分岐部分５Ｗａ，５Ｗｂは、ステッチ縫い５Ｗｉによって裏地１２の臀部に縫付けられる。したがって、羽根部材５Ｗは、ステッチ１１ｈによって１対の前部分岐部分５Ｗｄ，５Ｗｅの先端がパンツ表地１１の裏側上端に縫付けられた部分と、ステッチ縫い５Ｗｉによって裏地１２の臀部に縫付けられた部分との間は縫付けられておらず、フリーの状態になっている。
【０３２６】
１対の分岐部分５Ｗａ，５Ｗｂの内側におけるステッチ縫い５Ｗｉの縫い止まり点５Ｗｋは、羽根部材５Ｗの分岐点５Ｗｃから約７ｃｍ（６．０ｃｍ〜８．０ｃｍ）離れており、１対の分岐部分５Ｗａ，５Ｗｂの外側におけるステッチ縫い５Ｗｉの縫い止まり点５Ｗｋは、内側のステッチ縫い５Ｗｉの縫い止まり点とほぼ対応する位置にあって、少なくとも着用者の肛門の位置ＨＣＰよりは上方にある。
【０３２７】
したがって、姿勢補整用パンツ１０Ｄは、本発明における「ボトムズ本体の裏側の少なくとも臀部を覆うようにボトムズ本体の裏側に縫付けられた裏地と、伸縮性を有する生地からなる１対の分岐部分と１対の前部分岐部分とを有する略Ｘ字形の羽根部材とを具備する姿勢補整用ボトムズであって、ボトムズ本体の裏側前部上端に羽根部材の１対の前部分岐部分の先端が縫付けられ、裏地の臀部に１対の分岐部分の先端及びその周囲の部分が１対の分岐部分の内側においては１対の分岐部分の分岐点から所定長さの位置まで、１対の分岐部分の外側においては１対の分岐部分の内側の位置にほぼ対応する位置まで縫付けられている姿勢補整用ボトムズ」に相当する。
【０３２８】
そして、図１９（ｂ）に示されるように、羽根部材５Ｗは、姿勢補整用パンツを着用したときに、着用者の肛門の位置ＨＣＰが１対の分岐部分５Ｗａ，５Ｗｂの間の分岐点５Ｗｃの近傍（分岐点５Ｗｃから約１．５ｃｍ（１．０ｃｍ〜２．０ｃｍ）離れた位置）にくるように縫付けられている。
【０３２９】
これによって、本実施の形態２の第４変形例にかかる姿勢補整用パンツ１０Ｄを着用することによって、羽根部材５Ｗには伸縮性によるより強力な引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができるとともに、羽根部材５Ｗの１対の前部分岐部分５Ｗｄ，５Ｗｅによって下腹部が押え付けられるので、下腹部が引っ込んでより美しいプロポーションを得ることができる。
【０３３０】
このようにして、意識しなくても着用するだけで肛門がより効果的に引き締められて正しい姿勢をとることができるとともに、下腹部が引っ込んでより美しいプロポーションを得ることができ、さらに着用して歩行するだけで正しい歩き方をすることができて、筋肉に刺激を与え大臀筋・中臀筋が鍛えられて美しいプロポーションを得ることができる姿勢補整用ボトムズとなる。
【０３３１】
また、図１９（ｃ）に示されるように、本実施の形態２の第５変形例にかかる姿勢補整用パンツ１０Ｅにおいては、全体の構成は上記本実施の形態２の第４変形例にかかる姿勢補整用パンツ１０Ｄと同様であるが、伸縮性を有する生地としてのパワーネットからなる羽根部材５Ｘの股下部分に、左右１対の枝部分５Ｘｍが設けられており、これらの枝部分５Ｘｍが裏地１２にステッチ縫いで縫付けられている。
【０３３２】
これによって、羽根部材５Ｗと同様に、羽根部材５Ｘの１対の前部分岐部分５Ｘｄ，５Ｘｅの先端がパンツ表地１１の裏側上端まで伸びて、ステッチ１１ｈによって同時にウエストベルト１１ａの裏側の下に縫付けられた部分と、１対の分岐部分５Ｘａ，５Ｘｂがステッチ縫い５Ｘｉによって裏地１２の臀部に縫付けられた部分との間の中間地点において、羽根部材５Ｘが枝部分５Ｘｍにおいて裏地１２に縫付けられているために、長い羽根部材５Ｘの中間部分が捩れたりずれたりして肛門を引き締める効果が半減するとともに穿き心地も悪くなる事態を、確実に防止することができる。
【０３３３】
これによって、本実施の形態２の第５変形例にかかる姿勢補整用パンツ１０Ｅを着用することによって、羽根部材５Ｘには伸縮性によるより強力な引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができるとともに、羽根部材５Ｘの１対の前部分岐部分５Ｘｄ，５Ｘｅによって下腹部が押え付けられるので、下腹部が引っ込んでより美しいプロポーションを得ることができる。
【０３３４】
このようにして、意識しなくても着用するだけで肛門がより効果的に引き締められて正しい姿勢をとることができるとともに、下腹部が引っ込んでより美しいプロポーションを得ることができ、さらに着用して歩行するだけで正しい歩き方をすることができて、筋肉に刺激を与え大臀筋・中臀筋が鍛えられて美しいプロポーションを得ることができる姿勢補整用ボトムズとなる。
【０３３５】
次に、本実施の形態２の第６変形例及び第７変形例にかかる姿勢補整用ボトムズとしての姿勢補整用パンツについて、図２０を参照して説明する。なお、本実施の形態２の第６変形例及び第７変形例にかかる姿勢補整用パンツ１０Ｆ，１０Ｇの構造は、一部を除いて上記姿勢補整用パンツ１０Ｄ，１０Ｅと同様であるため、同一の部分には同一の符号を付して、一部説明を省略する。
【０３３６】
図２０（ａ）に示されるように、本実施の形態２の第６変形例にかかる姿勢補整用パンツ１０Ｆにおいては、上記第４変形例にかかる姿勢補整用パンツ１０Ｄと同様に、１対の前部分岐部分５Ｗｄ，５Ｗｅと１対の分岐部分５Ｗａ，５Ｗｂとを有する羽根部材５Ｗが裏地１２の下に縫付けられている。ここで、図２０（ａ），（ｂ）に示されるように、裏地１２がボトムズ本体としての婦人用パンツ表地１１の裏側前部の二つに割られた股上縫代１１Ｄの一ヶ所に、ステッチ止め１１Ｅによってステッチ止めされている。
【０３３７】
したがって、本実施の形態２の第６変形例にかかる姿勢補整用パンツ１０Ｆは、本発明における「裏地がボトムズ本体の裏側前部の二つに割られた股上縫代または片倒しされた股上縫代の一ヶ所にステッチ止めされている姿勢補整用ボトムズ」に相当する。
【０３３８】
これによって、上記第４変形例にかかる姿勢補整用パンツ１０Ｄの効果に加えて、裏地１２の股下近傍がボトムズ本体としての婦人用パンツ表地から浮き上がって弛みを生じて、その弛みが着用者の股部にくい込んでしまう事態を確実に防止することができ、穿き心地が損なわれることがない。
【０３３９】
また、図２０（ｃ）に示されるように、本実施の形態２の第７変形例にかかる姿勢補整用パンツ１０Ｇにおいても、裏地１２がボトムズ本体としての婦人用パンツ表地１１の裏側前部の二つに割られた股上縫代１１Ｄの一ヶ所に、ステッチ止め１１Ｅによってステッチ止めされている。そして、上記第５変形例にかかる姿勢補整用パンツ１０Ｅと同様に、伸縮性を有する生地としてのパワーネットからなる羽根部材５Ｘの股下部分に、左右１対の枝部分５Ｘｍが設けられており、これらの枝部分５Ｘｍが裏地１２にステッチ縫いで縫付けられている。
【０３４０】
したがって、上記第５変形例にかかる姿勢補整用パンツ１０Ｅの効果に加えて、裏地１２の股下近傍がボトムズ本体としての婦人用パンツ表地から浮き上がって弛みを生じて、その弛みが着用者の股部にくい込んでしまう事態を確実に防止することができ、穿き心地が損なわれることがない。
【０３４１】
このようにして、本実施の形態２の第６変形例及び第７変形例にかかる姿勢補整用パンツ１０Ｆ，１０Ｇにおいては、意識しなくても着用するだけで肛門がより効果的に引き締められて正しい姿勢をとることができるとともに、下腹部が引っ込んでより美しいプロポーションを得ることができ、さらに着用して歩行するだけで正しい歩き方をすることができて、筋肉に刺激を与え大臀筋・中臀筋が鍛えられて美しいプロポーションを得ることができ、穿き心地も損なわれることがない。
【０３４２】
本実施の形態２においては、姿勢補整用ボトムズとして女性用の姿勢補整用パンツ１０，１０Ａ，１０Ｂ，１０Ｃ，１０Ｄ，１０Ｅ，１０Ｆ，１０Ｇについて説明したが、これは通常の紳士用ズボン（パンツ）においては、高級品を除いて総裏地のものはなく、スーツのズボン等においても、膝が曲げ易いように前身頃の腰周りから両脚の膝下部分までのみに裏地が付いているものが殆どであるためである。紳士用ズボン（パンツ）においても、高級品やブランド品には総裏地のものがあるため、姿勢補整用パンツ１０，１０Ａ，１０Ｂ，１０Ｃ，１０Ｄ，１０Ｅ，１０Ｆ，１０Ｇと同様の構成によって、男性用の姿勢補整用ズボンを製造することもできる。
【０３４３】
また、本実施の形態２においては、裏地１２が伸縮性を有しない生地であるポリエステル生地からなり、総裏地である場合について説明したが、総裏地でなくても腰周りの前後のみの裏地や腰周りの背面のみの裏地でも同様な作用効果が得られる。また、伸縮性を有しない生地としては、ポリエステル生地に限られるものではなく、ナイロン生地、アクリル生地、絹（シルク）、麻、等を用いることができる。さらに、裏地１２が伸縮性を有する生地（サテンネット、ストレッチレース、トリコット、ニット生地、ポリウレタンが１％〜３０％混合されたポリウレタン混合生地、綿ストレッチ、スパンレックス、等）であっても良い。
【０３４４】
実施の形態３
次に、本発明の実施の形態３にかかる姿勢補整用ボトムズとしての調節機能付き接続具を具備した紳士用の姿勢補整用ズボン及び婦人用の姿勢補整用パンツについて、図２１及び図２２を参照して説明する。
【０３４５】
図２１（ａ）は本発明の実施の形態３にかかる姿勢補整用ボトムズを裏返した場合において調節機能付き接続具を外した場合の股下部分の構成を示す部分拡大図、（ｂ）は調節機能付き接続具を接続した場合の股下部分の構成を示す部分拡大図である。図２２（ａ）は本発明の実施の形態３の第１変形例にかかる姿勢補整用ボトムズを裏返した場合において調節機能付き接続具を外した場合の股下部分の構成を示す部分拡大図、（ｂ）は調節機能付き接続具を接続した場合の股下部分の構成を示す部分拡大図である。
【０３４６】
図２１（ａ），（ｂ）に示されるように、本実施の形態３にかかる姿勢補整用ボトムズ１５においては、ボトムズ本体１６としてのズボン表地またはパンツ表地の背面側のみに伸縮性を有する生地としてのパワーネットからなる裏地１７が縫付けられている。さらに、伸縮性を有する生地としてのパワーネットからなる羽根部材５Ｅの１対の分岐部分５Ｅａ，５Ｅｂは、ステッチ縫い５Ｅｉによって裏地１７の下に縫付けられているが、羽根部材５Ｅの分岐していない側５Ｅｄの先端５Ｅｅは、ボトムズ本体１６の裏側の前部としての下前持ち出し１６Ｃに縫付けられていない。
【０３４７】
図２１（ａ）に示されるように、羽根部材５Ｅの分岐していない側５Ｅｄには、２個のカギホック１８ａを有する雄側接続具１８Ａが取付けられており、ボトムズ本体１６の裏側の下前持ち出し１６Ｃには３段の接続位置にそれぞれ２個ずつのメンカン１８ｂが設けられた雌側接続具１８Ｂが取付けられている。そして、雄側接続具１８Ａの２個のカギホック１８ａを雌側接続具１８Ｂの３段の接続位置のどの２個のメンカン１８ｂに係合させるかによって、羽根部材５Ｅによる引っ張り力を調節することができる。
【０３４８】
したがって、雄側接続具１８Ａと雌側接続具１８Ｂとからなる調節機能付き接続具１８Ａ，１８Ｂは、本発明における「複数の接続位置を選択できる１組の調節機能付き接続具」に相当し、本実施の形態３にかかる姿勢補整用ボトムズ１５は、本発明における「羽根部材の分岐していない側がボトムズ本体の裏側の前部に縫付けられておらず、羽根部材の分岐していない側とボトムズ本体の裏側の前部とは、羽根部材の分岐していない側とボトムズ本体の裏側の前部とに取付けられた複数の接続位置を選択できる１組の調節機能付き接続具によって接続される姿勢補整用ボトムズ」に相当する。
【０３４９】
これによって、着用者の体型によって微妙に異なる羽根部材５Ｅによる引っ張り力を、最適な強さに調節することができる。図２１（ｂ）においては、雄側接続具１８Ａの２個のカギホック１８ａを雌側接続具１８Ｂの３段の接続位置のうちの最下段の２個のメンカン１８ｂに係合させた状態が示されている。したがって、羽根部材５Ｅによる引っ張り力は最も弱い状態に調節されている。
【０３５０】
そして、図２１（ｂ）に示されるように、羽根部材５Ｅは、調節機能付き接続具１８Ａ，１８Ｂによって分岐していない側５Ｅｄの先端５Ｅｅが下前持ち出し１６Ｃの先端に接続された部分と、ステッチ縫い５Ｅｉによって裏地１７の臀部の下に縫付けられた部分との間は縫付けられておらず、フリーの状態になっている。
【０３５１】
１対の分岐部分５Ｅａ，５Ｅｂの内側におけるステッチ縫い５Ｅｉの縫い止まり点５Ｅｋは、羽根部材５Ｅの分岐点５Ｅｃから約７ｃｍ（６．０ｃｍ〜８．０ｃｍ）離れており、１対の分岐部分５Ｅａ，５Ｅｂの外側におけるステッチ縫い５Ｅｉの縫い止まり点５Ｅｋは、内側のステッチ縫い５Ｅｉの縫い止まり点とほぼ対応する位置にあって、少なくとも着用者の肛門の位置ＨＣＰよりは上方にある。
【０３５２】
さらに、図２１（ｂ）に示されるように、羽根部材５Ｅは、本実施の形態３にかかる姿勢補整用ボトムズ１５を着用したときに、着用者の肛門の位置ＨＣＰが１対の分岐部分５Ｅａ，５Ｅｂの間の分岐点５Ｅｃの近傍（分岐点５Ｅｃから約１．５ｃｍ（１．０ｃｍ〜２．０ｃｍ）離れた点）に位置するように縫付けられている。
【０３５３】
これによって、本実施の形態３にかかる姿勢補整用ボトムズ１５を着用することによって、羽根部材５Ｅには伸縮性による最適な引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０３５４】
また、上述の如く、肛門が引き締められると着用者の臀部に生ずる小さい窪みを押えることによって臀部が引き締まって小尻になるとともにヒップアップの効果が得られるが、本実施の形態３にかかる姿勢補整用ボトムズ１５においては、伸縮性を有する生地としてのパワーネットからなる裏地１７がこの小さい窪みの位置ＨＥＰを覆うように縫付けられているため、裏地１７を介して羽根部材５Ｅの引っ張り力によってこの小さい窪みが押えられ、臀部が引き締まって小尻になるとともにヒップアップの効果が得られる。
【０３５５】
次に、本実施の形態３の第１変形例にかかる姿勢補整用ボトムズ２０について、図２２を参照して説明する。
【０３５６】
図２２（ａ），（ｂ）に示されるように、本実施の形態３の第１変形例にかかる姿勢補整用ボトムズ２０においては、ボトムズ本体２１としてのズボン表地またはパンツ表地の背面側のみに伸縮性を有する生地としてのパワーネットからなる裏地２２が縫付けられている。さらに、伸縮性を有する生地としてのパワーネットからなる羽根部材５Ｅの１対の分岐部分５Ｅａ，５Ｅｂは、ステッチ縫い５Ｅｉによって裏地２２の下に縫付けられているが、羽根部材５Ｅの分岐していない側５Ｅｄの先端５Ｅｅは、ボトムズ本体２１の裏側の前部としての下前持ち出し２１Ｃに縫付けられていない。
【０３５７】
図２２（ａ）に示されるように、羽根部材５Ｅの分岐していない側５Ｅｄには、２個の凸側ホック２３ａを有する雄側接続具２３Ａが取付けられており、ボトムズ本体２１の裏側の下前持ち出し２１Ｃには４段の接続位置にそれぞれ２個ずつの凹側ホック２３ｂが設けられた雌側接続具２３Ｂが取付けられている。そして、雄側接続具２３Ａの２個の凸側ホック２３ａを雌側接続具２３Ｂの４段の接続位置のどの２個の凹側ホック２３ｂに嵌合させるかによって、羽根部材５Ｅによる引っ張り力を調節することができる。
【０３５８】
したがって、雄側接続具２３Ａと雌側接続具２３Ｂとからなる調節機能付き接続具２３Ａ，２３Ｂは、本発明における「複数の接続位置を選択できる１組の調節機能付き接続具」に相当し、本実施の形態３の第１変形例にかかる姿勢補整用ボトムズ２０は、本発明における「羽根部材の分岐していない側がボトムズ本体の裏側の前部に縫付けられておらず、羽根部材の分岐していない側とボトムズ本体の裏側の前部とは、羽根部材の分岐していない側とボトムズ本体の裏側の前部とに取付けられた複数の接続位置を選択できる１組の調節機能付き接続具によって接続される姿勢補整用ボトムズ」に相当する。
【０３５９】
これによって、着用者の体型によって微妙に異なる羽根部材５Ｅによる引っ張り力を、最適な強さに調節することができる。図２２（ｂ）においては、雄側接続具２３Ａの２個の凸側ホック２３ａを雌側接続具２３Ｂの４段の接続位置のうちの最下段の２個の凹側ホック２３ｂに嵌合させた状態が示されている。したがって、羽根部材５Ｅによる引っ張り力は最も弱い状態に調節されている。
【０３６０】
そして、図２２（ｂ）に示されるように、羽根部材５Ｅは、調節機能付き接続具２３Ａ，２３Ｂによって分岐していない側５Ｅｄの先端５Ｅｅが下前持ち出し２１Ｃの先端に接続された部分と、ステッチ縫い５Ｅｉによって裏地２２の臀部の下に縫付けられた部分との間は縫付けられておらず、フリーの状態になっている。
【０３６１】
１対の分岐部分５Ｅａ，５Ｅｂの内側におけるステッチ縫い５Ｅｉの縫い止まり点５Ｅｋは、羽根部材５Ｅの分岐点５Ｅｃから約７ｃｍ（６．０ｃｍ〜８．０ｃｍ）離れており、１対の分岐部分５Ｅａ，５Ｅｂの外側におけるステッチ縫い５Ｅｉの縫い止まり点５Ｅｋは、内側のステッチ縫い５Ｅｉの縫い止まり点とほぼ対応する位置にあって、少なくとも着用者の肛門の位置ＨＣＰよりは上方にある。
【０３６２】
さらに、図２２（ｂ）に示されるように、羽根部材５Ｅは、本実施の形態３の第１変形例にかかる姿勢補整用ボトムズ２０を着用したときに、着用者の肛門の位置ＨＣＰが１対の分岐部分５Ｅａ，５Ｅｂの間の分岐点５Ｅｃの近傍（分岐点５Ｅｃから約１．５ｃｍ（１．０ｃｍ〜２．０ｃｍ）離れた点）に位置するように縫付けられている。
【０３６３】
これによって、本実施の形態３の第１変形例にかかる姿勢補整用ボトムズ２０を着用することによって、羽根部材５Ｅには伸縮性による最適な引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０３６４】
また、上述の如く、肛門が引き締められると着用者の臀部に生ずる小さい窪みを押えることによって臀部が引き締まって小尻になるとともにヒップアップの効果が得られるが、本実施の形態３の第１変形例にかかる姿勢補整用ボトムズ２０においては、伸縮性を有する生地としてのパワーネットからなる裏地２２がこの小さい窪みの位置ＨＥＰを覆うように縫付けられているため、裏地２２を介して羽根部材５Ｅの引っ張り力によってこの小さい窪みが押えられ、臀部が引き締まって小尻になるとともにヒップアップの効果が得られる。
【０３６５】
このようにして、本実施の形態３にかかる姿勢補整用ボトムズ１５，２０においては、意識しなくても着用するだけで、最適な引き締め力で肛門が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られ、美しいプロポーションを得ることができる。
【０３６６】
なお、本実施の形態３においては、「調節機能付き接続具」として複数の位置にメンカン１８ｂを取付けたもの１８Ｂと、その複数のメンカン１８ｂのいずれにも嵌合するカギホック１８ａを布地に取付けたもの１８Ａとを組にしたもの、及び複数の位置に凹側ホック２３ｂを取付けたもの２３Ｂと、その複数の凹側ホック２３ｂのいずれにも嵌合する凸側ホック２３ａを布地に取付けたもの２３Ｂとを組にしたものについて説明した。
【０３６７】
これ以外にも、「調節機能付き接続具」としては、複数の位置に凹側のドット釦を取付けたものと、その複数の凹側のドット釦のいずれにも嵌合する凸側のドット釦を布地に取付けたものとを組にしたもの、一組の接続布（マジックテープ（登録商標））、複数の位置に凹側のスプリングホックを取付けたものと、その複数の凹側のスプリングホックのいずれにも嵌合する凸側のスプリングホックを布地に取付けたものとを組にしたもの、等をも用いることができる。
【０３６８】
ここで、裏地及び羽根部材が伸縮性を有する生地からなるものである場合の効果について、図２３を参照して説明する。図２３（ａ）は羽根部材が伸縮性を有する生地からなる裏地の上（内側）に縫付けられている場合を示す模式図、（ｂ）は羽根部材が伸縮性を有する生地からなる裏地の下（外側）に縫付けられている場合を示す模式図である。
【０３６９】
図２３（ａ），（ｂ）に示されるように、ズボン表地やパンツ表地等のボトムズ本体は、一般に伸縮性に乏しい場合が多い。これに対して、羽根部材はパワーネット等の伸縮性を有する生地を一枚若しくは二枚または三枚以上重ねて用いており、裏地がパワーネット等の伸縮性を有する生地からなることによって、着用者に対してクッションとしての役割を果たして、フワッとした優しい穿き心地の姿勢補整用ボトムズとなる。
【０３７０】
ズボン表地やパンツ表地等のボトムズ本体が多少伸縮性を有する生地（例えばニット生地等）からなる場合においても、通常はパワーネット等の伸縮性を有する生地からなる裏地及び羽根部材の方が伸縮性が大きいので、上記の効果が得られる。また、表地の尻縫いは、尻縫いほつれを防ぐため本縫い（ステッチ縫い）の２本縫いか、くさり縫いが主流であるため表地の伸縮が抑えられ、カジュアルなボトムズ本体（Ｇパン、綿パン、チノパン、等）の場合には、多くは尻ぐりの縫い代を片倒しにしてステッチをかけるので、さらに表地の伸縮が抑えられる。
【０３７１】
このようにズボン表地やパンツ表地等のボトムズ本体の伸縮が抑えられる場合には、裏地及び羽根部材がパワーネット等の伸縮性を有する生地からなることによって、着用者に対してより大きなクッションとしての役割を果たして、フワッとした優しい穿き心地の姿勢補整用ボトムズとなる。
【０３７２】
実施の形態４
次に、本発明の実施の形態４にかかる姿勢補整用ボトムズとしての女性用の姿勢補整用パンツについて、図２４乃至図２７を参照して説明する。
【０３７３】
図２４は本発明の実施の形態４にかかる姿勢補整用ボトムズとしての姿勢補整用パンツの上部の構成を示す斜視図である。図２５（ａ）は本発明の実施の形態４にかかる姿勢補整用パンツの内側に縫付けられる姿勢補整用下着としての姿勢補整用サポーターの全体構成を示す正面図、（ｂ）は背面図、（ｃ）は本発明の実施の形態４の第１変形例にかかる姿勢補整用パンツの内側に縫付けられる姿勢補整用下着の第１変形例としての姿勢補整用サポーターの全体構成を示す正面図、（ｄ）は背面図である。
【０３７４】
図２５（ｅ）は本発明の実施の形態４の第２変形例にかかる姿勢補整用パンツの内側に縫付けられる姿勢補整用下着の第２変形例としての姿勢補整用サポーターの全体構成を示す正面図、（ｆ）は背面図、（ｇ）は本発明の実施の形態４の第３変形例にかかる姿勢補整用パンツの内側に縫付けられる姿勢補整用下着の第３変形例としての姿勢補整用サポーターの全体構成を示す正面図、（ｈ）は背面図である。
【０３７５】
図２６（ａ）は本発明の実施の形態４の第４変形例にかかる姿勢補整用パンツの内側に縫付けられる姿勢補整用下着の第４変形例としての姿勢補整用ロングガードルの全体構成を示す正面図、（ｂ）は背面図、（ｃ）は姿勢補整用下着の第４変形例としての姿勢補整用ロングガードルを裏返した場合の全体構成を示す正面図、（ｄ）は背面図である。図２７（ａ）は本発明の実施の形態４の第５変形例にかかる姿勢補整用パンツの内側に縫付けられる姿勢補整用下着の第５変形例としての姿勢補整用ショートガードルの全体構成を示す正面図、（ｂ）は背面図、（ｃ）は姿勢補整用下着の第５変形例としての姿勢補整用ショートガードルを裏返した場合の全体構成を示す正面図、（ｄ）は背面図である。
【０３７６】
図２４に示されるように、本実施の形態４にかかる姿勢補整用ボトムズとしての姿勢補整用パンツ３０は、ボトムズ本体としてのパンツ表地３１の内側に、姿勢補整用下着としての姿勢補整用サポーター３２を縫付けてなるものである。パンツ表地３１の正面には開閉具としてのファスナー３１ｂが取付けられており、姿勢補整用サポーター３２の下着本体としてのサポーター本体３３の対応する位置にも開閉具としてのファスナー３３ｂが取付けられている。
【０３７７】
また、図２５（ａ），（ｂ）に示されるように、サポーター本体３３は伸縮性を有する生地としてのパワーネットからなり、サポーター本体３３には伸縮性を有する生地としてのパワーネットからなる羽根部材３４が縫付けられている。サポーター本体３３には、姿勢補整用サポーター３２の股部の前半分を形成するための突出部３３ａが設けられており、サポーター本体３３に羽根部材３４が縫付けられることによって、姿勢補整用サポーター３２の股部が初めて形成される。
【０３７８】
したがって、サポーター本体３３は、本発明における「着用者の股下に当接する股部を有しない下着本体」に相当する。また、本実施の形態４にかかる姿勢補整用サポーター３２は、「下着本体と、略Ｙ字形の伸縮性を有する生地からなる羽根部材とを具備する姿勢補整用下着」に相当し、下着本体３３は伸縮性を有する生地からなるものである。
【０３７９】
また、本実施の形態４にかかる姿勢補整用サポーター３２が取付けられた姿勢補整用パンツ３０は、本発明における「着用者の股下に当接する股部を有しない伸縮性を有する生地からなる下着本体と、１対の分岐部分を有する略Ｙ字形の伸縮性を有する生地からなる羽根部材とを具備する姿勢補整用下着がボトムズ本体の内側に取付けられた姿勢補整用ボトムズ」に相当する。
【０３８０】
さらに、本実施の形態４にかかる姿勢補整用サポーター３２が取付けられた姿勢補整用パンツ３０は、本発明における「姿勢補整用下着にはボトムズ本体に開閉具が設けられている位置に対応する位置に開閉具が設けられている姿勢補整用ボトムズ」に相当する。かかる構成を有する姿勢補整用ボトムズとしての姿勢補整用パンツ３０においては、姿勢補整用下着としての姿勢補整用サポーター３２にも、ボトムズ本体としてのパンツ表地３１にファスナー３１ｂが設けられている位置に対応する位置にファスナー３３ｂが設けられているため、穿いたり脱いだりする動作が、通常のボトムズと同様にスムーズにできる。
【０３８１】
本実施の形態４における羽根部材３４は、上記羽根部材５，５Ｅと同様に、二枚のパワーネット生地を袋縫いしてなるものである。１対の分岐部分３４ａ，３４ｂの先端及びその周囲の部分がステッチ縫い３４ｉによってサポーター本体３３の臀部の裏側に縫付けられており、羽根部材３４の分岐していない側３４ｄの先端３４ｅが、ステッチ縫い３４ｈによってサポーター本体３３の突出部３３ａの裏側に縫付けられている。
【０３８２】
したがって、羽根部材３４は、ステッチ縫い３４ｈによって分岐していない側３４ｄの先端３４ｅがサポーター本体３３の突出部３３ａに縫付けられた部分と、ステッチ縫い３４ｉによってサポーター本体３３の臀部に縫付けられた部分との間は縫付けられておらず、フリーの状態になっている。
【０３８３】
１対の分岐部分３４ａ，３４ｂの内側におけるステッチ縫い３４ｉの縫い止まり点は、羽根部材３４の分岐点３４ｃから約７ｃｍ（６．０ｃｍ〜８．０ｃｍ）離れており、１対の分岐部分３４ａ，３４ｂの外側におけるステッチ縫い３４ｉの縫い止まり点は、内側のステッチ縫い３４ｉの縫い止まり点とほぼ対応する位置にあって、少なくとも着用者の肛門の位置ＨＣＰよりは上方にある。
【０３８４】
そして、図２５（ｂ）に示されるように、羽根部材３４は、姿勢補整用パンツ３０を着用したときに、着用者の肛門の位置ＨＣＰが１対の分岐部分３４ａ，３４ｂの間の分岐点３４ｃの近傍（分岐点３４ｃから約１．５ｃｍ（１．０ｃｍ〜２．０ｃｍ）離れた位置）にくるように縫付けられている。
【０３８５】
これによって、本実施の形態４にかかる姿勢補整用ボトムズとしての姿勢補整用パンツ３０を着用することによって、羽根部材３４には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０３８６】
また、肛門が引き締められると着用者の臀部に生ずる小さい窪みを押えることによって、臀部が引き締まって小尻になるとともにヒップアップの効果が得られるが、本実施の形態４にかかる姿勢補整用サポーター３２においては、羽根部材３４の１対の分岐部分３４ａ，３４ｂはこの小さい窪みの位置ＨＥＰに届いていないが、伸縮性を有する生地からなるサポーター本体３３がこの小さい窪みの位置ＨＥＰを覆うように縫付けられているため、羽根部材３４の引っ張り力によってこの小さい窪みが押えられ、臀部が引き締まって小尻になるとともにヒップアップの効果が得られる。
【０３８７】
次に、本実施の形態４の第１変形例にかかる姿勢補整用サポーター３２Ａについて、図２５（ｃ），（ｄ）を参照して説明する。なお、第１変形例にかかる姿勢補整用サポーター３２Ａの構成は、一部を除いて上記本実施の形態４にかかる姿勢補整用サポーター３２と同様であるため、同一の部分には同一の符号を付して説明を省略する。
【０３８８】
図２５（ｃ），（ｄ）に示されるように、本実施の形態４の第１変形例にかかる姿勢補整用サポーター３２Ａは、羽根部材として上記羽根部材５を用いている点を除いて姿勢補整用サポーター３２と同様である。
【０３８９】
即ち、姿勢補整用サポーター３２Ａの下着本体としてのサポーター本体３３のパンツ表地３１の正面のファスナー３１ｂに対応する位置にも開閉具としてのファスナー３３ｂが取付けられている。そして、羽根部材５の１対の分岐部分５ａ，５ｂは、ステッチ５ｉによってサポーター本体３３の臀部の裏側に縫付けられており、羽根部材５の分岐していない側５ｄの先端５ｅが、ステッチ縫い５ｈによってサポーター本体３３の突出部３３ａの裏側に縫付けられている。
【０３９０】
したがって、羽根部材５は、ステッチ縫い５ｈによって分岐していない側５ｄの先端５ｅがサポーター本体３３の突出部３３ａに縫付けられた部分と、ステッチ縫い５ｉによってサポーター本体３３の臀部に縫付けられた部分との間は縫付けられておらず、フリーの状態になっている。
【０３９１】
１対の分岐部分５ａ，５ｂの内側におけるステッチ縫い５ｉの縫い止まり点は、羽根部材５の分岐点５ｃから約７ｃｍ（６．０ｃｍ〜８．０ｃｍ）離れており、１対の分岐部分５ａ，５ｂの外側におけるステッチ縫い５ｉの縫い止まり点は、内側のステッチ縫い５ｉの縫い止まり点とほぼ対応する位置にあって、少なくとも着用者の肛門の位置ＨＣＰよりは上方にある。
【０３９２】
そして、図２５（ｄ）に示されるように、羽根部材５は、姿勢補整用サポーター３２Ａが内側に縫付けられた姿勢補整用パンツを着用したときに、着用者の肛門の位置ＨＣＰが１対の分岐部分５ａ，５ｂの間の分岐点５ｃの近傍（分岐点５ｃから約１．５ｃｍ（１．０ｃｍ〜２．０ｃｍ）離れた位置）にくるように縫付けられている。
【０３９３】
これによって、本実施の形態４の第１変形例にかかる姿勢補整用サポーター３２Ａが内側に縫付けられた姿勢補整用パンツを着用することによって、羽根部材５には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０３９４】
また、肛門が引き締められると着用者の臀部に生ずる小さい窪みを押えることによって、臀部が引き締まって小尻になるとともにヒップアップの効果が得られるが、本実施の形態４の第１変形例にかかる姿勢補整用サポーター３２Ａにおいては、羽根部材５の１対の分岐部分５ａ，５ｂがこの小さい窪みの位置ＨＥＰを覆うように縫付けられているため、羽根部材５の引っ張り力によってこの小さい窪みが押えられ、臀部が引き締まって小尻になるとともにヒップアップの効果が得られる。
【０３９５】
次に、本実施の形態４の第２変形例にかかる姿勢補整用サポーター３２Ｂについて、図２５（ｅ），（ｆ）を参照して説明する。なお、第２変形例にかかる姿勢補整用サポーター３２Ｂの構成は、一部を除いて上記本実施の形態４にかかる姿勢補整用サポーター３２と同様であるため、同一の部分には同一の符号を付して説明を省略する。
【０３９６】
図２５（ｅ），（ｆ）に示されるように、本実施の形態４の第２変形例にかかる姿勢補整用サポーター３２Ｂは、羽根部材３４の１対の分岐部分３４ａ，３４ｂがサポーター本体３３の臀部の裏側ではなく表側に縫付けられている点を除いて姿勢補整用サポーター３２と同様である。したがって、姿勢補整用サポーター３２Ｂが内側に縫付けられた姿勢補整用パンツを着用することによって、姿勢補整用パンツ３０を着用した場合と同様の作用効果が得られる。
【０３９７】
次に、本実施の形態４の第３変形例にかかる姿勢補整用サポーター３２Ｃについて、図２５（ｇ），（ｈ）を参照して説明する。なお、第３変形例にかかる姿勢補整用サポーター３２Ｃの構成は、一部を除いて上記本実施の形態４の第１変形例にかかる姿勢補整用サポーター３２Ａと同様であるため、同一の部分には同一の符号を付して説明を省略する。
【０３９８】
図２５（ｇ），（ｈ）に示されるように、本実施の形態４の第３変形例にかかる姿勢補整用サポーター３２Ｃは、羽根部材５の１対の分岐部分５ａ，５ｂがサポーター本体３３の臀部の裏側ではなく表側に縫付けられている点を除いて姿勢補整用サポーター３２Ａと同様である。したがって、姿勢補整用サポーター３２Ｃが内側に縫付けられた姿勢補整用パンツを着用することによって、姿勢補整用サポーター３２Ａが内側に縫付けられた姿勢補整用パンツを着用した場合と同様の作用効果が得られる。
【０３９９】
次に、本実施の形態４の第４変形例にかかる姿勢補整用下着としての姿勢補整用ロングガードル７３について、図２６を参照して説明する。
【０４００】
図２６（ａ）に示されるように、本実施の形態４の第４変形例にかかる姿勢補整用下着としての姿勢補整用ロングガードル７３は、伸縮性を有する生地としてのパワーネットからなる下着本体としてのロングガードル本体７４を中心に構成されており、ロングガードル本体７４は脚部７４Ａ，７４Ｂを有する。ロングガードル本体７４の前面には開閉具としてのファスナー７４ｂ３が取付けられており、またロングガードル本体７４の股部には股下マチ布７４ａが縫付けられている。また、図２６（ｂ）に示されるように、ロングガードル本体７４の背面は後中心７４ＢＣにおいて縫付けられ、脚部７４Ａ，７４Ｂは後股切り替え線７４Ｃにおいて縫付けられている。
【０４０１】
そして、図２６（ｃ），（ｄ）に示されるように、姿勢補整用ロングガードル７３を裏返すと、ロングガードル本体７４の裏側には伸縮性を有する生地としてのパワーネットからなるヨーク部材７５が縫付けられており、そのヨーク部材７５の上（内側）と股下マチ布７４ａの上（裏側）とに伸縮性を有する生地としてのパワーネットからなる羽根部材５が縫付けられている。
【０４０２】
したがって、ロングガードル本体７４は、本発明における「着用者の股下に当接する股部を有する下着本体」に相当する。また、本実施の形態４の第４変形例にかかる姿勢補整用ロングガードル７３は、「下着本体と、下着本体の裏側に縫付けられたヨーク部材と、略Ｙ字形の伸縮性を有する生地からなる羽根部材とを具備する姿勢補整用下着」に相当し、下着本体７４及びヨーク部材７５が伸縮性を有する生地からなるものである。
【０４０３】
さらに、本実施の形態４の第４変形例にかかる姿勢補整用ロングガードル７３が取付けられた姿勢補整用パンツは、本発明における「姿勢補整用下着にはボトムズ本体に開閉具が設けられている位置に対応する位置に開閉具が設けられている姿勢補整用ボトムズ」に相当する。かかる構成を有する姿勢補整用ボトムズとしての姿勢補整用パンツにおいては、姿勢補整用下着としての姿勢補整用ロングガードル７３にも、ボトムズ本体としてのパンツ表地にファスナーが設けられている位置に対応する位置にファスナー７４ｂが設けられているため、穿いたり脱いだりする動作が通常のボトムズと同様にスムーズにできる。
【０４０４】
ヨーク部材７５は、二枚の左右対称のパワーネット生地が後中心ＢＣに対応する中心において縫付けられてなるが、ヨーク部材７５は中心においてはロングガードル本体７４には縫付けられておらず、ウエスト周りにおいてのみロングガードル本体７４に縫付けられており、ヨーク部材７５の裾部分もフリーになっているが、ヨーク部材７５の下端のみはステッチによってロングガードル本体７４に縫付けられている。
【０４０５】
一方、羽根部材５は、前述の如く二枚のパワーネット生地を袋縫いしてなり、図２６（ｄ）に示されるように、１対の分岐部分５ａ，５ｂの先端及びその周囲の部分がステッチ縫い５ｉによってヨーク部材７５の上（内側）に縫付けられており、また図２６（ｃ）に示されるように、分岐していない側５ｄの先端が股下マチ布７４ａの前部の上（下着本体の裏側の股部の前部）にステッチ縫い５ｈによって縫付けられている。
【０４０６】
したがって、羽根部材５は、ステッチ縫い５ｈによって分岐していない側５ｄの先端が股下マチ布７４ａの前部に縫付けられた部分と、ステッチ縫い５ｉによってヨーク部材７５に縫付けられた部分との間は縫付けられておらず、フリーの状態になっている。
【０４０７】
１対の分岐部分５ａ，５ｂの内側におけるステッチ縫い５ｉの縫い止まり点５ｋは、羽根部材５の分岐点５ｃから約７ｃｍ（６．０ｃｍ〜８．０ｃｍ）離れており、１対の分岐部分５ａ，５ｂの外側におけるステッチ縫い５ｉの縫い止まり点５ｋは、内側のステッチ縫い５ｉの縫い止まり点とほぼ対応する位置にあって、少なくとも着用者の肛門の位置ＨＣＰよりは上方にある。
【０４０８】
そして、図２６（ｄ）に示されるように、羽根部材５は、姿勢補整用ロングガードル７３を内側に縫付けた姿勢補整用パンツを着用したときに、着用者の肛門の位置ＨＣＰが１対の分岐部分５ａ，５ｂの間の分岐点５ｃの近傍（分岐点５ｃから約１．５ｃｍ（１．０ｃｍ〜２．０ｃｍ）離れた点）に位置するように縫付けられている。
【０４０９】
これによって、本実施の形態４の第４変形例にかかる姿勢補整用ロングガードル７３を内側に縫付けた姿勢補整用パンツを着用することによって、羽根部材５には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０４１０】
また、肛門が引き締められると着用者の臀部に生ずる小さい窪みを押えることによって、臀部が引き締まって小尻になるとともにヒップアップの効果が得られるが、本実施の形態４の第４変形例にかかる姿勢補整用ロングガードル７３においては、羽根部材５の１対の分岐部分５ａ，５ｂがこの小さい窪みの位置ＨＥＰを覆うように縫付けられているため、羽根部材５の引っ張り力によってこの小さい窪みが押えられ、臀部が引き締まって小尻になるとともにヒップアップの効果が得られる。
【０４１１】
次に、本実施の形態４の第５変形例にかかる姿勢補整用下着としての姿勢補整用ショートガードルについて、図２７を参照して説明する。
【０４１２】
図２７（ａ）に示されるように、本実施の形態４の第５変形例にかかる姿勢補整用下着としての姿勢補整用ショートガードル７６は、伸縮性を有する生地としてのパワーネットからなる下着本体としてのショートガードル本体７７を中心に構成されており、ショートガードル本体７７は、ロングガードル本体のような脚部を有していない。ショートガードル本体７７の股部には股下マチ布７７ａが縫付けられており、図２７（ｂ）に示されるように、ショートガードル本体７７の背面は後中心７７ＢＣにおいて縫付けられている。
【０４１３】
さらに、図２７（ａ）に示されるように、姿勢補整用ショートガードル７６の正面には、開閉具としてのファスナー７７ｂが取付けられている。そして、図２７（ｃ），（ｄ）に示されるように、姿勢補整用ショートガードル７６を裏返すと、ショートガードル本体７７の裏側には伸縮性を有する生地としてのパワーネットからなるヨーク部材７８が縫付けられており、そのヨーク部材７８の下（外側）と股下マチ布７７ａの上（外側）とに伸縮性を有する生地としてのパワーネットからなる羽根部材５が縫付けられている。
【０４１４】
したがって、ショートガードル本体７７は、本発明における「着用者の股下に当接する股部を有する下着本体」に相当する。また、本実施の形態４の第５変形例にかかる姿勢補整用ショートガードル７６は、「下着本体と、下着本体の裏側に縫付けられたヨーク部材と、略Ｙ字形の伸縮性を有する生地からなる羽根部材とを具備する姿勢補整用下着」に相当し、下着本体７７及びヨーク部材７８が伸縮性を有する生地からなるものである。
【０４１５】
さらに、本実施の形態４の第５変形例にかかる姿勢補整用ショートガードル７６が取付けられた姿勢補整用パンツは、本発明における「姿勢補整用下着にはボトムズ本体に開閉具が設けられている位置に対応する位置に開閉具が設けられている姿勢補整用ボトムズ」に相当する。かかる構成を有する姿勢補整用ボトムズとしての姿勢補整用パンツにおいては、姿勢補整用下着としての姿勢補整用ショートガードル７６にも、ボトムズ本体としてのパンツ表地にファスナーが設けられている位置に対応する位置にファスナー７７ｂが設けられているため、穿いたり脱いだりする動作が通常のボトムズと同様にスムーズにできる。
【０４１６】
また、羽根部材５は上述の如く二枚のパワーネット生地を袋縫いしてなるものであり、１対の分岐部分５ａ，５ｂの先端及びその周囲の部分がステッチ縫い５ｉによってヨーク部材７８の下（外側）のみに縫付けられており、羽根部材５の分岐していない側５ｄの先端５ｅが、ステッチ縫い５ｈによってショートガードル本体７７（股下マチ布７７ａの前部）に縫付けられている。
【０４１７】
したがって、羽根部材５は、ステッチ縫い５ｈによって分岐していない側５ｄの先端５ｅが股下マチ布７７ａの前部に縫付けられた部分と、ステッチ縫い５ｉによってヨーク部材７８の下に縫付けられた部分との間は縫付けられておらず、フリーの状態になっている。
【０４１８】
１対の分岐部分５ａ，５ｂの内側におけるステッチ縫い５ｉの縫い止まり点５ｋは、羽根部材５の分岐点５ｃから約７ｃｍ（６．０ｃｍ〜８．０ｃｍ）離れており、１対の分岐部分５ａ，５ｂの外側におけるステッチ縫い５ｉの縫い止まり点５ｋは、内側のステッチ縫い５ｉの縫い止まり点５ｋとほぼ対応する位置にあって、少なくとも着用者の肛門の位置ＨＣＰよりは上方にある。
【０４１９】
そして、図２７（ｄ）に示されるように、羽根部材５は、姿勢補整用ショートガードル７６を内側に縫付けた姿勢補整用パンツを着用したときに、着用者の肛門の位置ＨＣＰが１対の分岐部分５ａ，５ｂの間の分岐点５ｃの近傍（分岐点５ｃから約１．５ｃｍ（１．０ｃｍ〜２．０ｃｍ）離れた位置）にくるように縫付けられている。
【０４２０】
これによって、本実施の形態４の第５変形例にかかる姿勢補整用ショートガードル７６を内側に縫付けた姿勢補整用パンツを着用することによって、羽根部材５には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。また、肛門が引き締められると臀部に左右１対の笑窪様の小さい窪みが生じ、これらの小さい窪みの位置する点ＨＥＰが羽根部材５の１対の分岐部分５ａ，５ｂによって押えられるため、着用者の臀部が引き締まって小尻になるとともにヒップアップの効果が得られる。
【０４２１】
このようにして、本実施の形態４にかかる姿勢補整用下着としての姿勢補整用サポーター３２，３２Ａ，３２Ｂ，３２Ｃ，姿勢補整用ロングガードル７３，姿勢補整用ショートガードル７６が取付けられた姿勢補整用パンツ３０等においては、姿勢補整用サポーター３２，３２Ａ，３２Ｂ，３２Ｃ，姿勢補整用ロングガードル７３，姿勢補整用ショートガードル７６にも開閉具としてのファスナー３３ｂが取付けられているので着脱が容易であり、意識しなくても着用するだけで肛門が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られ、美しいプロポーションを得ることができる。
【０４２２】
なお、姿勢補整用下着の一部を開閉自在にして姿勢補整用ボトムズの着用を容易にする開閉具としては、姿勢補整用下着の分離部分に設けられるファスナーに限定されるものではなく、分離部分に複数のボタンとボタンホール、複数の１対ずつのドット釦、１対の接着布（マジックテープ（登録商標））、等を設けても良い。
【０４２３】
実施の形態５
次に、本発明の実施の形態５にかかる姿勢補整用ボトムズについて、図２８乃至図３３を参照して説明する。以下に説明する各実施の形態は、姿勢補整用ボトムズにおいて姿勢補整用下着をボトムズ本体に着脱可能としたものである。
【０４２４】
図２８（ａ）は本発明の実施の形態５にかかる姿勢補整用ボトムズとしての姿勢補整用パンツにおいて姿勢補整用下着をボトムズ本体としてのパンツの表地の裏側に着脱自在に接続するＺナップの構造を示す説明図、（ｂ）は姿勢補整用下着をボトムズ本体の裏側に装着した状態を示す斜視図である。図２９（ａ）は本発明の実施の形態５にかかる姿勢補整用下着としての姿勢補整用ロングガードルの全体構成を示す正面図、（ｂ）は背面図、（ｃ）は本発明の実施の形態５にかかる姿勢補整用ロングガードルを裏返した場合の全体構成を示す正面図、（ｄ）は背面図である。
【０４２５】
図３０（ａ）は本発明の実施の形態５の第１変形例にかかる姿勢補整用下着としての姿勢補整用ロングガードルの全体構成を示す正面図、（ｂ）は背面図、（ｃ）は本発明の実施の形態５の第１変形例にかかる姿勢補整用ロングガードルを裏返した場合の全体構成を示す正面図、（ｄ）は背面図である。図３１（ａ）は本発明の実施の形態５の第２変形例にかかる姿勢補整用下着としての姿勢補整用ショートガードルの全体構成を示す正面図、（ｂ）は背面図、（ｃ）は本発明の実施の形態５の第２変形例にかかる姿勢補整用ショートガードルを裏返した場合の全体構成を示す正面図、（ｄ）は背面図である。
【０４２６】
図３２（ａ）は本発明の実施の形態５の第３変形例にかかる姿勢補整用下着としての姿勢補整用ショーツガードルの全体構成を示す正面図、（ｂ）は背面図、（ｃ）は本発明の実施の形態５の第３変形例にかかる姿勢補整用ショーツガードルを裏返した場合の全体構成を示す正面図、（ｄ）は背面図である。図３３（ａ）は本発明の実施の形態５の第４変形例にかかる姿勢補整用下着としての姿勢補整用ショーツの全体構成を示す正面図、（ｂ）は背面図、（ｃ）は本発明の実施の形態５の第４変形例にかかる姿勢補整用ショーツを裏返した場合の全体構成を示す正面図、（ｄ）は背面図である。
【０４２７】
図２８（ｂ）に示されるように、本実施の形態５にかかる姿勢補整用ボトムズとしての姿勢補整用パンツ３５においては、姿勢補整用下着としての姿勢補整用ロングガードル４０がＺナップ３７によってボトムズ本体としてのパンツ表地１１の裏側（内側）に着脱可能に取付けられる。図２８（ａ）に示されるように、Ｚナップ３７は合成樹脂製の凸側３７Ａと凹側３７Ｂとからなり、凸側３７Ａの膨らんだ先端部３７ａを凹側３７Ｂの下面の穴（図示せず）から押し込むことによって、凸側３７Ａの膨らんだ先端部３７ａが凹側３７Ｂの側面の貫通穴３７ｂに嵌まり込んで接続されるものである。
【０４２８】
Ｚナップ３７の凸側３７Ａは、姿勢補整用下着としての姿勢補整用ロングガードル４０の上端部３８に取り付けられ、Ｚナップ３７の凹側３７Ｂは布地テープ３６に取り付けられて、布地テープ３６は、図２８（ｂ）に示されるように、パンツ表地１１のウエストベルト部１１ａの裏側に縫付けられる。
【０４２９】
そして、パンツ表地１１のファスナー１３を全開にして姿勢補整用ロングガードル４０をパンツ表地１１の中に入れ、Ｚナップ３７の凸側３７Ａを対応するＺナップ３７の凹側３７Ｂに嵌め込んで、パンツ表地１１の裏側に姿勢補整用ロングガードル４０が装着される。この状態で、着用者が姿勢補整用ボトムズ３５を穿いて、１つの鉤部を有する鉤構成体１１ｂと１つの受部を有する受構成体１１ｃからなる掛止金具によって、姿勢補整用ボトムズ３５の開閉部分が留められる。
【０４３０】
ここで、姿勢補整用下着としての姿勢補整用ロングガードル４０について、図２９を参照して詳細に説明する。
【０４３１】
図２９（ａ）に示されるように、本実施の形態５にかかる姿勢補整用下着としての姿勢補整用ロングガードル４０は、伸縮性を有する生地としてのパワーネットからなる下着本体としてのロングガードル本体４１を中心に構成されており、ロングガードル本体４１は脚部４１Ａ，４１Ｂを有する。ロングガードル本体４１の前面には装飾用のレース生地４２が縫付けられており、レース生地４２の下はパワーネットから構成されており、またロングガードル本体４１の股部には股下マチ布４３が縫付けられている。
【０４３２】
また、図２９（ｂ）に示されるように、ロングガードル本体４１の背面は後中心４１ＢＣにおいて縫付けられ、脚部４１Ａ，４１Ｂは後股切り替え線４１Ｃにおいて縫付けられている。そして、図２９（ａ），（ｂ）に示されるように、姿勢補整用ロングガードル４０のロングガードル本体４１の上端部３８には、ボトムズ本体としてのパンツ表地１１のウエストベルト部１１ａの裏側に縫付けられた布地テープ３６に取付けられた複数個のＺナップ３７の凹側３７Ｂの位置に対応するように、複数個のＺナップ３７の凸側３７Ａが取付けられている。
【０４３３】
さらに、図２９（ｃ），（ｄ）に示されるように、姿勢補整用ロングガードル４０を裏返すと、ロングガードル本体４１の裏側には伸縮性を有する生地としてのパワーネットからなるヨーク部材４４が縫付けられており、そのヨーク部材４４の上（内側）と股下マチ布４３の上（裏側）とに、前述した伸縮性を有する生地としてのパワーネットからなる羽根部材５が縫付けられている。
【０４３４】
したがって、ロングガードル本体４１は、本発明における「着用者の股下に当接する股部を有する下着本体」に相当する。また、本実施の形態５にかかる姿勢補整用ロングガードル４０は、「下着本体と、下着本体の裏側に縫付けられたヨーク部材と、略Ｙ字形の伸縮性を有する生地からなる羽根部材とを具備する姿勢補整用下着」に相当し、下着本体４１及びヨーク部材４４が伸縮性を有する生地からなるものである。
【０４３５】
さらに、姿勢補整用パンツ３５は、本発明における「着用者の股下に当接する股部を有する伸縮性を有する生地からなる下着本体と、下着本体の裏側の少なくとも臀部を覆うようにその縁に沿って下着本体の裏側に縫付けられた伸縮性を有する生地からなるヨーク部材と、１対の分岐部分を有する略Ｙ字形の伸縮性を有する生地からなる羽根部材とを具備する姿勢補整用下着がボトムズ本体の内側に取付けられた姿勢補整用ボトムズ」であり、「姿勢補整用下着がボトムズ本体の裏側に着脱可能に取付けられていることを特徴とする姿勢補整用ボトムズ」であり、「ボトムズ本体のウエストベルトの裏側にＺナップの凹側が複数個取付けられ、姿勢補整用下着の上端にＺナップの凸側が複数個取付けられて、ボトムズ本体のウエストベルトの裏側のＺナップの凹側が姿勢補整用下着の上端のＺナップの凸側と嵌合させられ或いは取外されることによって、姿勢補整用下着がボトムズ本体の裏側に着脱可能に取付けられている姿勢補整用ボトムズ」に相当する。
【０４３６】
なお、図２９（ｃ），（ｄ）において、ヨーク部材４４のみに網目模様のハッチングを施したのは、ロングガードル本体４１及び羽根部材５と区別し易くするためであり、網目模様の大きさはヨーク部材４４のパワーネットの網目の大きさを表すものではない（以下の各図においても同様である。）。
【０４３７】
ヨーク部材４４は、二枚の左右対称のパワーネット生地が後中心４１ＢＣに対応する中心４４ｃにおいて縫付けられてなるが、ヨーク部材４４は後中心４４ｃにおいてはロングガードル本体４１には縫付けられておらず、ウエスト周り４４ａ及びレース生地４２の裏側にあたるパワーネット生地４２ａとの境界線４４ｂにおいてのみロングガードル本体４１に縫付けられており、ヨーク部材４４の裾部分もフリーになっているが、ヨーク部材４４の下端のみはステッチ４４ｄによってロングガードル本体４１に縫付けられている。
【０４３８】
一方、羽根部材５は、前述したように、二枚のパワーネット生地を袋縫いしてなり、図２９（ｄ）に示されるように、羽根形状の１対の分岐部分５ａ，５ｂを有するものであり、１対の分岐部分５ａ，５ｂの先端及びその周囲の部分がステッチ縫い５ｉによってヨーク部材４４の上に縫付けられており、また図２９（ｃ）に示されるように、分岐していない側５ｄの先端が股下マチ布４３の前部の上（下着本体の裏側の股部の前部）にステッチ縫い５ｈによって縫付けられている。
【０４３９】
したがって、羽根部材５は、ステッチ縫い５ｈによって分岐していない側５ｄの先端が股下マチ布４３の前部に縫付けられた部分と、ステッチ縫い５ｉによってヨーク部材４４に縫付けられた部分との間は縫付けられておらず、フリーの状態になっている。
【０４４０】
１対の分岐部分５ａ，５ｂの内側におけるステッチ縫い５ｉの縫い止まり点は、羽根部材５の分岐点５ｃから約７ｃｍ（６．０ｃｍ〜８．０ｃｍ）離れており、１対の分岐部分５ａ，５ｂの外側におけるステッチ縫い５ｉの縫い止まり点は、内側のステッチ縫い５ｉの縫い止まり点とほぼ対応する位置にあって、少なくとも着用者の肛門の位置ＨＣＰよりは上方にある。
【０４４１】
そして、図２９（ｄ）に示されるように、羽根部材５は、姿勢補整用パンツ３５を着用したときに、着用者の肛門の位置ＨＣＰが１対の分岐部分５ａ，５ｂの間の分岐点５ｃの近傍（分岐点５ｃから約１．５ｃｍ（１．０ｃｍ〜２．０ｃｍ）離れた点）に位置するように縫付けられている。
【０４４２】
これによって、本実施の形態５にかかる姿勢補整用パンツ３５を着用することによって、羽根部材５には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０４４３】
また、肛門が引き締められると着用者の臀部に左右１対の笑窪様の小さい窪みが生ずるが、この小さい窪みを押えることによって臀部が引き締まって小尻になるとともにヒップアップの効果が得られる。本実施の形態５にかかる姿勢補整用パンツ３５においては、羽根部材５の１対の分岐部分５ａ，５ｂがこの小さい窪みの位置ＨＥＰを覆うように縫付けられているため、羽根部材５の引っ張り力によってこの小さい窪みが押えられ、臀部が引き締まって小尻になるとともにヒップアップの効果が得られる。
【０４４４】
このようにして、本実施の形態５にかかる姿勢補整用ボトムズとしての姿勢補整用パンツ３５においては、意識しなくても着用するだけで肛門が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られ、美しいプロポーションを得ることができる。
【０４４５】
さらに、Ｚナップ３７によって姿勢補整用下着４０をパンツ表地１１から着脱自在としたことによって、姿勢補整用下着４０を取外してパンツ表地１１単独でも着用することができるとともに、姿勢補整用下着４０のみまたはパンツ表地１１のみを洗濯またはクリーニングすることも可能となる。
【０４４６】
ここで、本実施の形態５の姿勢補整用ボトムズ３５においては、着脱具としてＺナップ３７を用いているが、Ｚナップ３７は極めて小型の樹脂製の着脱具で嵌合させた状態でも平坦なので、パンツ表地１１のウエストベルト部１１ａの厚さに埋もれてしまって肌を点状に圧迫することがなく、金属製の部品の冷感も与えない。したがって、肌に直接触れることがあったとしても、着用者は全く気にならず、長時間着用しても肌に跡が付くこともない。このようにして、パンツ表地１１の裏側に着脱可能であって、Ｚナップ３７が肌を刺激することもなく、快適に長時間着用することができる。
【０４４７】
次に、本実施の形態５の第１変形例にかかる姿勢補整用ボトムズに用いられる姿勢補整用下着としての姿勢補整用ロングガードル４５について、図３０を参照して詳細に説明する。
【０４４８】
図３０（ａ）に示されるように、本実施の形態５の第１変形例にかかる姿勢補整用下着としての姿勢補整用ロングガードル４５は、伸縮性を有する生地としてのパワーネットからなる下着本体としてのロングガードル本体４１を中心に構成されており、ロングガードル本体４１は脚部４１Ａ，４１Ｂを有する。ロングガードル本体４１の前面には装飾用のレース生地４２が縫付けられており、レース生地４２の下はパワーネットから構成されており、またロングガードル本体４１の股部には股下マチ布４３が縫付けられている。
【０４４９】
また、図３０（ｂ）に示されるように、ロングガードル本体４１の背面は後中心４１ＢＣにおいて縫付けられ、脚部４１Ａ，４１Ｂは後股切り替え線４１Ｃにおいて縫付けられている。そして、図３０（ａ），（ｂ）に示されるように、姿勢補整用ロングガードル４５のロングガードル本体４１の上端部３８には、ボトムズ本体としてのパンツ表地１１のウエストベルト部１１ａの裏側に縫付けられた布地テープ３６に取付けられた複数個のＺナップ３７の凹側３７Ｂの位置に対応するように、複数個のＺナップ３７の凸側３７Ａが取付けられている。
【０４５０】
さらに、図２９（ｃ），（ｄ）に示されるように、姿勢補整用ロングガードル４５を裏返すと、ロングガードル本体４１の裏側の臀部の上（内側）と股下マチ布４３の上（裏側）とに、前述した伸縮性を有する生地としてのパワーネットからなる羽根部材５が縫付けられている。
【０４５１】
したがって、ロングガードル本体４１は、本発明における「着用者の股下に当接する股部を有する下着本体」に相当する。また、本実施の形態５の第１変形例にかかる姿勢補整用ロングガードル４５は、「下着本体と、略Ｙ字形の伸縮性を有する生地からなる羽根部材とを具備する姿勢補整用下着」に相当し、下着本体４１が伸縮性を有する生地からなるものである。
【０４５２】
さらに、本実施の形態５の第１変形例にかかる姿勢補整用ロングガードル４５が取付けられた姿勢補整用パンツは、本発明における「着用者の股下に当接する股部を有する伸縮性を有する生地からなる下着本体と、１対の分岐部分を有する略Ｙ字形の伸縮性を有する生地からなる羽根部材とを具備する姿勢補整用下着がボトムズ本体の内側に取付けられた姿勢補整用ボトムズ」であり、「姿勢補整用下着がボトムズ本体の裏側に着脱可能に取付けられていることを特徴とする姿勢補整用ボトムズ」であり、「ボトムズ本体のウエストベルトの裏側にＺナップの凹側が複数個取付けられ、姿勢補整用下着の上端にＺナップの凸側が複数個取付けられて、ボトムズ本体のウエストベルトの裏側のＺナップの凹側が姿勢補整用下着の上端のＺナップの凸側と嵌合させられ或いは取外されることによって、姿勢補整用下着がボトムズ本体の裏側に着脱可能に取付けられている姿勢補整用ボトムズ」に相当する。
【０４５３】
羽根部材５は、前述したように、二枚のパワーネット生地を袋縫いしてなり、図３０（ｄ）に示されるように、羽根形状の１対の分岐部分５ａ，５ｂを有するものであり、１対の分岐部分５ａ，５ｂの先端及びその周囲の部分がステッチ縫い５ｉによってロングガードル本体４１の臀部の上に直接縫付けられており、また図３０（ｃ）に示されるように、分岐していない側５ｄの先端が股下マチ布４３の前部の上（下着本体の裏側の股部の前部）にステッチ縫い５ｈによって縫付けられている。
【０４５４】
したがって、羽根部材５は、ステッチ縫い５ｈによって分岐していない側５ｄの先端が股下マチ布４３の前部に縫付けられた部分と、ステッチ縫い５ｉによってロングガードル本体４１の臀部の上に直接縫付けられた部分との間は縫付けられておらず、フリーの状態になっている。
【０４５５】
１対の分岐部分５ａ，５ｂの内側におけるステッチ縫い５ｉの縫い止まり点は、羽根部材５の分岐点５ｃから約７ｃｍ（６．０ｃｍ〜８．０ｃｍ）離れており、１対の分岐部分５ａ，５ｂの外側におけるステッチ縫い５ｉの縫い止まり点は、内側のステッチ縫い５ｉの縫い止まり点とほぼ対応する位置にあって、少なくとも着用者の肛門の位置ＨＣＰよりは上方にある。
【０４５６】
そして、図３０（ｄ）に示されるように、羽根部材５は、姿勢補整用ロングガードル４５が取付けられた姿勢補整用パンツを着用したときに、着用者の肛門の位置ＨＣＰが１対の分岐部分５ａ，５ｂの間の分岐点５ｃの近傍（分岐点５ｃから約１．５ｃｍ（１．０ｃｍ〜２．０ｃｍ）離れた点）に位置するように縫付けられている。
【０４５７】
これによって、本実施の形態５の第１変形例にかかる姿勢補整用ボトムズとしての姿勢補整用パンツを着用することによって、羽根部材５には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０４５８】
また、肛門が引き締められると着用者の臀部に左右１対の笑窪様の小さい窪みが生ずるが、この小さい窪みを押えることによって臀部が引き締まって小尻になるとともにヒップアップの効果が得られる。本実施の形態５の第１変形例にかかる姿勢補整用下着４５においては、羽根部材５の１対の分岐部分５ａ，５ｂがこの小さい窪みの位置ＨＥＰを覆うように縫付けられているため、羽根部材５の引っ張り力によってこの小さい窪みが押えられ、臀部が引き締まって小尻になるとともにヒップアップの効果が得られる。
【０４５９】
このようにして、本実施の形態５の第１変形例にかかる姿勢補整用下着４５が取付けられた姿勢補整用ボトムズにおいては、意識しなくても着用するだけで肛門が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られ、美しいプロポーションを得ることができる。
【０４６０】
さらに、Ｚナップ３７によって姿勢補整用下着４５をパンツ表地１１から着脱自在としたことによって、姿勢補整用下着４５を取外してパンツ表地１１単独でも着用することができるとともに、姿勢補整用下着４５のみまたはパンツ表地１１のみを洗濯またはクリーニングすることも可能となる。
【０４６１】
次に、本発明の実施の形態５の第２変形例にかかる姿勢補整用下着としての姿勢補整用ショートガードルについて、図３１を参照して詳細に説明する。
【０４６２】
図３１（ａ）に示されるように、本実施の形態５の第２変形例にかかる姿勢補整用下着としての姿勢補整用ショートガードル４７は、伸縮性を有する生地としてのパワーネットからなる下着本体としてのショートガードル本体４８を中心に構成されており、ショートガードル本体４８は、ロングガードル本体のような脚部を有していない。ショートガードル本体４８の股部には股下マチ布４９が縫付けられており、図３１（ｂ）に示されるように、ショートガードル本体４８の背面は後中心４８ＢＣにおいて縫付けられている。
【０４６３】
そして、図３１（ａ），（ｂ）に示されるように、姿勢補整用ショートガードル４７のショートガードル本体４８の上端部３８には、ボトムズ本体としてのパンツ表地１１のウエストベルト部１１ａの裏側に縫付けられた布地テープ３６に取付けられた複数個のＺナップ３７の凹側３７Ｂの位置に対応するように、複数個のＺナップ３７の凸側３７Ａが取付けられている。
【０４６４】
さらに、図３１（ｃ），（ｄ）に示されるように、姿勢補整用ショートガードル４７を裏返すと、ショートガードル本体４８の裏側には伸縮性を有する生地としてのパワーネットからなるヨーク部材５０が縫付けられており、そのヨーク部材５０の下（外側）と股下マチ布４９の上（裏側）とに伸縮性を有する生地としてのパワーネットからなる羽根部材５が縫付けられている。
【０４６５】
したがって、ショートガードル本体４８は、本発明における「着用者の股下に当接する股部を有する下着本体」に相当する。また、本実施の形態５の第２変形例にかかる姿勢補整用ショートガードル４７は、「下着本体と、下着本体の裏側に縫付けられたヨーク部材と、略Ｙ字形の伸縮性を有する生地からなる羽根部材とを具備する姿勢補整用下着」に相当し、下着本体４８及びヨーク部材５０が伸縮性を有する生地からなるものである。
【０４６６】
また、本実施の形態５の第２変形例にかかる姿勢補整用ショートガードル４７が取付けられた姿勢補整用ボトムズは、本発明における「着用者の股下に当接する股部を有する伸縮性を有する生地からなる下着本体と、下着本体の裏側に縫付けられたヨーク部材と、１対の分岐部分を有する略Ｙ字形の伸縮性を有する生地からなる羽根部材とを具備する姿勢補整用下着がボトムズ本体の内側に取付けられた姿勢補整用ボトムズ」であり、「姿勢補整用下着がボトムズ本体の裏側に着脱可能に取付けられていることを特徴とする姿勢補整用ボトムズ」であり、「ボトムズ本体のウエストベルトの裏側にＺナップの凹側が複数個取付けられ、姿勢補整用下着の上端にＺナップの凸側が複数個取付けられて、ボトムズ本体のウエストベルトの裏側のＺナップの凹側が姿勢補整用下着の上端のＺナップの凸側と嵌合させられ或いは取外されることによって、姿勢補整用下着がボトムズ本体の裏側に着脱可能に取付けられている姿勢補整用ボトムズ」に相当する。
【０４６７】
また、羽根部材５は前述の如く二枚のパワーネット生地を袋縫いしてなるものであり、１対の分岐部分５ａ，５ｂの先端及びその周囲の部分がステッチ縫い５ｉによってヨーク部材５０の下（姿勢補整用ショートガードル４７を着用したときには外側）のみに縫付けられており、羽根部材５の分岐していない側５ｄの先端５ｅが、ステッチ縫い５ｈによってショートガードル本体４８（股下マチ布４９の前部）に縫付けられている。
【０４６８】
したがって、羽根部材５は、ステッチ縫い５ｈによって分岐していない側５ｄの先端５ｅが股下マチ布４９の前部に縫付けられた部分と、ステッチ縫い５ｉによってヨーク部材５０の下に縫付けられた部分との間は縫付けられておらず、フリーの状態になっている。
【０４６９】
１対の分岐部分５ａ，５ｂの内側におけるステッチ縫い５ｉの縫い止まり点は、羽根部材５の分岐点５ｃから約７ｃｍ（６．０ｃｍ〜８．０ｃｍ）離れており、１対の分岐部分５ａ，５ｂの外側におけるステッチ縫い５ｉの縫い止まり点は、内側のステッチ縫い５ｉの縫い止まり点とほぼ対応する位置にあって、少なくとも着用者の肛門の位置ＨＣＰよりは上方にある。
【０４７０】
そして、図３１（ｄ）に示されるように、羽根部材５は、姿勢補整用ショートガードル４７を着用したときに、着用者の肛門の位置ＨＣＰが１対の分岐部分５ａ，５ｂの間の分岐点５ｃの近傍（分岐点５ｃから約１．５ｃｍ（１．０ｃｍ〜２．０ｃｍ）離れた位置）にくるように縫付けられている。
【０４７１】
これによって、本実施の形態５の第２変形例にかかる姿勢補整用ボトムズとしての姿勢補整用パンツを着用することによって、羽根部材５には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０４７２】
また、肛門が引き締められると着用者の臀部に生ずる小さい窪みを押えることによって、臀部が引き締まって小尻になるとともにヒップアップの効果が得られるが、本実施の形態５の第２変形例にかかる姿勢補整用下着４７においては、羽根部材５の１対の分岐部分５ａ，５ｂがこの小さい窪みの位置ＨＥＰを覆うように縫付けられているため、羽根部材５の引っ張り力によってこの小さい窪みが押えられ、臀部が引き締まって小尻になるとともにヒップアップの効果が得られる。
【０４７３】
このようにして、本実施の形態５の第２変形例にかかる姿勢補整用下着としての姿勢補整用ショートガードル４７が取付けられた姿勢補整用ボトムズにおいては、意識しなくても着用するだけで肛門が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られ、美しいプロポーションを得ることができる。
【０４７４】
さらに、Ｚナップ３７によって姿勢補整用ショートガードル４７をパンツ表地１１から着脱自在としたことによって、姿勢補整用ショートガードル４７を取外してパンツ表地１１単独でも着用することができるとともに、姿勢補整用ショートガードル４７のみまたはパンツ表地１１のみを洗濯またはクリーニングすることも可能となる。
【０４７５】
次に、本発明の実施の形態５の第３変形例にかかる姿勢補整用下着としての姿勢補整用ショーツガードルについて、図３２を参照して詳細に説明する。
【０４７６】
図３２（ａ）に示されるように、本実施の形態５の第３変形例にかかる姿勢補整用下着としての姿勢補整用ショーツガードル５１は、伸縮性を有する生地としてのパワーネットからなる下着本体としてのショーツガードル本体５２を中心に構成されており、ショーツガードル本体５２は、ショーツにガードルとしての機能を持たせたものである。ショーツガードル本体５２の股部には、股下マチ布５３が縫付けられている。
【０４７７】
そして、図３２（ａ），（ｂ）に示されるように、姿勢補整用ショーツガードル５１のショーツガードル本体５２の上端部３８には、ボトムズ本体としてのパンツ表地１１のウエストベルト部１１ａの裏側に縫付けられた布地テープ３６に取付けられた複数個のＺナップ３７の凹側３７Ｂの位置に対応するように、複数個のＺナップ３７の凸側３７Ａが取付けられている。
【０４７８】
さらに、図３２（ｃ），（ｄ）に示されるように、姿勢補整用ショーツガードル５１を裏返すと、ショーツガードル本体５２の裏側には伸縮性を有する生地としてのパワーネットからなるヨーク部材５４が縫付けられており、そのヨーク部材５４の下（外側）と股下マチ布５３の上（裏側）とに伸縮性を有する生地としてのパワーネットからなる羽根部材５が縫付けられている。
【０４７９】
したがって、ショーツガードル本体５２は、本発明における「着用者の股下に当接する股部を有する下着本体」に相当する。また、本実施の形態５の第３変形例にかかる姿勢補整用ショーツガードル５１は、「下着本体と、下着本体の裏側に縫付けられたヨーク部材と、略Ｙ字形の伸縮性を有する生地からなる羽根部材とを具備する姿勢補整用下着」に相当し、下着本体５２及びヨーク部材５４が伸縮性を有する生地からなるものである。
【０４８０】
また、本実施の形態５の第３変形例にかかる姿勢補整用ショーツガードル５１が取付けられた姿勢補整用ボトムズは、本発明における「着用者の股下に当接する股部を有する伸縮性を有する生地からなる下着本体と、下着本体の裏側に縫付けられたヨーク部材と、１対の分岐部分を有する略Ｙ字形の伸縮性を有する生地からなる羽根部材とを具備する姿勢補整用下着がボトムズ本体の内側に取付けられた姿勢補整用ボトムズ」であり、「姿勢補整用下着がボトムズ本体の裏側に着脱可能に取付けられていることを特徴とする姿勢補整用ボトムズ」であり、「ボトムズ本体のウエストベルトの裏側にＺナップの凹側が複数個取付けられ、姿勢補整用下着の上端にＺナップの凸側が複数個取付けられて、ボトムズ本体のウエストベルトの裏側のＺナップの凹側が姿勢補整用下着の上端のＺナップの凸側と嵌合させられ或いは取外されることによって、姿勢補整用下着がボトムズ本体の裏側に着脱可能に取付けられている姿勢補整用ボトムズ」に相当する。
【０４８１】
また、羽根部材５は前述の如く二枚のパワーネット生地を袋縫いしてなるものであり、１対の分岐部分５ａ，５ｂの先端及びその周囲の部分がステッチ縫い５ｉによってヨーク部材５４の下（姿勢補整用ショーツガードル５１を着用したときには外側）のみに縫付けられており、羽根部材５の分岐していない側５ｄの先端５ｅが、ステッチ縫い５ｈによってショーツガードル本体５２（股下マチ布５３の前部）に縫付けられている。
【０４８２】
したがって、羽根部材５は、ステッチ縫い５ｈによって分岐していない側５ｄの先端５ｅが股下マチ布５３の前部に縫付けられた部分と、ステッチ縫い５ｉによってヨーク部材５４の下に縫付けられた部分との間は縫付けられておらず、フリーの状態になっている。
【０４８３】
１対の分岐部分５ａ，５ｂの内側におけるステッチ縫い５ｉの縫い止まり点は、羽根部材５の分岐点５ｃから約７ｃｍ（６．０ｃｍ〜８．０ｃｍ）離れており、１対の分岐部分５ａ，５ｂの外側におけるステッチ縫い５ｉの縫い止まり点は、内側のステッチ縫い５ｉの縫い止まり点とほぼ対応する位置にあって、少なくとも着用者の肛門の位置ＨＣＰよりは上方にある。
【０４８４】
そして、図３２（ｄ）に示されるように、羽根部材５は、姿勢補整用ショーツガードル５１を着用したときに、着用者の肛門の位置ＨＣＰが１対の分岐部分５ａ，５ｂの間の分岐点５ｃの近傍（分岐点５ｃから約１．５ｃｍ（１．０ｃｍ〜２．０ｃｍ）離れた位置）にくるように縫付けられている。
【０４８５】
これによって、本実施の形態５の第３変形例にかかる姿勢補整用ボトムズとしての姿勢補整用パンツを着用することによって、羽根部材５には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０４８６】
また、肛門が引き締められると着用者の臀部に生ずる小さい窪みを押えることによって、臀部が引き締まって小尻になるとともにヒップアップの効果が得られるが、本実施の形態５の第３変形例にかかる姿勢補整用下着５１においては、羽根部材５の１対の分岐部分５ａ，５ｂがこの小さい窪みの位置ＨＥＰを覆うように縫付けられているため、羽根部材５の引っ張り力によってこの小さい窪みが押えられ、臀部が引き締まって小尻になるとともにヒップアップの効果が得られる。
【０４８７】
このようにして、本実施の形態５の第３変形例にかかる姿勢補整用下着としての姿勢補整用ショーツガードル５１が取付けられた姿勢補整用ボトムズにおいては、意識しなくても着用するだけで肛門が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られ、美しいプロポーションを得ることができる。
【０４８８】
さらに、Ｚナップ３７によって姿勢補整用ショーツガードル５１をパンツ表地１１から着脱自在としたことによって、姿勢補整用ショーツガードル５１を取外してパンツ表地１１単独でも着用することができるとともに、姿勢補整用ショーツガードル５１のみまたはパンツ表地１１のみを洗濯またはクリーニングすることも可能となる。
【０４８９】
次に、本発明の実施の形態５の第４変形例にかかる姿勢補整用下着としての姿勢補整用ショーツについて、図３３を参照して詳細に説明する。
【０４９０】
図３３（ａ）に示されるように、本実施の形態５の第４変形例にかかる姿勢補整用下着としての姿勢補整用ショーツ５５は、伸縮性を有する生地としてのパワーネットからなる下着本体としてのショーツ本体５６を中心に構成されており、ショーツ本体５６の股部には、股下マチ布５７が縫付けられている。
【０４９１】
そして、図３３（ａ），（ｂ）に示されるように、姿勢補整用ショーツ５５のショーツ本体５６の上端部３８には、ボトムズ本体としてのパンツ表地１１のウエストベルト部１１ａの裏側に縫付けられた布地テープ３６に取付けられた複数個のＺナップ３７の凹側３７Ｂの位置に対応するように、複数個のＺナップ３７の凸側３７Ａが取付けられている。
【０４９２】
さらに、図３３（ｃ），（ｄ）に示されるように、姿勢補整用ショーツ５５を裏返すと、ショーツ本体５６の裏側には伸縮性を有する生地としてのパワーネットからなるヨーク部材５８が縫付けられており、そのヨーク部材５８の下（外側）と股下マチ布５７の上（裏側）とに伸縮性を有する生地としてのパワーネットからなる羽根部材５が縫付けられている。
【０４９３】
したがって、ショーツ本体５６は、本発明における「着用者の股下に当接する股部を有する下着本体」に相当する。また、本実施の形態５の第４変形例にかかる姿勢補整用ショーツ５５は、「下着本体と、下着本体の裏側に縫付けられたヨーク部材と、略Ｙ字形の伸縮性を有する生地からなる羽根部材とを具備する姿勢補整用下着」に相当し、下着本体５６及びヨーク部材５８が伸縮性を有する生地からなるものである。
【０４９４】
また、本実施の形態５の第４変形例にかかる姿勢補整用ショーツ５５が取付けられた姿勢補整用ボトムズは、本発明における「着用者の股下に当接する股部を有する伸縮性を有する生地からなる下着本体と、下着本体の裏側に縫付けられたヨーク部材と、１対の分岐部分を有する略Ｙ字形の伸縮性を有する生地からなる羽根部材とを具備する姿勢補整用下着がボトムズ本体の内側に取付けられた姿勢補整用ボトムズ」であり、「姿勢補整用下着がボトムズ本体の裏側に着脱可能に取付けられていることを特徴とする姿勢補整用ボトムズ」であり、「ボトムズ本体のウエストベルトの裏側にＺナップの凹側が複数個取付けられ、姿勢補整用下着の上端にＺナップの凸側が複数個取付けられて、ボトムズ本体のウエストベルトの裏側のＺナップの凹側が姿勢補整用下着の上端のＺナップの凸側と嵌合させられ或いは取外されることによって、姿勢補整用下着がボトムズ本体の裏側に着脱可能に取付けられている姿勢補整用ボトムズ」に相当する。
【０４９５】
また、羽根部材５は前述の如く二枚のパワーネット生地を袋縫いしてなるものであり、１対の分岐部分５ａ，５ｂの先端及びその周囲の部分がステッチ縫い５ｉによってヨーク部材５８の下（姿勢補整用ショーツ５５を着用したときには外側）のみに縫付けられており、羽根部材５の分岐していない側５ｄの先端５ｅが、ステッチ縫い５ｈによってショーツ本体５６（股下マチ布５７の前部）に縫付けられている。
【０４９６】
したがって、羽根部材５は、ステッチ縫い５ｈによって分岐していない側５ｄの先端５ｅが股下マチ布５７の前部に縫付けられた部分と、ステッチ縫い５ｉによってヨーク部材５８の下に縫付けられた部分との間は縫付けられておらず、フリーの状態になっている。
【０４９７】
１対の分岐部分５ａ，５ｂの内側におけるステッチ縫い５ｉの縫い止まり点は、羽根部材５の分岐点５ｃから約７ｃｍ（６．０ｃｍ〜８．０ｃｍ）離れており、１対の分岐部分５ａ，５ｂの外側におけるステッチ縫い５ｉの縫い止まり点は、内側のステッチ縫い５ｉの縫い止まり点とほぼ対応する位置にあって、少なくとも着用者の肛門の位置ＨＣＰよりは上方にある。
【０４９８】
そして、図３３（ｄ）に示されるように、羽根部材５は、姿勢補整用ショーツ５５を着用したときに、着用者の肛門の位置ＨＣＰが１対の分岐部分５ａ，５ｂの間の分岐点５ｃの近傍（分岐点５ｃから約１．５ｃｍ（１．０ｃｍ〜２．０ｃｍ）離れた位置）にくるように縫付けられている。
【０４９９】
これによって、本実施の形態５の第４変形例にかかる姿勢補整用ボトムズとしての姿勢補整用パンツを着用することによって、羽根部材５には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０５００】
また、肛門が引き締められると着用者の臀部に生ずる小さい窪みを押えることによって、臀部が引き締まって小尻になるとともにヒップアップの効果が得られるが、本実施の形態５の第４変形例にかかる姿勢補整用下着５５においては、羽根部材５の１対の分岐部分５ａ，５ｂがこの小さい窪みの位置ＨＥＰを覆うように縫付けられているため、羽根部材５の引っ張り力によってこの小さい窪みが押えられ、臀部が引き締まって小尻になるとともにヒップアップの効果が得られる。
【０５０１】
このようにして、本実施の形態５の第４変形例にかかる姿勢補整用下着としての姿勢補整用ショーツ５５が取付けられた姿勢補整用ボトムズにおいては、意識しなくても着用するだけで肛門が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られ、美しいプロポーションを得ることができる。
【０５０２】
さらに、Ｚナップ３７によって姿勢補整用ショーツ５５をパンツ表地１１から着脱自在としたことによって、姿勢補整用ショーツ５５を取外してパンツ表地１１単独でも着用することができるとともに、姿勢補整用ショーツ５５のみまたはパンツ表地１１のみを洗濯またはクリーニングすることも可能となる。
【０５０３】
実施の形態６
次に、本発明の実施の形態６にかかる姿勢補整用下着としての姿勢補整用ロングガードルについて、図３４を参照して説明する。
【０５０４】
図３４（ａ）は本発明の実施の形態６にかかる姿勢補整用ボトムズに取付けられる姿勢補整用下着としての姿勢補整用ロングガードルの全体構成を示す正面図、（ｂ）は背面図、（ｃ）は本発明の実施の形態６にかかる姿勢補整用ロングガードルを裏返した場合の全体構成を示す正面図、（ｄ）は背面図、（ｅ）は本発明の実施の形態６にかかる姿勢補整用ロングガードルの股下部分の内部構造を示す部分拡大図である。
【０５０５】
なお、本実施の形態６にかかる姿勢補整用ロングガードルの構成は、一部を除いて上記実施の形態５の第１変形例にかかる姿勢補整用下着としての姿勢補整用ロングガードル４５と同様であるため、同一部分には図３０と同一の符号を付して、一部説明を省略する。
【０５０６】
図３４（ａ）に示されるように、本実施の形態６にかかる姿勢補整用下着としての姿勢補整用ロングガードル１０３は、伸縮性を有する生地としてのパワーネットからなる下着本体としてのロングガードル本体４１を中心に構成されており、ロングガードル本体４１は脚部４１Ａ，４１Ｂを有する。また、図３４（ｂ）に示されるように、ロングガードル本体４１の背面は後中心４１ＢＣにおいて縫付けられ、脚部４１Ａ，４１Ｂは後股切り替え線４１Ｃにおいて縫付けられている。
【０５０７】
さらに、図３４（ｃ），（ｄ）に示されるように、姿勢補整用ロングガードル１０３を裏返すと、ロングガードル本体４１の裏側には伸縮性を有する生地としてのパワーネットからなる羽根部材５が、ロングガードル本体４１に直接縫付けられている。そして、羽根部材５は、ロングガードル本体４１の股部の裏側に取付けられた股下当て布１０４の中を潜って、ロングガードル本体４１に縫付けられている。
【０５０８】
そして、図３４（ａ），（ｂ）に示されるように、姿勢補整用ロングガードル１０３のロングガードル本体４１の上端部３８には、図２４に示されるボトムズ本体としてのパンツ表地１１のウエストベルト部１１ａの裏側に縫付けられた布地テープ３６に取付けられた複数個のＺナップ３７の凹側３７Ｂの位置に対応するように、複数個のＺナップ３７の凸側３７Ａが取付けられている。
【０５０９】
したがって、ロングガードル本体４１は、本発明における「着用者の股下に当接する股部を有する下着本体」に相当する。また、本実施の形態６にかかる姿勢補整用ロングガードル１０３は、「下着本体と、１対の分岐部分を有する略Ｙ字形の伸縮性を有する生地からなる羽根部材とを具備する姿勢補整用下着」に相当し、さらに「羽根部材は下着本体の股部の裏側に取付けられた股下当て布と下着本体の股部との間を潜って取付けられている姿勢補整用下着」に相当し、下着本体４１が伸縮性を有する生地からなるものである。
【０５１０】
また、本実施の形態６にかかる姿勢補整用ロングガードル１０３が取付けられた姿勢補整用ボトムズは、本発明における「着用者の股下に当接する股部を有する伸縮性を有する生地からなる下着本体と、１対の分岐部分を有する略Ｙ字形の伸縮性を有する生地からなる羽根部材とを具備する姿勢補整用下着がボトムズ本体の内側に取付けられた姿勢補整用ボトムズ」であり、「姿勢補整用下着がボトムズ本体の裏側に着脱可能に取付けられていることを特徴とする姿勢補整用ボトムズ」であり、「ボトムズ本体のウエストベルトの裏側にＺナップの凹側が複数個取付けられ、姿勢補整用下着の上端にＺナップの凸側が複数個取付けられて、ボトムズ本体のウエストベルトの裏側のＺナップの凹側が姿勢補整用下着の上端のＺナップの凸側と嵌合させられ或いは取外されることによって、姿勢補整用下着がボトムズ本体の裏側に着脱可能に取付けられている姿勢補整用ボトムズ」に相当する。
【０５１１】
即ち、図３４（ｄ）に示されるように、前述したように二枚のパワーネット生地を袋縫いしてなる羽根部材５は、１対の分岐部分５ａ，５ｂの先端及びその周囲の部分がステッチ縫い５ｉによってロングガードル本体４１の臀部裏側に直接縫付けられており、羽根部材５の分岐していない側５ｄの先端５ｅが、ステッチ縫い５ｈによってロングガードル本体４１の裏側（股下マチ布４３の前部）に縫付けられている。
【０５１２】
そして、図３４（ｅ）に示されるように、股下当て布１０４は、羽根部材５を縫付けずに羽根部材５を覆うように、その両縁がロングガードル本体４１の股部の裏側に、ステッチ縫い１０４ａによって縫付けられている。これによって、着用者の股部に羽根部材５が直接当接することが防止され、股下当て布１０４を介して当接するため、股下当て布１０４がクッションとなって穿き心地が向上し、長時間着用しても違和感を覚えることがなくなる。また、羽根部材５は股下当て布１０４の中で自由に伸縮することができる。
【０５１３】
したがって、羽根部材５は、ステッチ縫い５ｈによって分岐していない側５ｄの先端が股下マチ布４３の前部に縫付けられた部分と、ステッチ縫い５ｉによってロングガードル本体４１の臀部裏側に縫付けられた部分との間は縫付けられておらず、フリーの状態になっている。
【０５１４】
１対の分岐部分５ａ，５ｂの内側におけるステッチ縫い５ｉの縫い止まり点５ｋは、羽根部材５の分岐点５ｃから約７ｃｍ（６．５ｃｍ〜７．５ｃｍ）離れており、１対の分岐部分５ａ，５ｂの外側におけるステッチ縫い５ｉの縫い止まり点５ｋは、内側のステッチ縫い５ｉの縫い止まり点とほぼ対応する位置にあって、少なくとも着用者の肛門の位置ＨＣＰよりは上方にある。
【０５１５】
そして、図３４（ｄ）に示されるように、羽根部材５は、姿勢補整用ロングガードル１０３を着用したときに、着用者の肛門の位置ＨＣＰが１対の分岐部分５ａ，５ｂの間の分岐点５ｃの近傍（分岐点５ｃから約１．５ｃｍ（１．３ｃｍ〜１．７ｃｍ）離れた位置）にくるように縫付けられている。
【０５１６】
これによって、本実施の形態６にかかる姿勢補整用ロングガードル１０３を着用することによって、羽根部材５には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。また、肛門が引き締められると臀部に左右１対の笑窪様の小さい窪みが生じ、これらの小さい窪みの位置する点ＨＥＰが羽根部材５の１対の分岐部分５ａ，５ｂによって押えられるため、着用者の臀部が引き締まって小尻になるとともにヒップアップの効果が得られる。
【０５１７】
さらに、本実施の形態６にかかる姿勢補整用ロングガードル１０３においては、ヨーク部材を用いていないため、製造工程が短縮され、より低コストで製造できるという利点が得られる。
【０５１８】
なお、本実施の形態６にかかる姿勢補整用ロングガードル１０３においては、羽根部材５を用いた例について説明したが、羽根部材としては羽根部材５に限られず、先に説明した羽根部材５Ｂ，５Ｃ，５Ｄ，５Ｅ，５Ｆ，５Ｇ，５Ｈ，５Ｊ，５Ｋ，５Ｌ，５Ｍ，５Ｎ，５Ｐを始めとして、一対の分岐部分を有する略Ｙ字形のものであれば、これら以外にも様々な形状のものを用いることができる。
【０５１９】
また、羽根部材５Ｂ，５Ｃ，５Ｄ，５Ｅ，５Ｆ，５Ｇ，５Ｈ，５Ｊ，５Ｋ，５Ｌ，５Ｍについては、羽根部材５のように二枚の伸縮性を有する生地を袋縫いにしたものでも、羽根部材５Ｎのように一枚の伸縮性を有する生地の縁を裁ちかがり縫いしたものでも、羽根部材５Ｐのように袋縫いにして作製した左右対称の部分を中心接ぎ縫い５Ｐｇで接いでなるものでも良い。
【０５２０】
さらに、本実施の形態６にかかる姿勢補整用ロングガードル１０３においては、羽根部材５の分岐していない側５ｄの先端５ｅが、股下当て布１０４の外側においてステッチ縫い５ｈによって股下マチ布４３の前部に縫付けられた場合について説明したが、分岐していない側５ｄの先端５ｅが股下当て布１０４の内部においてステッチ縫い５ｈによって股下マチ布４３の前部に縫付けられていても良い。即ち、羽根部材５の分岐していない側５ｄの先端５ｅが、股下当て布１０４の下に隠れてしまっても構わない。
【０５２１】
このようにして、本実施の形態６にかかる姿勢補整用ロングガードル１０３を内側に取付けた姿勢補整用ボトムズにおいては、意識しなくても着用するだけで肛門が引き締められて正しい姿勢をとることができ、さらに着用して歩行するだけで正しい歩き方をすることができるとともに、小尻になってヒップアップの効果も得られて美しいプロポーションを得ることができ、また穿き心地も優れたものとなる。
【０５２２】
なお、本実施の形態６においては、伸縮性を有する生地としてパワーネットを使用した場合について説明したが、サテンネット（ストレッチサテン）、ストレッチレースを始めとして他の伸縮性を有する生地を用いても良い。また、ロングガードル本体４１と羽根部材５とをそれぞれ異なる種類の伸縮性を有する生地から作製しても良い。
【０５２３】
実施の形態７
次に、本発明の実施の形態７にかかる姿勢補整用ボトムズに取付けられる姿勢補整用下着としての姿勢補整用ショートガードルについて、図３５を参照して説明する。
【０５２４】
図３５（ａ）は本発明の実施の形態７にかかる姿勢補整用ボトムズに取付けられる姿勢補整用下着としての姿勢補整用ショートガードルの全体構成を示す正面図、（ｂ）は背面図、（ｃ）は本発明の実施の形態７にかかる姿勢補整用ショートガードルを裏返した場合の全体構成を示す正面図、（ｄ）は背面図、（ｅ）は本発明の実施の形態７にかかる姿勢補整用ショートガードルの股下部分の内部構造を示す部分拡大図である。
【０５２５】
なお、本実施の形態７にかかる姿勢補整用ショートガードルの構成は、一部を除いて上記実施の形態５の第２変形例にかかる図２７に示される姿勢補整用ショートガードル４７と同様であるため、同一部分には図２７と同一の符号を付して、一部説明を省略する。
【０５２６】
図３５（ａ）に示されるように、本実施の形態７にかかる姿勢補整用下着としての姿勢補整用ショートガードル１０５は、伸縮性を有する生地としてのパワーネットからなる下着本体としてのショートガードル本体４８を中心に構成されている。また、図３５（ｂ）に示されるように、ショートガードル本体４８の背面は後中心４８ＢＣにおいて縫付けられている。
【０５２７】
さらに、図３５（ｃ），（ｄ）に示されるように、姿勢補整用ショートガードル１０５を裏返すと、ショートガードル本体４８の裏側には伸縮性を有する生地としてのパワーネットからなるヨーク部材５０が縫付けられており、そのヨーク部材５０の下（外側）と股下マチ布４９の上（裏側）とに伸縮性を有する生地としてのパワーネットからなる羽根部材５が縫付けられている。そして、羽根部材５は、ショートガードル本体４８の股部の裏側に取付けられた股下当て布１０６の中を潜って、ショートガードル本体４８に縫付けられている。
【０５２８】
そして、図３５（ａ），（ｂ）に示されるように、姿勢補整用ショートガードル１０５のショートガードル本体４８の上端部３８には、図２４に示されるボトムズ本体としてのパンツ表地１１のウエストベルト部１１ａの裏側に縫付けられた布地テープ３６に取付けられた複数個のＺナップ３７の凹側３７Ｂの位置に対応するように、複数個のＺナップ３７の凸側３７Ａが取付けられている。
【０５２９】
したがって、ショートガードル本体４８は、本発明における「着用者の股下に当接する股部を有する下着本体」に相当する。また、本実施の形態７にかかる姿勢補整用ショートガードル１０５は、「下着本体と、下着本体の裏側に縫付けられたヨーク部材と、１対の分岐部分を有する略Ｙ字形の伸縮性を有する生地からなる羽根部材とを具備する姿勢補整用下着」に相当する。
【０５３０】
さらに、本実施の形態７にかかる姿勢補整用ショートガードル１０５は、「羽根部材が下着本体の股部の裏側に取付けられた股下当て布と下着本体の股部との間を潜って取付けられている姿勢補整用下着」に相当し、下着本体１６及びヨーク部材５０が伸縮性を有する生地からなるものである。
【０５３１】
そして、本実施の形態７にかかる姿勢補整用ショートガードル１０５が取付けられた姿勢補整用ボトムズは、本発明における「着用者の股下に当接する股部を有する伸縮性を有する生地からなる下着本体と、下着本体の裏側に縫付けられたヨーク部材と、１対の分岐部分を有する略Ｙ字形の伸縮性を有する生地からなる羽根部材とを具備する姿勢補整用下着がボトムズ本体の内側に取付けられた姿勢補整用ボトムズ」であり、「姿勢補整用下着がボトムズ本体の裏側に着脱可能に取付けられていることを特徴とする姿勢補整用ボトムズ」であり、「ボトムズ本体のウエストベルトの裏側にＺナップの凹側が複数個取付けられ、姿勢補整用下着の上端にＺナップの凸側が複数個取付けられて、ボトムズ本体のウエストベルトの裏側のＺナップの凹側が姿勢補整用下着の上端のＺナップの凸側と嵌合させられ或いは取外されることによって、姿勢補整用下着がボトムズ本体の裏側に着脱可能に取付けられている姿勢補整用ボトムズ」に相当する。
【０５３２】
羽根部材５は、前述の如く二枚のパワーネット生地を袋縫いしてなるものであり、１対の分岐部分５ａ，５ｂの先端及びその周囲の部分がステッチ縫い５ｉによってヨーク部材５０の下（姿勢補整用ショートガードル１０５を着用したときには外側）のみに縫付けられており、羽根部材５の分岐していない側５ｄの先端５ｅが、ステッチ縫い５ｈによってショートガードル本体４８（股下マチ布４９の前部）に縫付けられている。
【０５３３】
そして、図３５（ｅ）に示されるように、股下当て布１０６は、羽根部材５を縫付けずに羽根部材５を覆うように、その両縁がショートガードル本体４８の股部４９の裏側に、ステッチ縫い１０６ａによって縫付けられている。これによって、着用者の股部に羽根部材５が直接当接することが防止され、股下当て布１０６を介して当接するため、股下当て布１０６がクッションとなって穿き心地が向上し、長時間着用しても違和感を覚えることがなくなる。また、羽根部材５は股下当て布１０６の中で自由に伸縮することができる。
【０５３４】
したがって、羽根部材５は、ステッチ縫い５ｈによって分岐していない側５ｄの先端５ｅが股下マチ布４９の前部に縫付けられた部分と、ステッチ縫い５ｉによってショートガードル本体４８の臀部裏側に縫付けられた部分との間は縫付けられておらず、フリーの状態になっている。
【０５３５】
１対の分岐部分５ａ，５ｂの内側におけるステッチ縫い５ｉの縫い止まり点５ｋは、羽根部材５の分岐点５ｃから約７ｃｍ（６．５ｃｍ〜７．５ｃｍ）離れており、１対の分岐部分５ａ，５ｂの外側におけるステッチ縫い５ｉの縫い止まり点５ｋは、内側のステッチ縫い５ｉの縫い止まり点とほぼ対応する位置にあって、少なくとも着用者の肛門の位置ＨＣＰよりは上方にある。
【０５３６】
そして、図３５（ｄ）に示されるように、羽根部材５は、姿勢補整用ショートガードル１０５を着用したときに、着用者の肛門の位置ＨＣＰが１対の分岐部分５ａ，５ｂの間の分岐点５ｃの近傍（分岐点５ｃから約１．５ｃｍ（１．３ｃｍ〜１．７ｃｍ）離れた位置）にくるように縫付けられている。
【０５３７】
これによって、本実施の形態７にかかる姿勢補整用ショートガードル１０５が内側に取付けられた姿勢補整用ボトムズを着用することによって、羽根部材５には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。また、肛門が引き締められると臀部に左右１対の笑窪様の小さい窪みが生じ、これらの小さい窪みの位置する点ＨＥＰが羽根部材５の１対の分岐部分５ａ，５ｂによって押えられるため、着用者の臀部が引き締まって小尻になるとともにヒップアップの効果が得られる。
【０５３８】
さらに、本実施の形態７にかかる姿勢補整用ショートガードル１０５においては、羽根部材５の１対の分岐部分５ａ，５ｂがヨーク部材５０の下に縫付けられているため、着用するときに羽根部材５の１対の分岐部分５ａ，５ｂがヨーク部材５０を介して着用者に当接し、かつ羽根部材５の分岐していない側５ｄが股下当て布１０６を介して着用者の股下に当接するので、穿き心地が著しく向上するという利点が得られる。
【０５３９】
なお、本実施の形態７にかかる姿勢補整用ショートガードル１０５においては、羽根部材５を用いた例について説明したが、羽根部材としては羽根部材５に限られず、先に説明した羽根部材５Ｂ，５Ｃ，５Ｄ，５Ｅ，５Ｆ，５Ｇ，５Ｈ，５Ｊ，５Ｋ，５Ｌ，５Ｍ，５Ｎ，５Ｐを始めとして、一対の分岐部分を有する略Ｙ字形のものであれば、これら以外にも様々な形状のものを用いることができる。
【０５４０】
また、羽根部材５Ｂ，５Ｃ，５Ｄ，５Ｅ，５Ｆ，５Ｇ，５Ｈ，５Ｊ，５Ｋ，５Ｌ，５Ｍについては、羽根部材５のように二枚の伸縮性を有する生地を袋縫いにしたものでも、羽根部材５Ｎのように一枚の伸縮性を有する生地の縁を裁ちかがり縫いしたものでも、羽根部材５Ｐのように袋縫いにして作製した左右対称の部分を中心接ぎ縫い５Ｐｇで接いでなるものでも良い。
【０５４１】
さらに、本実施の形態７にかかる姿勢補整用ショートガードル１０５においては、羽根部材５の分岐していない側５ｄの先端５ｅが、股下当て布１０６の外側においてステッチ縫い５ｈによって股下マチ布４９の前部に縫付けられた場合について説明したが、分岐していない側５ｄの先端５ｅが股下当て布１０６の内部においてステッチ縫い５ｈによって股下マチ布４９の前部に縫付けられていても良い。即ち、羽根部材５の分岐していない側５ｄの先端５ｅが、股下当て布１０６の下に隠れてしまっても構わない。
【０５４２】
このようにして、本実施の形態７にかかる姿勢補整用ショートガードル１０５が内側に取付けられた姿勢補整用ボトムズにおいては、意識しなくても着用するだけで肛門が引き締められて正しい姿勢をとることができ、さらに着用して歩行するだけで正しい歩き方をすることができるとともに、小尻になってヒップアップの効果も得られて美しいプロポーションを得ることができ、また穿き心地も非常に優れたものとなる。
【０５４３】
なお、本実施の形態７においては、伸縮性を有する生地としてパワーネットを使用した場合について説明したが、サテンネット（ストレッチサテン）、ストレッチレースを始めとして他の伸縮性を有する生地を用いても良い。また、ショートガードル本体４８とヨーク部材５０と羽根部材５とをそれぞれ異なる種類の伸縮性を有する生地から作製しても良い。
【０５４４】
また、本実施の形態７においては、ヨーク部材５０が姿勢補整用ショートガードル１０５のショートガードル本体４８の裏側の背面のほぼ全体を覆っている例について説明したが、ヨーク部材５０はショートガードル本体４８の裏側の少なくとも臀部を覆うものであれば良く、ショートガードル本体４８の裏側の背面全体からさらに両脇部を巻いて前面の一部まで覆うものでも、ショートガードル本体４８の裏側の臀部のみ、または臀部及びその周辺を覆うものでも構わない。
【０５４５】
実施の形態８
次に、本発明の実施の形態８にかかる姿勢補整用下着としての姿勢補整用ショートガードルについて、図３６を参照して説明する。
【０５４６】
図３６（ａ）は本発明の実施の形態８にかかる姿勢補整用ボトムズに取付けられる姿勢補整用下着としての姿勢補整用ショートガードルの全体構成を示す正面図、（ｂ）は背面図、（ｃ）は本発明の実施の形態８にかかる姿勢補整用ショートガードルを裏返した場合の全体構成を示す正面図、（ｄ）は背面図、（ｅ）は本発明の実施の形態８にかかる姿勢補整用ショートガードルの股下部分の内部構造を示す部分拡大図である。
【０５４７】
図３６（ａ），（ｂ）に示されるように、本実施の形態８にかかる姿勢補整用下着としての姿勢補整用ショートガードル１１０は、伸縮性を有する生地としての綿９５％、ポリウレタン５％のポリウレタン混合生地からなる下着本体としてのショートガードル本体１１１を中心に構成されている。
【０５４８】
また、図３６（ｃ），（ｄ）に示されるように、姿勢補整用ショートガードル１１０を裏返すと、ショートガードル本体１１１の裏側には伸縮性を有する生地としてのパワーネットからなる羽根部材１１４が直接縫付けられている。ここで、羽根部材１１４は、分岐していない側９４ｄの端９４ｅが、ショートガードル本体１１１の裏側の前部の上端にステッチ縫い９４ｈによって縫付けられている。そして、羽根部材１１４は、ショートガードル本体１１１の股部の裏側に取付けられた伸縮性を有する生地としてのパワーネットからなる股下当て布１１３の中を潜って、ショートガードル本体１１１に縫付けられている。
【０５４９】
なお、股下当て布１１３を構成する生地は、パワーネット以外のトリコット、ニット生地、ポリウレタン混合生地、綿ストレッチ、スパンレックス、サテンネット、ストレッチレース等の伸縮性を有する生地でも、ポリエステル生地、アクリル生地を始めとする伸縮性を有しない生地でも良い。股下当て布１１３は、着用者の股部に当接するものなので、できるだけ肌触りが良く、弾力性を有するものが好ましい。
【０５５０】
そして、図３６（ａ），（ｂ）に示されるように、姿勢補整用ショートガードル１１０のショートガードル本体１１１の上端部３８には、図２４に示されるボトムズ本体としてのパンツ表地１１のウエストベルト部１１ａの裏側に縫付けられた布地テープ３６に取付けられた複数個のＺナップ３７の凹側３７Ｂの位置に対応するように、複数個のＺナップ３７の凸側３７Ａが取付けられている。
【０５５１】
したがって、ショートガードル本体１１１は、本発明における「着用者の股下に当接する股部を有する下着本体」に相当する。また、本実施の形態８にかかる姿勢補整用ショートガードル１１０は、「下着本体と、１対の分岐部分を有する略Ｙ字形の伸縮性を有する生地からなる羽根部材とを具備する姿勢補整用下着」に相当する。
【０５５２】
さらに、本実施の形態８にかかる姿勢補整用ショートガードル１１０は、「羽根部材の分岐していない側の先端が下着本体の裏側の前部の上端に縫付けられている姿勢補整用下着」に相当し、また「羽根部材が下着本体の股部の裏側に取付けられた股下当て布と下着本体の股部との間を潜って取付けられている姿勢補整用下着」に相当し、下着本体９１が伸縮性を有する生地からなるものである。
【０５５３】
そして、本実施の形態８にかかる姿勢補整用ショートガードル１１０が取付けられた姿勢補整用ボトムズは、本発明における「着用者の股下に当接する股部を有する伸縮性を有する生地からなる下着本体と、１対の分岐部分を有する略Ｙ字形の伸縮性を有する生地からなる羽根部材とを具備する姿勢補整用下着がボトムズ本体の内側に取付けられた姿勢補整用ボトムズ」であり、「姿勢補整用下着がボトムズ本体の裏側に着脱可能に取付けられていることを特徴とする姿勢補整用ボトムズ」であり、「ボトムズ本体のウエストベルトの裏側にＺナップの凹側が複数個取付けられ、姿勢補整用下着の上端にＺナップの凸側が複数個取付けられて、ボトムズ本体のウエストベルトの裏側のＺナップの凹側が姿勢補整用下着の上端のＺナップの凸側と嵌合させられ或いは取外されることによって、姿勢補整用下着がボトムズ本体の裏側に着脱可能に取付けられている姿勢補整用ボトムズ」に相当する。
【０５５４】
羽根部材１１４は、羽根部材５と同様に二枚のパワーネット生地を袋縫いしてなるものであり、１対の分岐部分１１４ａ，１１４ｂの先端及びその周囲の部分がステッチ縫い１１４ｉによってショートガードル本体１１１の臀部に縫付けられており、羽根部材１１４の分岐していない側１１４ｄの先端１１４ｅが、ステッチ縫い１１４ｈによってショートガードル本体１１１の裏側の前部の上端まで伸びて縫付けられている。
【０５５５】
これによって、伸縮性を有する生地としての二枚のパワーネット生地からなる羽根部材１１４の引っ張り力がより強力になって、肛門が効果的に締付けられるとともに、下腹部が羽根部材１１４によって押え付けられるので、下腹部が引っ込んでより美しいプロポーションを得ることができる。
【０５５６】
そして、図３６（ｅ）に示されるように、股下当て布１１３は、羽根部材１１４を縫付けずに羽根部材１１４を覆うように、その両縁がショートガードル本体１１１の股部の裏側に、ステッチ縫い１１３ａによって縫付けられている。これによって、着用者の股部に羽根部材１１４が直接当接することが防止され、股下当て布１１３を介して当接するため、股下当て布１１３がクッションとなって穿き心地が向上し、長時間着用しても違和感を覚えることがなくなる。また、羽根部材１１４は股下当て布１１３の中で自由に伸縮することができる。
【０５５７】
したがって、羽根部材１１４は、ステッチ縫い１１４ｈによって分岐していない側１１４ｄの先端１１４ｅがショートガードル本体１１１の裏側の前部の上端に縫付けられた部分と、ステッチ縫い１１４ｉによってショートガードル本体１１１の臀部裏側に縫付けられた部分との間は縫付けられておらず、フリーの状態になっている。
【０５５８】
１対の分岐部分１１４ａ，１１４ｂの内側におけるステッチ縫い１１４ｉの縫い止まり点１１４ｋは、羽根部材１１４の分岐点１１４ｃから約７ｃｍ（６．５ｃｍ〜７．５ｃｍ）離れており、１対の分岐部分１１４ａ，１１４ｂの外側におけるステッチ縫い１１４ｉの縫い止まり点１１４ｋは、内側のステッチ縫い１１４ｉの縫い止まり点とほぼ対応する位置にあって、少なくとも着用者の肛門の位置ＨＣＰよりは上方にある。
【０５５９】
そして、図３６（ｄ）に示されるように、羽根部材１１４は、姿勢補整用ショートガードル１１０が取付けられた姿勢補整用ボトムズを着用したときに、着用者の肛門の位置ＨＣＰが１対の分岐部分１１４ａ，１１４ｂの間の分岐点１１４ｃの近傍（分岐点１１４ｃから約１．５ｃｍ（１．３ｃｍ〜１．７ｃｍ）離れた位置）にくるように縫付けられている。
【０５６０】
これによって、本実施の形態８にかかる姿勢補整用ショートガードル１１０が取付けられた姿勢補整用ボトムズを着用することによって、羽根部材１１４には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０５６１】
また、肛門が引き締められると臀部に左右１対の笑窪様の小さい窪みが生じ、これらの小さい窪みの位置する点ＨＥＰがショートガードル本体１１１を介して羽根部材１１４の１対の分岐部分１１４ａ，１１４ｂによって押えられるため、着用者の臀部が引き締まって小尻になるとともにヒップアップの効果が得られる。さらに、本実施の形態８にかかる姿勢補整用ショートガードル１１０においては、羽根部材１１４の分岐していない側１１４ｄが股下当て布１１３を介して着用者の股下に当接するので、穿き心地が著しく向上するという利点が得られる。
【０５６２】
なお、羽根部材１１４については、羽根部材５のように二枚の伸縮性を有する生地を袋縫いにしたものでも、羽根部材５Ｎのように一枚の伸縮性を有する生地の縁を裁ちかがり縫いしたものでも、羽根部材５Ｐのように袋縫いにして作製した左右対称の部分を中心接ぎ縫い５Ｐｇで接いでなるものでも良い。
【０５６３】
このようにして、本実施の形態８にかかる姿勢補整用ショートガードル１１０が取付けられた姿勢補整用ボトムズにおいては、意識しなくても着用するだけで肛門がより強力に引き締められて正しい姿勢をとることができ、さらに着用して歩行するだけで正しい歩き方をすることができるとともに、小尻になってヒップアップの効果も得られて、さらに下腹部が引き締められるためより美しいプロポーションを得ることができ、また穿き心地も非常に優れたものとなる。
【０５６４】
なお、本実施の形態８においては、伸縮性を有する生地として、綿９５％、ポリウレタン５％のポリウレタン混合生地及びパワーネットを使用した場合について説明したが、サテンネット（ストレッチサテン）、ストレッチレースを始めとして他の伸縮性を有する生地を用いても良い。
【０５６５】
実施の形態９
次に、本発明の実施の形態９にかかる姿勢補整用下着としての姿勢補整用ショートガードルについて、図３７及び図３８を参照して説明する。
【０５６６】
図３７（ａ）は本発明の実施の形態９にかかる姿勢補整用ボトムズに取付けられる姿勢補整用下着としての姿勢補整用ショートガードルの全体構成を示す正面図、（ｂ）は背面図、（ｃ）は本発明の実施の形態９にかかる姿勢補整用ショートガードルを裏返した場合の全体構成を示す正面図、（ｄ）は背面図、（ｅ）は本発明の実施の形態９にかかる姿勢補整用ショートガードルの股下部分の内部構造を示す部分拡大図である。
【０５６７】
図３８（ａ）は本発明の実施の形態９の第１変形例にかかる姿勢補整用ショートガードルを裏返した場合の全体構成を示す正面図、（ｂ）は股下部分の内部構造を示す部分拡大図、（ｃ）は本発明の実施の形態９の第２変形例にかかる姿勢補整用ショートガードルを裏返した場合の全体構成を示す正面図、（ｄ）は本発明の実施の形態９の第３変形例にかかる姿勢補整用ショートガードルを裏返した場合の全体構成を示す正面図である。
【０５６８】
なお、本実施の形態９にかかる姿勢補整用ショートガードルの構成は、一部を除いて上記実施の形態８にかかる姿勢補整用ショートガードル１１０と同様であるため、同一の部分には同一の符号を付して、一部説明を省略する。
【０５６９】
図３７（ａ）に示されるように、本実施の形態９にかかる姿勢補整用下着としての姿勢補整用ショートガードル１１５は、伸縮性を有する生地としての綿９５％、ポリウレタン５％のポリウレタン混合生地からなる下着本体としてのショートガードル本体１１１を中心に構成されている。
【０５７０】
また、図３７（ｃ），（ｄ）に示されるように、姿勢補整用ショートガードル１１５を裏返すと、ショートガードル本体１１１の裏側には伸縮性を有する生地としてのパワーネットからなる羽根部材１１４Ａが直接縫付けられている。ここで、羽根部材１１４Ａは、分岐していない側９４Ａｄの端９４Ａｅが、ショートガードル本体１１１の裏側の前部の上端にステッチ縫い９４Ａｈによって縫付けられている。
【０５７１】
さらに、羽根部材１１４Ａは、ショートガードル本体１１１の股部の裏側に取付けられた股下当て布１１３の中を潜って、ショートガードル本体１１１に縫付けられている。そして、羽根部材１１４Ａには１対の枝部分１１４Ａｊが設けられており、羽根部材１１４Ａが股下当て布１１３を潜って取付けられる際に、１対の枝部分１１４Ａｊが股下当て布１１３の内部においてショートガードル本体１１１の股部の裏側及び股下当て布１１３に縫付けられている。
【０５７２】
そして、図３７（ａ），（ｂ）に示されるように、姿勢補整用ショートガードル１１５のショートガードル本体１１１の上端部３８には、図２４に示されるボトムズ本体としてのパンツ表地１１のウエストベルト部１１ａの裏側に縫付けられた布地テープ３６に取付けられた複数個のＺナップ３７の凹側３７Ｂの位置に対応するように、複数個のＺナップ３７の凸側３７Ａが取付けられている。
【０５７３】
したがって、ショートガードル本体１１１は、本発明における「着用者の股下に当接する股部を有する下着本体」に相当する。また、本実施の形態９にかかる姿勢補整用ショートガードル１１５は、「下着本体と、１対の分岐部分を有する略Ｙ字形の伸縮性を有する生地からなる羽根部材とを具備する姿勢補整用下着」に相当し、「羽根部材の分岐していない側の先端が下着本体の裏側の前部の上端に縫付けられている姿勢補整用下着」に相当する。
【０５７４】
さらに、本実施の形態９にかかる姿勢補整用ショートガードル１１５は、「羽根部材が下着本体の股部の裏側に取付けられた股下当て布と下着本体の股部との間を潜って取付けられている姿勢補整用下着」に相当し、また「羽根部材には１対の枝部分が設けられており、羽根部材が下着本体の股部の裏側に取付けられた股下当て布と下着本体の股部との間を潜って取付けられる際に枝部分が股下当て布の内部において下着本体の股部の裏側及び股下当て布に縫付けられている姿勢補整用下着」に相当する。
【０５７５】
そして、本実施の形態９にかかる姿勢補整用ショートガードル１１５が取付けられた姿勢補整用ボトムズは、本発明における「着用者の股下に当接する股部を有する伸縮性を有する生地からなる下着本体と、１対の分岐部分を有する略Ｙ字形の伸縮性を有する生地からなる羽根部材とを具備する姿勢補整用下着がボトムズ本体の内側に取付けられた姿勢補整用ボトムズ」であり、「姿勢補整用下着がボトムズ本体の裏側に着脱可能に取付けられていることを特徴とする姿勢補整用ボトムズ」であり、「ボトムズ本体のウエストベルトの裏側にＺナップの凹側が複数個取付けられ、姿勢補整用下着の上端にＺナップの凸側が複数個取付けられて、ボトムズ本体のウエストベルトの裏側のＺナップの凹側が姿勢補整用下着の上端のＺナップの凸側と嵌合させられ或いは取外されることによって、姿勢補整用下着がボトムズ本体の裏側に着脱可能に取付けられている姿勢補整用ボトムズ」に相当する。
【０５７６】
羽根部材１１４Ａは、羽根部材１１４と同様に二枚のパワーネット生地を袋縫いしてなるものであり、１対の分岐部分１１４Ａａ，１１４Ａｂの先端及びその周囲の部分がステッチ縫い１１４Ａｉによってショートガードル本体１１１の臀部に縫付けられており、羽根部材１１４Ａの分岐していない側１１４Ａｄの先端１１４Ａｅが、ステッチ縫い１１４Ａｈによってショートガードル本体１１１の裏側の前部の上端まで伸びて縫付けられている。
【０５７７】
これによって、伸縮性を有する生地としての二枚のパワーネット生地からなる羽根部材１１４Ａの引っ張り力がより強力になって、肛門が効果的に締付けられるとともに、下腹部が羽根部材１１４Ａによって押え付けられるので、下腹部が引っ込んでより美しいプロポーションを得ることができる。
【０５７８】
そして、図３７（ｅ）に示されるように、股下当て布１１３は、羽根部材１１４Ａの枝部分１１４Ａｊのみを縫付けて、羽根部材１１４Ａを覆うようにその両縁がショートガードル本体１１１の股部の裏側に、ステッチ縫い１１３ａによって縫付けられている。これによって、着用者の股部に羽根部材１１４Ａが直接当接することが防止され、股下当て布１１３を介して当接するため、股下当て布１１３がクッションとなって穿き心地が向上し、長時間着用しても違和感を覚えることがなくなる。
【０５７９】
また、羽根部材１１４Ａは股下当て布１１３の中で枝部分１１４Ａｊのみが縫付けられることによって、長い羽根部材１１４Ａの中間部分を羽根部材１１４Ａの自由な伸縮を妨げることなく、長い羽根部材１１４Ａの中間部分が捩れたりずれたりして肛門を引き締める効果が半減するとともに穿き心地も悪くなる事態を、確実に防止することができる。
【０５８０】
したがって、羽根部材１１４Ａは、ステッチ縫い１１４Ａｈによって分岐していない側１１４Ａｄの先端１１４Ａｅがショートガードル本体１１１の裏側の前部の上端に縫付けられた部分と、ステッチ縫い１１４Ａｉによってショートガードル本体１１１の臀部裏側に縫付けられた部分との間は、枝部分１１４Ａｊのみが縫付けられており、自由に伸縮することができる。
【０５８１】
１対の分岐部分１１４Ａａ，１１４Ａｂの内側におけるステッチ縫い１１４Ａｉの縫い止まり点１１４Ａｋは、羽根部材１１４Ａの分岐点１１４Ａｃから約７ｃｍ（６．５ｃｍ〜７．５ｃｍ）離れており、１対の分岐部分１１４Ａａ，１１４Ａｂの外側におけるステッチ縫い１１４Ａｉの縫い止まり点１１４Ａｋは、内側のステッチ縫い１１４Ａｉの縫い止まり点とほぼ対応する位置にあって、少なくとも着用者の肛門の位置ＨＣＰよりは上方にある。
【０５８２】
そして、図３７（ｄ）に示されるように、羽根部材１１４Ａは、姿勢補整用ショートガードル１１５が取付けられた姿勢補整用ボトムズを着用したときに、着用者の肛門の位置ＨＣＰが１対の分岐部分１１４Ａａ，１１４Ａｂの間の分岐点１１４Ａｃの近傍（分岐点１１４Ａｃから約１．５ｃｍ（１．３ｃｍ〜１．７ｃｍ）離れた位置）にくるように縫付けられている。
【０５８３】
これによって、本実施の形態９にかかる姿勢補整用ショートガードル１１５が取付けられた姿勢補整用ボトムズを着用することによって、羽根部材１１４Ａには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０５８４】
また、肛門が引き締められると臀部に左右１対の笑窪様の小さい窪みが生じ、これらの小さい窪みの位置する点ＨＥＰがショートガードル本体１１１を介して羽根部材１１４Ａの１対の分岐部分１１４Ａａ，１１４Ａｂによって押えられるため、着用者の臀部が引き締まって小尻になるとともにヒップアップの効果が得られる。さらに、本実施の形態９にかかる姿勢補整用ショートガードル１１５においては、羽根部材１１４Ａの分岐していない側１１４Ａｄが股下当て布１１３を介して着用者の股下に当接するので、穿き心地が著しく向上するという利点が得られる。
【０５８５】
なお、羽根部材１１４Ａについては、羽根部材５のように二枚の伸縮性を有する生地を袋縫いにしたものでも、羽根部材５Ｎのように一枚の伸縮性を有する生地の縁を裁ちかがり縫いしたものでも、羽根部材５Ｐのように袋縫いにして作製した左右対称の部分を中心接ぎ縫い５Ｐｇで接いでなるものでも良い。
【０５８６】
このようにして、本実施の形態９にかかる姿勢補整用ショートガードル１１５が取付けられた姿勢補整用ボトムズにおいては、意識しなくても着用するだけで肛門がより強力に引き締められて正しい姿勢をとることができ、さらに着用して歩行するだけで正しい歩き方をすることができるとともに、小尻になってヒップアップの効果も得られて、さらに下腹部が引き締められるためより美しいプロポーションを得ることができ、また穿き心地も非常に優れたものとなる。
【０５８７】
なお、本実施の形態９においては、伸縮性を有する生地として、綿９５％、ポリウレタン５％のポリウレタン混合生地及びパワーネットを使用した場合について説明したが、サテンネット（ストレッチサテン）、ストレッチレースを始めとして他の伸縮性を有する生地を用いても良い。
【０５８８】
次に、本実施の形態９の変形例にかかる姿勢補整用下着としての姿勢補整用ショートガードルについて、図３８を参照して説明する。なお、本実施の形態９の変形例にかかる姿勢補整用ショートガードルの構成は、一部を除いて上記実施の形態９にかかる姿勢補整用ショートガードル１１５と同様であるため、同一の部分には同一の符号を付して、一部説明を省略する。
【０５８９】
図３８（ａ）に示されるように、本実施の形態９の第１変形例にかかる姿勢補整用下着としての姿勢補整用ショートガードル１１６は、伸縮性を有する生地としての綿９５％、ポリウレタン５％のポリウレタン混合生地からなる下着本体としてのショートガードル本体１１１を中心に構成されている。本実施の形態９の第１変形例にかかる姿勢補整用ショートガードル１１６が上記姿勢補整用ショートガードル１１５と異なるのは、図３８（ａ）に示されるように、羽根部材１１４Ｂの形状のみである。
【０５９０】
即ち、本実施の形態９の第１変形例にかかる姿勢補整用ショートガードル１１６においても、羽根部材１１４，１１４Ａのように二枚の伸縮性を有する生地としてのパワーネット生地を袋縫いにしてなる羽根部材１１４Ｂの分岐していない側１１４Ｂｄの先端１１４Ｂｅが、ステッチ縫い１１４Ｂｈによってショートガードル本体１１１の裏側の前部の上端まで伸びて縫付けられている。そして、羽根部材１１４Ｂの分岐していない側１１４Ｂｄは、上記姿勢補整用ショートガードル１１５における羽根部材１１４Ａよりも大きくなっている。
【０５９１】
これによって、伸縮性を有する生地としての二枚のパワーネット生地からなる羽根部材１１４Ｂの引っ張り力がより強力になって、肛門が効果的に締付けられるとともに、下腹部が羽根部材１１４Ｂによって押え付けられるので、下腹部が引っ込んでより美しいプロポーションを得ることができる。
【０５９２】
そして、図３８（ｂ）に示されるように、股下当て布１１３は、羽根部材１１４Ｂの枝部分１１４Ｂｊのみを縫付けて、羽根部材１１４Ｂを覆うようにその両縁がショートガードル本体１１１の股部の裏側に、ステッチ縫い１１３ａによって縫付けられている。これによって、着用者の股部に羽根部材１１４Ｂが直接当接することが防止され、股下当て布１１３を介して当接するため、股下当て布１１３がクッションとなって穿き心地が向上し、長時間着用しても違和感を覚えることがなくなる。
【０５９３】
また、羽根部材１１４Ｂは股下当て布１１３の中で枝部分１１４Ｂｊのみが縫付けられることによって、長い羽根部材１１４Ｂの中間部分を羽根部材１１４Ｂの自由な伸縮を妨げることなく、長い羽根部材１１４Ｂの中間部分が捩れたりずれたりして肛門を引き締める効果が半減するとともに穿き心地も悪くなる事態を、確実に防止することができる。
【０５９４】
次に、図３８（ｃ）に示されるように、本実施の形態９の第２変形例にかかる姿勢補整用下着としての姿勢補整用ショートガードル１１７も、伸縮性を有する生地としての綿９５％、ポリウレタン５％のポリウレタン混合生地からなる下着本体としてのショートガードル本体１１１を中心に構成されている。本実施の形態９の第２変形例にかかる姿勢補整用ショートガードル１１７が上記姿勢補整用ショートガードル１１５，１１６と異なるのは、図３８（ｃ）に示されるように、羽根部材１１４Ｃの形状のみである。
【０５９５】
即ち、本実施の形態９の第２変形例にかかる姿勢補整用ショートガードル１１７においては、羽根部材１１４，１１４Ａ，１１４Ｂのように二枚の伸縮性を有する生地としてのパワーネット生地を袋縫いにしてなる羽根部材１１４Ｃの分岐していない側１１４Ｃｄの先端１１４Ｃｅが、ショートガードル本体１１１の裏側の前部の上端までは届いておらず、上端から少し下がった位置において、ステッチ縫い１１４Ｃｈによってショートガードル本体１１１の裏側に縫付けられている。
【０５９６】
これによって、伸縮性を有する生地としての二枚のパワーネット生地からなる羽根部材１１４Ｃの引っ張り力がより強力になって、肛門が効果的に締付けられるとともに、下腹部が羽根部材１１４Ｃによって押え付けられるので、下腹部が引っ込んでより美しいプロポーションを得ることができる。
【０５９７】
そして、股下当て布１１３は、羽根部材１１４Ｃの枝部分１１４Ｃｊのみを縫付けて、羽根部材１１４Ｃを覆うようにその両縁がショートガードル本体１１１の股部の裏側に、ステッチ縫い１１３ａによって縫付けられている。これによって、着用者の股部に羽根部材１１４Ｃが直接当接することが防止され、股下当て布１１３を介して当接するため、股下当て布１１３がクッションとなって穿き心地が向上し、長時間着用しても違和感を覚えることがなくなる。
【０５９８】
また、羽根部材１１４Ｃは股下当て布１１３の中で枝部分１１４Ｃｊのみが縫付けられることによって、長い羽根部材１１４Ｃの中間部分を羽根部材１１４Ｃの自由な伸縮を妨げることなく、長い羽根部材１１４Ｃの中間部分が捩れたりずれたりして肛門を引き締める効果が半減するとともに穿き心地も悪くなる事態を、確実に防止することができる。
【０５９９】
次に、図３８（ｄ）に示されるように、本実施の形態９の第３変形例にかかる姿勢補整用下着としての姿勢補整用ショートガードル１１８も、伸縮性を有する生地としての綿９５％、ポリウレタン５％のポリウレタン混合生地からなる下着本体としてのショートガードル本体１１１を中心に構成されている。本実施の形態９の第３変形例にかかる姿勢補整用ショートガードル１１８が上記姿勢補整用ショートガードル１１５，１１６，１１７と異なるのは、図３８（ｄ）に示されるように、羽根部材１１４Ｄの形状のみである。
【０６００】
即ち、本実施の形態９の第３変形例にかかる姿勢補整用ショートガードル１１８においては、羽根部材１１４，１１４Ａ，１１４Ｂ，１１４Ｃのように二枚の伸縮性を有する生地としてのパワーネット生地を袋縫いにしてなる羽根部材１１４Ｄの分岐していない側１１４Ｄｄの面積がさらに広くなっており、分岐していない側１１４Ｄｄの先端１１４Ｄｅが、ショートガードル本体１１１の裏側の前部の上端まで届いているのみならず、ショートガードル本体１１１の裏側の両脇部分にまで達しており、ステッチ縫い１１４Ｄｈによってショートガードル本体１１１の裏側に縫付けられている。
【０６０１】
これによって、伸縮性を有する生地としての二枚のパワーネット生地からなる羽根部材１１４Ｄの引っ張り力がより強力になって、肛門が効果的に締付けられるとともに、下腹部が羽根部材１１４Ｄによって押え付けられるので、下腹部が引っ込んでより美しいプロポーションを得ることができる。
【０６０２】
そして、股下当て布１１３は、羽根部材１１４Ｄの枝部分１１４Ｄｊのみを縫付けて、羽根部材１１４Ｄを覆うようにその両縁がショートガードル本体１１１の股部の裏側に、ステッチ縫い１１３ａによって縫付けられている。これによって、着用者の股部に羽根部材１１４Ｄが直接当接することが防止され、股下当て布１１３を介して当接するため、股下当て布１１３がクッションとなって穿き心地が向上し、長時間着用しても違和感を覚えることがなくなる。
【０６０３】
また、羽根部材１１４Ｄは股下当て布１１３の中で枝部分１１４Ｄｊのみが縫付けられることによって、長い羽根部材１１４Ｄの中間部分を羽根部材１１４Ｄの自由な伸縮を妨げることなく、長い羽根部材１１４Ｄの中間部分が捩れたりずれたりして肛門を引き締める効果が半減するとともに穿き心地も悪くなる事態を、確実に防止することができる。
【０６０４】
このようにして、本実施の形態９の変形例にかかる姿勢補整用ショートガードル１１６，１１７，１１８が取付けられた姿勢補整用ボトムズにおいては、意識しなくても着用するだけで肛門がより強力に引き締められて正しい姿勢をとることができ、さらに着用して歩行するだけで正しい歩き方をすることができるとともに、小尻になってヒップアップの効果も得られて、さらに下腹部が引き締められるためより美しいプロポーションを得ることができ、また穿き心地も非常に優れたものとなる。
【０６０５】
なお、本実施の形態９の変形例においては、伸縮性を有する生地として、綿９５％、ポリウレタン５％のポリウレタン混合生地及びパワーネットを使用した場合について説明したが、サテンネット、ストレッチレースを始めとして他の伸縮性を有する生地を用いても良い。
【０６０６】
また、羽根部材１１４Ｂ，１１４Ｃ，１１４Ｄについては、羽根部材５のように二枚の伸縮性を有する生地を袋縫いにしたものでも、羽根部材５Ｎのように一枚の伸縮性を有する生地の縁を裁ちかがり縫いしたものでも、羽根部材５Ｐのように袋縫いにして作製した左右対称の部分を中心接ぎ縫い５Ｐｇで接いでなるものでも良い。
【０６０７】
実施の形態１０
次に、本発明の実施の形態１０にかかる姿勢補整用ボトムズに取付けられる姿勢補整用下着としての姿勢補整用ショートガードルについて、図３９を参照して説明する。
【０６０８】
図３９（ａ）は本発明の実施の形態１０にかかる姿勢補整用ボトムズに取付けられる姿勢補整用下着としての姿勢補整用ショートガードルの全体構成を示す正面図、（ｂ）は背面図、（ｃ）は本発明の実施の形態１０にかかる姿勢補整用ショートガードルを裏返した場合の全体構成を示す正面図、（ｄ）は背面図、（ｅ）は本発明の実施の形態１０にかかる姿勢補整用ショートガードルの股下部分の内部構造を示す部分拡大図である。
【０６０９】
図３９（ａ），（ｂ）に示されるように、本実施の形態１０にかかる姿勢補整用下着としての姿勢補整用ショートガードル１２０は、伸縮性を有する生地としての綿９５％、ポリウレタン５％のポリウレタン混合生地からなる下着本体としてのショートガードル本体１１１を中心に構成されている。
【０６１０】
また、図３９（ｃ），（ｄ）に示されるように、姿勢補整用ショートガードル１２０を裏返すと、ショートガードル本体１１１の裏側には伸縮性を有する生地としてのパワーネットからなる羽根部材１２１が直接縫付けられている。ここで、羽根部材１２１は略Ｘ字形状を有しており、前部分岐部分１２１ｄ，１２１ｅの先端が、ショートガードル本体１１１の裏側の前部の上端にステッチ縫い１２１ｊによって縫付けられている。そして、羽根部材１２１は、ショートガードル本体１１１の股部の裏側に取付けられた股下当て布１１３の中を潜って、ショートガードル本体１１１に縫付けられている。
【０６１１】
そして、図３９（ａ），（ｂ）に示されるように、姿勢補整用ショートガードル１２０のショートガードル本体１１１の上端部３８には、図２４に示されるボトムズ本体としてのパンツ表地１１のウエストベルト部１１ａの裏側に縫付けられた布地テープ３６に取付けられた複数個のＺナップ３７の凹側３７Ｂの位置に対応するように、複数個のＺナップ３７の凸側３７Ａが取付けられている。
【０６１２】
したがって、ショートガードル本体１１１は、本発明における「着用者の股下に当接する股部を有する下着本体」に相当する。また、本実施の形態１０にかかる姿勢補整用ショートガードル１２０は、「下着本体と、１対の分岐部分と１対の前部分岐部分とを有する略Ｘ字形の伸縮性を有する生地からなる羽根部材とを具備する姿勢補整用下着」に相当する。
【０６１３】
さらに、本実施の形態１０にかかる姿勢補整用ショートガードル１２０は、「羽根部材の前部分岐部分の先端が下着本体の裏側の前部の上端に縫付けられている姿勢補整用下着」に相当し、また「羽根部材が下着本体の股部の裏側に取付けられた股下当て布と下着本体の股部との間を潜って取付けられている姿勢補整用下着」に相当し、下着本体９１が伸縮性を有する生地からなるものである。
【０６１４】
そして、本実施の形態１０にかかる姿勢補整用ショートガードル１２０が取付けられた姿勢補整用ボトムズは、本発明における「着用者の股下に当接する股部を有する伸縮性を有する生地からなる下着本体と、１対の分岐部分を有する略Ｙ字形の伸縮性を有する生地からなる羽根部材とを具備する姿勢補整用下着がボトムズ本体の内側に取付けられた姿勢補整用ボトムズ」であり、「姿勢補整用下着がボトムズ本体の裏側に着脱可能に取付けられていることを特徴とする姿勢補整用ボトムズ」であり、「ボトムズ本体のウエストベルトの裏側にＺナップの凹側が複数個取付けられ、姿勢補整用下着の上端にＺナップの凸側が複数個取付けられて、ボトムズ本体のウエストベルトの裏側のＺナップの凹側が姿勢補整用下着の上端のＺナップの凸側と嵌合させられ或いは取外されることによって、姿勢補整用下着がボトムズ本体の裏側に着脱可能に取付けられている姿勢補整用ボトムズ」に相当する。
【０６１５】
羽根部材１２１は、羽根部材５と同様に二枚のパワーネット生地を袋縫いしてなるものであり、１対の分岐部分１２１ａ，１２１ｂの先端及びその周囲の部分がステッチ縫い１２１ｉによってショートガードル本体１１１の臀部に縫付けられており、羽根部材１２１の前部分岐部分１２１ｄ，１２１ｅの先端が、ステッチ縫い１２１ｊによってショートガードル本体１１１の裏側の前部の上端まで伸びて縫付けられている。
【０６１６】
これによって、伸縮性を有する生地としての二枚のパワーネット生地からなる羽根部材１２１の引っ張り力がより強力になって、肛門が効果的に締付けられるとともに、下腹部が羽根部材１２１によって押え付けられるので、下腹部が引っ込んでより美しいプロポーションを得ることができる。
【０６１７】
そして、図３９（ｅ）に示されるように、股下当て布１１３は、羽根部材１２１を縫付けずに羽根部材１２１を覆うように、その両縁がショートガードル本体１１１の股部の裏側に、ステッチ縫い１１３ａによって縫付けられている。これによって、着用者の股部に羽根部材１２１が直接当接することが防止され、股下当て布１１３を介して当接するため、股下当て布１１３がクッションとなって穿き心地が向上し、長時間着用しても違和感を覚えることがなくなる。また、羽根部材１２１は股下当て布１１３の中で自由に伸縮することができる。
【０６１８】
したがって、羽根部材１２１は、ステッチ縫い１２１ｊによって前部分岐部分１２１ｄ，１２１ｅの先端がショートガードル本体１１１の裏側の前部の上端に縫付けられた部分と、ステッチ縫い１２１ｉによってショートガードル本体１１１の臀部裏側に縫付けられた部分との間は縫付けられておらず、フリーの状態になっている。
【０６１９】
１対の分岐部分１２１ａ，１２１ｂの内側におけるステッチ縫い１２１ｉの縫い止まり点１２１ｋは、羽根部材１２１の分岐点１２１ｃから約７ｃｍ（６．５ｃｍ〜７．５ｃｍ）離れており、１対の分岐部分１２１ａ，１２１ｂの外側におけるステッチ縫い１２１ｉの縫い止まり点１２１ｋは、内側のステッチ縫い１２１ｉの縫い止まり点とほぼ対応する位置にあって、少なくとも着用者の肛門の位置ＨＣＰよりは上方にある。
【０６２０】
そして、図３９（ｄ）に示されるように、羽根部材１２１は、姿勢補整用ショートガードル１２０が取付けられた姿勢補整用ボトムズを着用したときに、着用者の肛門の位置ＨＣＰが１対の分岐部分１２１ａ，１２１ｂの間の分岐点１２１ｃの近傍（分岐点１２１ｃから約１．５ｃｍ（１．３ｃｍ〜１．７ｃｍ）離れた位置）にくるように縫付けられている。
【０６２１】
これによって、本実施の形態１０にかかる姿勢補整用ショートガードル１２０が取付けられた姿勢補整用ボトムズを着用することによって、羽根部材１２１には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０６２２】
また、肛門が引き締められると臀部に左右１対の笑窪様の小さい窪みが生じ、これらの小さい窪みの位置する点ＨＥＰがショートガードル本体１１１を介して羽根部材１２１の１対の分岐部分１２１ａ，１２１ｂによって押えられるため、着用者の臀部が引き締まって小尻になるとともにヒップアップの効果が得られる。さらに、本実施の形態１０にかかる姿勢補整用ショートガードル１２０においては、羽根部材１２１が股下当て布１１３を介して着用者の股下に当接するので、穿き心地が著しく向上するという利点が得られる。
【０６２３】
なお、羽根部材１２１については、羽根部材５のように二枚の伸縮性を有する生地を袋縫いにしたものでも、羽根部材５Ｎのように一枚の伸縮性を有する生地の縁を裁ちかがり縫いしたものでも、羽根部材５Ｐのように袋縫いにして作製した左右対称の部分を中心接ぎ縫い５Ｐｇで接いでなるものでも良い。
【０６２４】
このようにして、本実施の形態１０にかかる姿勢補整用ショートガードル１２０が取付けられた姿勢補整用ボトムズにおいては、意識しなくても着用するだけで肛門がより強力に引き締められて正しい姿勢をとることができ、さらに着用して歩行するだけで正しい歩き方をすることができるとともに、小尻になってヒップアップの効果も得られて、さらに下腹部が引き締められるためより美しいプロポーションを得ることができ、また穿き心地も非常に優れたものとなる。
【０６２５】
なお、本実施の形態１０においては、伸縮性を有する生地として、綿９５％、ポリウレタン５％のポリウレタン混合生地及びパワーネットを使用した場合について説明したが、サテンネット（ストレッチサテン）、ストレッチレースを始めとして他の伸縮性を有する生地を用いても良い。
【０６２６】
実施の形態１１
次に、本発明の実施の形態１１にかかる姿勢補整用ボトムズに取付けられる姿勢補整用下着としての姿勢補整用ショートガードルについて、図４０及び図４１を参照して説明する。
【０６２７】
図４０（ａ）は本発明の実施の形態１１にかかる姿勢補整用ボトムズに取付けられる姿勢補整用下着としての姿勢補整用ショートガードルの全体構成を示す正面図、（ｂ）は背面図、（ｃ）は本発明の実施の形態１１にかかる姿勢補整用ショートガードルを裏返した場合の全体構成を示す正面図、（ｄ）は背面図、（ｅ）は本発明の実施の形態１１にかかる姿勢補整用ショートガードルの股下部分の内部構造を示す部分拡大図である。図４１（ａ）は本発明の実施の形態１１の第１変形例にかかる姿勢補整用ショートガードルを裏返した場合の全体構成を示す正面図、（ｂ）は本発明の実施の形態１１の第２変形例にかかる姿勢補整用ショートガードルを裏返した場合の全体構成を示す正面図である。
【０６２８】
なお、本実施の形態１１にかかる姿勢補整用ショートガードルの構成は、一部を除いて上記実施の形態１０にかかる姿勢補整用ショートガードル１２０と同様であるため、同一の部分には同一の符号を付して、一部説明を省略する。
【０６２９】
図４０（ａ），（ｂ）に示されるように、本実施の形態１１にかかる姿勢補整用下着としての姿勢補整用ショートガードル１２０Ａは、伸縮性を有する生地としての綿９５％、ポリウレタン５％のポリウレタン混合生地からなる下着本体としてのショートガードル本体１１１を中心に構成されている。
【０６３０】
また、図４０（ｃ），（ｄ）に示されるように、姿勢補整用ショートガードル１２０Ａを裏返すと、ショートガードル本体１１１の裏側には伸縮性を有する生地としてのパワーネットからなる羽根部材１２１Ａが直接縫付けられている。ここで、羽根部材１２１Ａは略Ｘ字形状を有しており、前部分岐部分１２１Ａｄ，１２１Ａｅの先端が、ショートガードル本体１１１の裏側の前部の上端にステッチ縫い１２１Ａｊによって縫付けられている。
【０６３１】
さらに、羽根部材１２１Ａは、ショートガードル本体１１１の股部の裏側に取付けられた股下当て布１１３の中を潜って、ショートガードル本体１１１に縫付けられている。さらに、羽根部材１２１Ａには１対の枝部分１２１Ａｍが設けられており、羽根部材１２１Ａが股下当て布１１３を潜って取付けられる際に、１対の枝部分１２１Ａｍが股下当て布１１３の内部においてショートガードル本体１１１の股部の裏側及び股下当て布１１３に縫付けられている。
【０６３２】
そして、図４０（ａ），（ｂ）に示されるように、姿勢補整用ショートガードル１２０Ａのショートガードル本体１１１の上端部３８には、図２４に示されるボトムズ本体としてのパンツ表地１１のウエストベルト部１１ａの裏側に縫付けられた布地テープ３６に取付けられた複数個のＺナップ３７の凹側３７Ｂの位置に対応するように、複数個のＺナップ３７の凸側３７Ａが取付けられている。
【０６３３】
したがって、ショートガードル本体１１１は、本発明における「着用者の股下に当接する股部を有する下着本体」に相当する。また、本実施の形態１１にかかる姿勢補整用ショートガードル１２０Ａは、「下着本体と、１対の分岐部分と１対の前部分岐部分とを有する略Ｘ字形の伸縮性を有する生地からなる羽根部材とを具備する姿勢補整用下着」に相当し、「羽根部材の前部分岐部分の先端が下着本体の裏側の前部の上端に縫付けられている姿勢補整用下着」に相当する。
【０６３４】
さらに、本実施の形態１１にかかる姿勢補整用ショートガードル１２０Ａは、「羽根部材が下着本体の股部の裏側に取付けられた股下当て布と下着本体の股部との間を潜って取付けられている姿勢補整用下着」に相当し、また「羽根部材には１対の枝部分が設けられており、羽根部材が下着本体の股部の裏側に取付けられた股下当て布と下着本体の股部との間を潜って取付けられる際に枝部分が股下当て布の内部において下着本体の股部の裏側及び股下当て布に縫付けられている姿勢補整用下着」に相当する。
【０６３５】
そして、本実施の形態１１にかかる姿勢補整用ショートガードル１２０Ａが取付けられた姿勢補整用ボトムズは、本発明における「着用者の股下に当接する股部を有する伸縮性を有する生地からなる下着本体と、１対の分岐部分を有する略Ｙ字形の伸縮性を有する生地からなる羽根部材とを具備する姿勢補整用下着がボトムズ本体の内側に取付けられた姿勢補整用ボトムズ」であり、「姿勢補整用下着がボトムズ本体の裏側に着脱可能に取付けられていることを特徴とする姿勢補整用ボトムズ」であり、「ボトムズ本体のウエストベルトの裏側にＺナップの凹側が複数個取付けられ、姿勢補整用下着の上端にＺナップの凸側が複数個取付けられて、ボトムズ本体のウエストベルトの裏側のＺナップの凹側が姿勢補整用下着の上端のＺナップの凸側と嵌合させられ或いは取外されることによって、姿勢補整用下着がボトムズ本体の裏側に着脱可能に取付けられている姿勢補整用ボトムズ」に相当する。
【０６３６】
ここで、羽根部材１２１Ａは、羽根部材１２１と同様に二枚のパワーネット生地を袋縫いしてなるものであり、１対の分岐部分１２１Ａａ，１２１Ａｂの先端及びその周囲の部分がステッチ縫い１２１Ａｉによってショートガードル本体１１１の臀部に縫付けられており、羽根部材１２１Ａの前部分岐部分１２１Ａｄ，１２１Ａｅの先端が、ステッチ縫い１２１Ａｊによってショートガードル本体１１１の裏側の前部の上端まで伸びて縫付けられている。
【０６３７】
これによって、伸縮性を有する生地としての二枚のパワーネット生地からなる羽根部材１２１Ａの引っ張り力がより強力になって、肛門が効果的に締付けられるとともに、下腹部が羽根部材１２１Ａによって押え付けられるので、下腹部が引っ込んでより美しいプロポーションを得ることができる。
【０６３８】
そして、図４０（ｅ）に示されるように、股下当て布１１３は、羽根部材１２１Ａの枝部分１２１Ａｍのみを縫付けて、羽根部材１２１Ａを覆うようにその両縁がショートガードル本体１１１の股部の裏側に、ステッチ縫い１１３ａによって縫付けられている。これによって、着用者の股部に羽根部材１２１Ａが直接当接することが防止され、股下当て布１１３を介して当接するため、股下当て布１１３がクッションとなって穿き心地が向上し、長時間着用しても違和感を覚えることがなくなる。
【０６３９】
また、羽根部材１２１Ａは股下当て布１１３の中で枝部分１２１Ａｍのみが縫付けられることによって、羽根部材１２１Ａの自由な伸縮を妨げることなく、長い羽根部材１２１Ａの中間部分が捩れたりずれたりして肛門を引き締める効果が半減するとともに穿き心地も悪くなる事態を、確実に防止することができる。
【０６４０】
したがって、羽根部材１２１Ａは、ステッチ縫い１２１Ａｊによって前部分岐部分１２１Ａｄ，１２１Ａｅの先端がショートガードル本体１１１の裏側の前部の上端に縫付けられた部分と、ステッチ縫い１２１Ａｉによってショートガードル本体１１１の臀部裏側に縫付けられた部分との間は、枝部分１２１Ａｍのみが縫付けられており、自由に伸縮することができる。
【０６４１】
１対の分岐部分１２１Ａａ，１２１Ａｂの内側におけるステッチ縫い１２１Ａｉの縫い止まり点１２１Ａｋは、羽根部材１２１Ａの分岐点１２１Ａｃから約７ｃｍ（６．５ｃｍ〜７．５ｃｍ）離れており、１対の分岐部分１２１Ａａ，１２１Ａｂの外側におけるステッチ縫い１２１Ａｉの縫い止まり点１２１Ａｋは、内側のステッチ縫い１２１Ａｉの縫い止まり点とほぼ対応する位置にあって、少なくとも着用者の肛門の位置ＨＣＰよりは上方にある。
【０６４２】
そして、図４０（ｄ）に示されるように、羽根部材１２１Ａは、姿勢補整用ショートガードル１２０Ａが取付けられた姿勢補整用ボトムズを着用したときに、着用者の肛門の位置ＨＣＰが１対の分岐部分１２１Ａａ，１２１Ａｂの間の分岐点１２１Ａｃの近傍（分岐点１２１Ａｃから約１．５ｃｍ（１．３ｃｍ〜１．７ｃｍ）離れた位置）にくるように縫付けられている。
【０６４３】
これによって、本実施の形態１１にかかる姿勢補整用ショートガードル１２０Ａが取付けられた姿勢補整用ボトムズを着用することによって、羽根部材１２１Ａには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０６４４】
また、肛門が引き締められると臀部に左右１対の笑窪様の小さい窪みが生じ、これらの小さい窪みの位置する点ＨＥＰがショートガードル本体１１１を介して羽根部材１２１Ａの１対の分岐部分１２１Ａａ，１２１Ａｂによって押えられるため、着用者の臀部が引き締まって小尻になるとともにヒップアップの効果が得られる。さらに、本実施の形態１１にかかる姿勢補整用ショートガードル１２０Ａにおいては、羽根部材１２１Ａが股下当て布１１３を介して着用者の股下に当接するので、穿き心地が著しく向上するという利点が得られる。
【０６４５】
なお、羽根部材１２１Ａについては、羽根部材５のように二枚の伸縮性を有する生地を袋縫いにしたものでも、羽根部材５Ｎのように一枚の伸縮性を有する生地の縁を裁ちかがり縫いしたものでも、羽根部材５Ｐのように袋縫いにして作製した左右対称の部分を中心接ぎ縫い５Ｐｇで接いでなるものでも良い。
【０６４６】
このようにして、本実施の形態１１にかかる姿勢補整用ショートガードル１２０Ａが取付けられた姿勢補整用ボトムズにおいては、意識しなくても着用するだけで肛門がより強力に引き締められて正しい姿勢をとることができ、さらに着用して歩行するだけで正しい歩き方をすることができるとともに、小尻になってヒップアップの効果も得られて、さらに下腹部が引き締められるためより美しいプロポーションを得ることができ、また穿き心地も非常に優れたものとなる。
【０６４７】
なお、本実施の形態１１においては、伸縮性を有する生地として、綿９５％、ポリウレタン５％のポリウレタン混合生地及びパワーネットを使用した場合について説明したが、サテンネット（ストレッチサテン）、ストレッチレースを始めとして他の伸縮性を有する生地を用いても良い。
【０６４８】
次に、本実施の形態１１の変形例にかかる姿勢補整用下着としての姿勢補整用ショートガードルについて、図４１を参照して説明する。なお、本実施の形態１１の変形例にかかる姿勢補整用ショートガードルの構成は、一部を除いて上記実施の形態１０にかかる姿勢補整用ショートガードル１２０Ａと同様であるため、同一の部分には同一の符号を付すとともに、姿勢補整用ショートガードルの全体構成を示す正面図及び背面図、姿勢補整用ショートガードルを裏返した場合の全体構成を示す背面図については、図４０（ａ），（ｂ），（ｄ）を参照して、一部説明を省略する。
【０６４９】
図４１（ａ）に示されるように、本実施の形態１１の第１変形例にかかる姿勢補整用下着としての姿勢補整用ショートガードル１２０Ｂは、伸縮性を有する生地としての綿９５％、ポリウレタン５％のポリウレタン混合生地からなる下着本体としてのショートガードル本体１１１を中心に構成されている。本実施の形態１１の第１変形例にかかる姿勢補整用ショートガードル１２０Ｂが上記姿勢補整用ショートガードル１２０Ａと異なるのは、図４１（ａ）に示されるように、羽根部材１２１Ｂの形状のみである。
【０６５０】
即ち、本実施の形態１１の第１変形例にかかる姿勢補整用ショートガードル１２０Ｂにおいても、羽根部材１２１，１２１Ａのように二枚の伸縮性を有する生地としてのパワーネット生地を袋縫いにしてなる羽根部材１２１Ｂの前部分岐部分１２１Ｂｄ，１２１Ｂｅの先端が、ショートガードル本体１１１の裏側の前部の上端まで伸びて、ステッチ縫い１２１Ｂｊによって脇部に縫付けられている。そして、羽根部材１２１Ｂの前部分岐部分１２１Ｂｄ，１２１Ｂｅは、上記姿勢補整用ショートガードル１２０Ａにおける羽根部材１２１Ａよりも大きく広がっている。
【０６５１】
これによって、伸縮性を有する生地としての二枚のパワーネット生地からなる羽根部材１２１Ｂの引っ張り力がまろやかになって全体に広がり、肛門が効果的に締付けられるとともに、下腹部が羽根部材１２１Ｂによって押え付けられるので、下腹部が引っ込んでより美しいプロポーションを得ることができる。
【０６５２】
そして、股下当て布１１３は、羽根部材１２１Ｂの枝部分１２１Ｂｍのみを縫付けて、羽根部材１２１Ｂを覆うようにその両縁がショートガードル本体１１１の股部の裏側に、ステッチ縫い１１３ａによって縫付けられている。これによって、着用者の股部に羽根部材１２１Ｂが直接当接することが防止され、股下当て布１１３を介して当接するため、股下当て布１１３がクッションとなって穿き心地が向上し、長時間着用しても違和感を覚えることがなくなる。
【０６５３】
また、羽根部材１２１Ｂは股下当て布１１３の中で枝部分１２１Ｂｍのみが縫付けられることによって、羽根部材１２１Ｂの自由な伸縮を妨げることなく、長い羽根部材１２１Ｂの中間部分が捩れたりずれたりして肛門を引き締める効果が半減するとともに穿き心地も悪くなる事態を、確実に防止することができる。
【０６５４】
次に、図４１（ｂ）に示されるように、本実施の形態１１の第２変形例にかかる姿勢補整用下着としての姿勢補整用ショートガードル１２０Ｃは、伸縮性を有する生地としての綿９５％、ポリウレタン５％のポリウレタン混合生地からなる下着本体としての、二つの部材に分かれたショートガードル本体１２２Ａ，１２２Ｂを中心に構成されている。
【０６５５】
本実施の形態１１の第２変形例にかかる姿勢補整用ショートガードル１２０Ｃが上記姿勢補整用ショートガードル１２０Ａ，１００Ｂと異なるのは、図４１（ｂ）に示されるように、ショートガードル本体が二つの部材１２２Ａ，１２２Ｂから構成されている点と、羽根部材１２１Ｃの形状のみである。
【０６５６】
即ち、本実施の形態１１の第２変形例にかかる姿勢補整用ショートガードル１２０Ｃにおいては、羽根部材１２１，１２１Ａ，１２１Ｂのように二枚の伸縮性を有する生地としてのパワーネット生地を袋縫いにしてなる羽根部材１２１Ｃの前部分岐部分１２１Ｃｄ，１２１Ｃｅの先端が、ショートガードル本体１２２Ａ，１２２Ｂの裏側の前部の上端まで届いているとともに、二つの部材１２２Ａ，１２２Ｂを縫い合わせるステッチ縫い１２１Ｃｊによってショートガードル本体１２２Ａ，１２２Ｂの裏側に縫付けられている。
【０６５７】
これによって、伸縮性を有する生地としての二枚のパワーネット生地からなる羽根部材１２１Ｃの引っ張り力がより強力になって、肛門が効果的に締付けられるとともに、下腹部が羽根部材１２１Ｃによって押え付けられるので、下腹部が引っ込んでより美しいプロポーションを得ることができる。
【０６５８】
そして、股下当て布１１３は、羽根部材１２１Ｃの枝部分１２１Ｃｍのみを縫付けて、羽根部材１２１Ｃを覆うようにその両縁がショートガードル本体１２２Ａ，１２２Ｂの股部の裏側に、ステッチ縫い１１３ａによって縫付けられている。これによって、着用者の股部に羽根部材１２１Ｃが直接当接することが防止され、股下当て布１１３を介して当接するため、股下当て布１１３がクッションとなって穿き心地が向上し、長時間着用しても違和感を覚えることがなくなる。
【０６５９】
また、羽根部材１２１Ｃは股下当て布１１３の中で枝部分１２１Ｃｍのみが縫付けられることによって、羽根部材１２１Ｃの自由な伸縮を妨げることなく、長い羽根部材１２１Ｃの中間部分が捩れたりずれたりして肛門を引き締める効果が半減するとともに穿き心地も悪くなる事態を、確実に防止することができる。
【０６６０】
このようにして、本実施の形態１１の変形例にかかる姿勢補整用ショートガードル１２０Ｂ，１２０Ｃが取付けられた姿勢補整用ボトムズにおいては、意識しなくても着用するだけで肛門がより強力に引き締められて正しい姿勢をとることができ、さらに着用して歩行するだけで正しい歩き方をすることができるとともに、小尻になってヒップアップの効果も得られて、さらに下腹部が引き締められるためより美しいプロポーションを得ることができ、また穿き心地も非常に優れたものとなる。
【０６６１】
なお、本実施の形態１１の変形例においては、伸縮性を有する生地として、綿９５％、ポリウレタン５％のポリウレタン混合生地及びパワーネットを使用した場合について説明したが、サテンネット（ストレッチサテン）、ストレッチレースを始めとして他の伸縮性を有する生地を用いても良い。
【０６６２】
また、羽根部材１２１Ｂ，１２１Ｃについては、羽根部材５のように二枚の伸縮性を有する生地を袋縫いにしたものでも、羽根部材５Ｎのように一枚の伸縮性を有する生地の縁を裁ちかがり縫いしたものでも、羽根部材５Ｐのように袋縫いにして作製した左右対称の部分を中心接ぎ縫い５Ｐｇで接いでなるものでも良い。
【０６６３】
実施の形態１２
次に、本発明の実施の形態１２にかかる姿勢補整用ボトムズに取付けられる姿勢補整用下着としての姿勢補整用ショートガードルについて、図４２乃至図４４を参照して説明する。
【０６６４】
図４２（ａ）は本発明の実施の形態１２にかかる姿勢補整用ボトムズに取付けられる姿勢補整用下着としての姿勢補整用ショートガードルの全体構成を示す正面図、（ｂ）は背面図、（ｃ）は本発明の実施の形態１２にかかる姿勢補整用ショートガードルを裏返した場合の全体構成を示す正面図、（ｄ）は背面図、（ｅ）は本発明の実施の形態１２にかかる姿勢補整用ショートガードルの股下部分の内部構造を示す部分拡大図である。
【０６６５】
図４３（ａ）は本発明の実施の形態１２の第１変形例にかかる姿勢補整用下着としての姿勢補整用ショートガードルの全体構成を示す正面図、（ｂ）は背面図、（ｃ）は本発明の実施の形態１２の第１変形例にかかる姿勢補整用ショートガードルを裏返した場合の全体構成を示す正面図、（ｄ）は背面図、（ｅ）は本発明の実施の形態１２の第１変形例にかかる姿勢補整用ショートガードルの股下部分の内部構造を示す部分拡大図である。
【０６６６】
図４４（ａ）は本発明の実施の形態１２の第２変形例にかかる姿勢補整用下着としての姿勢補整用ショートガードルの全体構成を示す正面図、（ｂ）は背面図、（ｃ）は本発明の実施の形態１２の第２変形例にかかる姿勢補整用ショートガードルを裏返した場合の全体構成を示す正面図、（ｄ）は背面図、（ｅ）は本発明の実施の形態１２の第２変形例にかかる姿勢補整用ショートガードルの股下部分の内部構造を示す部分拡大図である。
【０６６７】
なお、本実施の形態１２にかかる姿勢補整用ショートガードルの構成は、一部を除いて上記実施の形態１０，１１にかかる姿勢補整用ショートガードル１２０，１２０Ａ，１２０Ｂと同様であるため、同一の部分には同一の符号を付して、一部説明を省略する。
【０６６８】
図４２（ａ），（ｂ）に示されるように、本実施の形態１２にかかる姿勢補整用下着としての姿勢補整用ショートガードル１２５は、伸縮性を有する生地としての綿９５％、ポリウレタン５％のポリウレタン混合生地からなる下着本体としてのショートガードル本体１１１を中心に構成されている。ここで、図４２（ｃ），（ｄ）に示されるように、姿勢補整用ショートガードル１２５の裏側には、股下当て布１１３（伸縮性を有する生地としてのパワーネットからなる）が縫付けられている。
【０６６９】
さらに、図４２（ｄ），（ｅ）に示されるように、姿勢補整用ショートガードル１２５の裏側臀部には、１対の分岐部分と分岐点を含む根元部分のみからなる伸縮性を有する生地としてのパワーネットからなる後部羽根部材１２４の１対の分岐部分１２４ａ，１２４ｂがステッチ縫い１２４ｉで縫付けられており、根元部分１２４ｅが股下当て布１１３の後部の端にステッチ縫い１２４ｈで縫付けられている。
【０６７０】
そして、図４２（ａ），（ｂ）に示されるように、姿勢補整用ショートガードル１２５のショートガードル本体１１１の上端部３８には、図２４に示されるボトムズ本体としてのパンツ表地１１のウエストベルト部１１ａの裏側に縫付けられた布地テープ３６に取付けられた複数個のＺナップ３７の凹側３７Ｂの位置に対応するように、複数個のＺナップ３７の凸側３７Ａが取付けられている。
【０６７１】
したがって、ショートガードル本体１１１は、本発明における「着用者の股下に当接する股部を有する下着本体」に相当する。また、本実施の形態１２にかかる姿勢補整用ショートガードル１２５は、「羽根部材が１対の分岐部分と分岐点を含む根元部分のみからなる伸縮性を有する生地からなる後部羽根部材であって、後部羽根部材は根元部分が下着本体の股部の裏側に取付けられた伸縮性を有する生地からなる股下当て布の後部の端に縫付けられている姿勢補整用下着」に相当する。
【０６７２】
そして、本実施の形態１２にかかる姿勢補整用ショートガードル１２５が取付けられた姿勢補整用ボトムズは、本発明における「羽根部材が１対の分岐部分と分岐点を含む根元部分のみからなる伸縮性を有する生地からなる後部羽根部材であって、後部羽根部材は根元部分が下着本体の股部の裏側に取付けられた伸縮性を有する生地からなる股下当て布の後部の端に縫付けられている姿勢補整用下着がボトムズ本体の内側に取付けられた姿勢補整用ボトムズ」に相当する。
【０６７３】
さらに、「姿勢補整用下着がボトムズ本体の裏側に着脱可能に取付けられていることを特徴とする姿勢補整用ボトムズ」に相当し、「ボトムズ本体のウエストベルトの裏側にＺナップの凹側が複数個取付けられ、姿勢補整用下着の上端にＺナップの凸側が複数個取付けられて、ボトムズ本体のウエストベルトの裏側のＺナップの凹側が姿勢補整用下着の上端のＺナップの凸側と嵌合させられ或いは取外されることによって、姿勢補整用下着がボトムズ本体の裏側に着脱可能に取付けられている姿勢補整用ボトムズ」に相当する。
【０６７４】
後部羽根部材１２４は、羽根部材１２１，１２１Ａと同様に、二枚のパワーネット生地を袋縫いしてなるものである。これによって、着用者の股部には股下当て布１１３が当接するため、股下当て布１１３がクッションとなって穿き心地が向上し、長時間着用しても違和感を覚えることがなくなる。そして、股下当て布１１３は、伸縮性を有する生地としてのパワーネットからなる。
【０６７５】
したがって、後部羽根部材１２４は、ステッチ縫い１２４ｈによって根元部分１２４ｅが股下当て布１１３の後部の端に縫付けられた部分と、ステッチ縫い１２４ｉによってショートガードル本体１１１の臀部裏側に縫付けられた部分との間は、自由に伸縮することができる。
【０６７６】
１対の分岐部分１２４ａ，１２４ｂの内側におけるステッチ縫い１２４ｉの縫い止まり点１２４ｋは、後部羽根部材１２４の分岐点１２４ｃから約７ｃｍ（６．５ｃｍ〜７．５ｃｍ）離れており、１対の分岐部分１２４ａ，１２４ｂの外側におけるステッチ縫い１２４ｉの縫い止まり点１２４ｋは、内側のステッチ縫い１２４ｉの縫い止まり点とほぼ対応する位置にあって、少なくとも着用者の肛門の位置ＨＣＰよりは上方にある。
【０６７７】
そして、図４２（ｄ）に示されるように、後部羽根部材１２４は、姿勢補整用ショートガードル１２５が取付けられた姿勢補整用ボトムズを着用したときに、着用者の肛門の位置ＨＣＰが１対の分岐部分１２４ａ，１２４ｂの間の分岐点１２４ｃの近傍（分岐点１２４ｃから約１．５ｃｍ（１．３ｃｍ〜１．７ｃｍ）離れた位置）にくるように縫付けられている。
【０６７８】
これによって、本実施の形態１２にかかる姿勢補整用ショートガードル１２５が取付けられた姿勢補整用ボトムズを着用することによって、後部羽根部材１２４には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０６７９】
また、肛門が引き締められると臀部に左右１対の笑窪様の小さい窪みが生じ、これらの小さい窪みの位置する点ＨＥＰがショートガードル本体１１１を介して羽根部材１２４の１対の分岐部分１２４ａ，１２４ｂによって押えられるため、着用者の臀部が引き締まって小尻になるとともにヒップアップの効果が得られる。さらに、本実施の形態１２にかかる姿勢補整用ショートガードル１２５においては、股下当て布１１３が着用者の股下に当接するので、穿き心地が著しく向上するという利点が得られる。
【０６８０】
なお、後部羽根部材１２４については、羽根部材５のように二枚の伸縮性を有する生地を袋縫いにしたものでも、羽根部材５Ｎのように一枚の伸縮性を有する生地の縁を裁ちかがり縫いしたものでも、羽根部材５Ｐのように袋縫いにして作製した左右対称の部分を中心接ぎ縫い５Ｐｇで接いでなるものでも良い。
【０６８１】
次に、本実施の形態１２の第１変形例にかかる姿勢補整用ショートガードル１２６について、図４３を参照して説明する。図４３（ａ），（ｂ），（ｄ）に示されるように、第１変形例にかかる姿勢補整用ショートガードル１２６の背面側の構成については、上記姿勢補整用ショートガードル１２５の構成と同様である。
【０６８２】
異なるのは、図４３（ｃ），（ｅ）に示されるように、第１変形例にかかる姿勢補整用ショートガードル１２６の前面裏側には、羽根部材の分岐していない側のみからなる伸縮性を有する生地としてのパワーネットからなる前部羽根部材１２８が縫付けられている点である。前部羽根部材１２８の分岐していない側１２８ｄの先端１２８ｅは、ステッチ縫い１２８ｈによってショートガードル本体１１１の裏側の前部上端に縫付けられ、反対側の端１２８ａは、ステッチ縫い１２８ｉによって股下当て布１１３の前部の端に縫付けられている。
【０６８３】
したがって、本実施の形態１２の第１変形例にかかる姿勢補整用ショートガードル１２６は、本発明における「後部羽根部材とともに羽根部材の分岐していない側のみからなる伸縮性を有する生地からなる前部羽根部材を有し、前部羽根部材の分岐していない側の先端は下着本体の裏側の前部に縫付けられており、前部羽根部材の反対側の端は股下当て布の前部の端に縫付けられている姿勢補整用下着」に相当する。
【０６８４】
これによって、上記姿勢補整用ショートガードル１２５における効果に加えて、伸縮性を有する生地からなる股下当て布１１３を介してではあるが、後部羽根部材１２４が前部羽根部材１２８によって引っ張られるために後部羽根部材１２４が肛門を引き締める効果が向上するとともに、前部羽根部材１２８によって下腹部が押え付けられるので、下腹部が引っ込んでより美しいプロポーションを得ることができる。
【０６８５】
なお、前部羽根部材１２８については、羽根部材５のように二枚の伸縮性を有する生地を袋縫いにしたものでも、羽根部材５Ｎのように一枚の伸縮性を有する生地の縁を裁ちかがり縫いしたものでも、羽根部材５Ｐのように袋縫いにして作製した左右対称の部分を中心接ぎ縫い５Ｐｇで接いでなるものでも良い。
【０６８６】
次に、本実施の形態１２の第２変形例にかかる姿勢補整用ショートガードル１２７について、図４４を参照して説明する。図４４（ａ），（ｂ），（ｄ）に示されるように、第２変形例にかかる姿勢補整用ショートガードル１２７の背面側の構成については、上記姿勢補整用ショートガードル１２５，１２６の構成と同様である。
【０６８７】
異なるのは、図４４（ｃ），（ｅ）に示されるように、第２変形例にかかる姿勢補整用ショートガードル１２７の前面裏側には、羽根部材の１対の前部分岐部分のみからなる伸縮性を有する生地としてのパワーネットからなる前部羽根部材１２９が縫付けられている点である。前部羽根部材１２９の１対の前部分岐部分１２９ｄ，１２９ｅの先端は、ステッチ縫い１２９ｊによってショートガードル本体１１１の裏側の前部上端に縫付けられ、反対側の端１２９ａは、ステッチ縫い１２９ｈによって股下当て布１１３の前部の端に縫付けられている。
【０６８８】
したがって、本実施の形態１２の第２変形例にかかる姿勢補整用ショートガードル１２７は、本発明における「後部羽根部材とともに羽根部材の１対の前部分岐部分のみからなる伸縮性を有する生地からなる前部羽根部材を有し、前部羽根部材の１対の前部分岐部分の先端は下着本体の裏側の前部に縫付けられており、前部羽根部材の反対側の端は股下当て布の前部の端に縫付けられている姿勢補整用下着」に相当する。
【０６８９】
これによって、上記姿勢補整用ショートガードル１２５における効果に加えて、伸縮性を有する生地からなる股下当て布１１３を介してではあるが、後部羽根部材１２４が前部羽根部材１２９によって引っ張られるために後部羽根部材１２４が肛門を引き締める効果が向上するとともに、前部羽根部材１２９によって下腹部が押え付けられるので、下腹部が引っ込んでより美しいプロポーションを得ることができる。
【０６９０】
なお、前部羽根部材１２９については、羽根部材５のように二枚の伸縮性を有する生地を袋縫いにしたものでも、羽根部材５Ｎのように一枚の伸縮性を有する生地の縁を裁ちかがり縫いしたものでも、二枚の伸縮性を有する生地の縁を裁ちかがり縫いしたものでも良い。
【０６９１】
このようにして、本実施の形態１２にかかる姿勢補整用ショートガードル１２５，１２６，１２７が取付けられた姿勢補整用ボトムズにおいては、意識しなくても着用するだけで肛門が引き締められて正しい姿勢をとることができ、さらに着用して歩行するだけで正しい歩き方をすることができるとともに、小尻になってヒップアップの効果も得られて、より美しいプロポーションを得ることができ、また穿き心地も非常に優れたものとなる。
【０６９２】
なお、本実施の形態１２においては、伸縮性を有する生地として、綿９５％、ポリウレタン５％のポリウレタン混合生地及びパワーネットを使用した場合について説明したが、サテンネット（ストレッチサテン）、ストレッチレースを始めとして他の伸縮性を有する生地を用いても良い。
【０６９３】
実施の形態１３
次に、本発明の実施の形態１３にかかる姿勢補整用ボトムズに取付けられる姿勢補整用下着としての姿勢補整用サポーターについて、図４５乃至図４７を参照して詳細に説明する。
【０６９４】
図４５（ａ）は本発明の実施の形態１３にかかる姿勢補整用下着としての姿勢補整用サポーターの全体構成を示す正面図、（ｂ）は背面図、（ｃ）は本発明の実施の形態１３にかかる姿勢補整用サポーターを裏返した場合の全体構成を示す正面図、（ｄ）は背面図、（ｅ）は本発明の実施の形態１３にかかる姿勢補整用下着としての姿勢補整用サポーターの全体構成を示す斜視図である。図４６（ａ）は本発明の実施の形態１３の第１変形例にかかる姿勢補整用下着としての姿勢補整用サポーターの全体構成を示す正面図、（ｂ）は背面図、（ｃ）は本発明の実施の形態１３の第１変形例にかかる姿勢補整用サポーターを裏返した場合の全体構成を示す正面図、（ｄ）は背面図である。
【０６９５】
図４７（ａ）は本発明の実施の形態１３の第２変形例にかかる姿勢補整用下着としての姿勢補整用サポーターの全体構成を示す正面図、（ｂ）は背面図、（ｃ）は本発明の実施の形態１３の第２変形例にかかる姿勢補整用サポーターを裏返した場合の全体構成を示す正面図、（ｄ）は背面図、（ｅ）は本発明の実施の形態１３の第２変形例にかかる姿勢補整用サポーターに用いられる羽根部材の形状を示す図である。
【０６９６】
図４５（ａ），（ｂ）に示されるように、本実施の形態１３にかかる姿勢補整用下着としての姿勢補整用サポーター６０は、伸縮性を有する生地としてのパワーネット生地からなる下着本体としてのサポーター本体６１を中心に構成されている。サポーター本体６１は、腰周りを覆う腹巻き状の部分に股部の前半分のみを形成するための突出部６１ａが一体となったものであり、後中心６１Ｃにおいて縫い合わされており、伸縮性を有する生地としてのパワーネットからなる羽根部材５を縫付けることによって初めて股部が形成される。
【０６９７】
したがって、サポーター本体６１は、本発明における「着用者の股下に当接する股部を有しない下着本体」に相当する。また、本実施の形態１３にかかる姿勢補整用サポーター６０は、「下着本体と、略Ｙ字形の伸縮性を有する生地からなる羽根部材とを具備する姿勢補整用下着」に相当し、下着本体６１は伸縮性を有する生地からなるものである。
【０６９８】
また、本実施の形態１３にかかる姿勢補整用サポーター６０が取付けられた姿勢補整用ボトムズは、本発明における「着用者の股下に当接する股部を有しない伸縮性を有する生地からなる下着本体と、１対の分岐部分を有する略Ｙ字形の伸縮性を有する生地からなる羽根部材とを具備する姿勢補整用下着がボトムズ本体の内側に取付けられた姿勢補整用ボトムズ」であり、「姿勢補整用下着がボトムズ本体の裏側に着脱可能に取付けられていることを特徴とする姿勢補整用ボトムズ」であり、「ボトムズ本体のウエストベルトの裏側にＺナップの凹側が複数個取付けられ、姿勢補整用下着の上端にＺナップの凸側が複数個取付けられて、ボトムズ本体のウエストベルトの裏側のＺナップの凹側が姿勢補整用下着の上端のＺナップの凸側と嵌合させられ或いは取外されることによって、姿勢補整用下着がボトムズ本体の裏側に着脱可能に取付けられている姿勢補整用ボトムズ」に相当する。
【０６９９】
そして、図４５（ａ），（ｂ）に示されるように、姿勢補整用サポーター６０のサポーター本体６１の上端部３８には、ボトムズ本体としてのパンツ表地１１のウエストベルト部１１ａの裏側に縫付けられた布地テープ３６に取付けられた複数個のＺナップ３７の凹側３７Ｂの位置に対応するように、複数個のＺナップ３７の凸側３７Ａが取付けられている。
【０７００】
さらに、図４５（ｄ）に示されるように、姿勢補整用サポーター６０を裏返すと、サポーター本体６１の臀部裏側には、伸縮性を有する生地としてのパワーネットからなる羽根部材５が直接縫付けられている。羽根部材５は前述の如く二枚のパワーネット生地を袋縫いしてなるものであり、１対の分岐部分５ａ，５ｂの先端及びその周囲の部分がステッチ縫い５ｉによって、サポーター本体６１の臀部裏側に直接縫付けられている。
【０７０１】
一方、図４５（ｅ）に示されるように、サポーター本体６１の突出部６１ａの裏側にはパワーネットからなる見返し布６２が縫付けられており、羽根部材５の分岐していない側５ｄは、この見返し布６２の先端近傍にステッチ縫い５ｈによって縫付けられ、さらに羽根部材５の分岐していない側５ｄの先端５ｅが、ステッチ縫い５ｈによってサポーター本体６１の突出部６１ａの裏側に縫付けられたパワーネットからなる見返し布６２の付け根近傍に縫付けられている。
【０７０２】
したがって、羽根部材５は、ステッチ縫い５ｈによって分岐していない側５ｄの分岐点５ｃの近傍が見返し布６２の先端近傍に縫付けられた部分と、ステッチ縫い５ｉによって１対の分岐部分５ａ，５ｂの先端及びその周囲の部分がサポーター本体６１の臀部裏側に直接縫付けられた部分との間は縫付けられておらず、フリーの状態になっている。
【０７０３】
１対の分岐部分５ａ，５ｂの内側におけるステッチ縫い５ｉの縫い止まり点は、羽根部材５の分岐点５ｃから約７ｃｍ（６．０ｃｍ〜８．０ｃｍ）離れており、１対の分岐部分５ａ，５ｂの外側におけるステッチ縫い５ｉの縫い止まり点は、内側のステッチ縫い５ｉの縫い止まり点とほぼ対応する位置にあって、少なくとも着用者の肛門の位置ＨＣＰよりは上方にある。
【０７０４】
そして、図４５（ｄ）に示されるように、羽根部材５は、姿勢補整用サポーター６０を着用したときに、着用者の肛門の位置ＨＣＰが１対の分岐部分５ａ，５ｂの間の分岐点５ｃの近傍（分岐点５ｃから約１．５ｃｍ（１．０ｃｍ〜２．０ｃｍ）離れた位置）にくるように縫付けられている。
【０７０５】
これによって、本実施の形態１３にかかる姿勢補整用ボトムズとしての姿勢補整用パンツを着用することによって、羽根部材５には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０７０６】
また、肛門が引き締められると着用者の臀部に生ずる小さい窪みを押えることによって、臀部が引き締まって小尻になるとともにヒップアップの効果が得られるが、本実施の形態１３にかかる姿勢補整用下着６０においては、羽根部材５の１対の分岐部分５ａ，５ｂがこの小さい窪みの位置ＨＥＰを覆うように縫付けられているため、羽根部材５の引っ張り力によってこの小さい窪みが押えられ、臀部が引き締まって小尻になるとともにヒップアップの効果が得られる。
【０７０７】
このようにして、本実施の形態１３にかかる姿勢補整用下着としての姿勢補整用サポーター６０が取付けられた姿勢補整用ボトムズにおいては、意識しなくても着用するだけで肛門が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られ、美しいプロポーションを得ることができる。
【０７０８】
さらに、Ｚナップ３７によって姿勢補整用サポーター６０をパンツ表地１１から着脱自在としたことによって、姿勢補整用サポーター６０を取外してパンツ表地１１単独でも着用することができるとともに、姿勢補整用サポーター６０のみまたはパンツ表地１１のみを洗濯またはクリーニングすることも可能となる。
【０７０９】
次に、本発明の実施の形態１３の第１変形例にかかる姿勢補整用下着としての姿勢補整用サポーターについて、図４６を参照して詳細に説明する。
【０７１０】
図４６（ａ），（ｂ）に示されるように、本実施の形態１３の第１変形例にかかる姿勢補整用下着としての姿勢補整用サポーター６５は、伸縮性を有する生地としてのパワーネット生地からなる下着本体としてのサポーター本体６６及び同じく伸縮性を有する生地としてのパワーネット生地からなる羽根部材５Ｕによって構成されている。サポーター本体６６は、腰周りを覆う腹巻き形状のもので、後中心６６Ｃにおいて縫い合わされており、このサポーター本体６６の前後に羽根部材５Ｕを縫付けることによって初めて股部が形成される。
【０７１１】
そして、図４６（ａ），（ｂ）に示されるように、姿勢補整用サポーター６５のサポーター本体６６の上端部３８には、ボトムズ本体としてのパンツ表地１１のウエストベルト部１１ａの裏側に縫付けられた布地テープ３６に取付けられた複数個のＺナップ３７の凹側３７Ｂの位置に対応するように、複数個のＺナップ３７の凸側３７Ａが取付けられている。
【０７１２】
したがって、サポーター本体６６は、本発明における「着用者の股下に当接する股部を有しない下着本体」に相当する。また、本実施の形態１３の第１変形例にかかる姿勢補整用サポーター６５は、「下着本体と、略Ｙ字形の伸縮性を有する生地からなる羽根部材とを具備する姿勢補整用下着」に相当し、下着本体６６は伸縮性を有する生地からなるものである。
【０７１３】
また、本実施の形態１３の第１変形例にかかる姿勢補整用サポーター６５が取付けられた姿勢補整用ボトムズは、本発明における「着用者の股下に当接する股部を有しない伸縮性を有する生地からなる下着本体と、１対の分岐部分を有する略Ｙ字形の伸縮性を有する生地からなる羽根部材とを具備する姿勢補整用下着がボトムズ本体の内側に取付けられた姿勢補整用ボトムズ」であり、「姿勢補整用下着がボトムズ本体の裏側に着脱可能に取付けられていることを特徴とする姿勢補整用ボトムズ」であり、「ボトムズ本体のウエストベルトの裏側にＺナップの凹側が複数個取付けられ、姿勢補整用下着の上端にＺナップの凸側が複数個取付けられて、ボトムズ本体のウエストベルトの裏側のＺナップの凹側が姿勢補整用下着の上端のＺナップの凸側と嵌合させられ或いは取外されることによって、姿勢補整用下着がボトムズ本体の裏側に着脱可能に取付けられている姿勢補整用ボトムズ」に相当する。
【０７１４】
羽根部材５Ｕは、羽根部材５と同様に、二枚のパワーネット生地を袋縫いしてなるものである。そして、図４６（ｃ），（ｄ）に示されるように、姿勢補整用サポーター６５を裏返すと、サポーター本体６６の前部裏側には、羽根部材５Ｕの分岐していない側５Ｕｄの先端５Ｕｅが、ステッチ縫い５Ｕｈによって直接縫付けられている。一方、サポーター本体６６の臀部裏側には、羽根部材５Ｕの１対の分岐部分５Ｕａ，５Ｕｂの先端及びその周囲の部分がステッチ縫い５Ｕｉによって、直接縫付けられている。
【０７１５】
１対の分岐部分５Ｕａ，５Ｕｂの内側におけるステッチ縫い５Ｕｉの縫い止まり点は、羽根部材５Ｕの分岐点５Ｕｃから約７ｃｍ（６．０ｃｍ〜８．０ｃｍ）離れており、１対の分岐部分５Ｕａ，５Ｕｂの外側におけるステッチ縫い５Ｕｉの縫い止まり点は、内側のステッチ縫い５Ｕｉの縫い止まり点とほぼ対応する位置にあって、少なくとも着用者の肛門の位置ＨＣＰよりは上方にある。
【０７１６】
したがって、羽根部材５Ｕは、ステッチ縫い５Ｕｈによって分岐していない側５Ｕｄの端５Ｕｅがサポーター本体６６の前部裏側に縫付けられた部分と、ステッチ縫い５Ｕｉによって１対の分岐部分５Ｕａ，５Ｕｂの先端及びその周囲の部分がサポーター本体６６の臀部裏側に直接縫付けられた部分（縫い止まり点）との間は縫付けられておらず、フリーの状態になっている。
【０７１７】
そして、図４６（ｄ）に示されるように、羽根部材５Ｕは、姿勢補整用サポーター６５を着用したときに、着用者の肛門の位置ＨＣＰが１対の分岐部分５Ｕａ，５Ｕｂの間の分岐点５Ｕｃの近傍（分岐点５Ｕｃから約１．５ｃｍ（１．０ｃｍ〜２．０ｃｍ）離れた位置）にくるように縫付けられている。
【０７１８】
これによって、本実施の形態１３の第１変形例にかかる姿勢補整用ボトムズとしての姿勢補整用パンツを着用することによって、羽根部材５Ｕには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０７１９】
また、肛門が引き締められると着用者の臀部に生ずる小さい窪みを押えることによって、臀部が引き締まって小尻になるとともにヒップアップの効果が得られるが、本実施の形態１３の第１変形例にかかる姿勢補整用下着６５においては、羽根部材５Ｕの１対の分岐部分５Ｕａ，５Ｕｂがこの小さい窪みの位置ＨＥＰを覆うように縫付けられているため、羽根部材５Ｕの引っ張り力によってこの小さい窪みが押えられ、臀部が引き締まって小尻になるとともにヒップアップの効果が得られる。
【０７２０】
このようにして、本実施の形態１３の第１変形例にかかる姿勢補整用下着としての姿勢補整用サポーター６５が取付けられた姿勢補整用ボトムズにおいては、意識しなくても着用するだけで肛門が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られ、美しいプロポーションを得ることができる。
【０７２１】
さらに、Ｚナップ３７によって姿勢補整用サポーター６５をパンツ表地１１から着脱自在としたことによって、姿勢補整用サポーター６５を取外してパンツ表地１１単独でも着用することができるとともに、姿勢補整用サポーター６５のみまたはパンツ表地１１のみを洗濯またはクリーニングすることも可能となる。
【０７２２】
次に、本発明の実施の形態１３の第２変形例にかかる姿勢補整用下着としての姿勢補整用サポーターについて、図４７を参照して詳細に説明する。
【０７２３】
図４７（ａ），（ｂ）に示されるように、本実施の形態１３の第２変形例にかかる姿勢補整用下着としての姿勢補整用サポーター７０は、伸縮性を有する生地としてのパワーネット生地からなる下着本体としてのサポーター本体７１及び同じく伸縮性を有する生地としてのパワーネット生地からなる羽根部材７２によって構成されている。サポーター本体７１は、腰周りを覆う腹巻き形状のもので、前中心７１Ｂ及び後中心７１Ｃにおいて縫い合わされており、このサポーター本体７１の前後に羽根部材７２を縫付けることによって股部が形成される。
【０７２４】
そして、図４７（ａ），（ｂ）に示されるように、姿勢補整用サポーター７０のサポーター本体７１の上端部３８には、ボトムズ本体としてのパンツ表地１１のウエストベルト部１１ａの裏側に縫付けられた布地テープ３６に取付けられた複数個のＺナップ３７の凹側３７Ｂの位置に対応するように、複数個のＺナップ３７の凸側３７Ａが取付けられている。
【０７２５】
さらに、図４７（ｅ）に示されるように、本実施の形態１３の第２変形例にかかる姿勢補整用サポーター７０に用いられる羽根部材７２は、１対の分岐部分７２ａ，７２ｂと１対の前部分岐部分７２ｄ，７２ｅとを有する略Ｘ字形のものである。
【０７２６】
したがって、サポーター本体７１は、本発明における「着用者の股下に当接する股部を有しない下着本体」に相当する。また、本実施の形態１３の第２変形例にかかる姿勢補整用サポーター７０は、「下着本体と、略Ｘ字形の伸縮性を有する生地からなる羽根部材とを具備する姿勢補整用下着」に相当し、下着本体７１は伸縮性を有する生地からなるものである。
【０７２７】
また、本実施の形態１３の第２変形例にかかる姿勢補整用サポーター７０が取付けられた姿勢補整用ボトムズは、本発明における「着用者の股下に当接する股部を有しない伸縮性を有する生地からなる下着本体と、１対の分岐部分を有する略Ｘ字形の伸縮性を有する生地からなる羽根部材とを具備する姿勢補整用下着がボトムズ本体の内側に取付けられた姿勢補整用ボトムズ」であり、「姿勢補整用下着がボトムズ本体の裏側に着脱可能に取付けられていることを特徴とする姿勢補整用ボトムズ」であり、「ボトムズ本体のウエストベルトの裏側にＺナップの凹側が複数個取付けられ、姿勢補整用下着の上端にＺナップの凸側が複数個取付けられて、ボトムズ本体のウエストベルトの裏側のＺナップの凹側が姿勢補整用下着の上端のＺナップの凸側と嵌合させられ或いは取外されることによって、姿勢補整用下着がボトムズ本体の裏側に着脱可能に取付けられている姿勢補整用ボトムズ」に相当する。
【０７２８】
羽根部材７２は、図７（ｂ）に示される羽根部材５Ｎと同様に、一枚のパワーネット生地の縁を裁ちかがり縫いしてなるものである。そして、図４７（ｃ），（ｄ）に示されるように、姿勢補整用サポーター７０を裏返すと、サポーター本体７１の前部裏側には、羽根部材７２の１対の前部分岐部分７２ｄ，７２ｅが、ステッチ縫い７２ｊによって直接縫付けられている。一方、サポーター本体７１の臀部裏側には、羽根部材７２の１対の分岐部分７２ａ，７２ｂの先端及びその周囲の部分がステッチ縫い７２ｉによって、直接縫付けられている。
【０７２９】
１対の分岐部分７２ａ，７２ｂの内側におけるステッチ縫い７２ｉの縫い止まり点は、サポーター本体７１の臀部裏側の端であり、羽根部材７２の分岐点７２ｃから約７ｃｍ（６．０ｃｍ〜８．０ｃｍ）離れており、１対の分岐部分７２ａ，７２ｂの外側におけるステッチ縫い７２ｉの縫い止まり点もサポーター本体７１の臀部裏側の端で、内側のステッチ縫い７２ｉの縫い止まり点とほぼ対応する位置にあって、少なくとも着用者の肛門の位置ＨＣＰよりは上方にある。
【０７３０】
したがって、羽根部材７２は、ステッチ縫い７２ｊによって１対の前部分岐部分７２ｄ，７２ｅがサポーター本体７１の前部裏側に縫付けられた部分と、ステッチ縫い７２ｉによって１対の分岐部分７２ａ，７２ｂの先端及びその周囲の部分がサポーター本体７１の臀部裏側に直接縫付けられた部分（縫い止まり点）との間は縫付けられておらず、フリーの状態になっている。
【０７３１】
そして、図４７（ｄ）に示されるように、羽根部材７２は、姿勢補整用サポーター７０を着用したときに、着用者の肛門の位置ＨＣＰが１対の分岐部分７２ａ，７２ｂの間の分岐点７２ｃの近傍（分岐点７２ｃから約１．５ｃｍ（１．０ｃｍ〜２．０ｃｍ）離れた位置）にくるように縫付けられている。
【０７３２】
これによって、本実施の形態１３の第２変形例にかかる姿勢補整用サポーター７０を着用することによって、羽根部材７２には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。また、肛門が引き締められると臀部に生じる小さい窪みの位置する点ＨＥＰがサポーター本体５１を介して羽根部材５２によって押えられるため、着用者の臀部が引き締まって小尻になるとともにヒップアップの効果が得られる。
【０７３３】
さらに、伸縮性を有する生地からなる羽根部材７２の１対の前部分岐部分７２ｄ，７２ｅがサポーター本体７１の前部に縫付けられているため、肛門を引き締める効果が向上するとともにヒップアップの効果をも得ることができる。また、本実施の形態１３の第２変形例にかかる姿勢補整用サポーター７０を姿勢補整用ボトムズとして男性用ズボンに適用した場合には、１対の前部分岐部分７２ｄ，７２ｅの間が開いているので、排尿時に姿勢補整用サポーター７０を一々脱ぐ必要がないという利点も得られる。
【０７３４】
このようにして、本実施の形態１３の第２変形例にかかる姿勢補整用下着としての姿勢補整用サポーター７０が取付けられた姿勢補整用ボトムズにおいては、意識しなくても着用するだけで肛門が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られ、美しいプロポーションを得ることができる。
【０７３５】
さらに、Ｚナップ３７によって姿勢補整用サポーター７０をパンツ表地１１から着脱自在としたことによって、姿勢補整用サポーター７０を取外してパンツ表地１１単独でも着用することができるとともに、姿勢補整用サポーター７０のみまたはパンツ表地１１のみを洗濯またはクリーニングすることも可能となる。
【０７３６】
実施の形態１４
次に、本発明の実施の形態１４にかかる姿勢補整用ボトムズについて、図４８を参照して説明する。図４８は本発明の実施の形態１４にかかる姿勢補整用ボトムズにおいて、姿勢補整用下着をボトムズ本体としての紳士用ズボン（パンツ）或いは婦人用パンツの裏側に装着する方法を示す説明図である。
【０７３７】
図４８に示されるように、本実施の形態１４にかかる姿勢補整用ボトムズにおいては、ボトムズ本体のウエストベルト２ａの裏側下端に、Ｚナップ３７の凹側３７Ｂとループ８１が交互にそれぞれ複数個取付けられており、姿勢補整用下着の上端部３８の表側３８ａの上端にはＺナップ３７の凸側３７Ａとボタン８４が交互にそれぞれ複数個取付けられている。上述の如く、Ｚナップ３７は使い勝手の良い着脱具であるが、姿勢補整用ボトムズに激しい動きや大きな引張り力が掛かった場合には、外れてしまうことがある。そこで、補助的に複数のループ８１と複数のボタン８４で取付けておくことによって、Ｚナップ３７が万一外れてしまった場合にも、姿勢補整用下着が落ちるのを防ぐことができる。
【０７３８】
ここで、複数のボタン８４は姿勢補整用下着の上端部３８の表側３８ａに取付けられているため、直接肌に触れることがなく、長時間着用しても肌に跡が付くこともない。このようにして、本実施の形態１４にかかる姿勢補整用ボトムズは、姿勢補整用下着がボトムズ本体のウエストベルト２ａの裏側に着脱可能であって、Ｚナップ３７及びボタン８４が肌を刺激することもなく、快適に長時間着用することができる。また、姿勢補整用下着をボトムズ本体のウエストベルト２ａの裏側から着脱自在としたことによって、姿勢補整用下着を取外してボトムズ本体単独でも着用することができるとともに、姿勢補整用下着のみ或いはボトムズ本体のみを洗濯またはクリーニングすることも可能となる。
【０７３９】
なお、複数のループ８１と複数のボタン８４は、Ｚナップ３７と必ずしも交互に取付けられなくても良く、Ｚナップ３７を複数個連続して取付け、複数のループ８１と複数のボタン８４を連続して取付けても良いし、複数のループ８１と複数のボタン８４は補助的な役割をするものであるため、Ｚナップ３７よりもずっと少ない数としても良い。
【０７４０】
実施の形態１５
次に、本発明の実施の形態１５にかかる姿勢補整用ボトムズについて、図４９を参照して説明する。図４９は本発明の実施の形態１５にかかる姿勢補整用ボトムズにおいて、姿勢補整用下着をボトムズ本体としての紳士用ズボン（パンツ）或いは婦人用パンツの裏側に装着する方法を示す説明図である。
【０７４１】
図４９に示されるように、本実施の形態１５にかかる姿勢補整用ボトムズにおいては、ボトムズ本体のウエストベルト２ａの裏側に姿勢補整用下着を着脱するための着脱具として、ランジェリーフックアイテープが用いられている。即ち、ボトムズ本体のウエストベルト２ａの裏側には、一定間隔で複数の雌フック８０ａが取付けられたランジェリーフックアイテープの雌側８０Ａが縫付けられており、姿勢補整用下着の上端部３８の表側３８ａには、前記複数の雌フック８０ａと同一間隔で複数の雄フック８０ｂが取付けられたランジェリーフックアイテープの雄側８０Ｂが縫付けられている。
【０７４２】
そして、姿勢補整用下着をボトムズ本体の裏側に装着する際には、複数の雄フック８０ｂをそれぞれ対応する位置の複数の雌フック８０ａに係合させることによって、簡単に素早く装着することができる。ここで、ランジェリーフックアイテープの雄側８０Ｂは姿勢補整用下着の上端部３８の表側３８ａに縫付けられているので、複数の雄フック８０ｂを複数の雌フック８０ａに係合させて姿勢補整用ボトムズを佩いても、雄フック８０ｂまたは雌フック８０ａが肌に直接当ることはなく、肌を圧迫することもない。したがって、快適に長時間着用することができる。また、姿勢補整用下着をボトムズ本体から着脱自在としたことによって、姿勢補整用下着を取外してボトムズ本体単独でも着用することができるとともに、姿勢補整用下着のみ或いはボトムズ本体のみを洗濯またはクリーニングすることも可能となる。
【０７４３】
なお、本実施の形態１５とは逆に、ボトムズ本体のウエストベルト２ａの裏側にランジェリーフックアイテープの雄側８０Ｂを縫付け、姿勢補整用下着の上端部３８の表側３８ａにランジェリーフックアイテープの雌側８０Ａを縫付けても同様な作用効果が得られる。
【０７４４】
実施の形態１６
次に、本発明の実施の形態１６にかかる姿勢補整用ボトムズについて、図５０を参照して説明する。図５０（ａ）は本発明の実施の形態１６にかかる姿勢補整用ボトムズにおいて、姿勢補整用下着をボトムズ本体としての紳士用ズボン（パンツ）或いは婦人用パンツの裏側に装着する方法を示す説明図、（ｂ）は変形例を示す図、（ｃ）は別の変形例を示す図である。
【０７４５】
図５０（ａ）に示されるように、本実施の形態１６にかかる姿勢補整用下着の上端部３８の表側３８ａには間隔をおいて複数のボタン８４が取付けられている。一方、ボトムズ本体のウエストベルト２ａの裏側には、複数のボタン８４と対応する位置に複数の糸ループ８１Ａが取付けられている。そして、本実施の形態１６にかかる姿勢補整用ボトムズにおいて、姿勢補整用下着をボトムズ本体のウエストベルト２ａの裏側に装着する際には、ボタン８４をそれぞれ対応する位置の糸ループ８１Ａに嵌めれば良いので、簡単に素早く装着することができる。
【０７４６】
ここで、複数のボタン８４は姿勢補整用下着の上端部３８の表側３８ａに取付けられているので、複数のボタン８４を複数の糸ループ８１Ａに嵌めて姿勢補整用ボトムズを佩いても、ボタン８４が肌に直接当ることはなく、肌を圧迫することもない。したがって、快適に長時間着用することができる。また、姿勢補整用下着をボトムズ本体から着脱自在としたことによって、姿勢補整用下着を取外してボトムズ本体単独でも着用することができるとともに、姿勢補整用下着のみ或いはボトムズ本体のみを洗濯またはクリーニングすることも可能となる。
【０７４７】
次に、本実施の形態１６の変形例について、図５０（ｂ）を参照して説明する。図５０（ｂ）に示されるように、図５０（ａ）との相違点はウエストベルト２ａの裏側に糸ループ８１Ａの代わりにルーパー８２が取付けられている点のみである。したがって、姿勢補整用下着をボトムズ本体のウエストベルト２ａの裏側に装着する際には、ボタン８４をそれぞれ対応する位置のルーパー８２に嵌めれば良いので、簡単に素早く装着することができる。
【０７４８】
次に、本実施の形態１６の別の変形例について、図５０（ｃ）を参照して説明する。図５０（ｃ）に示されるように、図５０（ａ）との相違点はウエストベルト２ａの裏側に糸ループ８１Ａの代わりに表地バイアスループまたは裏地バイアスループ８３が取付けられている点のみである。したがって、姿勢補整用下着をボトムズ本体のウエストベルト２ａの裏側に装着する際には、ボタン８４をそれぞれ対応する位置の表地バイアスループまたは裏地バイアスループ８３に嵌めれば良いので、簡単に素早く装着することができる。
【０７４９】
なお、本実施の形態１６とは逆に、ボトムズ本体のウエストベルト２ａの裏側にボタン８４を取付け、姿勢補整用下着の上端部３８の表側３８ａに糸ループ８１Ａ，ルーパー８２，表地バイアスループまたは裏地バイアスループ８３を（ボタン８４を嵌めたときにボタン８４が肌に当らない位置にくるように）取付けても同様な作用効果が得られる。
【０７５０】
実施の形態１７
次に、本発明の実施の形態１７にかかる姿勢補整用ボトムズについて、図５１を参照して説明する。図５１（ａ）は本発明の実施の形態１７にかかる姿勢補整用ボトムズにおいて、姿勢補整用下着をボトムズ本体としての紳士用ズボン（パンツ）或いは婦人用パンツの裏側に装着する方法を示す説明図、（ｂ）は変形例を示す図、（ｃ）は別の変形例を示す図である。
【０７５１】
図５１（ａ）に示されるように、本実施の形態１７にかかる姿勢補整用下着の上端部３８の表側３８ａには間隔をおいて複数の雄型スプリングホック８５が取付けられている。一方、ボトムズ本体のウエストベルト２ａの裏側には、複数の雄型スプリングホック８５と対応する位置に複数の糸ループ８１Ａが取付けられている。そして、本実施の形態１７にかかる姿勢補整用下着をボトムズ本体のウエストベルト２ａの裏側に装着する際には、雄型スプリングホック８５をそれぞれ対応する位置の糸ループ８１Ａに嵌めれば良いので、簡単に素早く装着することができる。
【０７５２】
ここで、複数の雄型スプリングホック８５は姿勢補整用下着の上端部３８の表側３８ａに取付けられているので、複数の雄型スプリングホック８５を複数の糸ループ８１Ａに嵌めて姿勢補整用ボトムズを佩いても、雄型スプリングホック８５が肌に直接当ることはなく、肌を圧迫することもない。したがって、快適に長時間着用することができる。また、姿勢補整用下着をボトムズ本体から着脱自在としたことによって、姿勢補整用下着を取外してボトムズ本体単独でも着用することができるとともに、姿勢補整用下着のみ或いはボトムズ本体のみを洗濯またはクリーニングすることも可能となる。
【０７５３】
次に、本実施の形態１７の変形例について、図５１（ｂ）を参照して説明する。図５１（ｂ）に示されるように、図５１（ａ）との相違点はウエストベルト２ａの裏側に糸ループ８１Ａの代わりにルーパー８２が取付けられている点のみである。したがって、姿勢補整用下着をボトムズ本体のウエストベルト２ａの裏側に装着する際には、雄型スプリングホック８５をそれぞれ対応する位置のルーパー８２に嵌めれば良いので、簡単に素早く装着することができる。
【０７５４】
次に、本実施の形態１７の別の変形例について、図５１（ｃ）を参照して説明する。図５１（ｃ）に示されるように、図５１（ａ）との相違点はウエストベルト２ａの裏側に糸ループ８１Ａの代わりに表地バイアスループまたは裏地バイアスループ８３が取付けられている点のみである。したがって、姿勢補整用下着をボトムズ本体のウエストベルト２ａの裏側に装着する際には、雄型スプリングホック８５をそれぞれ対応する位置の表地バイアスループまたは裏地バイアスループ８３に嵌めれば良いので、簡単に素早く装着することができる。
【０７５５】
なお、本実施の形態１７とは逆に、ボトムズ本体のウエストベルト２ａの裏側に雄型スプリングホック８５を取付け、姿勢補整用下着の上端部３８の表側３８ａに糸ループ８１Ａ，ルーパー８２，表地バイアスループまたは裏地バイアスループ８３を（雄型スプリングホック８５を嵌めたときに雄型スプリングホック８５が肌に当らない位置にくるように）取付けても同様な作用効果が得られる。
【０７５６】
実施の形態１８
次に、本発明の実施の形態１８にかかる姿勢補整用ボトムズについて、図５２を参照して説明する。図５２は本発明の実施の形態１８にかかる姿勢補整用ボトムズにおいて、姿勢補整用下着をボトムズ本体としての紳士用ズボン（パンツ）或いは婦人用パンツの裏側に装着する方法を示す説明図である。
【０７５７】
図５２に示されるように、本実施の形態１８にかかる姿勢補整用下着の上端部３８の表側３８ａには間隔をおいて複数のボタン８４が取付けられている。一方、ボトムズ本体のウエストベルト２ａの裏側には、複数のボタン８４と対応する位置に複数のチイ８６が取付けられている。ここで、チイ８６とは、細長い布地を図のように折り畳んだループと同じ役割をするものである。そして、本実施の形態１８にかかる姿勢補整用下着をボトムズ本体のウエストベルト２ａの裏側に装着する際には、ボタン８４をそれぞれ対応する位置のチイ８６に嵌めれば良いので、簡単に素早く装着することができる。
【０７５８】
ここで、複数のボタン８４は姿勢補整用下着の上端部３８の表側３８ａに取付けられているので、複数のボタン８４を複数のチイ８６に嵌めて姿勢補整用ボトムズを佩いても、ボタン８４が肌に直接当ることはなく、肌を圧迫することもない。したがって、快適に長時間着用することができる。また、姿勢補整用下着をボトムズ本体から着脱自在としたことによって、姿勢補整用下着を取外してボトムズ本体単独でも着用することができるとともに、姿勢補整用下着のみ或いはボトムズ本体のみを洗濯またはクリーニングすることも可能となる。
【０７５９】
なお、本実施の形態１８とは逆に、ボトムズ本体のウエストベルト２ａの裏側にボタン８４を取付け、姿勢補整用下着の上端部３８の表側３８ａにチイ８６を（ボタン８４を嵌めたときにボタン８４が肌に当らない位置にくるように）取付けても同様な作用効果が得られる。
【０７６０】
実施の形態１９
次に、本発明の実施の形態１９にかかる姿勢補整用ボトムズについて、図５３を参照して説明する。図５３は本発明の実施の形態１９にかかる姿勢補整用ボトムズにおいて、姿勢補整用下着をボトムズ本体としての紳士用ズボン（パンツ）或いは婦人用パンツの裏側に装着する方法を示す説明図である。
【０７６１】
図５３に示されるように、本実施の形態１９にかかる姿勢補整用下着の上端部３８の表側３８ａには、間隔をおいて複数のボタン８４が取付けられている。一方、ボトムズ本体のウエストベルト２ａの裏側には、複数のボタン８４と対応する位置に複数のボタンホール８７が設けられた布テープ８８が縫付けられている。そして、本実施の形態１９にかかる姿勢補整用下着をボトムズ本体のウエストベルト２ａの裏側に装着する際には、ボタン８４をそれぞれ対応する位置のボタンホール８７に嵌めれば良いので、簡単に素早く装着することができる。
【０７６２】
ここで、複数のボタン８４は姿勢補整用下着の上端部３８の表側３８ａに取付けられているので、複数のボタン８４を複数のボタンホール８７に嵌めて姿勢補整用ボトムズを佩いても、ボタン８４が肌に直接当ることはなく、肌を圧迫することもない。したがって、快適に長時間着用することができる。また、姿勢補整用下着をボトムズ本体から着脱自在としたことによって、姿勢補整用下着を取外してボトムズ本体単独でも着用することができるとともに、姿勢補整用下着のみ或いはボトムズ本体のみを洗濯またはクリーニングすることも可能となる。
【０７６３】
なお、本実施の形態１９とは逆に、ボトムズ本体のウエストベルト２ａの裏側にボタン８４を取付け、姿勢補整用下着の上端部３８の表側３８ａに複数のボタンホール８７が設けられた布テープ８８を（ボタン８４を嵌めたときにボタン８４が肌に当らない位置にくるように）取付けても同様な作用効果が得られる。また、布テープ８８でなくゴムテープに複数のボタンホール８７が設けられたものを、ボトムズ本体のウエストベルト２ａの裏側或いは姿勢補整用下着の上端部３８の表側３８ａに縫付けても良い。
【０７６４】
実施の形態２０
次に、本発明の実施の形態２０にかかる姿勢補整用ボトムズについて、図５４を参照して説明する。図５４は本発明の実施の形態２０にかかる姿勢補整用ボトムズにおいて、姿勢補整用下着をボトムズ本体としての紳士用ズボン（パンツ）或いは婦人用パンツの裏側に装着する方法を示す説明図である。
【０７６５】
図５４に示されるように、本実施の形態２０にかかる姿勢補整用下着の上端部３８の表側３８ａには、間隔をおいて複数の雄型スプリングホック８５が取付けられている。一方、ボトムズ本体のウエストベルト２ａの裏側には、複数の雄型スプリングホック８５と対応する位置に複数の雌型スプリングホック８９が取付けられている。そして、本実施の形態２０にかかる姿勢補整用下着をボトムズ本体のウエストベルト２ａの裏側に装着する際には、雄型スプリングホック８５をそれぞれ対応する位置の雌型スプリングホック８９に係合させれば良いので、簡単に素早く装着することができる。
【０７６６】
ここで、複数の雄型スプリングホック８５は姿勢補整用下着の上端部３８の表側３８ａに取付けられているので、複数の雄型スプリングホック８５を複数の雌型スプリングホック８９に係合させて姿勢補整用ボトムズを佩いても、雄型スプリングホック８５或いは雌型スプリングホック８９が肌に直接当ることはなく、肌を圧迫することもない。したがって、快適に長時間着用することができる。また、姿勢補整用下着をボトムズ本体から着脱自在としたことによって、姿勢補整用下着を取外してボトムズ本体単独でも着用することができるとともに、姿勢補整用下着のみ或いはボトムズ本体のみを洗濯またはクリーニングすることも可能となる。
【０７６７】
なお、本実施の形態２０とは逆に、ボトムズ本体のウエストベルト２ａの裏側に雄型スプリングホック８５を取付け、姿勢補整用下着の上端部３８の表側３８ａに雌型スプリングホック８９を（雄型スプリングホック８５を嵌めたときに雄型スプリングホック８５及び雌型スプリングホック８９が肌に当らない位置にくるように）取付けても同様な作用効果が得られる。また、図５４においては、形状の異なる２種類の雌型スプリングホック８９を混合して用いているが、どちらか１種類に統一しても良い。
【０７６８】
実施の形態２１
次に、本発明の実施の形態２１にかかる姿勢補整用ボトムズについて、図５５を参照して説明する。図５５は本発明の実施の形態２１にかかる姿勢補整用ボトムズにおいて、姿勢補整用下着をボトムズ本体としての紳士用ズボン（パンツ）或いは婦人用パンツの裏側に装着する方法を示す説明図である。
【０７６９】
図５５に示されるように、本実施の形態２１にかかる姿勢補整用下着の上端部３８の表側３８ａには、一定間隔をおいて複数の凸側ドット釦９１が取付けられたドット・スナップテープ９２が縫付けられている。一方、ボトムズ本体のウエストベルト２ａの裏側には、同じ一定間隔をおいて複数の凹側ドット釦９０が取付けられたドット・スナップテープ９２が縫付けられている。そして、本実施の形態２１にかかる姿勢補整用下着をボトムズ本体のウエストベルト２ａの裏側に装着する際には、凸側ドット釦９１をそれぞれ対応する位置の凹側ドット釦９０に嵌めれば良いので、簡単に素早く装着することができる。
【０７７０】
ここで、複数の凸側ドット釦９１が取付けられたドット・スナップテープ９２は姿勢補整用下着の上端部３８の表側３８ａに取付けられているので、複数の凸側ドット釦９１を複数の凹側ドット釦９０に嵌めて姿勢補整用ボトムズを佩いても、凸側ドット釦９１も凹側ドット釦９０も肌に直接当ることはなく、肌を圧迫することもない。したがって、快適に長時間着用することができる。また、姿勢補整用下着をボトムズ本体から着脱自在としたことによって、姿勢補整用下着を取外してボトムズ本体単独でも着用することができるとともに、姿勢補整用下着のみ或いはボトムズ本体のみを洗濯またはクリーニングすることも可能となる。
【０７７１】
なお、本実施の形態２１とは逆に、ボトムズ本体のウエストベルト２ａの裏側に複数の凸側ドット釦９１が取付けられたドット・スナップテープ９２を取付け、姿勢補整用下着の上端部３８の表側３８ａに複数の凹側ドット釦９０が取付けられたドット・スナップテープ９２を取付けても同様な作用効果が得られる。さらに、ドット・スナップテープ９２を用いずに、複数の凹側ドット釦９０と複数の凸側ドット釦９１を直接それぞれ間隔をおいて、ボトムズ本体のウエストベルト２ａの裏側または姿勢補整用下着の上端部３８の表側３８ａに取付けても良い。
【０７７２】
実施の形態２２
次に、本発明の実施の形態２２にかかる姿勢補整用ボトムズについて、図５６を参照して説明する。図５６は本発明の実施の形態２２にかかる姿勢補整用ボトムズにおいて、姿勢補整用下着をボトムズ本体としての紳士用ズボン（パンツ）或いは婦人用パンツの裏側に装着する方法を示す説明図である。
【０７７３】
図５６に示されるように、本実施の形態２２にかかる姿勢補整用下着の上端部３８の表側３８ａには、複数のオープンファスナーの雌側９４が取付けられている。一方、ボトムズ本体のウエストベルト２ａの裏側には、相対する位置に複数のオープンファスナーの雄側９３が取付けられている。そして、本実施の形態２２にかかる姿勢補整用下着をボトムズ本体のウエストベルト２ａの裏側に装着する際には、相対する位置のオープンファスナーの雄側９３と雌側９４を合わせてファスナーを閉じれば良いので、簡単に素早く装着することができる。
【０７７４】
ここで、複数のオープンファスナーの雌側９４は姿勢補整用下着の上端部３８の表側３８ａに取付けられているので、複数のオープンファスナーの雄側９３と雌側９４を合わせてファスナーを閉じ姿勢補整用ボトムズを佩いても、オープンファスナーの雄側９３も雌側９４も肌に直接当ることはなく、肌を圧迫することもない。したがって、快適に長時間着用することができる。また、姿勢補整用下着をボトムズ本体から着脱自在としたことによって、姿勢補整用下着を取外してボトムズ本体単独でも着用することができるとともに、姿勢補整用下着のみ或いはボトムズ本体のみを洗濯またはクリーニングすることも可能となる。
【０７７５】
なお、本実施の形態２２においては、短めのオープンファスナーの雄側９３と雌側９４を複数取付けているが、姿勢補整用下着の後中心から前中心の手前まで左右に２個のオープンファスナーを取付けても良いし、姿勢補整用下着の前中心を避けてその他の部分に１個のオープンファスナーを取付けても良い。
【０７７６】
また、本実施の形態２２とは逆に、ボトムズ本体のウエストベルト２ａの裏側にオープンファスナーの雌側９４を取付け、姿勢補整用下着の上端部３８の表側３８ａにオープンファスナーの雄側９３を（オープンファスナーの雄側９３をオープンファスナーの雌側９４と合わせて閉じたときにオープンファスナーの雄側９３及び雌側９４が肌に当らない位置にくるように）取付けても同様な作用効果が得られる。
【０７７７】
実施の形態２３
次に、本発明の実施の形態２３にかかる姿勢補整用ボトムズについて、図５７を参照して説明する。図５７（ａ）は本発明の実施の形態２３にかかる姿勢補整用ボトムズにおいて、姿勢補整用下着をボトムズ本体としての紳士用ズボン（パンツ）或いは婦人用パンツの裏側に装着する方法を示す説明図、（ｂ）は変形例を示す図である。
【０７７８】
図５７（ａ）に示されるように、本実施の形態２３にかかる姿勢補整用下着の上端部３８の表側３８ａには、複数のボタン８４が取付けられている。一方、ボトムズ本体のウエストベルト２ａの裏側には、一定の間隔をおいて複数のホール９５の付いた図示されないレース生地が縫付けられている。そして、本実施の形態２３にかかる姿勢補整用下着をボトムズ本体のウエストベルト２ａの裏側に装着する際には、相対する位置のレース生地のホール９５にボタン８４を嵌めれば良いので、簡単に素早く装着することができる。
【０７７９】
ここで、複数のボタン８４は姿勢補整用下着の上端部３８の表側３８ａに取付けられているので、複数のボタン８４をそれぞれレース生地のホール８５に嵌めて姿勢補整用ボトムズを佩いても、ボタン８４が肌に直接当ることはなく、肌を圧迫することもない。したがって、快適に長時間着用することができる。また、姿勢補整用下着をボトムズ本体から着脱自在としたことによって、姿勢補整用下着を取外してボトムズ本体単独でも着用することができるとともに、姿勢補整用下着のみ或いはボトムズ本体のみを洗濯またはクリーニングすることも可能となる。
【０７８０】
次に、本実施の形態２３の変形例について、図５７（ｂ）を参照して説明する。図５７（ｂ）に示されるように、図５７（ａ）との相違点は姿勢補整用下着の上端部３８の表側３８ａにボタン８４の代わりに雄型スプリングホック８５が取付けられている点のみである。したがって、姿勢補整用下着をボトムズ本体のウエストベルト２ａの裏側に装着する際には、雄型スプリングホック８５をそれぞれ対応する位置のホール９５に嵌めれば良いので、簡単に素早く装着することができる。
【０７８１】
ここで、複数の雄型スプリングホック８５は姿勢補整用下着の上端部３８の表側３８ａに取付けられているので、複数の雄型スプリングホック８５を複数のホール９５に嵌めて姿勢補整用ボトムズを佩いても、雄型スプリングホック８５が肌に直接当ることはなく、肌を圧迫することもない。したがって、快適に長時間着用することができる。
【０７８２】
なお、本実施の形態２３とは逆に、ボトムズ本体のウエストベルト２ａの裏側にボタン８４或いは雄型スプリングホック８５を取付け、姿勢補整用下着の上端部３８の表側３８ａに複数のホール９５の付いたレース生地を（ボタン８４或いは雄型スプリングホック８５をホール９５に嵌めたときにボタン８４或いは雄型スプリングホック８５が肌に当らない位置にくるように）取付けても同様な作用効果が得られる。
【０７８３】
実施の形態２４
次に、本発明の実施の形態２４にかかる姿勢補整用ボトムズについて、図５８を参照して説明する。図５８は本発明の実施の形態２４にかかる姿勢補整用ボトムズにおいて、姿勢補整用下着をボトムズ本体としての紳士用ズボン（パンツ）或いは婦人用パンツの裏側に装着する方法を示す説明図である。
【０７８４】
図５８に示されるように、本実施の形態２４にかかる姿勢補整用下着の上端部３８の表側３８ａには、接着布（マジックテープ（登録商標））の軟らかい側９６ｂが取付けられている。一方、ボトムズ本体のウエストベルト２ａの裏側には、接着布の硬い側９６ａが取付けられている。本実施の形態２４にかかる姿勢補整用下着をボトムズ本体のウエストベルト２ａの裏側に装着する際には、相対する位置の接着布の硬い側９６ａと接着布の軟らかい側９６ｂを接着させれば良いので、簡単に素早く装着することができる。
【０７８５】
ここで、接着布の軟らかい側９６ｂは姿勢補整用下着の上端部３８の表側３８ａに取付けられているので、接着布の軟らかい側９６ｂをそれぞれ接着布の硬い側９６ａと接着させ姿勢補整用ボトムズを佩いても、接着布の硬い側９６ａ及び接着布の軟らかい側９６ｂが肌に直接当ることはなく、肌を圧迫することもない。したがって、快適に長時間着用することができる。また、姿勢補整用下着４０をボトムズ本体から着脱自在としたことによって、姿勢補整用下着を取外してボトムズ本体単独でも着用することができるとともに、姿勢補整用下着のみ或いはボトムズ本体のみを洗濯またはクリーニングすることも可能となる。
【０７８６】
なお、本実施の形態２４とは逆に、ボトムズ本体のウエストベルト２ａの裏側に接着布の軟らかい側９６ｂを取付け、姿勢補整用下着の上端部３８の表側３８ａに接着布の硬い側９６ａを取付けても同様な作用効果が得られる。
【０７８７】
実施の形態２５
次に、本発明の実施の形態２５にかかる姿勢補整用ボトムズについて、図５９を参照して説明する。図５９は本発明の実施の形態２５にかかる姿勢補整用ボトムズにおいて、姿勢補整用下着が取付けられるボトムズ本体としての紳士用ズボン（パンツ）或いは婦人用パンツの裏側を示す説明図である。
【０７８８】
図５９に示されるように、本実施の形態２５にかかる姿勢補整用下着が取付けられるボトムズ本体のウエストベルト２ａの裏側には、約２ｃｍのキセ９７が設けられており、これによって、上記実施の形態５から実施の形態２４までで説明したボトムズ本体のウエストベルト２ａの裏側に取付けられる着脱具の一方であるＺナップの凹側３７Ｂ，ルーパー８２，ボタンホール８７付き布テープ８８，接着布の硬い側９６ａ等がキセ９７の下に隠される。実施の形態５から実施の形態２４までで説明したその他の着脱具の一方についても、全て同様に隠される。
【０７８９】
このように、ボトムズ本体のウエストベルト２ａの裏側にキセ９７を設けて着脱具の一方を隠すことによって、姿勢補整用下着を装着しないときには普通のボトムズ本体（紳士用ズボン（パンツ）、婦人用パンツ、スカート等）に見え、姿勢補整用下着を装着したときには、着脱具が隠れて見栄えが良くなる。さらに、キセ９７分の布地２枚９７ａ，９７ｂが間に挟まることによって、着脱具の肌への当りもより一層少なくなり、快適に長時間着用できる姿勢補整用ボトムズとなる。また、姿勢補整用下着をボトムズ本体から着脱自在としたことによって、姿勢補整用下着を取外してボトムズ本体単独でも着用することができるとともに、姿勢補整用下着のみ或いはボトムズ本体のみを洗濯またはクリーニングすることも可能となる。
【０７９０】
また、キセ９７を貫通して複数のボタンホール９９を設けることができ、このようにキセ９７を利用することによって、ボタンホール８７用の布テープ８８を縫付けなくても、直接複数のボタンホール９９を設けることができる。さらに、キセ９７の内側の布９７ａのみに複数の隠し穴かがり１００を設けることによって、ボタンホール（穴かがり）１００を隠すことができる。そして、姿勢補整用下着の表側に複数のボタンが取付けられて、ボタンホール９９または隠し穴かがり１００にボタンが嵌められ或いは外されることによって、ボトムズ本体のウエストベルト２ａの裏側に着脱可能となる。
【０７９１】
このようにして、隠し穴かがり１００については姿勢補整用下着を装着しないときには普通のボトムズ本体（紳士用ズボン（パンツ）、婦人用パンツ、スカート等）に見え、姿勢補整用下着を装着したときには、ボタンが隠れて見栄えが良くなる。さらに、キセ９７分の布地２枚９７ａ，９７ｂが間に挟まることによって、ボタンの肌への当りもより一層少なくなり、快適に長時間着用することができる。なお、キセ９７の長さはボトムズ本体のウエストベルト２ａの裏側に取付けられる着脱具の大きさ（布テープ８８の幅やドット釦の大きさ等）によって変化させる。
【０７９２】
上記各実施の形態においては、姿勢補整用ボトムズとして男性用の姿勢補整用ズボン及び女性用の姿勢補整用パンツについてのみ説明したが、同様な構成で男性用の姿勢補整用スラックス、姿勢補整用パンタロン、姿勢補整用Ｇパン（ジーンズ）、姿勢補整用綿パン、姿勢補整用チノパン、女性用の姿勢補整用クロップトパンツ、姿勢補整用パンタロン、姿勢補整用キュロットスカート、姿勢補整用キュロットパンツ、姿勢補整用Ｇパン（ジーンズ）、姿勢補整用綿パン、姿勢補整用チノパン、タイトスカート・フレアスカート・プリーツスカート等の姿勢補整用スカート、等を作製することができる。
【０７９３】
また、上記各実施の形態においては、「調節機能付き接続具」として、長さ方向の複数の位置にメンカンを取付けたものと、その複数のメンカンのいずれにも嵌合するカギホックを布地に取付けたものとを組にしたもの、長さ方向の複数の位置に凹側のホックを取付けたものと、その複数の凹側のホックのいずれにも嵌合する凸側のホックを布地に取付けたものとを組にしたもの、のみについて説明したが、これ以外にも「調節機能付き接続具」としては、複数の位置に凹側のドット釦を取付けたものと、その複数の凹側のドット釦のいずれにも嵌合する凸側のドット釦を布地に取付けたものとを組にしたものや、一組の接続布（マジックテープ（登録商標））や、複数の位置に凹側のスプリングホックを取付けたものと、その複数の凹側のスプリングホックのいずれにも嵌合する凸側のスプリングホックを布地に取付けたものとを組にしたもの、等をも用いることができる。
【０７９４】
さらに、上記各実施の形態においては、「調節機能付き接続具」を用いる場合として、羽根部材の分岐していない側または１対の前部分岐部分がボトムズ本体の裏側の前部または下着本体の裏側若しくは表側の前部に縫付けられていない場合についてのみ説明したが、羽根部材が１対の分岐部分と分岐していない側の端との間または１対の前部分岐部分との間で分離されている場合にも、分離部分が羽根部材の１対の分岐部分の側と羽根部材の分岐していない側または１対の前部分岐部分の側とに取付けられた複数の接続位置を選択できる「調節機能付き接続具」によって接続することができる。
【０７９５】
姿勢補整用ボトムズのその他の部分の構造、形状、数量、材質、大きさ（幅・長さ・厚さ等）、接続関係等についても、上記各実施の形態に限定されるものではない。
【図面の簡単な説明】
【０７９６】
【図１】図１は本発明の実施の形態１にかかる姿勢補整用ボトムズとしての姿勢補整用ズボンの上部の構成を示す斜視図である。
【図２】図２（ａ）は本発明の実施の形態１にかかる姿勢補整用ズボンを裏返した場合の上部の構成を示す正面図、（ｂ）は背面図である。
【図３】図３は本発明の実施の形態１にかかる姿勢補整用ズボンの股下部分の内部構造を示す部分拡大図である。
【図４】図４は人体の肛門が引き締められた場合に臀部に生ずる左右１対の笑窪様の小さい窪みの位置を示す模式図である。
【図５】図５（ａ）は本発明の実施の形態１にかかる姿勢補整用ズボンに用いられる羽根部材と肛門及び左右１対の小さい窪みとの位置関係を示す図、（ｂ）は羽根部材と肛門及び左右１対の小さい窪みとの別の位置関係を示す図、（ｃ）は羽根部材と肛門及び左右１対の小さい窪みとのさらに別の位置関係を示す図、（ｄ）は異なる羽根部材と肛門との位置関係を示す図である。
【図６】図６（ａ）〜（ｊ）は本発明の実施の形態１にかかる姿勢補整用ズボンに用いられる羽根部材の様々な形状を示す図である。
【図７】図７（ａ）は本発明の実施の形態１にかかる姿勢補整用ズボンに用いられる羽根部材の縫付け方法を示す図、（ｂ）は羽根部材の異なる縫付け方法を示す図、（ｃ）は羽根部材のさらに異なる縫付け方法を示す図である。
【図８】図８は本発明の実施の形態１の第１変形例にかかる姿勢補整用ズボンの股下部分の内部構造を示す部分拡大図である。
【図９】図９は本発明の実施の形態１の第２変形例にかかる姿勢補整用ズボンを裏返した場合の上部の構成を示す正面図、（ｂ）は背面図である。
【図１０】図１０（ａ）は本発明の実施の形態１の第２変形例にかかる姿勢補整用ズボンを裏返した場合の上部を開いて示す部分展開図、（ｂ）は本発明の実施の形態１の第３変形例にかかる姿勢補整用ズボンを裏返した場合の上部を開いて示す部分展開図、（ｃ）は本発明の実施の形態１にかかる姿勢補整用ズボンを裏返した場合の上部を開いて示す部分展開図である。
【図１１】図１１（ａ）は本発明の実施の形態１の第４変形例にかかる姿勢補整用ズボンを裏返した場合の上部を開いて示す部分展開図、（ｂ）は本発明の実施の形態１の第４変形例にかかる姿勢補整用ズボンにおける裏地めくれ防止テープの部分を拡大して示す図、（ｃ）は裏地めくれ防止テープの別の取付け方を拡大して示す図、（ｄ）は裏地めくれ防止テープのさらに別の取付け方を拡大して示す図である。
【図１２】図１２（ａ）は本発明の実施の形態１の第５変形例にかかる姿勢補整用ズボンを裏返した場合の股下部分を示す部分拡大図、（ｂ）は本発明の実施の形態１の第６変形例にかかる姿勢補整用ズボンを裏返した場合の股下部分を示す部分拡大図である。
【図１３】図１３（ａ）は本発明の実施の形態１の第７変形例にかかる姿勢補整用ズボンを裏返した場合の羽根部材の縫付け方を示す部分拡大図、（ｂ）は羽根部材を縫付けた後の股下部分を示す部分拡大図である。
【図１４】図１４は本発明の実施の形態１の第８変形例にかかる姿勢補整用ズボンを裏返した場合の股下部分を示す部分拡大図である。
【図１５】図１５（ａ）は本発明の実施の形態１の第９変形例にかかる姿勢補整用ズボンを裏返した場合の股下部分を示す部分拡大図、（ｂ）は本発明の実施の形態１の第１０変形例にかかる姿勢補整用ズボンを裏返した場合の股下部分を示す部分拡大図である。
【図１６】図１６は本発明の実施の形態２にかかる姿勢補整用ボトムズとしての姿勢補整用パンツの上部の構成を示す斜視図である。
【図１７】図１７（ａ）は本発明の実施の形態２にかかる姿勢補整用パンツを裏返した場合の上部の構成を示す正面図、（ｂ）は背面図である。
【図１８】図１８（ａ）は本発明の実施の形態２の第１変形例にかかる姿勢補整用パンツを裏返した場合の股下部分の構成を示す部分拡大図、（ｂ）は本発明の実施の形態２の第２変形例にかかる姿勢補整用パンツを裏返した場合の股下部分の構成を示す部分拡大図、（ｃ）は本発明の実施の形態２の第３変形例にかかる姿勢補整用パンツを裏返した場合の股下部分の構成を示す部分拡大図である。
【図１９】図１９（ａ）は本発明の実施の形態２の第４変形例にかかる姿勢補整用パンツを裏返した場合の上部の構成を示す正面図、（ｂ）は背面図、（ｃ）は本発明の実施の形態２の第５変形例にかかる姿勢補整用パンツを裏返した場合の股下部分の構成を示す部分拡大図である。
【図２０】図２０（ａ）は本発明の実施の形態２の第６変形例にかかる姿勢補整用パンツを裏返した場合の股下部分の構成を示す部分拡大図、（ｂ）は裏地をボトムズ本体としての婦人用パンツ表地の股上縫代に縫付ける様子を示す説明図、（ｃ）は本発明の実施の形態２の第７変形例にかかる姿勢補整用パンツを裏返した場合の股下部分の構成を示す部分拡大図である。
【図２１】図２１（ａ）は本発明の実施の形態３にかかる姿勢補整用ボトムズを裏返した場合において調節機能付き接続具を外した場合の股下部分の構成を示す部分拡大図、（ｂ）は調節機能付き接続具を接続した場合の股下部分の構成を示す部分拡大図である。
【図２２】図２２（ａ）は本発明の実施の形態３の第１変形例にかかる姿勢補整用ボトムズを裏返した場合において調節機能付き接続具を外した場合の股下部分の構成を示す部分拡大図、（ｂ）は調節機能付き接続具を接続した場合の股下部分の構成を示す部分拡大図である。
【図２３】図２３（ａ）は羽根部材が伸縮性を有する生地からなる裏地の上（内側）に縫付けられている場合を示す模式図、（ｂ）は羽根部材が伸縮性を有する生地からなる裏地の下（外側）に縫付けられている場合を示す模式図である。
【図２４】図２４は本発明の実施の形態４にかかる姿勢補整用ボトムズとしての姿勢補整用パンツの上部の構成を示す斜視図である。
【図２５】図２５（ａ）は本発明の実施の形態４にかかる姿勢補整用パンツの内側に縫付けられる姿勢補整用下着としての姿勢補整用サポーターの全体構成を示す正面図、（ｂ）は背面図、（ｃ）は本発明の実施の形態４の第１変形例にかかる姿勢補整用パンツの内側に縫付けられる姿勢補整用下着の第１変形例としての姿勢補整用サポーターの全体構成を示す正面図、（ｄ）は背面図である。図２５（ｅ）は本発明の実施の形態４の第２変形例にかかる姿勢補整用パンツの内側に縫付けられる姿勢補整用下着の第２変形例としての姿勢補整用サポーターの全体構成を示す正面図、（ｆ）は背面図、（ｇ）は本発明の実施の形態４の第３変形例にかかる姿勢補整用パンツの内側に縫付けられる姿勢補整用下着の第３変形例としての姿勢補整用サポーターの全体構成を示す正面図、（ｈ）は背面図である。
【図２６】図２６（ａ）は本発明の実施の形態４の第４変形例にかかる姿勢補整用パンツの内側に縫付けられる姿勢補整用下着の第４変形例としての姿勢補整用ロングガードルの全体構成を示す正面図、（ｂ）は背面図、（ｃ）は姿勢補整用下着の第４変形例としての姿勢補整用ロングガードルを裏返した場合の全体構成を示す正面図、（ｄ）は背面図である。
【図２７】図２７（ａ）は本発明の実施の形態４の第５変形例にかかる姿勢補整用パンツの内側に縫付けられる姿勢補整用下着の第５変形例としての姿勢補整用ショートガードルの全体構成を示す正面図、（ｂ）は背面図、（ｃ）は姿勢補整用下着の第５変形例としての姿勢補整用ショートガードルを裏返した場合の全体構成を示す正面図、（ｄ）は背面図である。
【図２８】図２８（ａ）は本発明の実施の形態５にかかる姿勢補整用ボトムズとしての姿勢補整用パンツにおいて姿勢補整用下着をボトムズ本体としてのパンツの表地の裏側に着脱自在に接続するＺナップの構造を示す説明図、（ｂ）は姿勢補整用下着をボトムズ本体の裏側に装着した状態を示す斜視図である。
【図２９】図２９（ａ）は本発明の実施の形態５にかかる姿勢補整用下着としての姿勢補整用ロングガードルの全体構成を示す正面図、（ｂ）は背面図、（ｃ）は本発明の実施の形態５にかかる姿勢補整用ロングガードルを裏返した場合の全体構成を示す正面図、（ｄ）は背面図である。
【図３０】図３０（ａ）は本発明の実施の形態５の第１変形例にかかる姿勢補整用下着としての姿勢補整用ングガードルの全体構成を示す正面図、（ｂ）は背面図、（ｃ）は本発明の実施の形態５の第１変形例にかかる姿勢補整用ロングガードルを裏返した場合の全体構成を示す正面図、（ｄ）は背面図である。
【図３１】図３１（ａ）は本発明の実施の形態５の第２変形例にかかる姿勢補整用下着としての姿勢補整用ショートガードルの全体構成を示す正面図、（ｂ）は背面図、（ｃ）は本発明の実施の形態５の第２変形例にかかる姿勢補整用ショートガードルを裏返した場合の全体構成を示す正面図、（ｄ）は背面図である。
【図３２】図３２（ａ）は本発明の実施の形態５の第３変形例にかかる姿勢補整用下着としての姿勢補整用ショーツガードルの全体構成を示す正面図、（ｂ）は背面図、（ｃ）は本発明の実施の形態５の第３変形例にかかる姿勢補整用ショーツガードルを裏返した場合の全体構成を示す正面図、（ｄ）は背面図である。
【図３３】図３３（ａ）は本発明の実施の形態５の第４変形例にかかる姿勢補整用下着としての姿勢補整用ショーツの全体構成を示す正面図、（ｂ）は背面図、（ｃ）は本発明の実施の形態５の第４変形例にかかる姿勢補整用ショーツを裏返した場合の全体構成を示す正面図、（ｄ）は背面図である。
【図３４】図３４（ａ）は本発明の実施の形態６にかかる姿勢補整用ボトムズに取付けられる姿勢補整用下着としての姿勢補整用ロングガードルの全体構成を示す正面図、（ｂ）は背面図、（ｃ）は本発明の実施の形態６にかかる姿勢補整用ロングガードルを裏返した場合の全体構成を示す正面図、（ｄ）は背面図、（ｅ）は本発明の実施の形態６にかかる姿勢補整用ロングガードルの股下部分の内部構造を示す部分拡大図である。
【図３５】図３５（ａ）は本発明の実施の形態７にかかる姿勢補整用ボトムズに取付けられる姿勢補整用下着としての姿勢補整用ショートガードルの全体構成を示す正面図、（ｂ）は背面図、（ｃ）は本発明の実施の形態７にかかる姿勢補整用ショートガードルを裏返した場合の全体構成を示す正面図、（ｄ）は背面図、（ｅ）は本発明の実施の形態７にかかる姿勢補整用ショートガードルの股下部分の内部構造を示す部分拡大図である。
【図３６】図３６（ａ）は本発明の実施の形態８にかかる姿勢補整用ボトムズに取付けられる姿勢補整用下着としての姿勢補整用ショートガードルの全体構成を示す正面図、（ｂ）は背面図、（ｃ）は本発明の実施の形態８にかかる姿勢補整用ショートガードルを裏返した場合の全体構成を示す正面図、（ｄ）は背面図、（ｅ）は本発明の実施の形態８にかかる姿勢補整用ショートガードルの股下部分の内部構造を示す部分拡大図である。
【図３７】図３７（ａ）は本発明の実施の形態９にかかる姿勢補整用ボトムズに取付けられる姿勢補整用下着としての姿勢補整用ショートガードルの全体構成を示す正面図、（ｂ）は背面図、（ｃ）は本発明の実施の形態９にかかる姿勢補整用ショートガードルを裏返した場合の全体構成を示す正面図、（ｄ）は背面図、（ｅ）は本発明の実施の形態９にかかる姿勢補整用ショートガードルの股下部分の内部構造を示す部分拡大図である。
【図３８】図３８（ａ）は本発明の実施の形態９の第１変形例にかかる姿勢補整用ショートガードルを裏返した場合の全体構成を示す正面図、（ｂ）は股下部分の内部構造を示す部分拡大図、（ｃ）は本発明の実施の形態９の第２変形例にかかる姿勢補整用ショートガードルを裏返した場合の全体構成を示す正面図、（ｄ）は本発明の実施の形態９の第３変形例にかかる姿勢補整用ショートガードルを裏返した場合の全体構成を示す正面図である。
【図３９】図３９（ａ）は本発明の実施の形態１０にかかる姿勢補整用ボトムズに取付けられる姿勢補整用下着としての姿勢補整用ショートガードルの全体構成を示す正面図、（ｂ）は背面図、（ｃ）は本発明の実施の形態１０にかかる姿勢補整用ショートガードルを裏返した場合の全体構成を示す正面図、（ｄ）は背面図、（ｅ）は本発明の実施の形態１０にかかる姿勢補整用ショートガードルの股下部分の内部構造を示す部分拡大図である。
【図４０】図４０（ａ）は本発明の実施の形態１１にかかる姿勢補整用ボトムズに取付けられる姿勢補整用下着としての姿勢補整用ショートガードルの全体構成を示す正面図、（ｂ）は背面図、（ｃ）は本発明の実施の形態１１にかかる姿勢補整用ショートガードルを裏返した場合の全体構成を示す正面図、（ｄ）は背面図、（ｅ）は本発明の実施の形態１１にかかる姿勢補整用ショートガードルの股下部分の内部構造を示す部分拡大図である。
【図４１】図４１（ａ）は本発明の実施の形態１１の第１変形例にかかる姿勢補整用ショートガードルを裏返した場合の全体構成を示す正面図、（ｂ）は本発明の実施の形態１１の第２変形例にかかる姿勢補整用ショートガードルを裏返した場合の全体構成を示す正面図である。
【図４２】図４２（ａ）は本発明の実施の形態１２にかかる姿勢補整用ボトムズに取付けられる姿勢補整用下着としての姿勢補整用ショートガードルの全体構成を示す正面図、（ｂ）は背面図、（ｃ）は本発明の実施の形態１２にかかる姿勢補整用ショートガードルを裏返した場合の全体構成を示す正面図、（ｄ）は背面図、（ｅ）は本発明の実施の形態１２にかかる姿勢補整用ショートガードルの股下部分の内部構造を示す部分拡大図である。
【図４３】図４３（ａ）は本発明の実施の形態１２の第１変形例にかかる姿勢補整用下着としての姿勢補整用ショートガードルの全体構成を示す正面図、（ｂ）は背面図、（ｃ）は本発明の実施の形態１２の第１変形例にかかる姿勢補整用ショートガードルを裏返した場合の全体構成を示す正面図、（ｄ）は背面図、（ｅ）は本発明の実施の形態１２の第１変形例にかかる姿勢補整用ショートガードルの股下部分の内部構造を示す部分拡大図である。
【図４４】図４４（ａ）は本発明の実施の形態１２の第２変形例にかかる姿勢補整用下着としての姿勢補整用ショートガードルの全体構成を示す正面図、（ｂ）は背面図、（ｃ）は本発明の実施の形態１２の第２変形例にかかる姿勢補整用ショートガードルを裏返した場合の全体構成を示す正面図、（ｄ）は背面図、（ｅ）は本発明の実施の形態１２の第２変形例にかかる姿勢補整用ショートガードルの股下部分の内部構造を示す部分拡大図である。
【図４５】図４５（ａ）は本発明の実施の形態１３にかかる姿勢補整用下着としての姿勢補整用サポーターの全体構成を示す正面図、（ｂ）は背面図、（ｃ）は本発明の実施の形態１３にかかる姿勢補整用サポーターを裏返した場合の全体構成を示す正面図、（ｄ）は背面図、（ｅ）は本発明の実施の形態１３にかかる姿勢補整用下着としての姿勢補整用サポーターの全体構成を示す斜視図である。
【図４６】図４６（ａ）は本発明の実施の形態１３の第１変形例にかかる姿勢補整用下着としての姿勢補整用サポーターの全体構成を示す正面図、（ｂ）は背面図、（ｃ）は本発明の実施の形態１３の第１変形例にかかる姿勢補整用サポーターを裏返した場合の全体構成を示す正面図、（ｄ）は背面図である。
【図４７】図４７（ａ）は本発明の実施の形態１３の第２変形例にかかる姿勢補整用下着としての姿勢補整用サポーターの全体構成を示す正面図、（ｂ）は背面図、（ｃ）は本発明の実施の形態１３の第２変形例にかかる姿勢補整用サポーターを裏返した場合の全体構成を示す正面図、（ｄ）は背面図、（ｅ）は本発明の実施の形態１３の第２変形例にかかる姿勢補整用サポーターに用いられる羽根部材の形状を示す図である。
【図４８】図４８は本発明の実施の形態１４にかかる姿勢補整用ボトムズにおいて、姿勢補整用下着をボトムズ本体としての紳士用ズボン（パンツ）或いは婦人用パンツの裏側に装着する方法を示す説明図である。
【図４９】図４９は本発明の実施の形態１５にかかる姿勢補整用ボトムズにおいて、姿勢補整用下着をボトムズ本体としての紳士用ズボン（パンツ）或いは婦人用パンツの裏側に装着する方法を示す説明図である。
【図５０】図５０（ａ）は本発明の実施の形態１６にかかる姿勢補整用ボトムズにおいて、姿勢補整用下着をボトムズ本体としての紳士用ズボン（パンツ）或いは婦人用パンツの裏側に装着する方法を示す説明図、（ｂ）は変形例を示す図、（ｃ）は別の変形例を示す図である。
【図５１】図５１（ａ）は本発明の実施の形態１７にかかる姿勢補整用ボトムズにおいて、姿勢補整用下着をボトムズ本体としての紳士用ズボン（パンツ）或いは婦人用パンツの裏側に装着する方法を示す説明図、（ｂ）は変形例を示す図、（ｃ）は別の変形例を示す図である。
【図５２】図５２は本発明の実施の形態１８にかかる姿勢補整用ボトムズにおいて、姿勢補整用下着をボトムズ本体としての紳士用ズボン（パンツ）或いは婦人用パンツの裏側に装着する方法を示す説明図である。
【図５３】図５３は本発明の実施の形態１９にかかる姿勢補整用ボトムズにおいて、姿勢補整用下着をボトムズ本体としての紳士用ズボン（パンツ）或いは婦人用パンツの裏側に装着する方法を示す説明図である。
【図５４】図５４は本発明の実施の形態２０にかかる姿勢補整用ボトムズにおいて、姿勢補整用下着をボトムズ本体としての紳士用ズボン（パンツ）或いは婦人用パンツの裏側に装着する方法を示す説明図である。
【図５５】図５５は本発明の実施の形態２１にかかる姿勢補整用ボトムズにおいて、姿勢補整用下着をボトムズ本体としての紳士用ズボン（パンツ）或いは婦人用パンツの裏側に装着する方法を示す説明図である。
【図５６】図５６は本発明の実施の形態２２にかかる姿勢補整用ボトムズにおいて、姿勢補整用下着をボトムズ本体としての紳士用ズボン（パンツ）或いは婦人用パンツの裏側に装着する方法を示す説明図である。
【図５７】図５７（ａ）は本発明の実施の形態２３にかかる姿勢補整用ボトムズにおいて、姿勢補整用下着をボトムズ本体としての紳士用ズボン（パンツ）或いは婦人用パンツの裏側に装着する方法を示す説明図、（ｂ）は変形例を示す図である。
【図５８】図５８は本発明の実施の形態２４にかかる姿勢補整用ボトムズにおいて、姿勢補整用下着をボトムズ本体としての紳士用ズボン（パンツ）或いは婦人用パンツの裏側に装着する方法を示す説明図である。
【図５９】図５９は本発明の実施の形態２５にかかる姿勢補整用ボトムズにおいて、姿勢補整用下着が取付けられるボトムズ本体としての紳士用ズボン（パンツ）或いは婦人用パンツの裏側を示す説明図である。
【符号の説明】
【０７９７】
１，１Ａ，１Ｂ，１Ｃ，１Ｄ，１Ｅ，１Ｆ，１Ｇ，１Ｈ，１Ｊ，１Ｋ，１０，１０Ａ，１０Ｂ，１０Ｃ，１０Ｄ，１０Ｅ，１０Ｆ，１０Ｇ，１５，２０，３０，３５  姿勢補整用ボトムズ
２，１１，１６，２１，３１  ボトムズ本体
２ａ  ボトムズ本体のウエストベルト
３，６，７，１２，１７，２２  裏地
５，５Ｂ，５Ｃ，５Ｄ，５Ｅ，５Ｆ，５Ｇ，５Ｈ，５Ｊ，５Ｋ，５Ｌ，５Ｍ，５Ｎ，５Ｐ，５Ｕ，５Ｖ，５Ｗ，５Ｘ，５Ｙ，３４，７２，１１４，１１４Ａ，１１４Ｂ，１１４Ｃ，１１４Ｄ，１２１，１２１Ａ，１２１Ｂ，１２１Ｃ  羽根部材
５ａ，５ｂ，５Ｂａ，５Ｂｂ，５Ｃａ，５Ｃｂ，５Ｄａ，５Ｄｂ，５Ｅａ，５Ｅｂ，５Ｆａ，５Ｆｂ，５Ｇａ，５Ｇｂ，５Ｈａ，５Ｈｂ，５Ｊａ，５Ｊｂ，５Ｋａ，５Ｋｂ，５Ｌａ，５Ｌｂ，５Ｍａ，５Ｍｂ，５Ｎａ，５Ｎｂ，５Ｐａ，５Ｐｂ，５Ｕａ，５Ｕｂ，５Ｗａ，５Ｗｂ，５Ｘａ，５Ｘｂ，５Ｙａ，５Ｙｂ，３４ａ，３４ｂ，７２ａ，７２ｂ，１１４ａ，１１４ｂ，１１４Ａａ，１１４Ａｂ，１１４Ｂａ，１１４Ｂｂ，１２１ａ，１２１ｂ，１２１Ａａ，１２１Ａｂ，１２４ａ，１２４ｂ  １対の分岐部分
５ｃ，５Ｂｃ，５Ｃｃ，５Ｄｃ，５Ｅｃ，５Ｆｃ，５Ｇｃ，５Ｈｃ，５Ｊｃ，５Ｋｃ，５Ｌｃ，５Ｍｃ，５Ｎｃ，５Ｐｃ，５Ｑｃ，５Ｒｃ，５Ｕｃ，５Ｗｃ，５Ｘｃ，５Ｙｃ，３４ｃ，７２ｃ，１１４ｃ，１１４Ａｃ，１１４Ｂｃ，１２１ｃ，１２１Ａｃ，１２４ｃ  分岐点
５ｄ，５Ｅｄ，５Ｎｄ，５Ｐｄ，５Ｕｄ，５Ｖｄ，５Ｙｄ，３４ｄ，１１４ｄ，１１４Ａｄ，１１４Ｂｄ，１１４Ｃｄ，１１４Ｄｄ，１２８ｄ  分岐していない側
５ｅ，５Ｅｅ，５Ｎｅ，５Ｐｅ，５Ｕｅ，５Ｖｅ，５Ｙｅ，３４ｅ，１１４ｅ，１１４Ａｅ，１１４Ｂｅ，１１４Ｃｅ，１１４Ｄｅ，１２８ｅ  分岐していない側の端
５ｋ，５Ｂｋ，５Ｅｋ  縫い止まり点
５Ｖｆ  切欠き
５Ｗｄ，５Ｗｅ，５Ｘｄ，５Ｘｅ，７２ｄ，７２ｅ，１２１ｄ，１２１ｅ，１２１Ａｄ，１２１Ａｅ，１２１Ｂｄ，１２１Ｂｅ，１２１Ｃｄ，１２１Ｃｅ，１２９ｄ，１２９ｅ  １対の前部分岐部分
５Ｙｈ  ダブルステッチ
５Ｘｍ，１１４Ａｊ，１１４Ｂｊ，１１４Ｃｊ，１１４Ｄｊ，１２１Ａｍ，１２１Ｂｍ，１２１Ｃｍ  枝部分
８  裏地めくれ防止テープ
９Ａ，９Ｄ  股下縫代
９Ｂ，９Ｃ，１１Ｄ  股上縫代
１１Ｅ，１４，１４ａ  ステッチ止め
１８Ａ，１８Ｂ，２３Ａ，２３Ｂ  調節機能付き接続具
３１ｂ，３３ｂ，７４ｂ，７７ｂ  開閉具
３２，３２Ａ，３２Ｂ，３２Ｃ，４０，４５，４７，５１，５５，６０，６５，７０，７３，７６，１０３，１０５，１１０，１１５，１１６，１１７，１１８，１２０，１２０Ａ，１２０Ｂ，１２０Ｃ，１２５，１２６，１２７  姿勢補整用下着
３３，４１，４８，５２，５６，６１，６６，７１，７４，７７，１１１，１２２Ａ，１２２Ｂ  下着本体
３７Ａ  Ｚナップの凸側
３７Ｂ  Ｚナップの凹側
３８ａ  姿勢補整用下着の上端部の表側
４３，４９，５３，５７，７４ａ，７７ａ，１１２  股部
４４，５０，５４，５８，７５，７８  ヨーク部材
８０Ａ  ランジェリーフックアイテープの雌側
８０ａ  雌フック
８０Ｂ  ランジェリーフックアイテープの雄側
８０ｂ  雄フック
８１  ループ
８１Ａ  糸ループ
８２  ルーパー
８３  表地バイアスループまたは裏地バイアスループ
８４  ボタン
８５  雄型スプリングホック
８６  チイ
８７，９９  ボタンホール
８８  布テープ
８９  雌型スプリングホック
９０  凹側ドット釦
９１  凸側ドット釦
９２  ドット・スナップテープ
９３  オープンファスナーの雄側
９４  オープンファスナーの雌側
９５  レースのホール
９６ａ  接着布の硬い側
９６ｂ  接着布の軟らかい側
９７  キセ
９７ａ  キセの内側の布
９８  身頃
１００  隠し穴かがり
１０４，１０６，１１３  股下当て布
１２４  羽根部材（後部羽根部材）
１２８，１２９  羽根部材（前部羽根部材）
ＢＣ  後中心
ＦＣ  前中心
ＨＣ  肛門
ＨＤ  臀部
ＨＥ  小さい窪み
ＨＣＰ  肛門の位置
ＨＥＰ  小さい窪みの位置
【図１】
2007239165.tif 000003
【図２】
2007239165.tif 000004
【図３】
2007239165.tif 000005
【図４】
2007239165.tif 000006
【図５】
2007239165.tif 000007
【図６】
2007239165.tif 000008
【図７】
2007239165.tif 000009
【図８】
2007239165.tif 000010
【図９】
2007239165.tif 000011
【図１０】
2007239165.tif 000012
【図１１】
2007239165.tif 000013
【図１２】
2007239165.tif 000014
【図１３】
2007239165.tif 000015
【図１４】
2007239165.tif 000016
【図１５】
2007239165.tif 000017
【図１６】
2007239165.tif 000018
【図１７】
2007239165.tif 000019
【図１８】
2007239165.tif 000020
【図１９】
2007239165.tif 000021
【図２０】
2007239165.tif 000022
【図２１】
2007239165.tif 000023
【図２２】
2007239165.tif 000024
【図２３】
2007239165.tif 000025
【図２４】
2007239165.tif 000026
【図２５】
2007239165.tif 000027
【図２６】
2007239165.tif 000028
【図２７】
2007239165.tif 000029
【図２８】
2007239165.tif 000030
【図２９】
2007239165.tif 000031
【図３０】
2007239165.tif 000032
【図３１】
2007239165.tif 000033
【図３２】
2007239165.tif 000034
【図３３】
2007239165.tif 000035
【図３４】
2007239165.tif 000036
【図３５】
2007239165.tif 000037
【図３６】
2007239165.tif 000038
【図３７】
2007239165.tif 000039
【図３８】
2007239165.tif 000040
【図３９】
2007239165.tif 000041
【図４０】
2007239165.tif 000042
【図４１】
2007239165.tif 000043
【図４２】
2007239165.tif 000044
【図４３】
2007239165.tif 000045
【図４４】
2007239165.tif 000046
【図４５】
2007239165.tif 000047
【図４６】
2007239165.tif 000048
【図４７】
2007239165.tif 000049
【図４８】
2007239165.tif 000050
【図４９】
2007239165.tif 000051
【図５０】
2007239165.tif 000052
【図５１】
2007239165.tif 000053
【図５２】
2007239165.tif 000054
【図５３】
2007239165.tif 000055
【図５４】
2007239165.tif 000056
【図５５】
2007239165.tif 000057
【図５６】
2007239165.tif 000058
【図５７】
2007239165.tif 000059
【図５８】
2007239165.tif 000060
【図５９】
2007239165.tif 000061
【手続補正書】
【提出日】平成18年8月11日(2006.8.11)
【手続補正１】
【補正対象書類名】特許請求の範囲
【補正対象項目名】請求項１１
【補正方法】変更
【補正の内容】
【請求項１１】
前記羽根部材の前記１対の分岐部分の先端及びその周囲の部分が前記ボトムズ本体と前記裏地との間において前記裏地に縫付けられており、前記裏地が前記ボトムズ本体の裏側の腰周りから脚部先端までのほぼ全面を覆う大きさを有することを特徴とする請求項７に記載の姿勢補整用ボトムズ。
【手続補正２】
【補正対象書類名】明細書
【補正対象項目名】００２４
【補正方法】変更
【補正の内容】
【００２４】
請求項１１の発明にかかる姿勢補整用ボトムズは、請求項７の構成において、前記羽根部材の前記１対の分岐部分の先端及びその周囲の部分が前記ボトムズ本体と前記裏地との間において前記裏地に縫付けられており、前記裏地が前記ボトムズ本体の裏側の腰周りから脚部先端までのほぼ全面を覆う大きさを有するものである。
【手続補正３】
【補正対象書類名】明細書
【補正対象項目名】００９０
【補正方法】変更
【補正の内容】
【００９０】
請求項１１の発明にかかる姿勢補整用ボトムズは、裏地が伸縮性を有する生地からなるものであって、羽根部材の１対の分岐部分の先端及びその周囲の部分がボトムズ本体と裏地との間において裏地に縫付けられており、裏地がボトムズ本体の裏側の腰周りから脚部先端までのほぼ全面を覆う大きさを有する。ここで、「伸縮性を有する生地」としては、例えば、トリコット、ニット生地、ポリウレタンが１％〜３０％混合されたポリウレタン混合生地、綿ストレッチ、スパンレックス、パワーネット、サテンネット（ストレッチサテン）、ストレッチレース、等がある。